(57)【要約】  第１のベースバンド信号及び第２のベースバンド信号に対してプリコーディング処理を施して、第１のプリコーディングされた信号及び第２のプリコーディングされた信号を生成し、前記第１のプリコーディングされた信号に対してパイロット信号を挿入した第3信号を出力し、前記第２のプリコーディングされた信号に対して第1の位相変更を施した第4信号を出力し、前記第４信号に対してパイロット信号を挿入した第5信号を出力し、前記第５信号に対して第2の位相変更を施して第6信号を出力する。
2017061113.tif 000002
【特許請求の範囲】
【請求項１】
第１のベースバンド信号及び第２のベースバンド信号に対してプリコーディング処理を施して、第１のプリコーディングされた信号及び第２のプリコーディングされた信号を生成する重み付け合成部と、
前記第１のプリコーディングされた信号に対してパイロット信号を挿入した第3信号を出力する第１のパイロット挿入部と、
前記第２のプリコーディングされた信号に対して第1の位相変更を施した第４信号を出力する第１の位相変更部と、
前記第４信号に対してパイロット信号を挿入した第５信号を出力する第２のパイロット挿入部と、
前記第５信号に対して第2の位相変更を施した第６信号を出力する第２の位相変更部と、
を備える送信装置。
【請求項２】
第１のベースバンド信号及び第２のベースバンド信号に対してプリコーディング処理を施して、第１のプリコーディングされた信号及び第２のプリコーディングされた信号を生成し、
前記第１のプリコーディングされた信号に対してパイロット信号を挿入した第3信号を出力し、
前記第２のプリコーディングされた信号に対して第1の位相変更を施した第4信号を出力し、
前記第４信号に対してパイロット信号を挿入した第5信号を出力し、
前記第５信号に対して第2の位相変更を施して第6信号を出力する、
送信方法。
【発明の詳細な説明】
【技術分野】
【０００１】
本開示は、特にマルチアンテナを用いた通信を行う送信装置および受信装置に関する。
【背景技術】
【０００２】
直接波が支配的なＬＯＳ（Line of Sight）環境において、マルチアンテナを用いた通信方法として例えばＭＩＭＯ（Ｍｕｌｔｉｐｌｅ−Ｉｎｐｕｔ  Ｍｕｌｔｉｐｌｅ−Ｏｕｔｐｕｔ）と呼ばれる通信方法で、良好な受信品質を得るための送信方法として、非特許文献１に記載されている方式がある。
【先行技術文献】
【非特許文献】
【０００３】
【非特許文献１】“MIMO for DVB-NGH, the next generation mobile TV broadcasting,” IEEE Commun. Mag., vol.57, no.7, pp.130-137, July 2013.
【非特許文献２】“Standard conformable antenna diversity techniques for OFDM and its application to the DVB-T system,” IEEE Globecom 2001,pp.3100-3105, Nov. 2001.
【非特許文献３】IEEE P802.11n(D3.00) Draft STANDARD for Information Technology-Telecommunications and information exchange between systems-Local and metropolitan area networks-Specific requirements-Part11: Wireless LAN Medium Access Control (MAC) and Physical Layer (PHY) specifications, 2007.
【発明の概要】
【０００４】
本開示の非限定的な実施例は、ＬＯＳを含む伝播環境においてデータの受信品質を向上させる送信装置を提供する。
【０００５】
本開示の一態様に係る送信装置は、
第１のベースバンド信号及び第２のベースバンド信号に対してプリコーディング処理を施して、第１のプリコーディングされた信号及び第２のプリコーディングされた信号を生成する重み付け合成部と、前記第１のプリコーディングされた信号に対してパイロット信号を挿入した第3信号を出力する第１のパイロット挿入部と、前記第２のプリコーディングされた信号に対して第1の位相変更を施した第４信号を出力する第１の位相変更部と、前記第４信号に対してパイロット信号を挿入した第５信号を出力する第２のパイロット挿入部と、前記第５信号に対して第2の位相変更を施した第６信号を出力する第２の位相変更部と、を備える。
【０００６】
本開示の一態様に係る送信方法は、第１のベースバンド信号及び第２のベースバンド信号に対してプリコーディング処理を施して、第１のプリコーディングされた信号及び第２のプリコーディングされた信号を生成し、前記第１のプリコーディングされた信号に対してパイロット信号を挿入した第3信号を出力し、前記第２のプリコーディングされた信号に対して第1の位相変更を施した第4信号を出力し、前記第４信号に対してパイロット信号を挿入した第5信号を出力し、前記第５信号に対して第2の位相変更を施して第6信号を出力する。
【０００７】
これらの概括的かつ特定の態様は、システム、装置及び方法の任意の組み合わせにより実現してもよい。
【０００８】
このように本開示によれば、ＬＯＳを含む伝播環境においてデータの受信品質を向上させることができるため、品質の高い通信サービスを提供することができる。
【０００９】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１０】
【図１】本実施の形態における送信装置の一構成例を示す図。
【図２】図１の信号処理部の一構成例を示す図。
【図３】図１の無線部の一構成例を示す図。
【図４】図１の送信信号の一フレーム構成例を示す図。
【図５】図１の送信信号の一フレーム構成例を示す図。
【図６】図２の制御情報生成に関する部分の一構成例を示す図。
【図７】図１のアンテナ部の一構成例を示す図。
【図８】本実施の形態における受信装置の一構成例を示す図。
【図９】送信装置と受信装置の関係を示す図。
【図１０】図８のアンテナ部の一構成例を示す図。
【図１１】図５のフレームの一部を示す図。
【図１２】図１のマッピング部で使用する変調方式の一例を示す図。
【図１３】図１の送信信号の一フレーム構成の一例を示す図。
【図１４】図１の送信信号の一フレーム構成の一例を示す図。
【図１５】ＣＣＤを用いた時の一構成例を示す図。
【図１６】ＯＦＤＭを用いたときの一キャリア配置例を示す図。
【図１７】ＤＶＢ−ＮＧＨ規格に基づいた送信装置の一構成例を示す図。
【図１８】図１の信号処理部の一構成例を示す図。
【図１９】図１の信号処理部の一構成例を示す図。
【図２０】図１の信号処理部の一構成例を示す図。
【図２１】図１の信号処理部の一構成例を示す図。
【図２２】図１の信号処理部の一構成例を示す図。
【図２３】基地局の一構成例を示す図。
【図２４】端末の一構成例を示す図。
【図２５】変調信号のフレーム構成の一例を示す図。
【図２６】基地局と端末の一通信例を示す図。
【図２７】基地局と端末の一通信例を示す図。
【図２８】図１の信号処理部の一構成例を示す図。
【図２９】図１の信号処理部の一構成例を示す図。
【図３０】図１の信号処理部の一構成例を示す図。
【図３１】図１の信号処理部の一構成例を示す図。
【図３２】図１の信号処理部の一構成例を示す図。
【図３３】図１の信号処理部の一構成例を示す図。
【図３４】基地局と端末が通信を行っている状態におけるシステム構成の一例を示す図。
【図３５】基地局と端末の一通信例を示す図。
【図３６】受信能力通知シンボルが含むデータの一例を示す図。
【図３７】受信能力通知シンボルが含むデータの一例を示す図。
【図３８】受信能力通知シンボルが含むデータの一例を示す図。
【図３９】送信信号のフレーム構成の一例を示す図。
【図４０】送信信号のフレーム構成の一例を示す図。
【図４１】受信装置の構成の一例を示す図。
【図４２】マルチキャリア伝送方式を用いたフレーム構成の一例を示す図。
【図４３】シングルキャリア伝送方式を用いたフレーム構成の一例を示す図。
【図４４】送信装置の構成の一例を示す図。
【図４５】時間軸に対するシンボル配置方法の一例を示す図。
【図４６】周波数軸に対するシンボル配置方法の一例を示す図。
【図４７】時間及び周波数軸に対するシンボル配置方法の一例を示す図。
【図４８】時間軸に対するシンボル配置方法の一例を示す図。
【図４９】周波数軸に対するシンボル配置方法の一例を示す図。
【図５０】時間及び周波数軸に対するシンボル配置方法の一例を示す図。
【図５１】変調信号の構成の一例を示す図。
【図５２】変調信号送信時のフレーム構成の一例を示す図。
【図５３】変調信号送信時のフレーム構成の一例を示す図。
【図５４】送信装置における信号処理部の構成の一例を示す図。
【図５５】送信装置における無線部の構成の一例を示す図。
【図５６】送信装置における信号処理部の構成の一例を示す図。
【図５７】変調信号の構成の一例を示す図。
【図５８】変調信号送信時のフレーム構成の一例を示す図。
【図５９】重み付け合成部の前後に位相変更部を配置する一例を示す図。
【図６０】重み付け合成部の前後に位相変更部を配置する一例を示す図。
【図６１】重み付け合成部の前後に位相変更部を配置する一例を示す図。
【図６２】重み付け合成部の前後に位相変更部を配置する一例を示す図。
【図６３】重み付け合成部の前後に位相変更部を配置する一例を示す図。
【図６４】重み付け合成部の前後に位相変更部を配置する一例を示す図。
【図６５】重み付け合成部の前後に位相変更部を配置する一例を示す図。
【図６６】重み付け合成部の前後に位相変更部を配置する一例を示す図。
【図６７】重み付け合成部の前後に位相変更部を配置する一例を示す図。
【図６８】マッピング部の動作を説明するための図。
【図６９】マッピングにおける信号点配置の一例を示す図。
【図７０】マッピングにおける信号点配置の一例を示す図。
【図７１】マッピングにおける信号点配置の一例を示す図。
【図７２】マッピングにおける信号点配置の一例を示す図。
【図７３】送信装置の構成の一例を示す図。
【図７４】マッピング部の動作を示す図。
【図７５】マッピング部の動作を示す図。
【図７６】マッピング部の動作を示す図。
【図７７】マッピング部の動作を示す図。
【図７８】マッピング部の動作を示す図。
【発明を実施するための形態】
【００１１】
（ＬＯＳ環境における通信方法）
直接波が支配的なＬＯＳ環境において、マルチアンテナを用いた通信方法として例えばＭＩＭＯと呼ばれる通信方法で、良好な受信品質を得るための送信方法として、非特許文献１に記載されている方式がある。
【００１２】
図１７は、非特許文献１に記載されている、送信アンテナ数２、送信変調信号（送信ストリーム）数２のときの、ＤＶＢ−ＮＧＨ（Digital Video Broadcasting −Next Generation Handheld）規格に基づいた送信装置の構成の一例を示している。送信装置では、符号化部００２により符号化されたデータ００３が、分配部００４により、データ００５Ａ、データ００５Ｂに分けられる。データ００５Ａは、インタリーバ００４Ａにより、インタリーブの処理、マッピング部００６Ａにより、マッピングの処理が施される。同様に、データ００５Ｂは、インタリーバ００４Ｂにより、インタリーブの処理、マッピング部００６Ｂにより、マッピングの処理が施される。重み付け合成部００８Ａ、００８Ｂは、マッピング後の信号００７Ａ、００７Ｂを入力とし、それぞれ重み付け合成を行い、重み付け合成後の信号００９Ａ、０１６Ｂが生成される。重み付け合成後の信号０１６Ｂは、その後、位相変更が行われる。そして、無線部０１０Ａ、０１０Ｂにより、例えば、ＯＦＤＭ（orthogonal frequency division multiplexing）に関連する処理、周波数変換、増幅などの処理が行われ、アンテナ０１２Ａから送信信号０１１Ａ、アンテナ０１２Ｂから送信信号０１１Ｂが送信される。
【００１３】
従来の構成の場合、シングルストリームの信号をあわせて送信することを考慮しておらず、このような場合、特に、シングルストリームの受信装置におけるデータの受信品質を向上させるための新しい送信方法を導入するとよいと考えられる。
【００１４】
以下、本開示の実施の形態について図面を参照して詳細に説明する。
【００１５】
（実施の形態１）
本実施の形態の送信方法、送信装置、受信方法、受信装置について詳しく説明する。
【００１６】
図１に、本実施の形態における例えば、基地局、アクセスポイント、放送局等の送信装置の構成の一例を示す。誤り訂正符号化１０２は、データ１０１および制御信号１００を入力とし、制御信号１００に含まれる誤り訂正符号に関する情報（例えば、誤り訂正符号の情報、符号長（ブロック長）、符号化率）に基づき、誤り訂正符号化を行い、符号化データ１０３を出力する。なお、誤り訂正符号化部１０２は、インタリーバを具備していてもよく、インタリーバを具備していた場合、符号化後にデータの並び替えを行い、符号化データ１０３を出力してもよい。
【００１７】
マッピング部１０４は、符号化データ１０３、制御信号１００を入力とし、制御信号１００に含まれる変調信号の情報に基づき、変調方式に対応するマッピングを行い、マッピング後の信号であるベースバンド信号１０５＿１、および、マッピング後の信号であるベースバンド信号１０５＿２を出力する。なお、マッピング部１０４は、第１の系列を用いて、マッピング後の信号１０５＿１を生成し、第２の系列を用いて、マッピング後の信号１０５＿２を生成する。このとき、第１の系列と第２の系列は異なる。
【００１８】
信号処理部１０６は、マッピング後の信号１０５＿１、１０５＿２、信号群１１０、制御信号１００を入力とし、制御信号１００に基づいて、信号処理を行い、信号処理後の信号１０６＿Ａ、１０６＿Ｂを出力する。このとき、信号処理後の信号１０６＿Ａをｕ１（ｉ）、信号処理後の信号１０６＿Ｂをｕ２（ｉ）とあらわす。ｉはシンボル番号であり、例えば、ｉは０以上の整数とする。なお、信号処理については、図２を用いて、後で説明する。
【００１９】
無線部１０７＿Ａは、信号処理後の信号１０６＿Ａ、制御信号１００を入力とし、制御信号１００に基づき、信号処理後の信号１０６＿Ａに対し、処理を施し、送信信号１０８＿Ａを出力する。そして、送信信号１０８＿Ａは、アンテナ部＃Ａ  １０９＿Ａから電波として出力される。
【００２０】
同様に、無線部１０７＿Ｂは、信号処理後の信号１０６＿Ｂ、制御信号１００を入力とし、制御信号１００に基づき、信号処理後の信号１０６＿Ｂに対し、処理を施し、送信信号１０８＿Ｂを出力する。そして、送信信号１０８＿Ｂは、アンテナ部＃Ｂ  １０９＿Ｂから電波として出力される。
【００２１】
アンテナ部＃Ａ  １０９＿Ａは、制御信号１００を入力としている。このとき、制御信号１００に基づいて、送信信号１０８＿Ａに対し処理を施し、電波として出力する。ただし、アンテナ部＃Ａ  １０９＿Ａは、制御信号１００を入力としなくてもよい。
【００２２】
同様に、アンテナ部＃Ｂ  １０９＿Ｂは、制御信号１００を入力としている。このとき、制御信号１００に基づいて、送信信号１０８＿Ｂに対し処理を施し、電波を出力する。ただし、アンテナ部＃Ｂ  １０９＿Ｂは、制御信号１００を入力としなくてもよい。
【００２３】
なお、制御信号１００は、図１の通信相手である装置が送信した情報に基づいて生成されてもよいし、図１の装置は入力部を具備し、その入力部から入力された情報に基づいて生成されてもよい。
【００２４】
図２は、図１における信号処理部１０６の構成の一例を示している。重み付け合成部（プリコーディング部）２０３はマッピング後の信号２０１Ａ（図１のマッピング後の信号１０５＿１）、および、マッピング後の信号２０１Ｂ（図１のマッピング後の信号１０５＿２）、および、制御信号２００（図１の制御信号１００）を入力とし、制御信号２００に基づいて重み付け合成（プリコーディング）を行い、重み付け後の信号２０４Ａおよび重み付け後の信号２０４Ｂを出力する。このとき、マッピング後の信号２０１Ａをｓ１（ｔ）、マッピング後の信号２０１Ｂをｓ２（ｔ）、重み付け後の信号２０４Ａをｚ１（ｔ）、重み付け後の信号２０４Ｂをｚ２’（ｔ）とあらわす。なお、ｔは一例として、時間とする。ｓ１（ｔ）、ｓ２（ｔ）、ｚ１（ｔ）、ｚ２’（ｔ）は複素数で定義される。したがって、実数であってもよい。
【００２５】
重み付け合成部（プリコーディング部）２０３は、以下の演算を行う。
【００２６】
【数１】
2017061113.tif 000003
【００２７】
式（１）において、ａ、ｂ、ｃ、ｄは複素数で定義する。なお、ａ、ｂ、ｃ、ｄは実数であってもよい。なお、ｉはシンボル番号とする。
【００２８】
そして、位相変更部２０５Ｂは、重み付け合成後の信号２０４Ｂ、および、制御信号２００を入力とし、制御信号２００に基づき、重み付け合成後の信号２０４Ｂに対し、位相変更を施し、位相変更後の信号２０６Ｂを出力する。なお、位相変更後の信号２０６Ｂをｚ２（ｔ）であらわし、ｚ２（ｔ）は複素数で定義する。なお、ｚ２（ｔ）は実数であってもよい。
【００２９】
位相変更部２０５Ｂの具体的動作について説明する。位相変更部２０５Ｂでは、例えば、ｚ２’（ｉ）に対しｙ（ｉ）の位相変更を施す。したがって、ｚ２（ｉ）＝ｙ（ｉ）×ｚ２’（ｉ）とあらわすことができる。ｉはシンボル番号であり、ｉは０以上の整数とする。
【００３０】
例えば、位相変更の値を以下のように設定する。Ｎは２以上の整数であり、Ｎは位相変更の周期となる。Ｎは３以上の奇数に設定するとデータの受信品質が向上する可能性がある。
【００３１】
【数２】
2017061113.tif 000004
【００３２】
ｊは虚数単位である。ただし、式（２）は、あくまでも例であり、これに限ったものではない。そこで、位相変更値ｙ（ｉ）＝ｅｊ×δ（ｉ）であらわす。
【００３３】
このときｚ１（ｉ）およびｚ２（ｉ）は次式であらわすことができる。
【００３４】
【数３】
2017061113.tif 000005
【００３５】
なお、δ（ｉ）は実数である。そして、ｚ１（ｉ）とｚ２（ｉ）は、同一時間、同一周波数（同一周波数帯）で、送信装置から送信される。
【００３６】
式（３）において、位相変更の値は、式（２）に限ったものではなく、例えば、周期的、規則的に位相を変更するような方法が考えられる。
【００３７】
式（１）および式（３）における行列（プリコーディング行列）を
【００３８】
【数４】
2017061113.tif 000006
【００３９】
とする。例えば、行列Ｆは、以下のいずれかの行列を用いることが考えられる。
【００４０】
【数５】
2017061113.tif 000007
【００４１】
【数６】
2017061113.tif 000008
【００４２】
【数７】
2017061113.tif 000009
【００４３】
【数８】
2017061113.tif 000010
【００４４】
【数９】
2017061113.tif 000011
【００４５】
【数１０】
2017061113.tif 000012
【００４６】
【数１１】
2017061113.tif 000013
【００４７】
【数１２】
2017061113.tif 000014
【００４８】
なお、式（５）、式（６）、式（７）、式（８）、式（９）、式（１０）、式（１１）、式（１２）において、αは実数であってもよいし、虚数であってもよく、βは実数であってもよいし、虚数であってもよい。ただし、αは０（ゼロ）ではない。そして、βも０（ゼロ）ではない。
【００４９】
【数１３】
2017061113.tif 000015
【００５０】
【数１４】
2017061113.tif 000016
【００５１】
【数１５】
2017061113.tif 000017
【００５２】
【数１６】
2017061113.tif 000018
【００５３】
【数１７】
2017061113.tif 000019
【００５４】
【数１８】
2017061113.tif 000020
【００５５】
【数１９】
2017061113.tif 000021
【００５６】
【数２０】
2017061113.tif 000022
【００５７】
なお、式（１３）、式（１５）、式（１７）、式（１９）において、βは実数であってもよいし、虚数であってもよい。ただし、βは０（ゼロ）ではない。（θは実数）
【００５８】
【数２１】
2017061113.tif 000023
【００５９】
【数２２】
2017061113.tif 000024
【００６０】
【数２３】
2017061113.tif 000025
【００６１】
【数２４】
2017061113.tif 000026
【００６２】
【数２５】
2017061113.tif 000027
【００６３】
【数２６】
2017061113.tif 000028
【００６４】
【数２７】
2017061113.tif 000029
【００６５】
【数２８】
2017061113.tif 000030
【００６６】
【数２９】
2017061113.tif 000031
【００６７】
【数３０】
2017061113.tif 000032
【００６８】
【数３１】
2017061113.tif 000033
【００６９】
【数３２】
2017061113.tif 000034
【００７０】
ただし、θ１１（ｉ）、θ２１（ｉ）、λ（ｉ）はシンボル番号ｉの関数であり、実数である。λは例えば固定の値であり、実数であり、固定値でなくてもよい。αは実数であってもよいし、虚数であってもよい。βは実数であってもよいし、虚数であってもよい。ただし、αは０（ゼロ）ではない。そして、βも０（ゼロ）ではない。また、θ１１、θ２１は実数である。
【００７１】
また、これら以外であって、下記に示すプリコーディング行列のいずれかを用いても、本開示の各実施の形態を実施することが可能である。
【００７２】
【数３３】
2017061113.tif 000035
【００７３】
【数３４】
2017061113.tif 000036
【００７４】
【数３５】
2017061113.tif 000037
【００７５】
【数３６】
2017061113.tif 000038
【００７６】
なお、式（３４）、式（３６）のβは実数であってもよいし、虚数であってもよい。ただし、βも０（ゼロ）ではない。
【００７７】
挿入部２０７Ａは、重み付け合成後の信号２０４Ａ、時間ｔにおけるパイロットシンボル信号ｐａ（ｔ）２５１Ａ、プリアンブル信号２５２、制御情報シンボル信号２５３、制御信号２００を入力とし、制御信号２００に含まれるフレーム構成の情報に基づき、フレーム構成に基づいたベースバンド信号２０８Ａを出力する。
【００７８】
同様に、挿入部２０７Ｂは、位相変更後の信号２０６Ｂ、時間ｔにおけるパイロットシンボル信号ｐｂ（ｔ）２５１Ｂ、プリアンブル信号２５２、制御情報シンボル信号２５３、制御信号２００を入力とし、制御信号２００に含まれるフレーム構成の情報に基づき、フレーム構成に基づいたベースバンド信号２０８Ｂを出力する。
【００７９】
位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボル番号ｉの関数とし、ｘ’（ｉ）とあらわす。すると、位相変更後の信号ｘ（ｉ）２１０Ｂは、ｘ（ｉ）＝ｅｊ×ε（ｉ）×ｘ’（ｉ）とあらわすことができる。ここで、ｉは０以上の整数であり、ｊは虚数単位である。
【００８０】
なお、後で説明するが、位相変更部２０９Ｂの動作としては、非特許文献２、非特許文献３で記載されているＣＤＤ（Cyclic Delay Diversity）又はＣＳＤ（Cyclic Shift Diversity）であってもよい。以後、ＣＤＤ/ＣＳＤと記載する。そして、位相変更部２０９Ｂは、周波数軸方向に存在するシンボルに対し、位相変更を行う。つまり、位相変更部２０９Ｂは、データシンボル、パイロットシンボル、制御情報シンボルなどに対し位相変更を施す。
【００８１】
図３は、図１の無線部１０７＿Ａ、１０７＿Ｂの構成の一例である。シリアルパラレル変換部３０２は、信号３０１、および、制御信号３００（図１の制御信号１００）を入力とし、制御信号３００に基づき、シリアルパラレル変換を行い、シリアルパラレル変換後の信号３０３を出力する。
【００８２】
逆フーリエ変換部３０４は、シリアルパラレル変換後の信号３０３、および、制御信号３００を入力とし、制御信号３００に基づいて、逆フーリエ変換として、例えば、逆高速フーリエ変換（ＩＦＦＴ：Inverse Fast Fourier Transform）を施し、逆フーリエ変換後の信号３０５を出力する。
【００８３】
処理部３０６は、逆フーリエ変換後の信号３０５、制御信号３００を入力とし、制御信号３００に基づき、周波数変換、増幅等の処理を施し、変調信号３０７を出力する。
【００８４】
例えば、信号３０１を図１の信号処理後の信号１０６＿Ａとした場合、変調信号３０７は図１の送信信号１０８＿Ａに相当する。また、信号３０１を図１の信号処理後の信号１０６＿Ｂとした場合、変調信号３０７は図１の送信信号１０８＿Ｂに相当する。
【００８５】
図４は、図１の送信信号１０８＿Ａのフレーム構成である。図４において、横軸周波数（キャリア）、縦軸時間である。ＯＦＤＭなどのマルチキャリア伝送方式を用いているため、キャリア方向にシンボルが存在している。そして、図４では、全てのキャリアのシンボルを示している。また、図４では、時刻＄１から時刻＄１１のシンボルを示している。
【００８６】
図４では、パイロットシンボル４０１（図２のパイロット信号２５１Ａ）、データシンボル４０２、その他のシンボル４０３を示している。このとき、パイロットシンボルは、例えば、ＰＳＫ（Phase Shift Keying）のシンボルであり、このフレームを受信する受信装置がチャネル推定（伝搬路変動の推定）、周波数オフセット及び位相変動の推定を行うためのシンボルであり、例えば、図１の送信装置と、図４のフレームを受信する受信装置がパイロットシンボルの送信方法を共有しているとよい。
【００８７】
ところで、マッピング後の信号２０１Ａ（図１のマッピング後の信号１０５＿１）を「ストリーム＃１」と名付け、マッピング後の信号２０１Ｂ（図１のマッピング後の信号１０５＿２）を「ストリーム＃２」と名付ける。なお、この点は、以降の説明でも同様である。
【００８８】
データシンボル４０２は、図２による信号処理で生成したベースバンド信号２０８Ａに相当するシンボルであり、したがって、データシンボル４０２は、「「ストリーム＃１」のシンボルと「ストリーム＃２」のシンボルの両者を含んだシンボル」、または、「「ストリーム＃１」のシンボル」、または、「「ストリーム＃２」のシンボル」のいずれかであり、これは、重み付け合成部２０３で使用するプリコーディング行列の構成によって決まる。
【００８９】
その他のシンボル４０３は、図２におけるプリアンブル信号２４２、および、制御情報シンボル信号２５３に相当するシンボルである。ただし、その他のシンボルが、プリアンブル、制御情報シンボル以外のシンボルを含んでいてもよい。このとき、プリアンブルは、（制御用の）データを伝送してもよいし、信号検出のためシンボル、周波数同期及び時間同期を行うためのシンボル、チャネル推定のためのシンボル（伝搬路変動の推定を行うためのシンボル）などで構成されている。そして、制御情報シンボルは、図４のフレームを受信した受信装置が、データシンボルの復調及び復号を実現するための制御情報を含んだシンボルとなる。
【００９０】
例えば、図４における時刻＄１から時刻４の全てのキャリアは、その他のシンボル４０３となる。そして、
・時刻＄５において、
キャリア１からキャリア１１はデータシンボル４０２となる。以降、
キャリア１２はパイロットシンボル４０１となり、
キャリア１３からキャリア２３はデータシンボル４０２となり、
キャリア２４はパイロットシンボル４０１となり、以後の記載は省略する、
・時刻＄６において、
キャリア１及びキャリア２はデータシンボル４０２となり、
キャリア３はパイロットシンボル４０１となり、以後の記載は省略する、
・時刻＄７から時刻＄１０までの記載は省略する、
・時刻＄１１において、
キャリア１からキャリア２９までは、記載を省略し、
時刻＄１１のキャリア３０はパイロットシンボル４０１となり、
時刻＄１１のキャリア３１からキャリア３６はデータシンボル４０２となる。
【００９１】
図５は、図１の送信信号１０８＿Ｂのフレーム構成である。図５において、横軸周波数（キャリア）、縦軸時間である。ＯＦＤＭなどのマルチキャリア伝送方式を用いているため、キャリア方向にシンボルが存在している。そして、図５では、全てのキャリアのシンボルを示している。また、図５では、時刻＄１から時刻＄１１のシンボルを示している。
【００９２】
図５では、パイロットシンボル５０１（図２のパイロット信号２５１Ｂ）、データシンボル５０２、その他のシンボル５０３を示している。このとき、パイロットシンボルは、例えば、ＰＳＫのシンボルであり、このフレームを受信する受信装置がチャネル推定（伝搬路変動の推定）、周波数オフセット及び位相変動の推定を行うためのシンボルであり、例えば、図１の送信装置と、図５のフレームを受信する受信装置がパイロットシンボルの送信方法を共有しているとよい。
【００９３】
データシンボル５０２は、図２による信号処理で生成したベースバンド信号２０８Ｂに相当するシンボルであり、したがって、データシンボル５０２は、「「ストリーム＃１」のシンボルと「ストリーム＃２」のシンボルの両者を含んだシンボル」、または、「「ストリーム＃１」のシンボル」、または、「「ストリーム＃２」のシンボル」のいずれかであり、これは、重み付け合成部２０３で使用するプリコーディング行列の構成によって決まる。
【００９４】
その他のシンボル５０３は、図２におけるプリアンブル信号２５２、および、制御情報シンボル信号２５３に相当するシンボルである。ただし、その他のシンボルが、プリアンブル、制御情報シンボル以外のシンボルを含んでいてもよい。このとき、プリアンブルはデータ（例えば、制御用のデータ）を伝送してもよいし、信号検出のためのシンボル、周波数同期及び時間同期を行うためのシンボル、チャネル推定のためのシンボルなどで構成されている。そして、制御情報シンボルは、図５のフレームを受信した受信装置がデータシンボルの復調及び復号を実現するための制御情報を含んだシンボルとなる。
【００９５】
例えば、図５における
・時刻＄１から時刻＄４において、
全てのキャリアは、その他のシンボル４０３となる。
・時刻＄５において、
キャリア１からキャリア１１はデータシンボル４０２となり、
キャリア１２はパイロットシンボル４０１となり、
キャリア１３からキャリア２３はデータシンボル４０２となり、
キャリア２４はパイロットシンボル４０１となり、以後、時刻＄５におけるキャリアの記載は省略する。
・時刻＄６において、
キャリア１及びキャリア２はデータシンボル４０２となり、
キャリア３はパイロットシンボル４０１となり、以後、時刻＄６におけるキャリアの記載は省略する。
・時刻＄７から時刻＄１０までの記載は省略する。
・時刻＄１１において、
キャリア１からキャリア２９までの記載は省略し、
キャリア３０はパイロットシンボル４０１となり、
キャリア３１からキャリア３６はデータシンボル４０２となる。
【００９６】
図４のキャリアＡ、時刻＄Ｂにシンボルが存在し、図５のキャリアＡ、時刻＄Ｂにシンボルが存在したとき、図４のキャリアＡ、時刻＄Ｂのシンボルと図５のキャリアＡ、時刻＄Ｂのシンボルは、同一時間、同一周波数に送信される。なお、フレーム構成については、図４、図５に限ったものではなく、あくまでも、図４、図５はフレーム構成の例である。
【００９７】
そして、図４、図５におけるその他のシンボルは、「図２におけるプリアンブル信号２５２、制御情報シンボル信号２５３」に相当するシンボルであり、したがって、図４のその他のシンボル４０３と同一時刻、かつ、同一周波数（同一キャリア）の図５のその他のシンボル５０３は、制御情報を伝送している場合、同一のデータ（同一の制御情報）を伝送している。
【００９８】
なお、図４のフレームと図５のフレームを受信装置は同時に受信することを想定しているが、図４のフレーム、または、図５のフレームを受信しても受信装置は送信装置が送信したデータを得ることは可能である。
【００９９】
図６は、図２の制御情報シンボル信号２５３を生成するための制御情報生成に関する部分の構成の一例を示している。
【０１００】
制御情報用マッピング部６０２は、制御情報に関するデータ６０１、制御信号６００を入力とし、制御信号６００に基づいた変調方式で、制御情報に関するデータ６０１に対し、マッピングを施し、制御情報用マッピング後の信号６０３を出力する。なお、制御情報用マッピング後の信号６０３は、図２の制御情報シンボル信号２５３に相当する。
【０１０１】
図７は、図１のアンテナ部＃Ａ  １０９＿Ａ、アンテナ部＃Ｂ  １０９＿Ｂの構成の一例を示している。アンテナ部＃Ａ  １０９＿Ａ、アンテナ部＃Ｂ  １０９＿Ｂが複数のアンテナで構成されている例である。
【０１０２】
分配部７０２は、送信信号７０１を入力とし、分配を行い、送信信号７０３＿１、７０３＿２、７０３＿３、７０３＿４を出力する。
【０１０３】
乗算部７０４＿１は、送信信号７０３＿１、および、制御信号７００を入力とし、制御信号７００に含まれる乗算係数の情報に基づき、送信信号７０３＿１に乗算係数を乗算し、乗算後の信号７０５＿１を出力し、乗算後の信号７０５＿１は、電波としてアンテナ７０６＿１から出力される。
【０１０４】
送信信号７０３＿１をＴｘ１（ｔ）、乗算係数をＷ１とすると、乗算後の信号７０５＿１は、Ｔｘ１（ｔ）×Ｗ１とあらわされる。ｔは時間を示し、Ｗ１は複素数で定義することができ、したがって、実数であってもよい。
【０１０５】
乗算部７０４＿２は、送信信号７０３＿２、および、制御信号７００を入力とし、制御信号７００に含まれる乗算係数の情報に基づき、送信信号７０３＿２に乗算係数を乗算し、乗算後の信号７０５＿２を出力し、乗算後の信号７０５＿２は、電波としてアンテナ７０６＿２から出力される。
【０１０６】
送信信号７０３＿２をＴｘ２（ｔ）、乗算係数をＷ２とすると、乗算後の信号７０５＿２は、Ｔｘ２（ｔ）×Ｗ２とあらわされる。ｔは時間を示し、Ｗ２は複素数で定義することができ、したがって、実数であってもよい。
【０１０７】
乗算部７０４＿３は、送信信号７０３＿３、および、制御信号７００を入力とし、制御信号７００に含まれる乗算係数の情報に基づき、送信信号７０３＿３に乗算係数を乗算し、乗算後の信号７０５＿３を出力し、乗算後の信号７０５＿３は、電波としてアンテナ７０６＿３から出力される。
【０１０８】
送信信号７０３＿３をＴｘ３（ｔ）、乗算係数をＷ３とすると、乗算後の信号７０５＿３はＴｘ３（ｔ）×Ｗ３とあらわされる。Ｗ３は複素数で定義することができ、したがって、実数であってもよい。
【０１０９】
乗算部７０４＿４は、送信信号７０３＿４、および、制御信号７００を入力とし、制御信号７００に含まれる乗算係数の情報に基づき、送信信号７０３＿４に乗算係数をきょう算し、乗算後の信号７０５＿４を出力し、乗算後の信号７０５＿４は、電波としてアンテナ７０６＿４から出力される。
【０１１０】
送信信号７０３＿４をＴｘ４（ｔ）、乗算係数をＷ４とすると、乗算後の信号７０５＿４は、Ｔｘ４（ｔ）×Ｗ４とあらわされる。Ｗ４は複素数で定義することができ、したがって、実数であってもよい。
【０１１１】
なお、「Ｗ１の絶対値、Ｗ２の絶対値、Ｗ３の絶対値、Ｗ４の絶対値が等しく」てもよい。このとき、位相変更が行われたことに相当する。当然であるが、Ｗ１の絶対値、Ｗ２の絶対値、Ｗ３の絶対値、Ｗ４の絶対値は等しくなくてもよい。
【０１１２】
また、図７では、アンテナ部は、４本のアンテナで構成されている例で説明しているが、アンテナの本数は４に限ったものではなく、２本以上のアンテナで構成されていればよい。なお、アンテナ部は、４本のアンテナ及び４つの乗算部で構成されてもよい。
【０１１３】
そして、図１のアンテナ部＃Ａ  １０９＿Ａの構成が図７のとき、送信信号７０１は図１の送信信号１０８＿Ａに相当する。また、図１のアンテナ部＃Ｂ  １０９＿Ｂの構成が図７のとき、送信信号７０１は図１の送信信号１０８＿Ｂに相当し、図１の送信信号１０８＿Ｂに相当する。ただし、アンテナ部＃Ａ  １０９＿Ａおよびアンテナ部＃Ｂ  １０９＿Ｂは、図７のような構成としなくてもよく、前述より、アンテナ部は、制御信号１００を入力としなくてもよい。
【０１１４】
図８は、図１の送信装置が例えば、図４、図５のフレーム構成の送信信号を送信したとき、その変調信号を受信する受信装置の構成の一例を示している。
【０１１５】
無線部８０３Ｘは、アンテナ部＃Ｘ  ８０１Ｘで受信した受信信号８０２Ｘを入力とし、周波数変換、フーリエ変換等の処理を施し、ベースバンド信号８０４Ｘを出力する。
【０１１６】
同様に、無線部８０３Ｙは、アンテナ部＃Ｙ  ８０１Ｙで受信した受信信号８０２Ｙを入力とし、周波数変換、フーリエ変換等の処理を施し、ベースバンド信号８０４Ｙを出力する。
【０１１７】
なお、アンテナ部＃Ｘ  ８０１Ｘ、および、アンテナ部＃Ｙ  ８０１Ｙは、制御信号８１０を入力とする構成を図８では記載しているが、制御信号８１０を入力としない構成であってもよい。制御信号８１０が入力として存在するときの動作については、後で詳しく説明する。
【０１１８】
ところで、図９に送信装置と受信装置の関係を示している。図９のアンテナ９０１＿１、９０１＿２は送信アンテナであり、図９のアンテナ９０１＿１は図１のアンテナ部＃Ａ  １０９＿Ａに相当する。そして、図９のアンテナ９０１＿２は図１のアンテナ部＃Ｂ  １０９＿Ｂに相当する。
【０１１９】
そして、図９のアンテナ９０２＿１、９０２＿２は受信アンテナであり、図９のアンテナ９０２＿１は図８のアンテナ部＃Ｘ  ８０１Ｘに相当する。そして、図９のアンテナ９０２＿２は図８のアンテナ部＃Ｙ  ８０１Ｙに相当する。
【０１２０】
図９のように、送信アンテナ９０１＿１から送信する信号をｕ１（ｉ）、送信アンテナ９０１＿２から送信する信号をｕ２（ｉ）、受信アンテナ９０２＿１で受信する信号をｒ１（ｉ）、受信アンテナ９０２＿２で受信する信号をｒ２（ｉ）とする。なお、ｉはシンボル番号を示し、例えば、０以上の整数とする。
【０１２１】
そして、送信アンテナ９０１＿１から受信アンテナ９０２＿１への伝搬係数をｈ１１（ｉ）、送信アンテナ９０１＿１から受信アンテナ９０２＿２への伝搬係数をｈ２１（ｉ）、送信アンテナ９０１＿２から受信アンテナ９０２＿１への伝搬係数をｈ１２（ｉ）、送信アンテナ９０１＿２から受信アンテナ９０２＿２への伝搬係数をｈ２２（ｉ）とする。すると、以下の関係式が成立する。
【０１２２】
【数３７】
2017061113.tif 000039
【０１２３】
なお、ｎ１（ｉ）、ｎ２（ｉ）はノイズである。
【０１２４】
図８の変調信号ｕ１のチャネル推定部８０５＿１は、ベースバンド信号８０４Ｘを入力とし、図４、図５におけるプリアンブル、および／または、パイロットシンボルを用いて、変調信号ｕ１のチャネル推定、つまり、式（３７）のｈ１１（ｉ）を推定し、チャネル推定信号８０６＿１を出力する。
【０１２５】
変調信号ｕ２のチャネル推定部８０５＿２は、ベースバンド信号８０４Ｘを入力とし、図４、図５におけるプリアンブル、および／または、パイロットシンボルを用いて、変調信号ｕ２のチャネル推定、つまり、式（３７）のｈ１２（ｉ）を推定し、チャネル推定信号８０６＿２を出力する。
【０１２６】
変調信号ｕ１のチャネル推定部８０７＿１は、ベースバンド信号８０４Ｙを入力とし、図４、図５におけるプリアンブル、および／または、パイロットシンボルを用いて、変調信号ｕ１のチャネル推定、つまり、式（３７）のｈ２１（ｉ）を推定し、チャネル推定信号８０８＿１を出力する。
【０１２７】
変調信号ｕ２のチャネル推定部８０７＿２は、ベースバンド信号８０４Ｙを入力とし、図４、図５におけるプリアンブル、および／または、パイロットシンボルを用いて、変調信号う２のチャネル推定、つまり、式（３７）のｈ２２（ｉ）を推定し、チャネル推定信号８０８＿２を出力する。
【０１２８】
制御情報復号部８０９は、ベースバンド信号８０４Ｘ、８０４Ｙを入力とし、図４、図５における「その他のシンボル」に含まれる制御情報の復調及び復号し、制御情報を含んだ制御信号８１０を出力する。
【０１２９】
信号処理部８１１は、チャネル推定信号８０６＿１、８０６＿２、８０８＿１、８０８＿２、ベースバンド信号８０４Ｘ、８０４Ｙ、制御信号８１０を入力とし、式（３７）の関係を用い、また、制御信号８１０における制御情報（例えば、変調方式、誤り訂正符号関連の方式の情報）に基づいて、復調及び復号を行い、受信データ８１２を出力する。
【０１３０】
なお、制御信号８１０は、図８のような方法で生成したものではなくてもよい。例えば、図８の制御信号８１０は、図８の通信相手（図１）である装置が送信した情報に基づいて生成されたものであってもよいし、図８の装置は入力部を具備し、その入力部から入力された情報に基づいて生成されたものであってもよい。
【０１３１】
図１０は、図８のアンテナ部＃Ｘ  ８０１Ｘ、アンテナ部＃Ｙ  ８０１Ｙの構成の一例を示している。アンテナ部＃Ｘ  ８０１Ｘ、アンテナ部＃Ｙ  ８０１Ｙが複数のアンテナで構成されている例である。
【０１３２】
乗算部１００３＿１は、アンテナ１００１＿１で受信した受信信号１００２＿１、制御信号１０００を入力とし、制御信号１０００に含まれる乗算係数の情報に基づき、受信信号１００２＿１に乗算係数を乗算し、乗算後の信号１００４＿１を出力する。
【０１３３】
受信信号１００２＿１をＲｘ１（ｔ）、乗算係数をＤ１とすると、乗算後の信号１００４＿１は、Ｒｘ１（ｔ）×Ｄ１とあらわされる。ｔは時間を示し、Ｄ１は複素数で定義することができ、したがって、実数であってもよい。
【０１３４】
乗算部１００３＿２は、アンテナ１００１＿２で受信した受信信号１００２＿２、制御信号１０００を入力とし、制御信号１０００に含まれる乗算係数の情報に基づき、受信信号１００２＿２に乗算係数を乗算し、乗算後の信号１００４＿２を出力する。
【０１３５】
受信信号１００２＿２をＲｘ２（ｔ）、乗算係数をＤ２とすると、乗算後の信号１００４＿２は、Ｒｘ２（ｔ）×Ｄ２とあらわされる。Ｄ２は複素数で定義することができ、したがって、実数であってもよい。
【０１３６】
乗算部１００３＿３は、アンテナ１００１＿３で受信した受信信号１００２＿３、制御信号１０００を入力とし、制御信号１０００に含まれる乗算係数の情報に基づき、受信信号１００２＿３に乗算係数を乗算し、乗算後の信号１００４＿３を出力する。
【０１３７】
受信信号１００２＿３をＲｘ３（ｔ）、乗算係数をＤ３とすると、乗算後の信号１００４＿３は、Ｒｘ３（ｔ）×Ｄ３とあらわされる。Ｄ３は複素数で定義することができ、したがって、実数であってもよい。
【０１３８】
乗算部１００３＿４は、アンテナ１００１＿４で受信した受信信号１００２＿４、制御信号１０００を入力とし、制御信号１０００に含まれる乗算係数の情報に基づき、受信信号１００２＿４に乗算係数を乗算し、乗算後の信号１００４＿４を出力する。
【０１３９】
受信信号１００２＿４をＲｘ４（ｔ）、乗算係数をＤ４とすると、乗算後の信号１００４＿４は、Ｒｘ４（ｔ）×Ｄ４とあらわされる。Ｄ４は複素数で定義することができ、したがって、実数であってもよい。
【０１４０】
合成部１００５は、乗算後の信号１００４＿１、１００４＿２、１００４＿３、１００４＿４を入力とし、乗算後の信号１００４＿１、１００４＿２、１００４＿３、１００４＿４を合成し、合成後の信号１００６を出力する。なお、合成後の信号１００６は、Ｒｘ１（ｔ）×Ｄ１＋Ｒｘ２（ｔ）×Ｄ２＋Ｒｘ３（ｔ）×Ｄ３＋Ｒｘ４（ｔ）×Ｄ４とあらわされる。
【０１４１】
図１０では、アンテナ部は、４本のアンテナで構成される例で説明しているが、アンテナの本数は４に限ったものではなく、２本以上のアンテナで構成されていればよい。アンテナ部は、４本のアンテナ及び４つの乗算部で構成されてもよい。
【０１４２】
そして、図８のアンテナ部＃Ｘ  ８０１Ｘの構成が図１０のとき、受信信号８０２Ｘは図１０の合成信号１００６に相当し、制御信号７１０は図１０の制御信号１０００に相当する。また、図８のアンテナ部＃Ｙ  ８０１Ｙの構成が図１０のとき、受信信号８０２Ｙは図１０の合成信号１００６に相当し、制御信号７１０は図１０の制御信号１０００に相当する。ただし、アンテナ部＃Ｘ  ８０１Ｘおよびアンテナ部＃Ｙ  ８０１Ｙは、図１０のような構成としなくてもよく、前述したアンテナ部は、制御信号７１０を入力としなくてもよい。
【０１４３】
なお、制御信号８００は、通信相手である装置が送信した情報に基づいて生成されたものであってもよいし、装置は入力部を具備し、その入力部から入力された情報に基づいて生成されたものであってもよい。
【０１４４】
次に、図１のように送信装置の信号処理部１０６が、図２に示したように、位相変更部２０５Ｂと位相変更部２０９Ｂを挿入している。その特徴と、そのときの効果について説明する。
【０１４５】
図４、図５を用いて説明したように、第１の系列を用いてマッピングすることによって得られたマッピング後の信号ｓ１（ｉ）２０１Ａと第２の系列を用いてマッピングすることによって得られたマッピング後の信号ｓ２（ｉ）２０１Ｂに対し、プリコーディング（重み付け合成）を施し、得られた重み付け合成後の信号２０４Ａ、２０４Ｂのうちの一方に対して、位相変更を行っているのが、位相変更部２０５Ｂである。ｉはシンボル番号であり、ｉは０以上の整数とする。
【０１４６】
そして、重み付け合成後の信号２０４Ａと位相変更後の信号２０６Ｂは、同一周波数、同一時間に送信される。したがって、図４、図５において、図５のデータシンボル５０２に対して、位相変更を施す。
【０１４７】
図２の場合、位相変更部２０５Ｂは、重み付け合成後の信号２０４Ｂに対して施しているため、図５のデータシンボル５０２に対して位相変更を施している。重み付け合成後の信号２０４Ａに対して位相変更を施す場合は、図４のデータシンボル４０２に対して位相変更を施す。この点については、後で説明する。
【０１４８】
例えば、図１１は、図５のフレームに対し、キャリア１からキャリア５、時刻＄４から時刻＄６を抽出したものである。なお、図１１では、図５と同様、パイロットシンボル５０１、データシンボル５０２、その他のシンボル５０３を示す。
【０１４９】
上述のように、図１１に示したシンボルにおいて、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）、及び、（キャリア５、時刻＄６）におけるデータシンボルに対し、位相変更部２０５Ｂは位相変更を施す。
【０１５０】
よって、図１１に示したデータシンボルに対して位相変更値を、
（キャリア１、時刻＄５）では「ｅｊ×δ１５（ｉ）」とし、
（キャリア２、時刻＄５）では「ｅｊ×δ２５（ｉ）」とし、
（キャリア３、時刻＄５）では「ｅｊ×δ３５（ｉ）」とし、
（キャリア４、時刻＄５）では「ｅｊ×δ４５（ｉ）」とし、
（キャリア５、時刻＄５）では「ｅｊ×δ５５（ｉ）」とし、
（キャリア１、時刻＄６）では「ｅｊ×δ１６（ｉ）」とし、
（キャリア２、時刻＄６）では「ｅｊ×δ２６（ｉ）」とし、
（キャリア４、時刻＄６）では「ｅｊ×δ４６（ｉ）」とし、
（キャリア５、時刻＄６）では「ｅｊ×δ５６（ｉ）」とする。
【０１５１】
一方、図１１に示したシンボルにおいて、
（キャリア１、時刻＄４）、（キャリア２、時刻＄４）、（キャリア３、時刻＄４）、（キャリア４、時刻＄４）、（キャリア５、時刻＄４）におけるその他のシンボル、（キャリア３、時刻＄６）におけるパイロットシンボルは、位相変更部２０５Ｂの位相変更の対象ではない。
【０１５２】
この点が位相変更部２０５Ｂの特徴的な点である。なお、図１１における位相変更の対象である、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）、及び、（キャリア５、時刻＄６）におけるデータシンボルと「同一キャリア、同一時刻」には、図４に示したように、データキャリアが配置されている。
【０１５３】
つまり、図４において、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）、及び、（キャリア５、時刻＄６）はデータシンボルである。
【０１５４】
つまり、ＭＩＭＯ伝送を行っているデータシンボルが位相変更部２０５Ｂの位相変更の対象である。ＭＩＭＯ伝送を行っているとは、複数のストリームを伝送していることである。
【０１５５】
なお、位相変更部２０５Ｂがデータシンボルに施す位相変更の例として、式（２）のように、データシンボルに、規則的な位相変更、例えば、周期Ｎの位相変更を行う方法がある。ただし、データシンボルに施す位相変更方法は、これに限ったものではない。
【０１５６】
このようにすることで、直接波が支配的な環境、例えば、ＬＯＳ環境のときに、ＭＩＭＯ伝送を行っているデータシンボルの受信装置におけるデータの受信品質が向上するという効果を得ることができる。この効果について、説明を行う。
【０１５７】
例えば、図１のマッピング部１０４で使用する変調方式がＱＰＳＫ（Quadrature Phase Shift Keying）である。図２のマッピング後の信号２０１ＡはＱＰＳＫ信号であり、また、マッピング後の信号２０１ＢもＱＰＳＫ信号となる。つまり、２つのＱＰＳＫのストリームを送信する。すると、図８の信号処理部８１１では、例えば、チャネル推定信号８０６＿１、８０６＿２を用いて、１６個の候補信号点を得る。ＱＰＳＫは２ビットを伝送でき、２ストリームにより、計４ビットを伝送する。よって、２４＝１６個の候補信号点が存在する。なお、チャネル推定信号８０８＿１、８０８＿２を用いて、別の１６個の候補信号点を得ることにもなるが、説明は同様となるため、チャネル推定信号８０６＿１、８０６＿２を用いて得られる１６個の候補信号点について、焦点をあて、説明を進める。
【０１５８】
このときの状態の一例を図１２A、図１２Bに示す。図１２A、図１２Bは、いずれも横軸は同相Ｉ、縦軸は直交Ｑであり、同相Ｉ−直交Ｑ平面において、１６個の候補信号点が存在する。１６個の候補信号点のうち、一つが、送信装置が送信した信号点である。このため、「１６個の候補信号点」と呼ぶ。
【０１５９】
直接波が支配的な環境、例えば、ＬＯＳ環境のとき、第１のケースとして、「図２の位相変更部２０５Ｂが存在しない場合、つまり、図２の位相変更部２０５Ｂによる位相変更を行わない場合」を考える。
【０１６０】
「第１のケース」の場合、位相変更が行われないため、図１２Ａのような状態に陥る可能性がある。図１２Ａの状態に陥った場合、「信号点１２０１、１２０２」、「信号点１２０３、１２０４、１２０５、１２０６」、「信号点１２０７、１２０８」のように、信号点が密、つまり信号点間の距離が近い部分が存在するため、図８の受信装置において、データの受信品質が低下する可能性がある。
【０１６１】
この現象を克服するために、図２において、位相変更部２０５Ｂを挿入している。位相変更部２０５Ｂを挿入すると、シンボル番号ｉにより、図１２Ａのように信号点が密の部分が存在するシンボル番号と、図１２Ｂのように「信号点間の距離が長い」というシンボル番号とが混在する。この状態に対し、誤り訂正符号を導入しているため、高い誤り訂正能力を得ることができ、図８の受信装置において、高いデータ受信品質を得ることができる。
【０１６２】
なお、図２において、パイロットシンボル、プリアンブルなど、データシンボルを復調（検波）するための、チャネル推定を行うための「パイロットシンボル、プリアンブル」に対し、図２の位相変更部２０５Ｂにおいて、位相変更を行わない。これにより、データシンボルにおいて、「シンボル番号ｉにより、図１２Ａのように信号点が密の部分が存在するシンボル番号と、図１２Ｂのように「信号点間の距離が長い」というシンボル番号とが混在すること」を実現することができる。
【０１６３】
ただし、パイロットシンボル、プリアンブルなど、データシンボルを復調（検波）するための、チャネル推定を行うための「パイロットシンボル、プリアンブル」に対し、図２の位相変更部２０５Ｂにおいて、位相変更を行っても、「データシンボルにおいて、「シンボル番号ｉにより、図１２Ａのように「信号点が密の部分」が存在するシンボル番号と、図１２Ｂのように「信号点間の距離が長い」というシンボル番号とが混在すること」を実現することができる」場合がある。
【０１６４】
この場合、パイロットシンボル、プリアンブルに対し、何らかの条件を付加して、位相変更を行う。例えば、データシンボルに対する位相変更の規則とは別の規則を設けて、「パイロットシンボル、および／または、プリアンブルに対し位相変更を施す」という方法が考えられる。例として、データシンボルに対し規則的に周期Ｎの位相変更を施し、パイロットシンボル、および／または、プリアンブルに対し規則的に周期Ｍの位相変更を施す、という方法がある。Ｎ、Ｍは２以上の整数となる。
【０１６５】
前述より、位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボル番号ｉの関数とし、ｘ’（ｉ）とあらわす。すると、位相変更後の信号２１０Ｂ（ｘ（ｉ））は、ｘ（ｉ）＝ｅｊ×ε（ｉ）×ｘ’（ｉ）とあらわすことができる。ｉは０以上の整数であり、ｊは虚数単位である。
【０１６６】
そして、位相変更部２０９Ｂの動作としては、非特許文献２、非特許文献３で記載されているＣＤＤ/ＣＳＤであってもよい。そして、位相変更部２０９Ｂの特徴としては、周波数軸方向に存在するシンボルに対し、位相変更を行う点である（データシンボル、パイロットシンボル、制御情報シンボルなどに対し位相変更を施す。
【０１６７】
したがって、このケースの場合、シンボル番号ｉの対象となるシンボルは、データシンボル、パイロットシンボル、制御情報シンボル、プリアンブル（その他のシンボル）などとなる。
【０１６８】
図２の場合、位相変更部２０９Ｂは、ベースバンド信号２０８Ｂに対して位相変更を施しているため、図５に記載されている各シンボルに対して位相変更を施す。図２のベースバンド信号２０８Ａに対して位相変更を施す場合は、図４に記載されている各シンボルに対して位相変更を施す。この点については、後で説明する。
【０１６９】
したがって、図５のフレームにおいて、時刻＄１の全てのキャリアの全てのシンボル（その他のシンボル５０３）に対し、図２の位相変更部２０９Ｂは、位相変更を施す。
【０１７０】
同様に、図２の位相変更部２０９Ｂは、下記のシンボルに対し、位相変更を施す
「時刻＄２の全てのキャリアの全てのシンボル（その他のシンボル５０３）」、
「時刻＄３の全てのキャリアの全てのシンボル（その他のシンボル５０３）」、
「時刻＄４の全てのキャリアの全てのシンボル（その他のシンボル５０３）」、
「時刻＄５の全てのキャリアの全てのシンボル（パイロットシンボル５０１、または、データシンボル５０２）」、
「時刻＄６の全てのキャリアの全てのシンボル（パイロットシンボル５０１、または、データシンボル５０２）」、
「時刻＄７の全てのキャリアの全てのシンボル（パイロットシンボル５０１、または、データシンボル５０２）」、
「時刻＄８の全てのキャリアの全てのシンボル（パイロットシンボル５０１、または、データシンボル５０２）」、
「時刻＄９の全てのキャリアの全てのシンボル（パイロットシンボル５０１、または、データシンボル５０２）」、
「時刻＄１０の全てのキャリアの全てのシンボル（パイロットシンボル５０１、または、データシンボル５０２）」、
「時刻＄１１の全てのキャリアの全てのシンボル（パイロットシンボル５０１、または、データシンボル５０２）」、
なお、以後の時刻及びキャリアの記載は省略する。
【０１７１】
図１３は、図１の送信信号１０８＿Ａの図４とは異なるフレーム構成である。図１３において、図４と同様に動作するものについては、同一番号を付している。図１３において、横軸周波数（キャリア）、縦軸時間である。図４と同様、ＯＦＤＭなどのマルチキャリア伝送方式を用いているため、キャリア方向にシンボルが存在している。そして、図１３では、図４と同様に、全てのキャリアのシンボルを示している。また、図１３では、図４と同様に、時刻＄１から時刻＄１１のシンボルを示している。
【０１７２】
図１３では、パイロットシンボル４０１（図２のパイロット信号２５１Ａ）、データシンボル４０２、その他のシンボル４０３に加えて、ヌルシンボル１３０１を挿入している。
【０１７３】
ヌルシンボル１３０１は、同相成分Ｉがゼロ（０）、かつ、直交成分Ｑがゼロ（０）である。なお、ここでは、「ヌルシンボル」と呼んでいるが、この呼び方に限ったものではない。
【０１７４】
そして、図１３ではヌルシンボルをキャリア１９に挿入している。なお、ヌルシンボルの挿入方法は、図１３のような構成に限ったものではなく、例えば、ある特定の時間にヌルシンボルを挿入したり、ある特定の周波数および時間領域にヌルシンボルを挿入したり、時間及び周波数領域に連続的にヌルシンボルを挿入してもよいし、時間及び周波数領域に離散的にヌルシンボルを挿入してもよい。
【０１７５】
図１４は、図１の送信信号１０８＿Ｂの図５とは異なるフレーム構成である。図１４において、図５と同様に動作するものについては、同一番号を付している。図１４において、横軸周波数（キャリア）、縦軸時間である。図５と同様に、ＯＦＤＭなどのマルチキャリア伝送方式を用いているため、キャリア方向にシンボルが存在している。そして、図１４では、図５と同様に、全てのキャリアのシンボルを示している。また、図１４では、図５と同様に、時刻＄１から時刻＄１１のシンボルを示している。
【０１７６】
図１４では、パイロットシンボル５０１（図２のパイロット信号２５１Ｂ）、データシンボル５０２、その他のシンボル５０３に加えて、ヌルシンボル１３０１を挿入している。
【０１７７】
ヌルシンボル１３０１は、同相成分Ｉがゼロ（０）、かつ、直交成分Ｑがゼロ（０）である。なお、ここでは、「ヌルシンボル」と呼んでいるが、この呼び方に限ったものではない。
【０１７８】
そして、図１４ではヌルシンボルをキャリア１９に挿入している。なお、ヌルシンボルの挿入方法は、図１４のような構成に限ったものではなく、例えば、ある特定の時間にヌルシンボルを挿入したり、ある特定の周波数および時間領域にヌルシンボルを挿入したり、時間及び周波数領域に連続的にヌルシンボルを挿入してもよいし、時間及び周波数領域に離散的にヌルシンボルを挿入してもよい。
【０１７９】
図１３のキャリアＡ、時刻＄Ｂにシンボルが存在し、図１４のキャリアＡ、時刻＄Ｂにシンボルが存在したとき、図１３のキャリアＡ、時刻＄Ｂのシンボルと図１４のキャリアＡ、時刻＄Ｂのシンボルは、同一時間、同一周波数に送信される。なお、図１３、図１４のフレーム構成は、あくまでも例である。
【０１８０】
そして、図１３、図１４におけるその他のシンボルは、「図２におけるプリアンブル信号２５２、制御情報シンボル信号２５３」に相当するシンボルであり、したがって、図１３のその他のシンボル４０３と同一時刻、かつ、同一周波数（同一キャリア）の図１４のその他のシンボル５０３は、制御情報を伝送している場合、同一のデータ（同一の制御情報）を伝送している。
【０１８１】
なお、図１３のフレームと図１４のフレームを受信装置は同時に受信することを想定しているが、図１３のフレーム、または、図１４のフレームを受信しても受信装置は送信装置が送信したデータを得ることは可能である。
【０１８２】
位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボルシンボル番号ｉの関数とし、ｘ’（ｉ）とあらわす。すると、位相変更後の信号２１０Ｂ（ｘ（ｉ））は、ｘ（ｉ）＝ｅｊ×ε（ｉ）×ｘ’（ｉ）とあらわすことができる。ｉは０以上の整数であり、ｊは虚数単位である。そして、位相変更部２０９Ｂの動作としては、非特許文献２、非特許文献３で記載されているＣＤＤ又はＣＳＤであってもよい。
【０１８３】
そして、位相変更部２０９Ｂは、周波数軸方向に存在するシンボルに対し、位相変更を行う。つまり、位相変更部２０９Ｂは、データシンボル、パイロットシンボル、制御情報シンボルなどに対し位相変更を施す。このとき、ヌルシンボルも位相変更の対象と考えることができる。したがって、シンボル番号ｉの対象となるシンボルは、データシンボル、パイロットシンボル、制御情報シンボル、プリアンブル（その他のシンボル）、ヌルシンボルなどとなる。
【０１８４】
しかし、同相成分Ｉはゼロ（０）、かつ、直交成分Ｑはゼロ（０）であるため、ヌルシンボルに対し位相変更を行っても位相変更前の信号と位相変更後の信号は同じである。したがって、ヌルシンボルは位相変更の対象でないと解釈することも可能である。図２の場合、位相変更部２０９Ｂは、ベースバンド信号２０８Ｂに対して位相変更を施しているため、図１４に記載されている各シンボルに対して位相変更を施す。図２のベースバンド信号２０８Ａに対して位相変更を施す場合は、図１３に記載されている各シンボルに対して位相変更を施す。この点については、後で説明する。
【０１８５】
したがって、図１４のフレームにおいて、時刻＄１の全てのキャリアの全てのシンボル（その他のシンボル５０３）に対し、図２の位相変更部２０９Ｂは、位相変更を施す。ただし、ヌルシンボル１３０１の位相変更の扱いについては前に説明したとおりである。
【０１８６】
同様に、図２の位相変更部２０９Ｂは、下記のシンボルに対し、位相変更を施す
「時刻＄２の全てのキャリアの全てのシンボル（その他のシンボル５０３）」、
「時刻＄３の全てのキャリアの全てのシンボル（その他のシンボル５０３）」、
「時刻＄４の全てのキャリアの全てのシンボル（その他のシンボル５０３）」、
「時刻＄５の全てのキャリアの全てのシンボル（パイロットシンボル５０１、または、データシンボル５０２）」、
「時刻＄６の全てのキャリアの全てのシンボル（パイロットシンボル５０１、または、データシンボル５０２）」、
「時刻＄７の全てのキャリアの全てのシンボル（パイロットシンボル５０１、または、データシンボル５０２）」、
「時刻＄８の全てのキャリアの全てのシンボル（パイロットシンボル５０１、または、データシンボル５０２）」、
「時刻＄９の全てのキャリアの全てのシンボル（パイロットシンボル５０１、または、データシンボル５０２）」、
「時刻＄１０の全てのキャリアの全てのシンボル（パイロットシンボル５０１、または、データシンボル５０２）」、
「時刻＄１１の全てのキャリアの全てのシンボル（パイロットシンボル５０１、または、データシンボル５０２）」、ただし、ヌルシンボル１３０１の位相変更の扱いについては前に説明したとおりである。以後の記載は省略する。
【０１８７】
位相変更部２０９Ｂにおける位相変更値をΩ（ｉ）とあらわす。ベースバンド信号２０８Ｂはｘ’（ｉ）であり、位相変更後の信号２１０Ｂはｘ（ｉ）である。したがって、ｘ（ｉ）＝Ω（ｉ）×ｘ’（ｉ）が成立する。
例えば、位相変更の値を以下のように設定する。Ｑは２以上の整数であり、Ｑは位相変更の周期となる。
【０１８８】
【数３８】
2017061113.tif 000040
【０１８９】
ｊは虚数単位である。ただし、式（３８）は、あくまでも例であり、これに限ったものではない。
【０１９０】
例えば、周期Ｑを持つように位相変更を行うようにΩ（ｉ）を設定してもよい。
【０１９１】
また、例えば、図５、図１４において、同一キャリアに対して、同一の位相変更値を与え、キャリアごとに位相変更値を設定するとしてもよい。例えば、以下のようになる。
・図５、図１４におけるキャリア１に対し、時刻によらず、位相変更値を
【０１９２】
【数３９】
2017061113.tif 000041
【０１９３】
とする。
・図５、図１４におけるキャリア２に対し、時刻によらず、位相変更値を
【０１９４】
【数４０】
2017061113.tif 000042
【０１９５】
とする。
・図５、図１４におけるキャリア３に対し、時刻によらず、位相変更値を
【０１９６】
【数４１】
2017061113.tif 000043
【０１９７】
とする。
・図５、図１４におけるキャリア４に対し、時刻によらず、位相変更値を
【０１９８】
【数４２】
2017061113.tif 000044
【０１９９】
とする。以後の記載は省略する。
【０２００】
以上が、図２の位相変更部２０９Ｂの動作例となる。
【０２０１】
図２の位相変更部２０９Ｂにより得られる効果について説明する。
【０２０２】
「図４および図５のフレーム」、または、「図１３および図１４のフレーム」のその他のシンボル４０３、５０３には、制御情報シンボルが含まれている。前述より、その他のシンボル４０３と同一時刻、かつ、同一の周波数（同一のキャリア）の図５のその他のシンボル５０３は、制御情報を伝送している場合、同一データ（同一の制御情報）を送信している。
【０２０３】
ところで、以下の場合を考える。
【０２０４】
ケース２：制御情報シンボルを、図１のアンテナ部＃Ａ  １０９＿Ａ、または、アンテナ部＃Ｂ  １０９＿Ｂのいずれか一方のアンテナ部を用いて送信する。
【０２０５】
「ケース２」のように送信した場合、制御情報シンボルを送信するアンテナ数が１のため、「アンテナ部＃Ａ  １０９＿Ａとアンテナ部＃Ｂ  １０９＿Ｂの両者を用いて制御情報シンボルを送信する」場合と比較して、空間ダイバーシチのゲインが小さくなるため、「ケース２」の際、図８の受信装置で受信してもデータの受信品質が低下する。したがって、データの受信品質の向上という点では、「アンテナ部＃Ａ  １０９＿Ａとアンテナ部＃Ｂ  １０９＿Ｂの両者を用いて制御情報シンボルを送信する」ほうがよい。
【０２０６】
ケース３：制御情報シンボルを、図１のアンテナ部＃Ａ  １０９＿Ａとアンテナ部＃Ｂ  １０９＿Ｂの両者を用いて送信する。ただし、図２における位相変更部２０９Ｂで位相変更を行わない。
【０２０７】
「ケース３」のように送信した場合、アンテナ部＃Ａ１０９＿Ａから送信した変調信号とアンテナ部＃Ｂ１０９＿Ｂから送信した変調信号が同一である、または、特定の位相のずれがあるため、電波の伝搬環境によっては、図８の受信装置は、劣悪な受信信号になる可能性があり、両者の変調信号が同一のマルチパスの影響を受ける可能性がある。これにより、図８の受信装置において、データの受信品質が低下するという現象がある。
【０２０８】
この現象を軽減するために、図２において、位相変更部２０９Ｂを設けている。これにより、時間、または、周波数方向で、位相を変更しているため、図８の受信装置において、劣悪な受信信号となる可能性を低減することができる。また、アンテナ部＃Ａ１０９＿Ａから送信した変調信号が受けるマルチパスの影響とアンテナ部＃Ｂ１０９＿Ｂから送信した変調信号が受けるマルチパスの影響に違いがある可能性が高いため、ダイバーシチゲインが得られる可能性が高く、これにより、図８の受信装置において、データの受信品質が向上する。
【０２０９】
以上の理由から、図２において、位相変更部２０９Ｂを設け、位相変更を施している。
【０２１０】
その他のシンボル４０３、および、その他のシンボル５０３には、制御情報シンボル以外に、例えば、信号検出のためシンボル、周波数同期及び時間同期を行うためのシンボル、チャネル推定のためのシンボルが、制御情報シンボルを復調及び復号するために含まれいてる。また、「図４および図５のフレーム」、または、「図１３および図１４のフレーム」には、パイロットシンボル４０１、５０１が含まれており、これらを用いることで、制御情報シンボルをより高精度に復調及び復号を行うことが可能となる。
【０２１１】
そして、「図４および図５のフレーム」、または、「図１３および図１４のフレーム」には、データシンボル４０２、および、データシンボル５０２により、同一周波数（周波数帯）、同一時間を用いて、複数のストリームを伝送している、つまり、ＭＩＭＯ伝送を行っている。これらのデータシンボルを復調するためには、その他のシンボル４０３、および、その他のシンボル５０３に含まれている、信号検出のためのシンボル、周波数同期及び時間同期を行うためのシンボル、チャネル推定のためのシンボルを用いる。
【０２１２】
このとき、「その他のシンボル４０３、および、その他のシンボル５０３に含まれている、信号検出のためのシンボル、周波数同期及び時間同期を行うためのシンボル、チャネル推定のためのシンボル」は、前述より、位相変更部２０９Ｂにより、位相変更を行っている。
【０２１３】
そのような状況の中、データシンボル４０２、および、データシンボル５０２に対し（上述の説明の場合は、データシンボル５０２に対し）、この処理を反映させなかった場合、受信装置において、データシンボル４０２、および、データシンボル５０２を復調及び復号する場合、位相変更部２０９Ｂで行った位相変更に対する処理を反映させた復調及び復号を行う必要があり、その処理は複雑となる可能性が高い。「その他のシンボル４０３、および、その他のシンボル５０３に含まれている、信号検出のためのシンボル、周波数同期及び時間同期を行うためのシンボル、チャネル推定のためのシンボル」は、位相変更部２０９Ｂにより、位相変更を行っているためである。
【０２１４】
しかし、図２に示すように、位相変更部２０９Ｂにおいて、データシンボル４０２、および、データシンボル５０２に対し（上述の説明の場合は、データシンボル５０２）、位相変更を施した場合、受信装置において、「その他のシンボル４０３、および、その他のシンボル５０３に含まれている、信号検出のためのシンボル、周波数同期及び時間同期を行うためのシンボル、チャネル推定のためのシンボル」を用いて推定した、チャネル推定信号（伝搬路変動の推定信号）を用いて、簡単に、データシンボル４０２、および、データシンボル５０２を復調及び復号を行うことができるという利点がある。
【０２１５】
加えて、図２に示すように、位相変更部２０９Ｂにおいて、データシンボル４０２、および、データシンボル５０２に対し（上述の説明の場合は、データシンボル５０２）、位相変更を施した場合、マルチパスにおける、周波数軸における、電界強度の急激な落ち込みの影響を少なくすることができ、これにより、データシンボル４０２、および、データシンボル５０２のデータの受信品質が向上するという効果を得ることができる可能性がある。
【０２１６】
このように、「位相変更部２０５Ｂの位相変更を施すシンボルの対象」と「位相変更部２０９Ｂの位相変更を施すシンボルの対象」が異なる点が特徴的な点となる。
【０２１７】
以上のように、図２の位相変更部２０５Ｂにより位相変更を行うことで、データシンボル４０２、および、データシンボル５０２の、例えば、ＬＯＳ環境において、受信装置におけるデータの受信品質が向上するという効果を得ることができ、図２の位相変更部２０９Ｂにより位相変更を行うことで、例えば、「図４および図５のフレーム」、または、「図１３および図１４のフレーム」に含まれる制御情報シンボルの、受信装置における受信品質が向上し、データシンボル４０２、および、データシンボル５０２の復調及び復号の動作が簡単になるという効果を得ることができる。
【０２１８】
なお、図２の位相変更部２０５Ｂにより位相変更を行うことで、データシンボル４０２、および、データシンボル５０２の、例えば、ＬＯＳ環境において、受信装置におけるデータの受信品質が向上するという効果を得ることができ、さらに、データシンボル４０２、および、データシンボル５０２に対して、図２の位相変更部２０９Ｂにより位相変更を行うことで、データシンボル４０２、および、データシンボル５０２の受信品質が向上する。
【０２１９】
なお、図２では位相変更部２０９Ｂが挿入部２０７Ｂの後段に設けられ、ベースバンド信号２０８Ｂに対して位相変更を行う構成を例示しているが、上述した位相変更部２０５Ｂによる位相変更の効果及び位相変更部２０９Ｂによる位相変更の効果の両方を得るための構成は図２に示す構成に限定されるものではない。
【０２２０】
例えば、図２の構成から位相変更部２０９Ｂを除去し、挿入部２０７Ｂから出力されるベースバンド信号２０８Ｂを信号処理後の信号１０６＿Ｂとし、挿入部２０７Ａの後段に位相変更部２０９Ｂと同様の動作を行う位相変更部２０９Ａを追加して、ベースバンド信号２０８Ａに対して位相変更部２０９Ａが位相変更を施した位相変更後の信号２１０Ａを信号処理後の信号１０６＿Ａとした構成の変形例であっても良い。
【０２２１】
このような構成であっても、上述した図２の場合と同様に、位相変更部２０５Ｂにより位相変更を行うことで、データシンボル４０２、および、データシンボル５０２の、例えば、ＬＯＳ環境において、受信装置におけるデータの受信品質が向上するという効果を得ることができ、さらに、データシンボル４０２、および、データシンボル５０２に対して、位相変更部２０９Ａにより位相変更を行うことで、データシンボル４０２、および、データシンボル５０２の受信品質が向上するという効果を得ることができる。
【０２２２】
さらに、「図４および図５のフレーム」、または、「図１３および図１４のフレーム」に含まれる制御情報シンボルの、受信装置における受信品質が向上するという効果も得ることができる。
【０２２３】
（補足１）
実施の形態１などにおいて、「位相変更部Ｂ」の動作としては、非特許文献２、非特許文献３で記載されているＣＤＤ/ＣＳＤであってもよいと記載した。この点について、補足説明を行う。
【０２２４】
図１５にＣＤＤ/ＣＳＤを用いたときの構成を示している。サイクリックディレイ（Cyclic Delay）を施さないときの変調信号１５０１であり、Ｘ［ｎ］とあらわす。
【０２２５】
サイクリックディレイ部（巡回遅延部）１５０２＿１は、変調信号１５０１を入力とし、サイクリックディレイ（巡回遅延）の処理を行い、サイクリックディレイ処理後の信号１５０３＿１を出力する。サイクリックディレイ処理後の信号１５０３＿１をＸ１［ｎ］とすると、Ｘ１［ｎ］は次式で与えられる。
【０２２６】
【数４３】
2017061113.tif 000045
【０２２７】
なお、δ１は巡回遅延量（δ１は0以上整数）であり、Ｘ［ｎ］は、Ｎ個のサンプルで構成されるものとし（Ｎは２以上の整数）、したがって、ｎは０以上Ｎ−１以下の整数とする。そして、ｍｏｄはｍｏｄｕｌｏをあらわし、「Ａ  ｍｏｄ  Ｂ」とは、「ＡをＢで除算したときの余り」である。
・・・
サイクリックディレイ部（巡回遅延部）１５０２＿Ｍは、変調信号１５０１を入力とし、サイクリックディレイ（巡回遅延）の処理を行い、サイクリックディレイ処理後の信号１５０３＿Ｍを出力する。サイクリックディレイ処理後の信号１５０３＿ＭをＸＭ［ｎ］とすると、ＸＭ［ｎ］は次式で与えられる。
【０２２８】
【数４４】
2017061113.tif 000046
【０２２９】
なお、δＭは巡回遅延量であり（δＭは0以上の整数）、Ｘ［ｎ］は、Ｎ個のサンプルで構成されるものとし（Ｎは２以上の整数）、したがって、ｎは０以上Ｎ−１以下の整数とする。
【０２３０】
したがって、サイクリックディレイ部（巡回遅延部）１５０２＿ｉは、変調信号１５０１を入力とし、サイクリックディレイ（巡回遅延）の処理を行い、サイクリックディレイ処理後の信号１５０３＿ｉを出力する。サイクリックディレイ処理後の信号１５０３＿ｉをＸｉ［ｎ］とすると、Ｘｉ［ｎ］は次式で与えられる。ｉは１以上Ｍ以下の整数であり、Ｍは１以上の整数である。
【０２３１】
【数４５】
2017061113.tif 000047
【０２３２】
なお、δｉは巡回遅延量であり（δｉは0以上の整数）、Ｘ［ｎ］は、Ｎ個のサンプルで構成されるものとし（Ｎは２以上の整数）、したがって、ｎは０以上Ｎ−１以下の整数とする。
【０２３３】
そして、サイクリックディレイ処理後の信号１５０３＿ｉはアンテナｉから送信される。よって、サイクリックディレイ処理後の信号１５０３＿１、・・・、サイクリックディレイ処理後の信号１５０３＿Ｍはそれぞれ異なるアンテナから送信される。なお、上述の説明では、離散信号を例に説明しているが、連続信号に対しても、同様な処理を行えばよい。
【０２３４】
このようにすることで、サイクリックディレイによるダイバーシチ効果を得ることができ、例えば、遅延波の悪影響を軽減することができる、受信装置において、データの受信品質が向上するという効果を得ることができる。
【０２３５】
例えば、図２の位相変更部２０９Ｂを、図１５に示したサイクリックディレイ部に置き換え、位相変更部２０９Ｂの動作をサイクリックディレイ部と同じ動作としてもよい。
【０２３６】
よって、図２の位相変更部２０９Ｂにおいて、巡回遅延量δ（δは0以上の整数）を与え、位相変更部２０９Ｂの入力信号をＹ［ｎ］とあらわす。そして、位相変更部２０９Ｂの出力信号をＺ［ｎ］とあらわしたとき、Ｚ［ｎ］は次式で与えられる。
【０２３７】
【数４６】
2017061113.tif 000048
【０２３８】
なお、Ｙ［ｎ］は、Ｎ個のサンプルで構成されるものとし（Ｎは２以上の整数）、したがって、ｎは０以上Ｎ−１以下の整数とする。
【０２３９】
次に、巡回遅延量と位相変更の関係について説明する。
【０２４０】
例えば、ＯＦＤＭにＣＤＤ/ＣＳＤを適用する場合を考える。なお、ＯＦＤＭを用いたときのキャリア配置は、図１６のようにする。
【０２４１】
図１６において、１６０１はシンボルであり、横軸を周波数（キャリア番号）とし、低い周波数から高い周波数へ、昇順にキャリアが配置されている。したがって、最も低い周波数のキャリアを「キャリア１」とすると、それにつづき「キャリア２」「キャリア３」「キャリア４」・・・と並んでいる。
【０２４２】
そして、例えば、図２の位相変更部２０９Ｂにおいて、巡回遅延量τを与える。すると、「キャリアｉ」における位相変更値Ω[ｉ]は、以下のようにあらわされる。
【０２４３】
【数４７】
2017061113.tif 000049
【０２４４】
なお、μは、巡回遅延量、ＦＦＴ（Fast Fourier Transform）サイズなどから求めることができる値である。
【０２４５】
そして、位相変更前（巡回遅延処理前）の「キャリアｉ」、時刻ｔのベースバンド信号をｖ’［ｉ］［ｔ］とすると、位相変更後の「キャリアｉ」、時刻ｔの信号ｖ［ｉ］［ｔ］は、ｖ［ｉ］  ［ｔ］＝Ω［ｉ］×ｖ’［ｉ］［ｔ］とあらわすことができる。
【０２４６】
（補足２）
当然であるが、本明細書において説明した実施の形態、その他の内容を複数組み合わせて、実施してもよい。
【０２４７】
また、各実施の形態、その他の内容については、あくまでも例であり、例えば、「変調方式、誤り訂正符号化方式（使用する誤り訂正符号、符号長、符号化率等）、制御情報など」を例示していても、別の「変調方式、誤り訂正符号化方式（使用する誤り訂正符号、符号長、符号化率等）、制御情報など」を適用した場合でも同様の構成で実施することが可能である。
【０２４８】
変調方式については、本開示で記載している変調方式以外の変調方式を使用しても、本開示において説明した実施の形態、その他の内容を実施することが可能である。例えば、ＡＰＳＫ（Amplitude Phase Shift Keying）（例えば、16APSK, 64APSK, 128APSK, 256APSK, 1024APSK, 4096APSKなど）、ＰＡＭ（Pulse Amplitude Modulation）（例えば、4PAM, 8PAM, 16PAM, 64PAM, 128PAM, 256PAM, 1024PAM, 4096PAMなど）、ＰＳＫ（例えば、BPSK, QPSK, 8PSK, 16PSK, 64PSK, 128PSK, 256PSK, 1024PSK, 4096PSKなど）、ＱＡＭ（Quadrature Amplitude Modulation）（例えば、4QAM, 8QAM, 16QAM, 64QAM, 128QAM, 256QAM, 1024QAM, 4096QAMなど）などを適用してもよいし、各変調方式において、均一マッピング、非均一マッピングとしてもよい。
【０２４９】
また、Ｉ−Ｑ平面における２個、４個、８個、１６個、６４個、１２８個、２５６個、１０２４個等の信号点の配置方法（２個、４個、８個、１６個、６４個、１２８個、２５６個、１０２４個等の信号点をもつ変調方式）は、本開示で示した変調方式の信号点配置方法に限ったものではない。したがって、複数のビットに基づき同相成分と直交成分を出力するという機能がマッピング部での機能となり、その後、プリコーディングおよび位相変更を施すことが本開示の一つの有効な機能となる。
【０２５０】
そして、本開示において、「∀」「∃」が存在する場合、「∀」は全称記号（universal quantifier）をあらわしており、「∃」は存在記号（existential quantifier）をあらわしている。
【０２５１】
また、本開示において、複素平面がある場合、例えば、偏角のような、位相の単位は、「ラジアン（radian）」としている。
【０２５２】
複素平面を利用すると、複素数の極座標による表示として極形式で表示できる。複素数z = a + ｊb （ａ、ｂは実数であり、ｊは虚数単位である）に、複素平面上の点(ａ, ｂ) を対応させたとき、この点が極座標で[r, θ] とあらわされるなら、
ａ＝ｒ×ｃｏｓθ、ｂ＝ｒ×ｓｉｎθ
【０２５３】
【数４８】
2017061113.tif 000050
【０２５４】
が成り立ち、r は z の絶対値 (r = |z|) であり、θ が偏角 (argument)となる。そして、z = a + ｊbは、ｒ×ｅｊθとあらわされる。
【０２５５】
本開示において、端末の受信装置とアンテナが別々となっている構成であってもよい。例えば、アンテナで受信した信号、または、アンテナで受信した信号に対し、周波数変換を施した信号を、ケーブルを通して、入力するインターフェースを受信装置が具備し、受信装置はその後の処理を行う。
【０２５６】
また、受信装置が得たデータ及び情報は、その後、映像や音に変換され、ディスプレイ（モニタ）に表示されたり、スピーカから音が出力されたりする。さらに、受信装置が得たデータ及び情報は、映像や音に関する信号処理が施され、受信装置が具備するＲＣＡ端子（映像端子、音用端子）、ＵＳＢ（Universal Serial Bus）、ＨＤＭＩ（登録商標）（High-Definition Multimedia Interface）、デジタル用端子等から出力されてもよい。なお、映像や音に関する信号処理を施さなくても、本開示の効果を得ることができる。
【０２５７】
本開示において、送信装置を具備しているのは、例えば、放送局、基地局、アクセスポイント、端末、携帯電話（ｍｏｂｉｌｅ  ｐｈｏｎｅ）等の通信及び放送機器であることが考えられ、このとき、受信装置を具備しているのは、テレビ、ラジオ、端末、パーソナルコンピュータ、携帯電話、アクセスポイント、基地局等の通信機器であることが考えられる。また、本開示における送信装置、受信装置は、通信機能を有している機器であって、その機器が、テレビ、ラジオ、パーソナルコンピュータ、携帯電話等のアプリケーションを実行するための装置に何らかのインターフェースを解して接続できるような形態であることも考えられる。
【０２５８】
また、本実施の形態では、データシンボル以外のシンボル、例えば、パイロットシンボル（プリアンブル、ユニークワード、ポストアンブル、リファレンスシンボル等）、制御情報用のシンボルなどが、フレームにどのように配置されていてもよい。そして、ここでは、パイロットシンボル、制御情報用のシンボルと名付けているが、どのような名付け方を行ってもよく、機能自身が重要となっている。
【０２５９】
パイロットシンボルは、例えば、送受信機において、ＰＳＫ変調を用いて変調した既知のシンボルであればよく、受信機は、このシンボルを用いて、周波数同期、時間同期、（各変調信号の）チャネル推定（ＣＳＩ（Channel State Information）の推定）、信号の検出等を行う。なお、受信機が同期することによって、受信機は、送信機が送信したパイロットシンボルを知ることができてもよい。
【０２６０】
また、制御情報用のシンボルは、データ（例えば、アプリケーション等のデータ）以外の通信を実現するための、通信相手に伝送する必要がある情報、例えば、通信に用いている変調方式及び誤り訂正符号化方式及び誤り訂正符号化方式の符号化率、上位レイヤーでの設定情報等を伝送するためのシンボルである。
【０２６１】
なお、本開示は各実施の形態に限定されず、種々変更して実施することが可能である。例えば、各実施の形態では、通信装置として行う場合について説明しているが、これに限られるものではなく、この通信方法をソフトウェアとして行うことも可能である。
【０２６２】
また、上記では、２つの変調信号を２つのアンテナから送信する方法におけるプリコーディング切り替え方法について説明したが、これに限ったものではなく、４つのマッピング後の信号に対し、プリコーディングを行い、４つの変調信号を生成し、４つのアンテナから送信する方法、つまり、Ｎ個のマッピング後の信号に対し、プリコーディングを行い、Ｎ個の変調信号を生成し、Ｎ個のアンテナから送信する方法においても同様にプリコーディングウェイト（プリコーディング行列）を変更する、プリコーディング切り替え方法としても同様に実施することができる。
【０２６３】
本開示では、「プリコーディング」「プリコーディングウェイト」等の用語を用いているが、呼び方自身は、どのようなものでもよく、本開示では、その信号処理自身が重要となる。
【０２６４】
ストリームｓ１（ｔ）、ｓ２（ｔ）により、異なるデータを伝送してもよいし、同一のデータを伝送してもよい。
【０２６５】
送信装置の送信アンテナ、受信装置の受信アンテナ、共に、図面で記載されている１つのアンテナは、複数のアンテナにより構成されていても良い。
【０２６６】
送信装置は、受信装置に対し、送信方法（ＭＩＭＯ、ＳＩＳＯ、時空間ブロック符号、インタリーブ方式）、変調方式、誤り訂正符号化方式を通知するが、送信装置が送信するフレームに存在する。受信装置は上記情報を得ることで、動作を変更する。
【０２６７】
なお、例えば、上記通信方法を実行するプログラムを予めＲＯＭ（Ｒｅａｄ  Ｏｎｌｙ  Ｍｅｍｏｒｙ）に格納しておき、そのプログラムをＣＰＵ（Ｃｅｎｔｒａｌ  Ｐｒｏｃｅｓｓｏｒ  Ｕｎｉｔ）によって動作させるようにしても良い。
【０２６８】
また、上記通信方法を実行するプログラムをコンピュータで読み取り可能な記憶媒体に格納し、記憶媒体に格納されたプログラムをコンピュータのＲＡＭ（Ｒａｎｄｏｍ  Ａｃｃｅｓｓ  Ｍｅｍｏｒｙ）に記録して、コンピュータをそのプログラムにしたがって動作させるようにしても良い。
【０２６９】
そして、上記の各実施の形態などの各構成は、典型的には集積回路であるＬＳＩ（Ｌａｒｇｅ  Ｓｃａｌｅ  Ｉｎｔｅｇｒａｔｉｏｎ）として実現されてもよい。これらは、個別に１チップ化されてもよいし、各実施の形態の全ての構成または一部の構成を含むように１チップ化されてもよい。
【０２７０】
ここでは、ＬＳＩとしたが、集積度の違いにより、ＩＣ（Ｉｎｔｅｇｒａｔｅｄ  Ｃｉｒｃｕｉｔ）、システムＬＳＩ、スーパーＬＳＩ、ウルトラＬＳＩと呼称されることもある。また、集積回路化の手法はＬＳＩに限られるものではなく、専用回路または汎用プロセッサで実現しても良い。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル  プロセッサを利用しても良い。
【０２７１】
さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【０２７２】
本開示は、複数のアンテナからそれぞれ異なる変調信号を送信する無線システムに広く適用できる。また、複数の送信箇所を持つ有線通信システム（例えば、ＰＬＣ（Ｐｏｗｅｒ  Ｌｉｎｅ  Ｃｏｍｍｕｎｉｃａｔｉｏｎ）システム、光通信システム、ＤＳＬ（Ｄｉｇｉｔａｌ  Ｓｕｂｓｃｒｉｂｅｒ  Ｌｉｎｅ：デジタル加入者線）システム）において、ＭＩＭＯ伝送を行う場合についても適用することができる。
【０２７３】
（実施の形態２）
本実施の形態では、実施の形態１における図２とは異なる構成の実施方法について説明する。
【０２７４】
図１は、本実施の形態における例えば、基地局、アクセスポイント、放送局等の送信装置の構成の一例であり、詳細については、実施の形態１で説明したので、説明は省略する。
【０２７５】
信号処理部１０６は、マッピング後の信号１０５＿１、１０５＿２、信号群１１０、制御信号１００を入力とし、制御信号１００に基づいて、信号処理を行い、信号処理後の信号１０６＿Ａ、１０６＿Ｂを出力する。このとき、信号処理後の信号１０６＿Ａをｕ１（ｉ）、信号処理後の信号１０６＿Ｂをｕ２（ｉ）とあらわす。ｉはシンボル番号であり、例えば、ｉは０以上の整数とする。なお、信号処理の詳細については、図１８を用いて説明する。
【０２７６】
図１８は、図１における信号処理部１０６の構成の一例を示している。重み付け合成部（プリコーディング部）２０３は、マッピング後の信号２０１Ａ（図１のマッピング後の信号１０５＿１）、および、マッピング後の信号２０１Ｂ（図１のマッピング後の信号１０５＿２）、および、制御信号２００（図１の制御信号１００）を入力とし、制御信号２００に基づき重み付け合成（プリコーディング）を行い、重み付け後の信号２０４Ａおよび重み付け後の信号２０４Ｂを出力する。このとき、マッピング後の信号２０１Ａをｓ１（ｔ）、マッピング後の信号２０１Ｂをｓ２（ｔ）、重み付け後の信号２０４Ａをｚ１（ｔ）、重み付け後の信号２０４Ｂをｚ２’（ｔ）とあらわす。なお、ｔは一例として、時間とする。ｓ１（ｔ）、ｓ２（ｔ）、ｚ１（ｔ）、ｚ２’（ｔ）は複素数で定義され、したがって、実数であってもよい。
【０２７７】
ここでは、時間の関数として扱っているが「周波数（キャリア番号）」の関数としてもよいし、「時間及び周波数」の関数としてもよい。また、「シンボル番号」の関数としてもよい。この点は、実施の形態１でも同様である。
【０２７８】
重み付け合成部（プリコーディング部）２０３は、式（１）の演算を行う。
【０２７９】
そして、位相変更部２０５Ｂは、重み付け合成後の信号２０４Ｂ、および、制御信号２００を入力とし、制御信号２００に基づき、重み付け合成後の信号２０４Ｂに対し、位相変更を施し、位相変更後の信号２０６Ｂを出力する。なお、位相変更後の信号２０６Ｂをｚ２（ｔ）であらわし、ｚ２（ｔ）は複素数で定義し、実数であってもよい。
【０２８０】
位相変更部２０５Ｂの具体的動作について説明する。位相変更部２０５Ｂでは、例えば、ｚ２’（ｉ）に対しｙ（ｉ）の位相変更を施す。したがって、ｚ２（ｉ）＝ｙ（ｉ）×ｚ２’（ｉ）とあらわすことができる。ｉはシンボル番号であり、ｉは０以上の整数である。
【０２８１】
例えば、位相変更の値を式（２）のように設定する。Ｎは２以上の整数であり、Ｎは位相変更の周期である。なお、Ｎは３以上の奇数に設定するとデータの受信品質が向上する可能性がある。ただし、式（２）は、あくまでも例であり、これに限ったものではない。そこで、位相変更値ｙ（ｉ）＝ｅｊ×δ（ｉ）であらわす。
【０２８２】
このときｚ１（ｉ）およびｚ２（ｉ）は式（３）であらわすことができる。なお、δ（ｉ）は実数である。そして、ｚ１（ｉ）とｚ２（ｉ）は、同一時間、同一周波数（同一周波数帯）で、送信装置から送信される。式（３）において、位相変更の値は、式（２）に限ったものではなく、例えば、周期的、規則的に位相を変更するような方法が考えられる。
【０２８３】
そして、実施の形態１で説明したように、式（１）および式（３）における（プリコーディング）行列としては、式（５）から式（３６）までなどが考えられる。ただし、プリコーディング行列はこれらに限ったものではなく、実施の形態１についても同様である。
【０２８４】
挿入部２０７Ａは、重み付け合成後の信号２０４Ａ、パイロットシンボル信号ｐａ（ｔ）２５１Ａ、プリアンブル信号２５２、制御情報シンボル信号２５３、制御信号２００を入力とし、制御信号２００に含まれるフレーム構成の情報に基づき、フレーム構成に基づいたベースバンド信号２０８Ａを出力する。なお、ｔは時間を表す。
【０２８５】
同様に、挿入部２０７Ｂは、位相変更後の信号２０６Ｂ、パイロットシンボル信号ｐｂ（ｔ）２５１Ｂ、プリアンブル信号２５２、制御情報シンボル信号２５３、制御信号２００を入力とし、制御信号２００に含まれるフレーム構成の情報に基づき、フレーム構成に基づいたベースバンド信号２０８Ｂを出力する。
【０２８６】
位相変更部２０９Ａは、ベースバンド信号２０８Ａ、および、制御信号２００を入力とし、ベースバンド信号２０８Ａに対し、制御信号２００に基づいて、位相変更を行い、位相変更後の信号２１０Ａを出力する。ベースバンド信号２０８Ａをシンボル番号ｉの関数とし、ｘ’（ｉ）とあらわす。すると、位相変更後の信号２１０Ａ（ｘ（ｉ））は、ｘ（ｉ）＝ｅｊ×ε（ｉ）×ｘ’（ｉ）とあらわすことができる。ｉは０以上の整数であり、ｊは虚数単位である。
【０２８７】
なお、実施の形態１等で説明したように、位相変更部２０９Ａの動作としては、非特許文献２、非特許文献３で記載されているＣＤＤ/ＣＳＤであってもよい。そして、位相変更部２０９Ａは、周波数軸方向に存在するシンボルに対し、位相変更を行う。つまり、位相変更部２０９Ａは、データシンボル、パイロットシンボル、制御情報シンボルなどに対し位相変更を施す。
【０２８８】
図３は、図１の無線部１０７＿Ａ、１０７＿Ｂの構成の一例であり、図４は、図１の送信信号１０８＿Ａのフレーム構成であり、図５は、図１の送信信号１０８＿Ｂのフレーム構成であり、実施の形態１で詳細の説明を行ったので、説明は省略する。
【０２８９】
図４のキャリアＡ、時刻＄Ｂにシンボルが存在し、図５のキャリアＡ、時刻＄Ｂにシンボルが存在したとき、図４のキャリアＡ、時刻＄Ｂのシンボルと図５のキャリアＡ、時刻＄Ｂのシンボルは、同一時間、同一周波数に送信される。なお、フレーム構成については、図４、図５に限ったものではなく、あくまでも、図４、図５はフレーム構成の例である。
【０２９０】
そして、図４、図５におけるその他のシンボルは、「図２におけるプリアンブル信号２５２、制御情報シンボル信号２５３」に相当するシンボルであり、したがって、図４のその他のシンボル４０３と同一時刻、かつ、同一周波数（同一キャリア）の図５のその他のシンボル５０３は、制御情報を伝送している場合、同一のデータ（同一の制御情報）を伝送している。
【０２９１】
なお、図４のフレームと図５のフレームを受信装置は同時に受信することを想定しているが、図４のフレーム、または、図５のフレームを受信しても受信装置は送信装置が送信したデータを得ることは可能である。
【０２９２】
図６は、図２の制御情報信号２５３を生成するための制御情報生成に関する部分の構成の一例を示しており、実施の形態１で詳細の説明を行ったので、説明は省略する。
【０２９３】
図７は、図１のアンテナ部＃Ａ  １０９＿Ａ、アンテナ部＃Ｂ  １０９＿Ｂの構成の一例を示す。図７は、アンテナ部＃Ａ  １０９＿Ａ、アンテナ部＃Ｂ  １０９＿Ｂが複数のアンテナで構成されている例であり、実施の形態１で詳細の説明を行ったので、説明は省略する。
【０２９４】
図８は、図１の送信装置が、例えば、図４、図５のフレーム構成の送信信号を送信したとき、その変調信号を受信する受信装置の構成の一例を示しており、実施の形態１で詳細の説明を行ったので、説明は省略する。
【０２９５】
図１０は、図８のアンテナ部＃Ｘ  ８０１Ｘ、アンテナ部＃Ｙ  ８０１Ｙの構成の一例を示している。図１０は、アンテナ部＃Ｘ  ８０１Ｘ、アンテナ部＃Ｙ  ８０１Ｙが複数アンテナで構成されている例であり、実施の形態１で詳細の説明を行ったので、説明は省略する。
【０２９６】
次に、図１のように送信装置の信号処理部１０６が、図１８に示すように、位相変更部２０５Ｂと位相変更部２０９Ａを挿入している。その特徴と、そのときの効果について説明する。
【０２９７】
図４、図５を用いて説明したように、第１の系列を用いてマッピングすることによって得られたマッピング後の信号ｓ１（ｉ）２０１Ａと第２の系列を用いてマッピングすることによって得られたマッピング後の信号ｓ２（ｉ）２０１Ｂに対し、プリコーディング（重み付け合成）を施し、得られた重み付け合成後の信号２０４Ａ、２０４Ｂのうちの一方に対して、位相変更を行っているのが、位相変更部２０５Ｂである。ｉはシンボル番号であり、ｉは０以上の整数とする。
【０２９８】
そして、重み付け合成後の信号２０４Ａと位相変更後の信号２０６Ｂは、同一周波数、同一時間に送信される。したがって、図４、図５において、図５のデータシンボル５０２に対して、位相変更を施す。図１８では、位相変更部２０５は、重み付け合成後の信号２０４Ｂに対して施しているため、図５のデータシンボル５０２に対して位相変更を施している。重み付け合成後の信号２０４Ａに対して位相変更を施す場合は、図４のデータシンボル４０２に対して位相変更を施す。この点については、後で説明する。
【０２９９】
例えば、図１１は、図５のフレームに対し、キャリア１からキャリア５、時刻＄４から時刻＄６を抽出したものである。なお、図５と同様、パイロットシンボル５０１、データシンボル５０２、その他のシンボル５０３を示す。
【０３００】
上述のように、図１１に示したシンボルにおいて、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）、及び、（キャリア５、時刻＄６）におけるデータシンボルに対し、位相変更部２０５Ｂは位相変更を施す。
【０３０１】
よって、図１１に示したデータシンボルに対する位相変更値を、（キャリア１、時刻＄５）では「ｅｊ×δ１５（ｉ）」とし、（キャリア２、時刻＄５）では「ｅｊ×δ２５（ｉ）」とし、（キャリア３、時刻＄５）では「ｅｊ×δ３５（ｉ）」とし、（キャリア４、時刻＄５）では「ｅｊ×δ４５（ｉ）」とし、（キャリア５、時刻＄５）では「ｅｊ×δ５５（ｉ）」とし、（キャリア１、時刻＄６）では「ｅｊ×δ１６（ｉ）」とし、（キャリア２、時刻＄６）では「ｅｊ×δ２６（ｉ）」とし、（キャリア４、時刻＄６）では「ｅｊ×δ４６（ｉ）」とし、（キャリア５、時刻＄６）では「ｅｊ×δ５６（ｉ）」とする。
【０３０２】
一方、図１１に示したシンボルにおいて、（キャリア１、時刻＄４）、（キャリア２、時刻＄４）、（キャリア３、時刻＄４）、（キャリア４、時刻＄４）、及び、（キャリア５、時刻＄４）におけるその他のシンボル、（キャリア３、時刻＄６）におけるパイロットシンボルは、位相変更部２０５Ｂの位相変更の対象ではない。
【０３０３】
この点が位相変更部２０５Ｂの特徴的な点である。なお、図１１における位相変更の対象である、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）、及び、（キャリア５、時刻＄６）におけるデータシンボルと「同一キャリア、同一時刻」には、図４では、データキャリアが配置されている。
【０３０４】
つまり、図４において、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）、及び、（キャリア５、時刻＄６）はデータシンボルである。
【０３０５】
つまり、複数のストリームを伝送するＭＩＭＯ伝送を行っているデータシンボルが位相変更部２０５Ｂの位相変更の対象である。
【０３０６】
なお、位相変更部２０５Ｂがデータシンボルに施す位相変更の例として、式（２）のように、データシンボルに、規則的な位相変更、周期Ｎの位相変更を行う方法がある。ただし、データシンボルに施す位相変更方法は、これに限ったものではない。
【０３０７】
このようにすることで、直接波が支配的な環境、例えば、ＬＯＳ環境のときに、複数のストリームを伝送しているＭＩＭＯ伝送を行っているデータシンボルの受信装置におけるデータの受信品質が向上するという効果を得ることができる。この効果について、説明を行う。
【０３０８】
例えば、図１のマッピング部１０４で使用する変調方式がＱＰＳＫである。図１８のマッピング後の信号２０１ＡはＱＰＳＫの信号であり、また、マッピング後の信号２０１ＢもＱＰＳＫの信号となる。つまり、２つのＱＰＳＫのストリームを送信する。
【０３０９】
すると、図８の信号処理部８１１では、例えば、チャネル推定信号８０６＿１、８０６＿２を用いて、１６個の候補信号点を得る。ＱＰＳＫは２ビットを伝送でき、２ストリームにより、計４ビットを伝送する。よって、２４＝１６個の候補信号点が存在する。なお、チャネル推定信号８０８＿１、８０８＿２を用いて、別の１６個の候補信号点を得ることにもなるが、説明は同様となるため、チャネル推定信号８０６＿１、８０６＿２を用いて得られる１６個の候補信号点について、焦点をあて、説明を進める。
【０３１０】
このときの状態の一例を図１２に示す。図１２Ａ、図１２Ｂ、いずれも横軸は同相Ｉ、縦軸は直交Ｑであり、同相Ｉ−直交Ｑ平面において、１６個の候補信号点が存在する。１６個の候補信号点のうち、一つが、送信装置が送信した信号点である。このため、「１６個の候補信号点」と呼ぶ。
【０３１１】
直接波が支配的な環境、例えば、ＬＯＳ環境のとき、第１のケースとして、「図１８の位相変更部２０５Ｂが存在しない場合、つまり、図１８の位相変更部２０５Ｂによる位相変更を行わない場合」を考える。
【０３１２】
「第１のケース」の場合、位相変更が行われないため、図１２Ａのような状態に陥る可能性がある。図１２Ａの状態に陥った場合、「信号点１２０１と１２０２」、「信号点１２０３、１２０４、１２０５、１２０６」、「信号点１２０７、１２０８」のように、信号点が密の部分が存在するため、図８の受信装置において、データの受信品質が低下する可能性がある。
【０３１３】
この現象を克服するために、図１８において、位相変更部２０５Ｂを挿入している。位相変更部２０５Ｂを挿入すると、シンボル番号ｉにより、図１２Ａのように「信号点が密の部分」が存在するシンボル番号と、図１２Ｂのように「信号点間の距離が長い」というシンボル番号とが混在する。この状態に対し、誤り訂正符号を導入しているため、高い誤り訂正能力を得ることができ、図８の受信装置において、高いデータ受信品質を得ることができる。
【０３１４】
なお、図１８において、パイロットシンボル、プリアンブルなど、データシンボルを復調（検波）するための、チャネル推定を行うための「パイロットシンボル、プリアンブル」に対し、図１８の位相変更部２０５Ｂにおいて、位相変更を行わない。これにより、データシンボルにおいて、「シンボル番号ｉにより、図１２Ａのように「信号点が密の部分」が存在するシンボル番号と、図１２Ｂのように「信号点間の距離が長い」というシンボル番号とが混在すること」を実現することができる。
【０３１５】
ただし、パイロットシンボル、プリアンブルなど、データシンボルを復調（検波）するための、チャネル推定を行うための「パイロットシンボル、プリアンブル」に対し、図１８の位相変更部２０５Ｂにおいて、位相変更を行っても、「データシンボルにおいて、「シンボル番号ｉにより、図１２Ａのように「信号点が密の部分」が存在するシンボル番号と、図１２Ｂのように「信号点間の距離が長い」というシンボル番号とが混在すること」を実現することができる」場合がある。
【０３１６】
この場合、パイロットシンボル、プリアンブルに対し、何らかの条件を付加して、位相変更を行わなければならない。例えば、データシンボルに対する位相変更の規則とは別の規則を設けて、「パイロットシンボル、および／または、プリアンブルに対し位相変更を施す」という方法が考えられる。例として、データシンボルに対し規則的に周期Ｎの位相変更を施し、パイロットシンボル、および／または、プリアンブルに対し規則的に周期Ｍの位相変更を施す、という方法がある。Ｎ、Ｍは２以上の整数となる。
【０３１７】
前述より、位相変更部２０９Ａは、ベースバンド信号２０８Ａ、および、制御信号２００を入力とし、ベースバンド信号２０８Ａに対し、制御信号２００に基づいて、位相変更を行い、位相変更後の信号２１０Ａを出力する。ベースバンド信号２０８Ａをシンボル番号ｉの関数とし、ｘ’（ｉ）とあらわす。すると、位相変更後の信号２１０Ａ（ｘ（ｉ））は、ｘ（ｉ）＝ｅｊ×ε（ｉ）×ｘ’（ｉ）とあらわすことができる。ｉは０以上の整数であり、ｊは虚数単位である。
【０３１８】
そして、位相変更部２０９Ａの動作としては、非特許文献２、非特許文献３で記載されているＣＤＤ/ＣＳＤであってもよい。そして、位相変更部２０９Ａは、周波数軸方向に存在するシンボルに対し、位相変更を行う。位相変更部２０９Ａは、データシンボル、パイロットシンボル、制御情報シンボルなどに対し位相変更を施す。したがって、このケースの場合、シンボル番号ｉの対象となるシンボルは、データシンボル、パイロットシンボル、制御情報シンボル、プリアンブル（その他のシンボル）などとなる。
【０３１９】
図１８では、位相変更部２０９Ａは、ベースバンド信号２０８Ａに対して位相変更を施しているため、図４に記載されている各シンボルに対して位相変更を施す。
【０３２０】
したがって、図４のフレームにおいて、時刻＄１の全てのキャリアの全てのシンボル（その他のシンボル４０３）に対して、図１８の位相変更部２０９Ａは、位相変更を施す。
【０３２１】
同様に、図１８の位相変更部２０９Ａは、下記のシンボルに対し、位相変更を施す
「時刻＄２の全てのキャリアの全てのシンボル（その他のシンボル４０３）」、
「時刻＄３の全てのキャリアの全てのシンボル（その他のシンボル４０３）」、
「時刻＄４の全てのキャリアの全てのシンボル（その他のシンボル４０３）」、
「時刻＄５の全てのキャリアの全てのシンボル（パイロットシンボル４０１、または、データシンボル４０２）」、
「時刻＄６の全ての全てのキャリアの全てのシンボル（パイロットシンボル４０１、または、データシンボル４０２）」、
「時刻＄７の全てのキャリアの全てのシンボル（パイロットシンボル４０１、または、データシンボル４０２）」、
「時刻＄８の全てのキャリアの全てのシンボル（パイロットシンボル４０１、または、データシンボル４０２）」、
「時刻＄９の全てのキャリアの全てのシンボル（パイロットシンボル４０１、または、データシンボル４０２）」、
「時刻＄１０の全てのキャリアの全てのシンボル（パイロットシンボル４０１、または、データシンボル４０２）」、
「時刻＄１１の全てのキャリアの全てのシンボル（パイロットシンボル４０１、または、データシンボル４０２）」、以後の記載は省略する。
【０３２２】
図１３は、図１の送信信号１０８＿Ａの図４とは異なるフレーム構成であり、実施の形態１において、詳細の説明を行ったので、説明を省略する。
【０３２３】
図１４は、図１の送信信号１０８＿Ｂの図５とは異なるフレーム構成であり、実施の形態１において、詳細の説明を行ったので、説明を省略する。
【０３２４】
図１３のキャリアＡ、時刻＄Ｂにシンボルが存在し、図１４のキャリアＡ、時刻＄Ｂにシンボルが存在したとき、図１３のキャリアＡ、時刻＄Ｂのシンボルと図１４のキャリアＡ、時刻＄Ｂのシンボルは、同一時間、同一周波数に送信される。なお、図１３、図１４のフレーム構成は、あくまでも例である。
【０３２５】
そして、図１３、図１４におけるその他のシンボルは、「図１８におけるプリアンブル信号２５２、制御情報シンボル信号２５３」に相当するシンボルであり、したがって、図１３のその他のシンボル４０３と同一時刻、かつ、同一周波数（同一キャリア）の図１４のその他のシンボル５０３は、制御情報を伝送している場合、同一のデータ（同一の制御情報）を伝送している。
【０３２６】
なお、図１３のフレームと図１４のフレームを受信装置は同時に受信することを想定しているが、図１３のフレーム、または、図１４のフレームを受信しても受信装置は送信装置が送信したデータを得ることは可能である。
【０３２７】
位相変更部２０９Ａは、ベースバンド信号２０８Ａ、および、制御信号２００を入力とし、ベースバンド信号２０８Ａに対し、制御信号２００に基づいて、位相変更を行い、位相変更後の信号２１０Ａを出力する。ベースバンド信号２０８Ａをシンボルシンボル番号ｉの関数とし、ｘ’（ｉ）とあらわす。ｉは０以上の整数である。
【０３２８】
すると、位相変更後の信号２１０Ａ（ｘ（ｉ））は、ｘ（ｉ）＝ｅｊ×ε（ｉ）×ｘ’（ｉ）とあらわすことができる。（ｊは虚数単位）そして、位相変更部２０９Ａの動作としては、非特許文献２、非特許文献３で記載されているＣＤＤ/ＣＳＤであってもよい。そして、位相変更部２０９Ａは、周波数軸方向に存在するシンボルに対し、位相変更を行う。位相変更部２０９Ａは、データシンボル、パイロットシンボル、制御情報シンボルなどに対し位相変更を施す。
【０３２９】
このとき、ヌルシンボルも位相変更の対象と考えることができる。したがって、このケースの場合、シンボル番号ｉの対象となるシンボルは、データシンボル、パイロットシンボル、制御情報シンボル、プリアンブル（その他のシンボル）、ヌルシンボルなどとなる。
【０３３０】
しかし、ヌルシンボルは、同相成分Ｉがゼロ（０）、かつ、直交成分Ｑがゼロ（０）であるため、ヌルシンボルに対し位相変更を行っても位相変更前の信号と位相変更後の信号は同じである。したがって、ヌルシンボルは位相変更の対象でないと解釈することも可能である。図１８の場合、位相変更部２０９Ａは、ベースバンド信号２０８Ａに対して位相変更を施しているため、図１３に記載されている各シンボルに対して位相変更を施す。
【０３３１】
したがって、図１３のフレームにおいて、時刻＄１の全てのキャリアの全てのシンボル（その他のシンボル４０３）に対し、図１８の位相変更部２０９Ａは、位相変更を施す。ただし、ヌルシンボル１３０１の位相変更の扱いについては前に説明したとおりである。
【０３３２】
同様に、図１８の位相変更部２０９Ａは、下記のシンボルに対し、位相変更を施す。
「時刻＄２の全てのキャリアの全てのシンボルに対し（その他のシンボル４０３）」
「時刻＄３の全てのキャリアの全てのシンボルに対し（その他のシンボル４０３）」
「時刻＄４の全てのキャリアの全てのシンボルに対し（その他のシンボル４０３）」
「時刻＄５の全てのキャリアの全てのシンボルに対し（パイロットシンボル４０１、または、データシンボル４０２）」
「時刻＄６の全てのキャリアの全てのシンボルに対し（パイロットシンボル４０１、または、データシンボル４０２）」
「時刻＄７の全てのキャリアの全てのシンボルに対し（パイロットシンボル４０１、または、データシンボル４０２）」
「時刻＄８の全てのキャリアの全てのシンボルに対し（パイロットシンボル４０１、または、データシンボル４０２）」
「時刻＄９の全てのキャリアの全てのシンボルに対し（パイロットシンボル４０１、または、データシンボル４０２）」
「時刻＄１０の全てのキャリアの全てのシンボルに対し（パイロットシンボル４０１、または、データシンボル４０２）」
「時刻＄１１の全てのキャリアの全てのシンボルに対し（パイロットシンボル４０１、または、データシンボル４０２）」
以後の時刻においては、記載を省略する。
【０３３３】
ただし、上記の記載において、ヌルシンボル１３０１の位相変更の扱いについては前に説明したとおりである。他の時刻及びキャリアについて記載は省略する。
【０３３４】
位相変更部２０９Ａにおける位相変更値をΩ（ｉ）とあらわす。ベースバンド信号２０８Ａはｘ’（ｉ）であり、位相変更後の信号２１０Ａはｘ（ｉ）である。したがって、ｘ（ｉ）＝Ω（ｉ）×ｘ’（ｉ）が成立する。
【０３３５】
例えば、位相変更の値を式（３８）と設定する。Ｑは２以上の整数であり、Ｑは位相変更の周期となる。ｊは虚数単位である。ただし、式（３８）は、あくまでも例であり、これに限ったものではない。
【０３３６】
例えば、周期Ｑを持つように位相変更を行うようにΩ（ｉ）を設定してもよい。
【０３３７】
また、例えば、図４、図１３において、同一キャリアに対して、同一の位相変更値を与え、キャリアごとに位相変更値を設定するとしてもよい。例えば、以下のようになる。
・図４、図１３におけるキャリア１に対し、時刻によらず、位相変更値を式（３９）とする。
・図４、図１３におけるキャリア２に対し、時刻によらず、位相変更値を式（４０）とする。
・図４、図１３におけるキャリア３に対し、時刻によらず、位相変更値を式（４１）とする。
・図４、図１３におけるキャリア４に対し、時刻によらず、位相変更値を式（４２）とする。他のキャリアについては記載を省略する。
【０３３８】
以上が、図１８の位相変更部２０９Ａの動作例となる。
【０３３９】
図１８の位相変更部２０９Ａにより得られる効果について説明する。
【０３４０】
「図４および図５のフレーム」、または、「図１３および図１４のフレーム」のその他のシンボル４０３、５０３には、制御情報シンボルが含まれている。前述より、その他のシンボル４０３と同一時刻、かつ、同一の周波数（同一のキャリア）の図５のその他のシンボル５０３は、制御情報を伝送している場合、同一データ（同一の制御情報）を送信している。
【０３４１】
ところで、ケース２として、「制御情報シンボルを、図１のアンテナ部＃Ａ  １０９＿Ａ、または、アンテナ部＃Ｂ  １０９＿Ｂのいずれか一方のアンテナ部を用いて送信する」を考える。
【０３４２】
「ケース２」のように送信した場合、制御情報シンボルを送信するアンテナ数が１のため、「アンテナ部＃Ａ  １０９＿Ａとアンテナ部＃Ｂ  １０９＿Ｂの両者を用いて制御情報シンボルを送信する」場合と比較して、空間ダイバーシチのゲインが小さくなるため、「ケース２」では、図８の受信装置で受信してもデータの受信品質が低下する。したがって、データの受信品質の向上という点では、「アンテナ部＃Ａ  １０９＿Ａとアンテナ部＃Ｂ  １０９＿Ｂの両者を用いて制御情報シンボルを送信する」ほうがよい。
【０３４３】
ケース３として、「制御情報シンボルを、図１のアンテナ部＃Ａ  １０９＿Ａとアンテナ部＃Ｂ  １０９＿Ｂの両者を用いて送信する。ただし、図１８における位相変更部２０９Ａで位相変更を行わない」を考える。
【０３４４】
「ケース３」のように送信した場合、アンテナ部＃Ａ  １０９＿Ａから送信した変調信号とアンテナ部＃Ｂ  １０９＿Ｂから送信した変調信号が同一である、または、特定の位相のずれがあるため、電波の伝搬環境によっては、図８の受信装置は、非常に劣悪な受信信号になる可能性があり、両者の変調信号が同一のマルチパスの影響を受ける可能性がある。これにより、図８の受信装置において、データの受信品質が低下するという現象がある。
【０３４５】
この現象を軽減するために、図１８において、位相変更部２０９Ａを設けている。これにより、時間、または、周波数方向で、位相を変更しているため、図８の受信装置において、劣悪な受信信号となる可能性を低減することができる。また、アンテナ部＃Ａ  １０９＿Ａから送信した変調信号が受けるマルチパスの影響とアンテナ部＃Ｂ  １０９＿Ｂから送信した変調信号が受けるマルチパスの影響に違いがある可能性が高いため、ダイバーシチゲインが得られる可能性が高く、これにより、図８の受信装置において、データの受信品質が向上する。
【０３４６】
以上の理由から、図１８において、位相変更部２０９Ａを設け、位相変更を施している。
【０３４７】
その他のシンボル４０３、および、その他のシンボル５０３には、制御情報シンボル以外に、例えば、信号検出のためシンボル、周波数同期及び時間同期を行うためのシンボル、チャネル推定のためのシンボルが、制御情報シンボルを復調及び復号するために含まれいてる。また、「図４および図５のフレーム」、または、「図１３および図１４のフレーム」には、パイロットシンボル４０１、５０１が含まれており、これらを用いることで、制御情報シンボルをより高精度に復調及び復号を行うことが可能となる。
【０３４８】
そして、「図４および図５のフレーム」、または、「図１３および図１４のフレーム」には、データシンボル４０２、および、データシンボル５０２により、同一周波数（周波数帯）、同一時間を用いて、複数のストリームを伝送しているＭＩＭＯ伝送を行っている。これらのデータシンボルを復調するためには、その他のシンボル４０３、および、その他のシンボル５０３に含まれている、信号検出のためのシンボル、周波数同期及び時間同期を行うためのシンボル、チャネル推定のためのシンボルを用いる。
【０３４９】
このとき、「その他のシンボル４０３、および、その他のシンボル５０３に含まれている、信号検出のためのシンボル、周波数同期及び時間同期を行うためのシンボル、チャネル推定のためのシンボル」は、前述より、位相変更部２０９Ａにより、位相変更を行っている。
【０３５０】
そのような状況の中、データシンボル４０２、および、データシンボル５０２に対し（上述の説明の場合は、データシンボル４０２に対し）、この処理を反映させず、受信装置において、データシンボル４０２、および、データシンボル５０２を復調及び復号する場合、位相変更部２０９Ａで行った位相変更に対する処理を反映させた復調及び復号を行う必要があり、その処理は複雑となる可能性が高い。
【０３５１】
「その他のシンボル４０３、および、その他のシンボル５０３に含まれている、信号検出のためのシンボル、周波数同期及び時間同期を行うためのシンボル、チャネル推定のためのシンボル」は、位相変更部２０９Ａにより、位相変更を行っているためである。
【０３５２】
しかし、図１８に示すように、位相変更部２０９Ａにおいて、データシンボル４０２、および、データシンボル５０２に対し（上述の説明の場合は、データシンボル４０２に対し）、位相変更を施した場合、受信装置において、「その他のシンボル４０３、および、その他のシンボル５０３に含まれている、信号検出のためのシンボル、周波数同期及び時間同期を行うためのシンボル、チャネル推定のためのシンボル」を用いて推定した、チャネル推定信号（伝搬路変動の推定信号）を用いて、簡単にデータシンボル４０２、および、データシンボル５０２を復調及び復号を行うことができるという利点がある。
【０３５３】
加えて、図１８に示すように、位相変更部２０９Ａにおいて、データシンボル４０２、および、データシンボル５０２に対し（上述の説明の場合は、データシンボル４０２に対し）、位相変更を施した場合、マルチパスにおける、周波数軸における、電界強度の急激な落ち込みの影響を少なくすることができ、これにより、データシンボル４０２、および、データシンボル５０２のデータの受信品質が向上するという効果を得ることができる可能性がある。
【０３５４】
このように、「位相変更部２０５Ｂの位相変更を施すシンボルの対象」と「位相変更部２０９Ａの位相変更を施すシンボルの対象」が異なる点が特徴的な点となる。
【０３５５】
以上のように、図１８の位相変更部２０５Ｂにより位相変更を行うことで、データシンボル４０２、および、データシンボル５０２の、例えば、ＬＯＳ環境において、受信装置におけるデータの受信品質が向上するという効果を得ることができ、図１８の位相変更部２０９Ａにより位相変更を行うことで、例えば、「図４および図５のフレーム」、または、「図１３および図１４のフレーム」に含まれる制御情報シンボルの、受信装置における受信品質が向上し、データシンボル４０２、および、データシンボル５０２の復調及び復号の動作が簡単になるという効果を得ることができる。
【０３５６】
なお、図１８の位相変更部２０５Ｂにより位相変更を行うことで、データシンボル４０２、および、データシンボル５０２の、例えば、ＬＯＳ環境において、受信装置におけるデータの受信品質が向上するという効果を得ることができ、さらに、データシンボル４０２、および、データシンボル５０２に対して、図１８の位相変更部２０９Ａにより位相変更を行うことで、データシンボル４０２、および、データシンボル５０２の受信品質が向上する。
【０３５７】
なお、式（３８）におけるＱは―２以下の整数であってもよく、このとき、位相変更の周期は、Ｑの絶対値となる。この点については、他の実施の形態にも適用することができる。
【０３５８】
（実施の形態３）
本実施の形態では、実施の形態１における図２とは異なる構成の実施方法について説明する。
【０３５９】
図１は、本実施の形態における例えば、基地局、アクセスポイント、放送局等の送信装置の構成の一例であり、詳細については、実施の形態１で説明したので、説明は省略する。
【０３６０】
信号処理部１０６は、マッピング後の信号１０５＿１、１０５＿２、信号群１１０、制御信号１００を入力とし、制御信号１００に基づいて、信号処理を行い、信号処理後の信号１０６＿Ａ、１０６＿Ｂを出力する。このとき、信号処理後の信号１０６＿Ａをｕ１（ｉ）、信号処理後の信号１０６＿Ｂをｕ２（ｉ）とあらわす。ｉはシンボル番号であり、例えば、ｉは０以上の整数とする。なお、信号処理の詳細については、図１９を用いて説明する。
【０３６１】
図１９は、図１における信号処理部１０６の構成の一例を示している。重み付け合成部（プリコーディング部）２０３は、マッピング後の信号２０１Ａ（図１のマッピング後の信号１０５＿１）、および、マッピング後の信号２０１Ｂ（図１のマッピング後の信号１０５＿２）、および、制御信号２００（図１の制御信号１００）を入力とし、制御信号２００に基づき重み付け合成（プリコーディング）を行い、重み付け後の信号２０４Ａおよび重み付け後の信号２０４Ｂを出力する。
【０３６２】
このとき、マッピング後の信号２０１Ａをｓ１（ｔ）、マッピング後の信号２０１Ｂをｓ２（ｔ）、重み付け後の信号２０４Ａをｚ１（ｔ）、重み付け後の信号２０４Ｂをｚ２’（ｔ）とあらわす。なお、ｔは一例として、時間とする。ｓ１（ｔ）、ｓ２（ｔ）、ｚ１（ｔ）、ｚ２’（ｔ）は複素数で定義され、したがって、実数であってもよい。
【０３６３】
ここでは、時間の関数として扱っているが「周波数（キャリア番号）」の関数としてもよいし、「時間及び周波数」の関数としてもよい。また、「シンボル番号」の関数としてもよい。この点は、実施の形態１でも同様である。
【０３６４】
重み付け合成部（プリコーディング部）２０３は、式（１）の演算を行う。
【０３６５】
そして、位相変更部２０５Ｂは、重み付け合成後の信号２０４Ｂ、および、制御信号２００を入力とし、制御信号２００に基づき、重み付け合成後の信号２０４Ｂに対し、位相変更を施し、位相変更後の信号２０６Ｂを出力する。なお、位相変更後の信号２０６Ｂをｚ２（ｔ）であらわし、ｚ２（ｔ）は複素数で定義され、実数であってもよい。
【０３６６】
位相変更部２０５Ｂの具体的動作について説明する。位相変更部２０５Ｂでは、例えば、ｚ２’（ｉ）に対しｙ（ｉ）の位相変更を施す。したがって、ｚ２（ｉ）＝ｙ（ｉ）×ｚ２’（ｉ）とあらわすことができる。ｉはシンボル番号であり、ｉは０以上の整数とする。
【０３６７】
例えば、位相変更の値を式（２）のように設定する。Ｎは２以上の整数であり、Ｎは位相変更の周期となる。Ｎは３以上の奇数に設定するとデータの受信品質が向上する可能性がある。ただし、式（２）は、あくまでも例であり、これに限ったものではない。そこで、位相変更値ｙ（ｉ）＝ｅｊ×δ（ｉ）であらわす。
【０３６８】
このときｚ１（ｉ）およびｚ２（ｉ）は式（３）であらわすことができる。なお、δ（ｉ）は実数である。そして、ｚ１（ｉ）とｚ２（ｉ）は、同一時間、同一周波数（同一周波数帯）で、送信装置から送信される。式（３）において、位相変更の値は、式（２）に限ったものではなく、例えば、周期的、規則的に位相を変更するような方法が考えられる。
【０３６９】
そして、実施の形態１で説明したように、式（１）および式（３）における（プリコーディング）行列としては、式（５）から式（３６）までなどが考えられる。ただし、プリコーディング行列はこれらに限ったものではなく、実施の形態１についても同様である。
【０３７０】
挿入部２０７Ａは、重み付け合成後の信号２０４Ａ、パイロットシンボル信号ｐａ（ｔ）２５１Ａ、プリアンブル信号２５２、制御情報シンボル信号２５３、制御信号２００を入力とし、制御信号２００に含まれるフレーム構成の情報に基づき、フレーム構成に基づいたベースバンド信号２０８Ａを出力する。ｔは時間を示す。
【０３７１】
同様に、挿入部２０７Ｂは、位相変更後の信号２０６Ｂ、パイロットシンボル信号ｐｂ（ｔ）２５１Ｂ、プリアンブル信号２５２、制御情報シンボル信号２５３、制御信号２００を入力とし、制御信号２００に含まれるフレーム構成の情報に基づき、フレーム構成に基づいたベースバンド信号２０８Ｂを出力する。
【０３７２】
位相変更部２０９Ａは、ベースバンド信号２０８Ａ、および、制御信号２００を入力とし、ベースバンド信号２０８Ａに対し、制御信号２００に基づいて、位相変更を行い、位相変更後の信号２１０Ａを出力する。ベースバンド信号２０８Ａをシンボル番号ｉの関数とし、ｘ’（ｉ）とあらわす。すると、位相変更後の信号２１０Ａ（ｘ（ｉ））は、ｘ（ｉ）＝ｅｊ×ε（ｉ）×ｘ’（ｉ）とあらわす。ｉは０以上の整数であり、ｊは虚数単位である。
【０３７３】
なお、実施の形態１等で説明したように、位相変更部２０９Ａの動作としては、非特許文献２、非特許文献３で記載されているＣＤＤ/ＣＳＤであってもよい。そして、位相変更部２０９Ａは、周波数軸方向に存在するシンボルに対し、位相変更を行う。つまり、位相変更部２０９Ａは、データシンボル、パイロットシンボル、制御情報シンボルなどに対し位相変更を施す。
【０３７４】
位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボル番号ｉの関数とし、ｙ’（ｉ）とあらわす。すると、位相変更後の信号２１０Ｂ（ｙ（ｉ））は、ｙ（ｉ）＝ｅｊ×τ（ｉ）×ｙ’（ｉ）とあらわす。ｉは０以上の整数であり、ｊは虚数単位である。
【０３７５】
なお、実施の形態１等で説明したように、位相変更部２０９Ｂの動作としては、非特許文献２、非特許文献３で記載されているＣＤＤ/ＣＳＤであってもよい。そして、位相変更部２０９Ｂは、周波数軸方向に存在するシンボルに対し、位相変更を行う。つまり、位相変更部２０９Ｂは、データシンボル、パイロットシンボル、制御情報シンボルなどに対し位相変更を施す。
【０３７６】
ここでの特徴的な点は、ε（ｉ）による位相変更方法とτ（ｉ）による位相変更方法が異なる点である。または、位相変更部２０９Ａで設定するＣＤＤ/ＣＳＤの巡回遅延量の値と位相変更部２０９Ｂで設定するＣＤＤ/ＣＳＤの巡回遅延量の値が異なる点である。
【０３７７】
図３は、図１の無線部１０７＿Ａ、１０７＿Ｂの構成の一例であり、実施の形態１で詳細の説明を行ったので、説明は省略する。
【０３７８】
図４は、図１の送信信号１０８＿Ａのフレーム構成であり、実施の形態１で詳細の説明を行ったので、説明は省略する。
【０３７９】
図５は、図１の送信信号１０８＿Ｂのフレーム構成であり、実施の形態１で詳細の説明を行ったので、説明は省略する。
【０３８０】
図４のキャリアＡ、時刻＄Ｂにシンボルが存在し、図５のキャリアＡ、時刻＄Ｂにシンボルが存在したとき、図４のキャリアＡ、時刻＄Ｂのシンボルと図５のキャリアＡ、時刻＄Ｂのシンボルは、同一時間、同一周波数に送信される。なお、フレーム構成については、図４、図５に限ったものではなく、あくまでも、図４、図５はフレーム構成の例である。
【０３８１】
そして、図４、図５におけるその他のシンボルは、「図２におけるプリアンブル信号２５２、制御情報シンボル信号２５３」に相当するシンボルであり、したがって、図４のその他のシンボル４０３と同一時刻、かつ、同一周波数（同一キャリア）の図５のその他のシンボル５０３は、制御情報を伝送している場合、同一のデータ（同一の制御情報）を伝送している。
【０３８２】
なお、図４のフレームと図５のフレームを受信装置は同時に受信することを想定しているが、図４のフレーム、または、図５のフレームを受信しても受信装置は送信装置が送信したデータを得ることは可能である。
【０３８３】
図６は、図２の制御情報信号２５３を生成するための制御情報生成に関する部分の構成の一例を示しており、実施の形態１で詳細の説明を行ったので、説明は省略する。
【０３８４】
図７は、図１のアンテナ部＃Ａ  １０９＿Ａ、アンテナ部＃Ｂ  １０９＿Ｂの構成の一例を示しており、アンテナ部＃Ａ  １０９＿Ａ、アンテナ部＃Ｂ  １０９＿Ｂが複数のアンテナで構成されている例である。図７は、実施の形態１で詳細の説明を行ったので、説明は省略する。
【０３８５】
図８は、図１の送信装置が、例えば、図４、図５のフレーム構成の送信信号を送信したとき、その変調信号を受信する受信装置の構成の一例を示しており、実施の形態１で詳細の説明を行ったので、説明は省略する。
【０３８６】
図１０は、図８のアンテナ部＃Ｘ  ８０１Ｘ、アンテナ部＃Ｙ  ８０１Ｙの構成の一例を示している。図１０は、アンテナ部＃Ｘ  ８０１Ｘ、アンテナ部＃Ｙ  ８０１Ｙが複数アンテナで構成されている例である。図１０は、実施の形態１で詳細の説明を行ったので、説明は省略する。
【０３８７】
次に、図１のように送信装置の信号処理部１０６が、図１９では、位相変更部２０５Ｂと位相変更部２０９Ａ、２０９Ｂを挿入している。その特徴と、そのときの効果について説明する。
【０３８８】
図４、図５を用いて説明したように、第１の系列を用いてマッピングすることによって得られたマッピング後の信号ｓ１（ｉ）２０１Ａと第２の系列を用いてマッピングすることによって得られたマッピング後の信号ｓ２（ｉ）２０１Ｂに対し、プリコーディング（重み付け合成）を施し、得られた重み付け合成後の信号２０４Ａ、２０４Ｂのうちの一方に対して、位相変更を行っているのが、位相変更部２０５Ｂである。ｉはシンボル番号であり、ｉは０以上の整数とする。
【０３８９】
そして、重み付け合成後の信号２０４Ａと位相変更後の信号２０６Ｂは、同一周波数、同一時間に送信される。したがって、図４、図５において、図５のデータシンボル５０２に対して、位相変更を施す。図１９では、位相変更部２０５は、重み付け合成後の信号２０４Ｂに対して施しているため、図５のデータシンボル５０２に対して位相変更を施している。重み付け合成後の信号２０４Ａに対して位相変更を施す場合は、図４のデータシンボル４０２に対して位相変更を施す。この点については、後で説明する。
【０３９０】
例えば、図１１は、図５のフレームに対し、キャリア１からキャリア５、時刻＄４から時刻＄６を抽出したものである。なお、図１１は、図５と同様、パイロットシンボル５０１、データシンボル５０２、その他のシンボル５０３を示す。
【０３９１】
上述のように、図１１に示したシンボルにおいて、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）及び、（キャリア５、時刻＄６）におけるデータシンボルに対し、位相変更部２０５Ｂは位相変更を施す。
【０３９２】
よって、図１１に示したデータシンボルに対する位相変更値を、（キャリア１、時刻＄５）では「ｅｊ×δ１５（ｉ）」とし、（キャリア２、時刻＄５）では「ｅｊ×δ２５（ｉ）」とし、（キャリア３、時刻＄５）では「ｅｊ×δ３５（ｉ）」とし、（キャリア４、時刻＄５）では「ｅｊ×δ４５（ｉ）」とし、（キャリア５、時刻＄５）では「ｅｊ×δ５５（ｉ）」とし、（キャリア１、時刻＄６）では「ｅｊ×δ１６（ｉ）」とし、（キャリア２、時刻＄６）では「ｅｊ×δ２６（ｉ）」とし、（キャリア４、時刻＄６）では「ｅｊ×δ４６（ｉ）」とし、（キャリア５、時刻＄６）では「ｅｊ×δ５６（ｉ）」とする。
【０３９３】
一方、図１１に示したシンボルにおいて、（キャリア１、時刻＄４）、（キャリア２、時刻＄４）、（キャリア３、時刻＄４）、（キャリア４、時刻＄４）、及び、（キャリア５、時刻＄４）におけるその他のシンボル、（キャリア３、時刻＄６）におけるパイロットシンボルは、位相変更部２０５Ｂの位相変更の対象ではない。
【０３９４】
この点が位相変更部２０５Ｂの特徴的な点である。なお、図１１における位相変更の対象である、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）、及び、（キャリア５、時刻＄６）におけるデータシンボルと「同一キャリア、同一時刻」には、図４に示したように、データキャリアが配置されている。
【０３９５】
つまり、図４において、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）、及び、（キャリア５、時刻＄６）はデータシンボルである。
【０３９６】
つまり、ＭＩＭＯ伝送を行っている、つまり、複数のストリームを伝送しているデータシンボルが位相変更部２０５Ｂの位相変更の対象である。
【０３９７】
なお、位相変更部２０５Ｂがデータシンボルに施す位相変更の例として、式（２）のように、データシンボルに、規則的な位相変更、例えば、周期Ｎの位相変更を行う方法がある。ただし、データシンボルに施す位相変更方法は、これに限ったものではない。
【０３９８】
このようにすることで、直接波が支配的な環境、例えば、ＬＯＳ環境のときに、ＭＩＭＯ伝送を行っている、つまり、複数のストリームを伝送しているデータシンボルの受信装置におけるデータの受信品質が向上するという効果を得ることができる。この効果について、説明を行う。
【０３９９】
例えば、図１のマッピング部１０４で使用する変調方式がＱＰＳＫである。図１９のマッピング後の信号２０１ＡはＱＰＳＫの信号であり、また、マッピング後の信号２０１ＢもＱＰＳＫの信号となる。つまり、２つのＱＰＳＫのストリームを送信する。
【０４００】
すると、図８の信号処理部８１１では、例えば、チャネル推定信号８０６＿１、８０６＿２を用いて、１６個の候補信号点を得る。ＱＰＳＫは２ビットを伝送でき、２ストリームにより、計４ビットを伝送する。よって、２４＝１６個の候補信号点が存在する。
【０４０１】
なお、チャネル推定信号８０８＿１、８０８＿２を用いて、別の１６個の候補信号点を得ることにもなるが、説明は同様となるため、チャネル推定信号８０６＿１、８０６＿２を用いて得られる１６個の候補信号点について、焦点をあて、説明を進める。
【０４０２】
このときの状態の一例を図１２Ａ、図１２Ｂに示す。いずれも横軸は同相Ｉ、縦軸は直交Ｑであり、同相Ｉ−直交Ｑ平面において、１６個の候補信号点が存在する。１６個の候補信号点のうち、一つが、送信装置が送信した信号点である。このため、「１６個の候補信号点」と呼んでいる。
【０４０３】
直接波が支配的な環境、例えば、ＬＯＳ環境のとき、第１のケースとして、「図１９の位相変更部２０５Ｂが存在しない場合、つまり、図１９の位相変更部２０５Ｂによる位相変更を行わない場合」を考える。
【０４０４】
「第１のケース」の場合、位相変更が行われないため、図１２Ａのような状態に陥る可能性がある。図１２Ａの状態に陥った場合、「信号点１２０１と１２０２」、「信号点１２０３、１２０４、１２０５、１２０６」、「信号点１２０７、１２０８」のように、信号点が密の部分が存在するため、図８の受信装置において、データの受信品質が低下する可能性がある。
【０４０５】
この現象を克服するために、図１９において、位相変更部２０５Ｂを挿入している。位相変更部２０５Ｂを挿入すると、シンボル番号ｉにより、図１２Ａのように「信号点が密の部分」が存在するシンボル番号と、図１２Ｂのように「信号点間の距離が長い」というシンボル番号とが混在する。この状態に対し、誤り訂正符号を導入しているため、高い誤り訂正能力を得ることができ、図８の受信装置において、高いデータ受信品質を得ることができる。
【０４０６】
なお、図１９において、パイロットシンボル、プリアンブルなど、データシンボルを復調（検波）するための、チャネル推定を行うための「パイロットシンボル、プリアンブル」に対し、図１９の位相変更部２０５Ｂにおいて、位相変更を行わない。これにより、データシンボルにおいて、「シンボル番号ｉにより、図１２Ａのように「信号点が密の部分」が存在するシンボル番号と、図１２Ｂのように「信号点間の距離が長い」というシンボル番号とが混在すること」を実現することができる。
【０４０７】
ただし、パイロットシンボル、プリアンブルなど、データシンボルを復調（検波）するための、チャネル推定を行うための「パイロットシンボル、プリアンブル」に対し、図１９の位相変更部２０５Ｂにおいて、位相変更を行っても、「データシンボルにおいて、「シンボル番号ｉにより、図１２Ａのように「信号点が密の部分」が存在するシンボル番号と、図１２Ｂのように「信号点間の距離が長い」というシンボル番号とが混在すること」を実現することができる」場合がある。
【０４０８】
この場合、パイロットシンボル、プリアンブルに対し、何らかの条件を付加して、位相変更を行わなければならない。例えば、データシンボルに対する位相変更の規則とは別の規則を設けて、「パイロットシンボル、および／または、プリアンブルに対し位相変更を施す」という方法が考えられる。例として、データシンボルに対し規則的に周期Ｎの位相変更を施し、パイロットシンボル、および／または、プリアンブルに対し規則的に周期Ｍの位相変更を施す、という方法がある。Ｎ、Ｍは２以上の整数となる。
【０４０９】
前述より、位相変更部２０９Ａは、ベースバンド信号２０８Ａ、および、制御信号２００を入力とし、ベースバンド信号２０８Ａに対し、制御信号２００に基づいて、位相変更を行い、位相変更後の信号２１０Ａを出力する。ベースバンド信号２０８Ａをシンボル番号ｉの関数とし、ｘ’（ｉ）とあらわす。すると、位相変更後の信号２１０Ａ（ｘ（ｉ））は、ｘ（ｉ）＝ｅｊ×ε（ｉ）×ｘ’（ｉ）とあらわすことができる。ｉは０以上の整数であり、ｊは虚数単位である。
【０４１０】
そして、位相変更部２０９Ａの動作としては、非特許文献２、非特許文献３で記載されているＣＤＤ/ＣＳＤであってもよい。そして、位相変更部２０９Ａは、周波数軸方向に存在するシンボルに対し、位相変更を行。位相変更部２０９Ａは、データシンボル、パイロットシンボル、制御情報シンボルなどに対し位相変更を施す。したがって、このケースの場合、シンボル番号ｉの対象となるシンボルは、データシンボル、パイロットシンボル、制御情報シンボル、プリアンブル（その他のシンボル）などとなる。
【０４１１】
図１９の場合、位相変更部２０９Ａは、ベースバンド信号２０８Ａに対して位相変更を施しているため、図４に記載されている各シンボルに対して位相変更を施す。
【０４１２】
したがって、図４のフレームにおいて、時刻＄１の全てのキャリアの全てのシンボル（その他のシンボル４０３）に対し、図１９の位相変更部２０９Ａは、位相変更を施す。
【０４１３】
同様に、図１９の位相変更部２０９Ａは、下記のシンボルに対し、位相変更を施す、
「時刻＄２の全てのキャリアの全てのシンボル（その他のシンボル４０３）」、
「時刻＄３の全てのキャリアの全てのシンボル（その他のシンボル４０３）」、
「時刻＄４の全てのキャリアの全てのシンボル（その他のシンボル４０３）」、
「時刻＄５の全てのキャリアの全てのシンボル（パイロットシンボル４０１、または、データシンボル４０２）」、
「時刻＄６の全てのキャリアの全てのシンボル（パイロットシンボル４０１、または、データシンボル４０２）」、
「時刻＄７の全てのキャリアの全てのシンボル（パイロットシンボル４０１、または、データシンボル４０２）」、
「時刻＄８の全てのキャリアの全てのシンボル（パイロットシンボル４０１、または、データシンボル４０２）」、
「時刻＄９の全てのキャリアの全てのシンボル（パイロットシンボル４０１、または、データシンボル４０２）」、
「時刻＄１０の全てのキャリアの全てのシンボル（パイロットシンボル４０１、または、データシンボル４０２）」、
「時刻＄１１の全てのキャリアの全てのシンボル（パイロットシンボル４０１、または、データシンボル４０２）」、他の時刻、キャリアの記載は省略する。
【０４１４】
前述より、位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボル番号ｉの関数とし、ｙ’（ｉ）とあらわす。すると、位相変更後の信号ｙ（ｉ）２１０Ｂは、ｙ（ｉ）＝ｅｊ×τ（ｉ）×ｙ’（ｉ）とあらわす。ｉは０以上の整数であり、ｊは虚数単位である。
【０４１５】
そして、位相変更部２０９Ｂの動作としては、非特許文献２、非特許文献３で記載されているＣＤＤ/ＣＳＤであってもよい。そして、位相変更部２０９Ｂは、周波数軸方向に存在するシンボルに対し、位相変更を行う点である。位相変更部２０９Ｂは、データシンボル、パイロットシンボル、制御情報シンボルなどに対し位相変更を施す。
【０４１６】
したがって、このケースの場合、シンボル番号ｉの対象となるシンボルは、データシンボル、パイロットシンボル、制御情報シンボル、プリアンブル（その他のシンボル）などとなる。図１９の場合、位相変更部２０９Ｂは、ベースバンド信号２０８Ｂに対して位相変更を施しているため、図５に記載されている各シンボルに対して位相変更を施す。
【０４１７】
したがって、図５のフレームにおいて、時刻＄１の全てのキャリアの全てのシンボル（その他のシンボル５０３）に対し、図１９の位相変更部２０９Ｂは、位相変更を施す。
【０４１８】
同様に、図１９の位相変更部２０９Ｂは、以下のシンボルに対して、位相変更を施す。
「時刻＄２の全てのキャリアの全てのシンボル（その他のシンボル５０３）」、
「時刻＄３の全てのキャリアの全てのシンボル（その他のシンボル５０３）」、
「時刻＄４の全てのキャリアの全てのシンボル（その他のシンボル５０３）」、
「時刻＄５の全てのキャリアの全てのシンボル（パイロットシンボル５０１、または、データシンボル５０２）」、
「時刻＄６の全てのキャリアの全てのシンボル（パイロットシンボル５０１、または、データシンボル５０２）」、
「時刻＄７の全てのキャリアの全てのシンボル（パイロットシンボル５０１、または、データシンボル５０２）」、
「時刻＄８の全てのキャリアの全てのシンボル（パイロットシンボル５０１、または、データシンボル５０２）」、
「時刻＄９の全てのキャリアの全てのシンボル（パイロットシンボル５０１、または、データシンボル５０２）」、
「時刻＄１０の全てのキャリアの全てのシンボル（パイロットシンボル５０１、または、データシンボル５０２）」、
「時刻＄１１の全てのキャリアの全てのシンボル（パイロットシンボル５０１、または、データシンボル５０２）」、他の時刻、キャリアについては記載を省略する。
【０４１９】
図１３は、図１の送信信号１０８＿Ａの図４とは異なるフレーム構成であり、実施の形態１において、詳細の説明を行ったので、説明を省略する。
【０４２０】
図１４は、図１の送信信号１０８＿Ｂの図５とは異なるフレーム構成であり、実施の形態１において、詳細の説明を行ったので、説明を省略する。
【０４２１】
図１３のキャリアＡ、時刻＄Ｂにシンボルが存在し、図１４のキャリアＡ、時刻＄Ｂにシンボルが存在したとき、図１３のキャリアＡ、時刻＄Ｂのシンボルと図１４のキャリアＡ、時刻＄Ｂのシンボルは、同一時間、同一周波数に送信される。なお、図１３、図１４のフレーム構成は、あくまでも例である。
【０４２２】
そして、図１３、図１４におけるその他のシンボルは、「図１９におけるプリアンブル信号２５２、制御情報シンボル信号２５３」に相当するシンボルであり、したがって、図１３のその他のシンボル４０３と同一時刻、かつ、同一周波数（同一キャリア）の図１４のその他のシンボル５０３は、制御情報を伝送している場合、同一のデータ（同一の制御情報）を伝送している。
【０４２３】
なお、図１３のフレームと図１４のフレームを受信装置は同時に受信することを想定しているが、図１３のフレーム、または、図１４のフレームを受信しても受信装置は送信装置が送信したデータを得ることは可能である。
【０４２４】
位相変更部２０９Ａは、ベースバンド信号２０８Ａ、および、制御信号２００を入力とし、ベースバンド信号２０８Ａに対し、制御信号２００に基づいて、位相変更を行い、位相変更後の信号２１０Ａを出力する。ベースバンド信号２０８Ａをシンボルシンボル番号ｉの関数とし、ｘ’（ｉ）とあらわす。すると、位相変更後の信号２１０Ａ（ｘ（ｉ））は、ｘ（ｉ）＝ｅｊ×ε（ｉ）×ｘ’（ｉ）とあらわす。ｉは０以上の整数であり、ｊは虚数単位である。
【０４２５】
そして、位相変更部２０９Ａの動作としては、非特許文献２、非特許文献３で記載されているＣＤＤ/ＣＳＤであってもよい。そして、位相変更部２０９Ａは、周波数軸方向に存在するシンボルに対し、位相変更を行う点である。位相変更部２０９Ａは、データシンボル、パイロットシンボル、制御情報シンボルなどに対し位相変更を施す。このとき、ヌルシンボルも位相変更の対象と考えることができる。したがって、このケースの場合、シンボル番号ｉの対象となるシンボルは、データシンボル、パイロットシンボル、制御情報シンボル、プリアンブル（その他のシンボル）、ヌルシンボルなどとなる。
【０４２６】
しかし、ヌルシンボルに対し位相変更を行っても位相変更前の信号と位相変更後の信号は同じである。ヌルシンボルは、同相成分Ｉはゼロ（０）、かつ、直交成分Ｑはゼロ（０）であるため。したがって、ヌルシンボルは位相変更の対象でないと解釈することも可能である。
【０４２７】
図１９の場合、位相変更部２０９Ａは、ベースバンド信号２０８Ａに対して位相変更を施しているため、図１３に記載されている各シンボルに対して位相変更を施す。
【０４２８】
したがって、図１３のフレームにおいて、時刻＄１の全てのキャリアの全てのシンボル（その他のシンボル４０３）に対し、図１９の位相変更部２０９Ａは、位相変更を施す。ただし、ヌルシンボル１３０１の位相変更の扱いについては前に説明したとおりである。
【０４２９】
同様に、図１９の位相変更部２０９Ａは、下記のシンボルに対し、位相変更を施す
「時刻＄２の全てのキャリアの全てのシンボル（その他のシンボル４０３）」、
「時刻＄３の全てのキャリアの全てのシンボル（その他のシンボル４０３）」、
「時刻＄４の全てのキャリアの全てのシンボル（その他のシンボル４０３）」、
「時刻＄５の全てのキャリアの全てのシンボル（パイロットシンボル４０１、または、データシンボル４０２）」、
「時刻＄６の全てのキャリアの全てのシンボル（パイロットシンボル４０１、または、データシンボル４０２）」、
「時刻＄７の全てのキャリアの全てのシンボル（パイロットシンボル４０１、または、データシンボル４０２）」、
「時刻＄８の全てのキャリアの全てのシンボル（パイロットシンボル４０１、または、データシンボル４０２）」、
「時刻＄９の全てのキャリアの全てのシンボル（パイロットシンボル４０１、または、データシンボル４０２）」、
「時刻＄１０の全てのキャリアの全てのシンボル（パイロットシンボル４０１、または、データシンボル４０２）」、
「時刻＄１１の全てのキャリアの全てのシンボル（パイロットシンボル４０１、または、データシンボル４０２）」、ただし、全ての時刻、全てのキャリアにおいて、ヌルシンボル１３０１の位相変更の扱いについては前に説明したとおりである。上記以外の時刻、キャリアについては記載を省略する。
【０４３０】
位相変更部２０９Ａにおける位相変更値をΩ（ｉ）とあらわす。ベースバンド信号２０８Ａはｘ’（ｉ）であり、位相変更後の信号２１０Ａはｘ（ｉ）である。したがって、ｘ（ｉ）＝Ω（ｉ）×ｘ’（ｉ）が成立する。
【０４３１】
例えば、位相変更の値を式（３８）と設定する。Ｑは２以上の整数であり、Ｑは位相変更の周期となる。ｊは虚数単位である。ただし、式（３８）は、あくまでも例であり、これに限ったものではない。
【０４３２】
例えば、周期Ｑを持つように位相変更を行うようにΩ（ｉ）を設定してもよい。
【０４３３】
また、例えば、図４、図１３において、同一キャリアに対して、同一の位相変更値を与え、キャリアごとに位相変更値を設定するとしてもよい。例えば、以下のようになる。
・図４、図１３におけるキャリア１に対し、時刻によらず、位相変更値を式（３９）とする。
・図４、図１３におけるキャリア２に対し、時刻によらず、位相変更値を式（４０）とする。
・図４、図１３におけるキャリア３に対し、時刻によらず、位相変更値を式（４１）とする。
・図４、図１３におけるキャリア４に対し、時刻によらず、位相変更値を式（４２）とする。上記以外のキャリアについては、記載を省略する。
【０４３４】
以上が、図１９の位相変更部２０９Ａの動作例となる。
【０４３５】
位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボルシンボル番号ｉの関数とし、ｙ’（ｉ）とあらわす。すると、位相変更後の信号２１０Ｂ（ｙ（ｉ））は、ｙ（ｉ）＝ｅｊ×τ（ｉ）×ｙ’（ｉ）とあらわすことができる。ｉは０以上の整数であり、ｊは虚数単位である。
【０４３６】
そして、位相変更部２０９Ｂの動作としては、非特許文献２、非特許文献３で記載されているＣＤＤ/ＣＳＤであってもよい。そして、位相変更部２０９Ｂは、周波数軸方向に存在するシンボルに対し、位相変更を行う。位相変更部２０９Ｂは、データシンボル、パイロットシンボル、制御情報シンボルなどに対し位相変更を施す。このとき、ヌルシンボルも位相変更の対象と考えることができる。
【０４３７】
したがって、このケースの場合、シンボル番号ｉの対象となるシンボルは、データシンボル、パイロットシンボル、制御情報シンボル、プリアンブル（その他のシンボル）、ヌルシンボルなどとなる。
【０４３８】
しかし、ヌルシンボルは、同相成分Ｉがゼロ（０）、かつ、直交成分Ｑがゼロ（０）であるため、ヌルシンボルに対し位相変更を行っても位相変更前の信号と位相変更後の信号は同じである。したがって、ヌルシンボルは位相変更の対象でないと解釈することも可能である。
【０４３９】
図１９の場合、位相変更部２０９Ｂは、ベースバンド信号２０８Ｂに対して位相変更を施しているため、図１４に記載されている各シンボルに対して位相変更を施す。
【０４４０】
したがって、図１４のフレームにおいて、時刻＄１の全てのキャリアの全てのシンボル（その他のシンボル５０３）に対し、図１９の位相変更部２０９Ｂは、位相変更を施す。ただし、ヌルシンボル１３０１の位相変更の扱いについては前に説明したとおりである。
【０４４１】
同様に、図１９の位相変更部２０９Ｂは、下記のシンボルに対して、位相変更を施す
「時刻＄２の全てのキャリアの全てのシンボル（その他のシンボル５０３）」、
「時刻＄３の全てのキャリアの全てのシンボル（その他のシンボル５０３）」、
「時刻＄４の全てのキャリアの全てのシンボル（その他のシンボル５０３）」、
「時刻＄５の全てのキャリアの全てのシンボル（パイロットシンボル５０１、または、データシンボル５０２）」、
「時刻＄６の全てのキャリアの全てのシンボル（パイロットシンボル５０１、または、データシンボル５０２）」、
「時刻＄７の全てのキャリアの全てのシンボル（パイロットシンボル５０１、または、データシンボル５０２）」、
「時刻＄８の全てのキャリアの全てのシンボル（パイロットシンボル５０１、または、データシンボル５０２）」、
「時刻＄９の全てのキャリアの全てのシンボル（パイロットシンボル５０１、または、データシンボル５０２）」、
「時刻＄１０の全てのキャリアの全てのシンボル（パイロットシンボル５０１、または、データシンボル５０２）」、
「時刻＄１１の全てのキャリアの全てのシンボル（パイロットシンボル５０１、または、データシンボル５０２）」、ただし、全ての時刻、全てのキャリアに対して、ヌルシンボル１３０１の位相変更の扱いについては前に説明したとおりである。上記以外の時刻、キャリアについては、記載を省略する。
【０４４２】
位相変更部２０９Ｂにおける位相変更値をΩ（ｉ）とあらわす。ベースバンド信号２０８Ｂはｙ’（ｉ）であり、位相変更後の信号２１０Ｂはｙ（ｉ）である。したがって、ｙ（ｉ）＝Δ（ｉ）×ｙ’（ｉ）が成立する。
【０４４３】
例えば、位相変更の値を以下の式と設定する。Ｒは２以上の整数であり、Ｒは位相変更の周期となる。なお、式（３８）のＱとＲの値が異なる値であるとよい。
【０４４４】
【数４９】
2017061113.tif 000051
【０４４５】
ｊは虚数単位である。ただし、式（４９）は、あくまでも例であり、これに限ったものではない。
【０４４６】
例えば、周期Ｒを持つように位相変更を行うようにΔ（ｉ）を設定してもよい。
【０４４７】
なお、位相変更部２０９Ａと位相変更部２０９Ｂの位相変更方法は異なる。例えば、周期は同じであってもよいし、異なっていてもよい。
【０４４８】
また、例えば、図５、図１４において、同一キャリアに対して、同一の位相変更値を与え、キャリアごとに位相変更値を設定するとしてもよい。例えば、以下のようになる。
・図５、図１４におけるキャリア１に対し、時刻によらず、位相変更値を式（３９）とする。
・図５、図１４におけるキャリア２に対し、時刻によらず、位相変更値を式（４０）とする。
・図５、図１４におけるキャリア３に対し、時刻によらず、位相変更値を式（４１）とする。
・図５、図１４におけるキャリア４に対し、時刻によらず、位相変更値を式（４２）とする。上記以外のキャリアにつては、記載を省略する。
【０４４９】
位相変更方値を式（３９）、（４０）、（４１）、（４２）として記述しているが、位相変更部２０９Ａと位相変更部２０９Ｂの位相変更方法は異なる。
【０４５０】
以上が、図１９の位相変更部２０９Ｂの動作例となる。
【０４５１】
図１９の位相変更部２０９Ａ、２０９Ｂにより得られる効果について説明する。
【０４５２】
「図４および図５のフレーム」、または、「図１３および図１４のフレーム」のその他のシンボル４０３、５０３には、制御情報シンボルが含まれている。前述より、その他のシンボル４０３と同一時刻、かつ、同一の周波数（同一のキャリア）の図５のその他のシンボル５０３は、制御情報を伝送している場合、同一データ（同一の制御情報）を送信している。
【０４５３】
ところで、ケース２として、「制御情報シンボルを、図１のアンテナ部＃Ａ  １０９＿Ａ、または、アンテナ部＃Ｂ  １０９＿Ｂのいずれか一方のアンテナ部を用いて送信する。」を考える。
【０４５４】
「ケース２」のように送信した場合、制御情報シンボルを送信するアンテナ数が１のため、「アンテナ部＃Ａ  １０９＿Ａ  とアンテナ部＃Ｂ  １０９＿Ｂの両者を用いて制御情報シンボルを送信する」場合と比較して、空間ダイバーシチのゲインが小さくなるため、「ケース２」の際、図８の受信装置で受信してもデータの受信品質が低下する。したがって、データの受信品質の向上という点では、「アンテナ部＃Ａ  １０９＿Ａとアンテナ部＃Ｂ  １０９＿Ｂの両者を用いて制御情報シンボルを送信する」ほうがよい。
【０４５５】
ケース３として「制御情報シンボルを、図１のアンテナ部＃Ａ  １０９＿Ａとアンテナ部＃Ｂ  １０９＿Ｂの両者を用いて送信する。ただし、図１９における位相変更部２０９Ａ、２０９Ｂで位相変更を行わない。」を考える。
【０４５６】
「ケース３」のように送信した場合、アンテナ部＃Ａ１０９＿Ａから送信した変調信号とアンテナ部＃Ｂ１０９＿Ｂから送信した変調信号が同一である、または、特定の位相のずれがあるため、電波の伝搬環境によっては、図８の受信装置は、非常に劣悪な受信信号になる可能性があり、両者の変調信号が同一のマルチパスの影響を受ける可能性がある。これにより、図８の受信装置において、データの受信品質が低下するという現象がある。
【０４５７】
この現象を軽減するために、図１９において、位相変更部２０９Ａ、２０９Ｂを設けている。これにより、時間、または、周波数方向で、位相を変更しているため、図８の受信装置において、劣悪な受信信号となる可能性を低減することができる。また、アンテナ部＃Ａ１０９＿Ａから送信した変調信号が受けるマルチパスの影響とアンテナ部＃Ｂ１０９＿Ｂから送信した変調信号が受けるマルチパスの影響に違いがある可能性が高いため、ダイバーシチゲインが得られる可能性が高く、これにより、図８の受信装置において、データの受信品質が向上する。
【０４５８】
以上の理由から、図１９において、位相変更部２０９Ａ、２０９Ｂを設け、位相変更を施している。
【０４５９】
その他のシンボル４０３、および、その他のシンボル５０３には、制御情報シンボル以外に、例えば、信号検出のためシンボル、周波数同期及び時間同期を行うためのシンボル、チャネル推定のためのシンボルが、制御情報シンボルを復調及び復号するために含まれいてる。また、「図４および図５のフレーム」、または、「図１３および図１４のフレーム」には、パイロットシンボル４０１、５０１が含まれており、これらを用いることで、制御情報シンボルをより高精度に復調及び復号を行うことが可能となる。
【０４６０】
そして、「図４および図５のフレーム」、または、「図１３および図１４のフレーム」には、データシンボル４０２、および、データシンボル５０２により、同一周波数（周波数帯）、同一時間を用いて、複数のストリームを伝送している、つまり、ＭＩＭＯ伝送を行っている。これらのデータシンボルを復調するためには、その他のシンボル４０３、および、その他のシンボル５０３に含まれている、信号検出のためのシンボル、周波数同期及び時間同期を行うためのシンボル、チャネル推定のためのシンボルを用いる。
【０４６１】
このとき、「その他のシンボル４０３、および、その他のシンボル５０３に含まれている、信号検出のためのシンボル、周波数同期及び時間同期を行うためのシンボル、チャネル推定のためのシンボル」は、前述より、位相変更部２０９Ａ、２０９Ｂにより、位相変更を行っている。
【０４６２】
そのような状況の中、データシンボル４０２、および、データシンボル５０２に対し、この処理を反映させなかった場合、受信装置において、データシンボル４０２、および、データシンボル５０２を復調及び復号する場合、位相変更部２０９Ａ、２０９Ｂで行った位相変更に対する処理を反映させた復調及び復号を行う必要があり、その処理は複雑となる可能性が高い。これは、「その他のシンボル４０３、および、その他のシンボル５０３に含まれている、信号検出のためのシンボル、周波数同期及び時間同期を行うためのシンボル、チャネル推定のためのシンボル」は、位相変更部２０９Ａ、２０９Ｂにより、位相変更を行っているためである。
【０４６３】
しかし、図１９に示すように、位相変更部２０９Ａ、２０９Ｂにおいて、データシンボル４０２、および、データシンボル５０２に対し、位相変更を施した場合、受信装置において、「その他のシンボル４０３、および、その他のシンボル５０３に含まれている、信号検出のためのシンボル、周波数同期及び時間同期を行うためのシンボル、チャネル推定のためのシンボル」を用いて推定した、チャネル推定信号（伝搬路変動の推定信号）を用いて、簡単にデータシンボル４０２、および、データシンボル５０２を復調及び復号を行うことができるという利点がある。
【０４６４】
加えて、図１９に示すように、位相変更部２０９Ａ、２０９Ｂにおいて、データシンボル４０２、および、データシンボル５０２に対し、位相変更を施した場合、マルチパスにおける、周波数軸における、電界強度の急激な落ち込みの影響を少なくすることができ、これにより、データシンボル４０２、および、データシンボル５０２のデータの受信品質が向上するという効果を得ることができる可能性がある。
【０４６５】
このように、「位相変更部２０５Ｂの位相変更を施すシンボルの対象」と「位相変更部２０９Ａ、２０９Ｂの位相変更を施すシンボルの対象」が異なる点が特徴的な点となる。
【０４６６】
以上のように、図１９の位相変更部２０５Ｂにより位相変更を行うことで、データシンボル４０２、および、データシンボル５０２の、例えば、ＬＯＳ環境において、受信装置におけるデータの受信品質が向上するという効果を得ることができ、図１９の位相変更部２０９Ａ、２０９Ｂにより位相変更を行うことで、例えば、「図４および図５のフレーム」、または、「図１３および図１４のフレーム」に含まれる制御情報シンボルの、受信装置における受信品質が向上し、データシンボル４０２、および、データシンボル５０２の復調及び復号の動作が簡単になるという効果を得ることができる。
【０４６７】
なお、図１９の位相変更部２０５Ｂにより位相変更を行うことで、データシンボル４０２、および、データシンボル５０２の、例えば、ＬＯＳ環境において、受信装置におけるデータの受信品質が向上するという効果を得ることができ、さらに、データシンボル４０２、および、データシンボル５０２に対して、図１９の位相変更部２０９Ａ、２０９Ｂにより位相変更を行うことで、データシンボル４０２、および、データシンボル５０２の受信品質が向上する。
【０４６８】
なお、式（３８）におけるＱは―２以下の整数であってもよく、このとき、位相変更の周期は、Ｑの絶対値となる。この点については、実施の形態１にも適用することができる。
【０４６９】
そして、式（４９）におけるＲは−２以下の整数であってもよく、このとき、位相変更の周期はＲの絶対値となる。
【０４７０】
また、補足１で説明した内容を考慮すると、位相変更部２０９Ａにおいて設定する巡回遅延量と位相変更部２０９Ｂにおいて設定する巡回遅延量を異なる値とするとよい。
【０４７１】
（実施の形態４）
本実施の形態では、実施の形態１における図２とは異なる構成の実施方法について説明する。
【０４７２】
図１は、本実施の形態における例えば、基地局、アクセスポイント、放送局等の送信装置の構成の一例であり、詳細については、実施の形態１で説明したので、説明は省略する。
【０４７３】
信号処理部１０６は、マッピング後の信号１０５＿１、１０５＿２、信号群１１０、制御信号１００を入力とし、制御信号１００に基づいて、信号処理を行い、信号処理後の信号１０６＿Ａ、１０６＿Ｂを出力する。このとき、信号処理後の信号１０６＿Ａをｕ１（ｉ）、信号処理後の信号１０６＿Ｂをｕ２（ｉ）とあらわす。ｉはシンボル番号であり、例えば、ｉは０以上の整数とする。なお、信号処理の詳細については、図２０を用いて説明する。
【０４７４】
図２０は、図１における信号処理部１０６の構成の一例を示している。重み付け合成部（プリコーディング部）２０３は、マッピング後の信号２０１Ａ（図１のマッピング後の信号１０５＿１）、および、マッピング後の信号２０１Ｂ（図１のマッピング後の信号１０５＿２）、および、制御信号２００（図１の制御信号１００）を入力とし、制御信号２００に基づき重み付け合成（プリコーディング）を行い、重み付け後の信号２０４Ａおよび重み付け後の信号２０４Ｂを出力する。
【０４７５】
このとき、マッピング後の信号２０１Ａをｓ１（ｔ）、マッピング後の信号２０１Ｂをｓ２（ｔ）、重み付け後の信号２０４Ａをｚ１’（ｔ）、重み付け後の信号２０４Ｂをｚ２’（ｔ）とあらわす。なお、ｔは一例として、時間とする。ｓ１（ｔ）、ｓ２（ｔ）、ｚ１’（ｔ）、ｚ２’（ｔ）は複素数で定義され、したがって、実数であってもよい。
【０４７６】
ここでは、時間の関数として扱っているが「周波数（キャリア番号）」の関数としてもよいし、「時間及び周波数」の関数としてもよい。また、「シンボル番号」の関数としてもよい。この点は、実施の形態１でも同様である。
【０４７７】
重み付け合成部（プリコーディング部）２０３は、以下の演算を行う。
【０４７８】
【数５０】
2017061113.tif 000052
【０４７９】
そして、位相変更部２０５Ａは、重み付け合成後の信号２０４Ａ、および、制御信号２００を入力とし、制御信号２００に基づき、重み付け合成後の信号２０４Ａに対し、位相変更を施し、位相変更後の信号２０６Ａを出力する。なお、位相変更後の信号２０６Ａをｚ１（ｔ）であらわし、ｚ１（ｔ）は複素数で定義し、実数であってもよい。
【０４８０】
位相変更部２０５Ａの具体的動作について説明する。位相変更部２０５Ａでは、例えば、ｚ１’（ｉ）に対しｗ（ｉ）の位相変更を施す。したがって、ｚ１（ｉ）＝ｗ（ｉ）×ｚ１’（ｉ）とあらわすことができる。ｉはシンボル番号であり、ｉは０以上の整数である。
【０４８１】
例えば、位相変更の値を以下のように設定する。
【０４８２】
【数５１】
2017061113.tif 000053
【０４８３】
Ｍは２以上の整数であり、Ｍは位相変更の周期となる。Ｍは３以上の奇数に設定するとデータの受信品質が向上する可能性がある。ただし、式（５１）は、あくまでも例であり、これに限ったものではない。そこで、位相変更値ｗ（ｉ）＝ｅｊ×λ（ｉ）であらわす。
【０４８４】
そして、位相変更部２０５Ｂは、重み付け合成後の信号２０４Ｂ、および、制御信号２００を入力とし、制御信号２００に基づき、重み付け合成後の信号２０４Ｂに対し、位相変更を施し、位相変更後の信号２０６Ｂを出力する。なお、位相変更後の信号２０６Ｂをｚ２（ｔ）であらわし、ｚ２（ｔ）は複素数で定義し、実数であってもよい。
【０４８５】
位相変更部２０５Ｂの具体的動作について説明する。位相変更部２０５Ｂでは、例えば、ｚ２’（ｉ）に対しｙ（ｉ）の位相変更を施す。したがって、ｚ２（ｉ）＝ｙ（ｉ）×ｚ２’（ｉ）とあらわすことができる。ｉはシンボル番号であり、ｉは０以上の整数である。
【０４８６】
例えば、位相変更の値を式（２）のように設定する。Ｎは２以上の整数であり、Ｎは位相変更の周期となる。Ｎ≠Ｍを満たす。Ｎは３以上の奇数に設定するとデータの受信品質が向上する可能性がある。ただし、式（２）は、あくまでも例であり、これに限ったものではない。そこで、位相変更値ｙ（ｉ）＝ｅｊ×δ（ｉ）であらわす。
【０４８７】
このときｚ１（ｉ）およびｚ２（ｉ）を以下の式であらわす。
【０４８８】
【数５２】
2017061113.tif 000054
【０４８９】
なお、δ（ｉ）、およびλ（ｉ）は実数である。そして、ｚ１（ｉ）とｚ２（ｉ）は、同一時間、同一周波数（同一周波数帯）で、送信装置から送信される。式（５２）において、位相変更の値は、式（２）、式（５２）に限ったものではなく、例えば、周期的、規則的に位相を変更するような方法が考えられる。
【０４９０】
そして、実施の形態１で説明したように、式（５０）および式（５２）における（プリコーディング）行列としては、式（５）から式（３６）までなどが考えられる。ただし、プリコーディング行列はこれらに限ったものではなく、実施の形態１についても同様である。
【０４９１】
挿入部２０７Ａは、重み付け合成後の信号２０４Ａ、パイロットシンボル信号ｐａ（ｔ）２５１Ａ、プリアンブル信号２５２、制御情報シンボル信号２５３、制御信号２００を入力とし、制御信号２００に含まれるフレーム構成の情報に基づき、フレーム構成に基づいたベースバンド信号２０８Ａを出力する。ｔは時間を示す。
【０４９２】
同様に、挿入部２０７Ｂは、位相変更後の信号２０６Ｂ、パイロットシンボル信号ｐｂ（ｔ）２５１Ｂ、プリアンブル信号２５２、制御情報シンボル信号２５３、制御信号２００を入力とし、制御信号２００に含まれるフレーム構成の情報に基づき、フレーム構成に基づいたベースバンド信号２０８Ｂを出力する。
【０４９３】
位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボル番号ｉの関数とし、ｘ’（ｉ）とあらわす。すると、位相変更後の信号ｘ（ｉ）２１０Ｂは、ｘ（ｉ）＝ｅｊ×ε（ｉ）×ｘ’（ｉ）とあらわすことができる。ｉは０以上の整数であり、ｊは虚数単位である。
【０４９４】
なお、実施の形態１等で説明したように、位相変更部２０９Ｂの動作としては、非特許文献２、非特許文献３で記載されているＣＤＤ/ＣＳＤであってもよい。そして、位相変更部２０９Ｂは、周波数軸方向に存在するシンボルに対し、位相変更を行う。位相変更部２０９Ｂは、データシンボル、パイロットシンボル、制御情報シンボルなどに対し位相変更を施す。
【０４９５】
図３は、図１の無線部１０７＿Ａ、１０７＿Ｂの構成の一例であり、実施の形態１で詳細の説明を行ったので、説明は省略する。
【０４９６】
図４は、図１の送信信号１０８＿Ａのフレーム構成であり、実施の形態１で詳細の説明を行ったので、説明は省略する。
【０４９７】
図５は、図１の送信信号１０８＿Ｂのフレーム構成であり、実施の形態１で詳細の説明を行ったので、説明は省略する。
【０４９８】
図４のキャリアＡ、時刻＄Ｂにシンボルが存在し、図５のキャリアＡ、時刻＄Ｂにシンボルが存在したとき、図４のキャリアＡ、時刻＄Ｂのシンボルと図５のキャリアＡ、時刻＄Ｂのシンボルは、同一時間、同一周波数に送信される。なお、フレーム構成については、図４、図５に限ったものではなく、あくまでも、図４、図５はフレーム構成の例である。
【０４９９】
そして、図４、図５におけるその他のシンボルは、「図２におけるプリアンブル信号２５２、制御情報シンボル信号２５３」に相当するシンボルであり、したがって、図４のその他のシンボル４０３と同一時刻、かつ、同一周波数（同一キャリア）の図５のその他のシンボル５０３は、制御情報を伝送している場合、同一のデータ（同一の制御情報）を伝送している。
【０５００】
なお、図４のフレームと図５のフレームを受信装置は同時に受信することを想定しているが、図４のフレーム、または、図５のフレームを受信しても受信装置は送信装置が送信したデータを得ることは可能である。
【０５０１】
図６は、図２の制御情報信号２５３を生成するための制御情報生成に関する部分の構成の一例を示しており、実施の形態１で詳細の説明を行ったので、説明は省略する。
【０５０２】
図７は、図１のアンテナ部＃Ａ  １０９＿Ａ、アンテナ部＃Ｂ  １０９＿Ｂの構成の一例を示しており、アンテナ部＃Ａ  １０９＿Ａ、アンテナ部＃Ｂ  １０９＿Ｂが複数のアンテナで構成されている例である。図７は、実施の形態１で詳細の説明を行ったので、説明は省略する。
【０５０３】
図８は、図１の送信装置が、例えば、図４、図５のフレーム構成の送信信号を送信したとき、その変調信号を受信する受信装置の構成の一例を示しており、実施の形態１で詳細の説明を行ったので、説明は省略する。
【０５０４】
図１０は、図８のアンテナ部＃Ｘ  ８０１Ｘ、アンテナ部＃Ｙ  ８０１Ｙの構成の一例を示し、アンテナ部＃Ｘ  ８０１Ｘアンテナ部＃Ｙ  ８０１Ｙが複数アンテナで構成されている例である。図１０は、実施の形態１で詳細の説明を行ったので、説明は省略する。
【０５０５】
次に、図１のように送信装置の信号処理部１０６が、図２０に示すように、位相変更部２０５Ａ、２０５Ｂと位相変更部２０９Ａを挿入している。その特徴と、そのときの効果について説明する。
【０５０６】
図４、図５を用いて説明したように、第１の系列を用いてマッピングすることによって得られたマッピング後の信号ｓ１（ｉ）２０１Ａと第２の系列を用いてマッピングすることによって得られたマッピング後の信号ｓ２（ｉ）２０１Ｂに対し、プリコーディング（重み付け合成）を施し、得られた重み付け合成後の信号２０４Ａ、２０４Ｂに対して、位相変更を行っているのが、位相変更部２０５Ａ、２０５Ｂである。そして、位相変更後の信号２０６Ａと位相変更後の信号２０６Ｂは、同一周波数、同一時間に送信される。したがって、図４、図５において、図４のデータシンボル４０２、図５のデータシンボル５０２に対して、位相変更を施す。ｉはシンボル番号であり、ｉは０以上の整数とする。
【０５０７】
例えば、図１１は、図４のフレームに対し、キャリア１からキャリア５、時刻＄４から時刻＄６を抽出したものである。なお、図１１は、図４と同様、パイロットシンボル４０１、データシンボル４０２、その他のシンボル４０３を示す。
【０５０８】
上述のように、図１１に示したシンボルにおいて、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）、（キャリア５、時刻＄６）におけるデータシンボルに対し、位相変更部２０５Ａは位相変更を施す。
【０５０９】
よって、図１１に示したデータシンボルに対する位相変更値を、
（キャリア１、時刻＄５）では「ｅｊ×λ１５（ｉ）」とし、
（キャリア２、時刻＄５）では「ｅｊ×λ２５（ｉ）」とし、
（キャリア３、時刻＄５）では「ｅｊ×λ３５（ｉ）」とし、
（キャリア４、時刻＄５）では「ｅｊ×λ４５（ｉ）」とし、
（キャリア５、時刻＄５）では「ｅｊ×λ５５（ｉ）」とし、
（キャリア１、時刻＄６）では「ｅｊ×λ１６（ｉ）」とし、
（キャリア２、時刻＄６）では「ｅｊ×λ２６（ｉ）」とし、
（キャリア４、時刻＄６）では「ｅｊ×λ４６（ｉ）」とし、
（キャリア５、時刻＄６）では「ｅｊ×λ５６（ｉ）」とする。
【０５１０】
一方、図１１に示したシンボルにおいて、（キャリア１、時刻＄４）、（キャリア２、時刻＄４）、（キャリア３、時刻＄４）、（キャリア４、時刻＄４）、及び、（キャリア５、時刻＄４）におけるその他のシンボル、（キャリア３、時刻＄６）におけるパイロットシンボルは、位相変更部２０５Ａの位相変更の対象ではない。
【０５１１】
この点が位相変更部２０５Ａの特徴的な点である。なお、図１１における位相変更の対象である、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）、及び、（キャリア５、時刻＄６）におけるデータシンボルと「同一キャリア、同一時刻」には、図４に示したように、データキャリアが配置されている。
【０５１２】
つまり、図４において、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）、及び、（キャリア５、時刻＄６）はデータシンボルである。
【０５１３】
つまり、ＭＩＭＯ伝送を行っている、又は、複数のストリームを伝送しているデータシンボルが位相変更部２０５Ａの位相変更の対象である。
【０５１４】
なお、位相変更部２０５Ａがデータシンボルに施す位相変更の例として、式（５０）のように、データシンボルに、規則的な位相変更、つまり、周期Ｎの位相変更を行う方法がある。ただし、データシンボルに施す位相変更方法は、これに限ったものではない。
【０５１５】
例えば、図１１は、図５のフレームに対し、キャリア１からキャリア５、時刻＄４から時刻＄６を抽出したものである。なお、図１１では、図５と同様、パイロットシンボル５０１、データシンボル５０２、その他のシンボル５０３を示す。
【０５１６】
上述のように、図１１に示したシンボルにおいて、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）、及び、（キャリア５、時刻＄６）におけるデータシンボルに対し、位相変更部２０５Ｂは位相変更を施す。
【０５１７】
よって、図１１に示したデータシンボルに対する位相変更値を、（キャリア１、時刻＄５）では「ｅｊ×δ１５（ｉ）」とし、（キャリア２、時刻＄５）では「ｅｊ×δ２５（ｉ）」とし、（キャリア３、時刻＄５）では「ｅｊ×δ３５（ｉ）」とし、（キャリア４、時刻＄５）では「ｅｊ×δ４５（ｉ）」とし、（キャリア５、時刻＄５）では「ｅｊ×δ５５（ｉ）」とし、（キャリア１、時刻＄６）では「ｅｊ×δ１６（ｉ）」とし、（キャリア２、時刻＄６）では「ｅｊ×δ２６（ｉ）」とし、（キャリア４、時刻＄６）では「ｅｊ×δ４６（ｉ）」とし、（キャリア５、時刻＄６）では「ｅｊ×δ５６（ｉ）」とする。
【０５１８】
一方、図１１に示したシンボルにおいて、（キャリア１、時刻＄４）、（キャリア２、時刻＄４）、（キャリア３、時刻＄４）、（キャリア４、時刻＄４）、及び、キャリア５、時刻＄４）におけるその他のシンボル、（キャリア３、時刻＄６）におけるパイロットシンボルは、位相変更部２０５Ｂの位相変更の対象ではない。
【０５１９】
この点が位相変更部２０５Ｂの特徴的な点である。なお、図１１における位相変更の対象である、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）、及び、（キャリア５、時刻＄６）におけるデータシンボルと「同一キャリア、同一時刻」には、図４に示したように、データキャリアが配置されている。
【０５２０】
つまり、図４において、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）、及び、（キャリア５、時刻＄６）はデータシンボルである。
【０５２１】
つまり、ＭＩＭＯ伝送を行っている、又は、複数のストリームを伝送しているデータシンボルが位相変更部２０５Ｂの位相変更の対象である。
【０５２２】
なお、位相変更部２０５Ｂがデータシンボルに施す位相変更の例として、式（２）のように、データシンボルに、規則的な位相変更、つまり、周期Ｎの位相変更を行う方法がある。ただし、データシンボルに施す位相変更方法は、これに限ったものではない。
【０５２３】
このようにすることで、直接波が支配的な環境、例えば、ＬＯＳ環境のときに、ＭＩＭＯ伝送を行っている、又は、複数のストリームを伝送しているデータシンボルの受信装置におけるデータの受信品質が向上するという効果を得ることができる。この効果について、説明を行う。
【０５２４】
例えば、図１のマッピング部１０４で使用する変調方式がＱＰＳＫである。図１８のマッピング後の信号２０１ＡはＱＰＳＫの信号であり、また、マッピング後の信号２０１ＢもＱＰＳＫの信号となる。つまり、２つのＱＰＳＫのストリームを送信する。
【０５２５】
すると、図８の信号処理部８１１では、例えば、チャネル推定信号８０６＿１、８０６＿２を用いて、１６個の候補信号点を得る。ＱＰＳＫは２ビットを伝送でき、２ストリームにより、計４ビットを伝送する。よって、２４＝１６個の候補信号点が存在する。
【０５２６】
なお、チャネル推定信号８０８＿１、８０８＿２を用いて、別の１６個の候補信号点を得ることにもなるが、説明は同様となるため、チャネル推定信号８０６＿１、８０６＿２を用いて得られる１６個の候補信号点について、焦点をあて、説明を進める。
【０５２７】
このときの状態の一例を図１２に示す。図１２A、図１２B、いずれも横軸は同相Ｉ、縦軸は直交Ｑであり、同相Ｉ−直交Ｑ平面において、１６個の候補信号点が存在する。１６個の候補信号点のうち、一つが、送信装置が送信した信号点である。このため、「１６個の候補信号点」と呼ぶ。
【０５２８】
直接波が支配的な環境、例えば、ＬＯＳ環境のとき、第１のケースとして、「図２０の位相変更部２０５Ａ、２０５Ｂが存在しない場合、つまり、図２０の位相変更部２０５Ａ、２０５Ｂによる位相変更を行わない場合」を考える。
【０５２９】
「第１のケース」の場合、位相変更が行われないため、図１２Ａのような状態に陥る可能性がある。図１２Aの状態に陥った場合、「信号点１２０１、１２０２」、「信号点１２０３、１２０４、１２０５、１２０６」、「信号点１２０７、１２０８」のように、信号点が密の部分が存在するため、図８の受信装置において、データの受信品質が低下する可能性がある。
【０５３０】
この現象を克服するために、図２０において、位相変更部２０５Ａ、２０５Ｂを挿入している。位相変更部２０５Ａ、２０５Ｂを挿入すると、シンボル番号ｉにより、図１２Ａに示す「信号点が密の部分」が存在するシンボル番号と、図１２Ｂに示す「信号点間の距離が長い」というシンボル番号とが混在する。この状態に対し、誤り訂正符号を導入しているため、高い誤り訂正能力を得ることができ、図８の受信装置において、高いデータ受信品質を得ることができる。
【０５３１】
なお、図２０において、パイロットシンボル、プリアンブルなど、データシンボルを復調（検波）するための、チャネル推定を行うための「パイロットシンボル、プリアンブル」に対し、図２０の位相変更部２０５Ａ、２０５Ｂにおいて、位相変更を行わない。これにより、データシンボルにおいて、「シンボル番号ｉにより、図１２Ａに示す「信号点が密の部分」が存在するシンボル番号と、図１２Ｂに示す「信号点間の距離が長い」というシンボル番号とが混在すること」を実現することができる。
【０５３２】
ただし、パイロットシンボル、プリアンブルなど、データシンボルを復調（検波）するための、チャネル推定を行うための「パイロットシンボル、プリアンブル」に対し、図２０の位相変更部２０５Ａ、２０５Ｂにおいて、位相変更を行っても、「データシンボルにおいて、「シンボル番号ｉにより、図１２Ａに示す信号点が密の部分が存在するシンボル番号と、図１２Ｂに示す「信号点間の距離が長い」というシンボル番号とが混在すること」を実現することができる」場合がある。
【０５３３】
この場合、パイロットシンボル、プリアンブルに対し、何らかの条件を付加して、位相変更を行わなければならない。例えば、データシンボルに対する位相変更の規則とは別の規則を設けて、「パイロットシンボル、および／または、プリアンブルに対し位相変更を施す」という方法が考えられる。例として、データシンボルに対し規則的に周期Ｎの位相変更を施し、パイロットシンボル、および／または、プリアンブルに対し規則的に周期Ｍの位相変更を施す、という方法がある。Ｎ、Ｍは２以上の整数となる。
【０５３４】
前述より、位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボル番号ｉの関数とし、ｘ’（ｉ）とあらわす。すると、位相変更後の信号２１０Ｂ（ｘ（ｉ））は、ｘ（ｉ）＝ｅｊ×ε（ｉ）×ｘ’（ｉ）とあらわすことができる。ｉは０以上の整数であり、ｊは虚数単位である。
【０５３５】
そして、位相変更部２０９Ｂの動作としては、非特許文献２、非特許文献３で記載されているＣＤＤ/ＣＳＤであってもよい。そして、位相変更部２０９Ｂは、周波数軸方向に存在するシンボルに対し、位相変更を行う点である。位相変更部２０９Ｂは、データシンボル、パイロットシンボル、制御情報シンボルなどに対し位相変更を施す。したがって、このケースの場合、シンボル番号ｉの対象となるシンボルは、データシンボル、パイロットシンボル、制御情報シンボル、プリアンブル（その他のシンボル）などとなる。
【０５３６】
図２０の場合、位相変更部２０９Ｂは、ベースバンド信号２０８Ｂに対して位相変更を施しているため、図５に記載されている各シンボルに対して位相変更を施す。
【０５３７】
したがって、図５のフレームにおいて、時刻＄１の全てのキャリアの全てのシンボル（その他のシンボル５０３）に対し、図２０の位相変更部２０９Ｂは、位相変更を施す。
【０５３８】
同様に、図２０の位相変更部２０９Ｂは、下記のシンボルに対して、位相変更を施す。
「時刻＄２の全てのキャリアの全てのシンボル（その他のシンボル５０３）」、
「時刻＄３の全てのキャリアの全てのシンボル（その他のシンボル５０３）」、
「時刻＄４の全てのキャリアの全てのシンボル（その他のシンボル５０３）」、
「時刻＄５の全てのキャリアの全てのシンボル（パイロットシンボル５０１、または、データシンボル５０２）」、
「時刻＄６の全てのキャリアの全てのシンボル（パイロットシンボル５０１、または、データシンボル５０２）」、
「時刻＄７の全てのキャリアの全てのシンボル（パイロットシンボル５０１、または、データシンボル５０２）」、
「時刻＄８の全てのキャリアの全てのシンボル（パイロットシンボル５０１、または、データシンボル５０２）」、
「時刻＄９の全てのキャリアの全てのシンボル（パイロットシンボル５０１、または、データシンボル５０２）」、
「時刻＄１０の全てのキャリアの全てのシンボル（パイロットシンボル５０１、または、データシンボル５０２）」、
「時刻＄１１の全てのキャリアの全てのシンボル（パイロットシンボル５０１、または、データシンボル５０２）」、上記以外の時刻、キャリアの記載は省略する。
【０５３９】
図１３は、図１の送信信号１０８＿Ａの図４とは異なるフレーム構成であり、実施の形態１において、詳細の説明を行ったので、説明を省略する。
【０５４０】
図１４は、図１の送信信号１０８＿Ｂの図５とは異なるフレーム構成であり、実施の形態１において、詳細の説明を行ったので、説明を省略する。
【０５４１】
図１３のキャリアＡ、時刻＄Ｂにシンボルが存在し、図１４のキャリアＡ、時刻＄Ｂにシンボルが存在したとき、図１３のキャリアＡ、時刻＄Ｂのシンボルと図１４のキャリアＡ、時刻＄Ｂのシンボルは、同一時間、同一周波数に送信される。なお、図１３、図１４のフレーム構成は、あくまでも例である。
【０５４２】
そして、図１３、図１４におけるその他のシンボルは、「図２０におけるプリアンブル信号２５２、制御情報シンボル信号２５３」に相当するシンボルであり、したがって、図１３のその他のシンボル４０３と同一時刻、かつ、同一周波数（同一キャリア）の図１４のその他のシンボル５０３は、制御情報を伝送している場合、同一のデータ（同一の制御情報）を伝送している。
【０５４３】
なお、図１３のフレームと図１４のフレームを受信装置は同時に受信することを想定しているが、図１３のフレーム、または、図１４のフレームを受信しても受信装置は送信装置が送信したデータを得ることは可能である。
【０５４４】
位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボルシンボル番号ｉの関数とし、ｘ’（ｉ）とあらわす。
【０５４５】
すると、位相変更後の信号２１０Ｂ（ｘ（ｉ））は、ｘ（ｉ）＝ｅｊ×ε（ｉ）×ｘ’（ｉ）とあらわすことができる。ｉは０以上の整数であり、ｊは虚数単位である。そして、位相変更部２０９Ｂの動作としては、非特許文献２、非特許文献３で記載されているＣＤＤ/ＣＳＤであってもよい。
【０５４６】
そして、位相変更部２０９Ｂは、周波数軸方向に存在するシンボルに対し、位相変更を行う点である。位相変更部２０９Ｂは、データシンボル、パイロットシンボル、制御情報シンボルなどに対し位相変更を施す。このとき、ヌルシンボルも位相変更の対象と考えることができる。したがって、このケースの場合、シンボル番号ｉの対象となるシンボルは、データシンボル、パイロットシンボル、制御情報シンボル、プリアンブル（その他のシンボル）、ヌルシンボルなどとなる。
【０５４７】
しかし、ヌルシンボルは、同相成分Ｉがゼロ（０）、かつ、直交成分Ｑがゼロ（０）であるため、ヌルシンボルに対し位相変更を行っても位相変更前の信号と位相変更後の信号は同じである。したがって、ヌルシンボルは位相変更の対象でないと解釈することも可能である。図２０の場合、位相変更部２０９Ｂは、ベースバンド信号２０８Ｂに対して位相変更を施しているため、図１４に記載されている各シンボルに対して位相変更を施す。
【０５４８】
したがって、図１４のフレームにおいて、時刻＄１の全てのキャリアの全てのシンボル（その他のシンボル５０３）に対し、図２０の位相変更部２０９Ｂは、位相変更を施す。ただし、ヌルシンボル１３０１の位相変更の扱いについては前に説明したとおりである。
【０５４９】
同様に、図２０の位相変更部２０９Ｂは、下記のシンボルに対して、位相変更を施す
「時刻＄２の全てのキャリアの全てのシンボル（その他のシンボル５０３）」、
「時刻＄３の全てのキャリアの全てのシンボル（その他のシンボル５０３）」、
「時刻＄４の全てのキャリアの全てのシンボル（その他のシンボル５０３）」、
「時刻＄５の全てのキャリアの全てのシンボル（パイロットシンボル５０１、または、データシンボル５０２）」、
「時刻＄６の全てのキャリアの全てのシンボル（パイロットシンボル５０１、または、データシンボル５０２）」、
「時刻＄７の全てのキャリアの全てのシンボル（パイロットシンボル５０１、または、データシンボル５０２）」、
「時刻＄８の全てのキャリアの全てのシンボル（パイロットシンボル５０１、または、データシンボル５０２）」、
「時刻＄９の全てのキャリアの全てのシンボル（パイロットシンボル５０１、または、データシンボル５０２）」、
「時刻＄１０の全てのキャリアの全てのシンボル（パイロットシンボル５０１、または、データシンボル５０２）」、
「時刻＄１１の全てのキャリアの全てのシンボルに対し（パイロットシンボル５０１、または、データシンボル５０２）」、ただし、全ての時刻、全てキャリアにおいて、ヌルシンボル１３０１の位相変更の扱いについては前に説明したとおりである。上記以外の時刻、キャリアについての記載を省略する。
【０５５０】
位相変更部２０９Ｂにおける位相変更値をΩ（ｉ）とあらわす。ベースバンド信号２０８Ｂはｘ’（ｉ）であり、位相変更後の信号２１０Ｂはｘ（ｉ）である。したがって、ｘ（ｉ）＝Ω（ｉ）×ｘ’（ｉ）が成立する。
【０５５１】
例えば、位相変更の値を式（３８）と設定する。Ｑは２以上の整数であり、Ｑは位相変更の周期となる。ｊは虚数単位である。ただし、式（３８）は、あくまでも例であり、これに限ったものではない。
【０５５２】
例えば、周期Ｑを持つように位相変更を行うようにΩ（ｉ）を設定してもよい。
【０５５３】
また、例えば、図５、図１４において、同一キャリアに対して、同一の位相変更値を与え、キャリアごとに位相変更値を設定するとしてもよい。例えば、以下のようになる。
・図５、図１４におけるキャリア１に対し、時刻によらず、位相変更値を式（３９）とする。
・図５、図１４におけるキャリア２に対し、時刻によらず、位相変更値を式（４０）とする。
・図５、図１４におけるキャリア３に対し、時刻によらず、位相変更値を式（４１）とする。
・図５、図１４におけるキャリア４に対し、時刻によらず、位相変更値を式（４２）とする。以後のキャリアについては記載を省略する。
【０５５４】
以上が、図２０の位相変更部２０９Ｂの動作例となる。
【０５５５】
図２０の位相変更部２０９Ｂにより得られる効果について説明する。
【０５５６】
「図４および図５のフレーム」、または、「図１３および図１４のフレーム」のその他のシンボル４０３、５０３には、制御情報シンボルが含まれている。前述より、その他のシンボル４０３と同一時刻、かつ、同一の周波数（同一のキャリア）の図５のその他のシンボル５０３は、制御情報を伝送している場合、同一データ（同一の制御情報）を送信している。
【０５５７】
ところで、ケース２：「制御情報シンボルを、図１のアンテナ部＃Ａ  １０９＿Ａ、または、アンテナ部＃Ｂ  １０９＿Ｂのいずれか一方のアンテナ部を用いて送信する。」を考える。
【０５５８】
「ケース２」のように送信した場合、制御情報シンボルを送信するアンテナ数が１のため、「アンテナ部＃Ａ  １０９＿Ａとアンテナ部＃Ｂ  １０９＿Ｂの両者を用いて制御情報シンボルを送信する」場合と比較して、空間ダイバーシチのゲインが小さくなるため、「ケース２」の際、図８の受信装置で受信してもデータの受信品質が低下する。したがって、データの受信品質の向上という点では、「アンテナ部＃Ａ  １０９＿Ａとアンテナ部＃Ｂ  １０９＿Ｂの両者を用いて制御情報シンボルを送信する」ほうがよい。
【０５５９】
ケース３：「制御情報シンボルを、図１のアンテナ部＃Ａ  １０９＿Ａとアンテナ部＃Ｂ  １０９＿Ｂの両者を用いて送信する。ただし、図２０における位相変更部２０９Ｂで位相変更を行わない。」を考える。
【０５６０】
「ケース３」のように送信した場合、アンテナ部＃Ａ１０９＿Ａから送信した変調信号とアンテナ部＃Ｂ１０９＿Ｂから送信した変調信号が同一である、または、特定の位相のずれがあるため、電波の伝搬環境によっては、図８の受信装置は、劣悪な受信信号になる可能性があり、両者の変調信号が同一のマルチパスの影響を受ける可能性がある。これにより、図８の受信装置において、データの受信品質が低下するという現象がある。
【０５６１】
この現象を軽減するために、図２０において、位相変更部２０９Ｂを設けている。これにより、時間、または、周波数方向で、位相を変更しているため、図８の受信装置において、劣悪な受信信号となる可能性を低減することができる。また、アンテナ部＃Ａ１０９＿Ａから送信した変調信号が受けるマルチパスの影響とアンテナ部＃Ｂ１０９＿Ｂから送信した変調信号が受けるマルチパスの影響に違いがある可能性が高いため、ダイバーシチゲインが得られる可能性が高く、これにより、図８の受信装置において、データの受信品質が向上する。
【０５６２】
以上の理由から、図２０において、位相変更部２０９Ｂを設け、位相変更を施している。
【０５６３】
その他のシンボル４０３、および、その他のシンボル５０３には、制御情報シンボル以外に、例えば、信号検出のためシンボル、周波数同期及び時間同期を行うためのシンボル、チャネル推定のためのシンボルが、制御情報シンボルを復調及び復号するために含まれいてる。また、「図４および図５のフレーム」、または、「図１３および図１４のフレーム」には、パイロットシンボル４０１、５０１が含まれており、これらを用いることで、制御情報シンボルをより高精度に復調及び復号を行うことが可能となる。
【０５６４】
そして、「図４および図５のフレーム」、または、「図１３および図１４のフレーム」には、データシンボル４０２、および、データシンボル５０２により、同一周波数（周波数帯）、同一時間を用いて、複数のストリームを伝送している、又は、ＭＩＭＯ伝送を行っている。
【０５６５】
これらのデータシンボルを復調するためには、その他のシンボル４０３、および、その他のシンボル５０３に含まれている、信号検出のためのシンボル、周波数同期及び時間同期を行うためのシンボル、チャネル推定のためのシンボルを用いる。
【０５６６】
このとき、「その他のシンボル４０３、および、その他のシンボル５０３に含まれている、信号検出のためのシンボル、周波数同期及び時間同期を行うためのシンボル、チャネル推定のためのシンボル」は、前述より、位相変更部２０９Ｂにより、位相変更を行っている。
【０５６７】
そのような状況の中、「データシンボル４０２、および、データシンボル５０２に対し」又は「上述の説明の場合は、データシンボル５０２に対し」、この処理を反映させなかった場合、受信装置において、データシンボル４０２、および、データシンボル５０２を復調及び復号する場合、位相変更部２０９Ｂで行った位相変更に対する処理を反映させた復調及び復号を行う必要があり、その処理は複雑となる可能性が高い。
【０５６８】
「その他のシンボル４０３、および、その他のシンボル５０３に含まれている、信号検出のためのシンボル、周波数同期及び時間同期を行うためのシンボル、チャネル推定のためのシンボル」は、位相変更部２０９Ｂにより、位相変更を行っているためである。
【０５６９】
しかし、図２０に示すように、位相変更部２０９Ｂにおいて、「データシンボル４０２、および、データシンボル５０２に対し」、または「上述の説明の場合は、データシンボル５０２に対し」、位相変更を施した場合、受信装置において、「その他のシンボル４０３、および、その他のシンボル５０３に含まれている、信号検出のためのシンボル、周波数同期及び時間同期を行うためのシンボル、チャネル推定のためのシンボル」を用いて推定した、チャネル推定信号（伝搬路変動の推定信号）を用いて、簡単にデータシンボル４０２、および、データシンボル５０２を復調及び復号を行うことができるという利点がある。
【０５７０】
加えて、図２０に示すように、位相変更部２０９Ｂにおいて、「データシンボル４０２、および、データシンボル５０２に対し」、または、「上述の説明の場合は、データシンボル５０２に対し」、位相変更を施した場合、マルチパスにおける、周波数軸における、電界強度の急激な落ち込みの影響を少なくすることができ、これにより、データシンボル４０２、および、データシンボル５０２のデータの受信品質が向上するという効果を得ることができる可能性がある。
【０５７１】
このように、「位相変更部２０５Ａ、２０５Ｂの位相変更を施すシンボルの対象」と「位相変更部２０９Ｂの位相変更を施すシンボルの対象」が異なる点が特徴的な点となる。
【０５７２】
以上のように、図２０の位相変更部２０５Ａ、２０５Ｂにより位相変更を行うことで、データシンボル４０２、および、データシンボル５０２の、例えば、ＬＯＳ環境において、受信装置におけるデータの受信品質が向上するという効果を得ることができ、図２０の位相変更部２０９Ｂにより位相変更を行うことで、例えば、「図４および図５のフレーム」、または、「図１３および図１４のフレーム」に含まれる制御情報シンボルの、受信装置における受信品質が向上し、データシンボル４０２、および、データシンボル５０２の復調及び復号の動作が簡単になるという効果を得ることができる。
【０５７３】
なお、図２０の位相変更部２０５Ａ、２０５Ｂにより位相変更を行うことで、データシンボル４０２、および、データシンボル５０２の、例えば、ＬＯＳ環境において、受信装置におけるデータの受信品質が向上するという効果を得ることができ、さらに、データシンボル４０２、および、データシンボル５０２に対して、図２０の位相変更部２０９Ｂにより位相変更を行うことで、データシンボル４０２、および、データシンボル５０２の受信品質が向上する。
【０５７４】
なお、式（３８）におけるＱは―２以下の整数であってもよく、このとき、位相変更の周期は、Ｑの絶対値となる。この点については、実施の形態１にも適用することができる。
【０５７５】
（実施の形態５）
本実施の形態では、実施の形態１における図２とは異なる構成の実施方法について説明する。
【０５７６】
図１は、本実施の形態における例えば、基地局、アクセスポイント、放送局等の送信装置の構成の一例であり、詳細については、実施の形態１で説明したので、説明は省略する。
【０５７７】
信号処理部１０６は、マッピング後の信号１０５＿１、１０５＿２、信号群１１０、制御信号１００を入力とし、制御信号１００に基づいて、信号処理を行い、信号処理後の信号１０６＿Ａ、１０６＿Ｂを出力する。このとき、信号処理後の信号１０６＿Ａをｕ１（ｉ）、信号処理後の信号１０６＿Ｂをｕ２（ｉ）とあらわす。ｉはシンボル番号であり、例えば、ｉは０以上の整数とする。なお、信号処理の詳細については、図２１を用いて説明する。
【０５７８】
図２１は、図１における信号処理部１０６の構成の一例を示している。重み付け合成部（プリコーディング部）２０３は、マッピング後の信号２０１Ａ（図１のマッピング後の信号１０５＿１）、および、マッピング後の信号２０１Ｂ（図１のマッピング後の信号１０５＿２）、および、制御信号２００（図１の制御信号１００）を入力とし、制御信号２００に基づき重み付け合成（プリコーディング）を行い、重み付け後の信号２０４Ａおよび重み付け後の信号２０４Ｂを出力する。
【０５７９】
このとき、マッピング後の信号２０１Ａをｓ１（ｔ）、マッピング後の信号２０１Ｂをｓ２（ｔ）、重み付け後の信号２０４Ａをｚ１’（ｔ）、重み付け後の信号２０４Ｂをｚ２’（ｔ）とあらわす。なお、ｔは一例として、時間とする。ｓ１（ｔ）、ｓ２（ｔ）、ｚ１’（ｔ）、ｚ２’（ｔ）は複素数で定義され、したがって、実数であってもよい。
【０５８０】
ここでは、時間の関数として扱っているが「周波数（キャリア番号）」の関数としてもよいし、「時間及び周波数」の関数としてもよい。また、「シンボル番号」の関数としてもよい。この点は、実施の形態１でも同様である。
【０５８１】
重み付け合成部（プリコーディング部）２０３は、式（４９）の演算を行う。
【０５８２】
そして、位相変更部２０５Ａは、重み付け合成後の信号２０４Ａ、および、制御信号２００を入力とし、制御信号２００に基づき、重み付け合成後の信号２０４Ａに対し、位相変更を施し、位相変更後の信号２０６Ａを出力する。なお、位相変更後の信号２０６Ａをｚ１（ｔ）であらわし、ｚ１（ｔ）は複素数で定義され、実数であってもよい。
【０５８３】
位相変更部２０５Ａの具体的動作について説明する。位相変更部２０５Ａでは、例えば、ｚ１’（ｉ）に対しｗ（ｉ）の位相変更を施す。したがって、ｚ１（ｉ）＝ｗ（ｉ）×ｚ１’（ｉ）とあらわすことができる。ｉはシンボル番号であり、ｉは０以上の整数とする。
【０５８４】
例えば、位相変更の値を式（５０）のように設定する。
【０５８５】
Ｍは２以上の整数であり、Ｍは位相変更の周期となる。また、Ｍは３以上の奇数に設定するとデータの受信品質が向上する可能性がある。ただし、式（５０）は、あくまでも例であり、これに限ったものではない。そこで、位相変更値ｗ（ｉ）＝ｅｊ×λ（ｉ）であらわす。
【０５８６】
そして、位相変更部２０５Ｂは、重み付け合成後の信号２０４Ｂ、および、制御信号２００を入力とし、制御信号２００に基づき、重み付け合成後の信号２０４Ｂに対し、位相変更を施し、位相変更後の信号２０６Ｂを出力する。なお、位相変更後の信号２０６Ｂをｚ２（ｔ）であらわし、ｚ２（ｔ）は複素数で定義され、実数であってもよい。
【０５８７】
位相変更部２０５Ｂの具体的動作について説明する。位相変更部２０５Ｂでは、例えば、ｚ２’（ｉ）に対しｙ（ｉ）の位相変更を施す。したがって、ｚ２（ｉ）＝ｙ（ｉ）×ｚ２’（ｉ）とあらわすことができる。ｉはシンボル番号であり、ｉは０以上の整数とする。
【０５８８】
例えば、位相変更の値を式（２）のように設定する。Ｎは２以上の整数であり、Ｎは位相変更の周期となる。Ｎ≠Ｍを満たす。Ｎは３以上の奇数に設定するとデータの受信品質が向上する可能性がある。ただし、式（２）は、あくまでも例であり、これに限ったものではない。そこで、位相変更値ｙ（ｉ）＝ｅｊ×δ（ｉ）であらわす。
【０５８９】
このときｚ１（ｉ）およびｚ２（ｉ）は式（５１）であらわすことができる。
【０５９０】
なお、δ（ｉ）、およびλ（ｉ）は実数である。そして、ｚ１（ｉ）とｚ２（ｉ）は、同一時間、同一周波数（同一周波数帯）で、送信装置から送信される。式（５１）において、位相変更の値は、式（２）、式（５１）に限ったものではなく、例えば、周期的、規則的に位相を変更するような方法が考えられる。
【０５９１】
そして、実施の形態１で説明したように、式（４９）および式（５１）における行列（プリコーディング行列）としては、式（５）から式（３６）までなどが考えられる。ただし、プリコーディング行列はこれらに限ったものではなく、実施の形態１についても同様である。
【０５９２】
挿入部２０７Ａは、重み付け合成後の信号２０４Ａ、パイロットシンボル信号ｐａ（ｔ）２５１Ａ、プリアンブル信号２５２、制御情報シンボル信号２５３、制御信号２００を入力とし、制御信号２００に含まれるフレーム構成の情報に基づき、フレーム構成に基づいたベースバンド信号２０８Ａを出力する。ｔは、時間を示す。
【０５９３】
同様に、挿入部２０７Ｂは、位相変更後の信号２０６Ｂ、パイロットシンボル信号ｐｂ（ｔ）２５１Ｂ、プリアンブル信号２５２、制御情報シンボル信号２５３、制御信号２００を入力とし、制御信号２００に含まれるフレーム構成の情報に基づき、フレーム構成に基づいたベースバンド信号２０８Ｂを出力する。
【０５９４】
位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボル番号ｉの関数とし、ｘ’（ｉ）とあらわす。すると、位相変更後の信号ｘ（ｉ）２１０Ｂは、ｘ（ｉ）＝ｅｊ×ε（ｉ）×ｘ’（ｉ）とあらわすことができる。ｉは０以上の整数であり、ｊは虚数単位である。
【０５９５】
なお、実施の形態１等で説明したように、位相変更部２０９Ｂの動作としては、非特許文献２、非特許文献３で記載されているＣＤＤ/ＣＳＤであってもよい。そして、位相変更部２０９Ｂは、周波数軸方向に存在するシンボルに対し、位相変更を行う。位相変更部２０９Ｂは、データシンボル、パイロットシンボル、制御情報シンボルなどに対し位相変更を施す。
【０５９６】
図３は、図１の無線部１０７＿Ａ、１０７＿Ｂの構成の一例であり、図４は、図１の送信信号１０８＿Ａのフレーム構成であり、図５は、図１の送信信号１０８＿Ｂのフレーム構成であり、実施の形態１で詳細の説明を行ったので、説明は省略する。
【０５９７】
図４のキャリアＡ、時刻＄Ｂにシンボルが存在し、図５のキャリアＡ、時刻＄Ｂにシンボルが存在したとき、図４のキャリアＡ、時刻＄Ｂのシンボルと図５のキャリアＡ、時刻＄Ｂのシンボルは、同一時間、同一周波数に送信される。なお、フレーム構成については、図４、図５に限ったものではなく、あくまでも、図４、図５はフレーム構成の例である。
【０５９８】
そして、図４、図５におけるその他のシンボルは、「図２におけるプリアンブル信号２５２、制御情報シンボル信号２５３」に相当するシンボルであり、したがって、図４のその他のシンボル４０３と同一時刻、かつ、同一周波数（同一キャリア）の図５のその他のシンボル５０３は、制御情報を伝送している場合、同一のデータ（同一の制御情報）を伝送している。
【０５９９】
なお、図４のフレームと図５のフレームを受信装置は同時に受信することを想定しているが、図４のフレーム、または、図５のフレームを受信しても受信装置は送信装置が送信したデータを得ることは可能である。
【０６００】
図６は、図２の制御情報信号２５３を生成するための制御情報生成に関する部分の構成の一例を示しており、実施の形態１で詳細の説明を行ったので、説明は省略する。
【０６０１】
図７は、図１のアンテナ部＃Ａ  １０９＿Ａ、アンテナ部＃Ｂ  １０９＿Ｂの構成の一例を示しており、アンテナ部＃Ａ  １０９＿Ａ、アンテナ部＃Ｂ  １０９＿Ｂが複数のアンテナで構成されている例である。図７は、実施の形態１で詳細の説明を行ったので、説明は省略する。
【０６０２】
図８は、図１の送信装置が、例えば、図４、図５のフレーム構成の送信信号を送信したとき、その変調信号を受信する受信装置の構成の一例を示しており、実施の形態１で詳細の説明を行ったので、説明は省略する。
【０６０３】
図１０は、図８のアンテナ部＃Ｘ  ８０１Ｘ、アンテナ部＃Ｙ  ８０１Ｙの構成の一例を示しており、アンテナ部＃Ｘ  ８０１Ｘアンテナ部＃Ｙ  ８０１Ｙが複数アンテナで構成されている例である。図１０は、実施の形態１で詳細の説明を行ったので、説明は省略する。
【０６０４】
次に、図１のように送信装置の信号処理部１０６が、図２１に示すように、位相変更部２０５Ａ、２０５Ｂと位相変更部２０９Ｂを挿入している。その特徴と、そのときの効果について説明する。
【０６０５】
図４、図５を用いて説明したように、第１の系列を用いてマッピングすることによって得られたマッピング後の信号ｓ１（ｉ）２０１Ａと第２の系列を用いてマッピングすることによって得られたマッピング後の信号ｓ２（ｉ）（２０１Ｂ）に対し、プリコーディング（重み付け合成）を施し、得られた重み付け合成後の信号２０４Ａ、２０４Ｂに対して、位相変更を行っているのが、位相変更部２０５Ａ、２０５Ｂである。ｉはシンボル番号であり、ｉは０以上の整数とする。
【０６０６】
そして、位相変更後の信号２０６Ａと位相変更後の信号２０６Ｂは、同一周波数、同一時間に送信される。したがって、図４、図５において、図４のデータシンボル４０２、図５のデータシンボル５０２に対して、位相変更を施す。
【０６０７】
例えば、図１１は、図４のフレームに対し、キャリア１からキャリア５、時刻＄４から時刻＄６を抽出したものである。なお、図１１は、図４と同様、パイロットシンボル４０１、データシンボル４０２、その他のシンボル４０３を示す。
【０６０８】
上述のように、図１１に示したシンボルにおいて、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）、及び、（キャリア５、時刻＄６）におけるデータシンボルに対し、位相変更部２０５Ａは位相変更を施す。
【０６０９】
よって、図１１に示したデータシンボルに対する位相変更値を、（キャリア１、時刻＄５）では「ｅｊ×λ１５（ｉ）」とし、（キャリア２、時刻＄５）では「ｅｊ×λ２５（ｉ）」とし、（キャリア３、時刻＄５）では「ｅｊ×λ３５（ｉ）」とし、（キャリア４、時刻＄５）では「ｅｊ×λ４５（ｉ）」とし、（キャリア５、時刻＄５）では「ｅｊ×λ５５（ｉ）」とし、（キャリア１、時刻＄６）では「ｅｊ×λ１６（ｉ）」とし、（キャリア２、時刻＄６）では「ｅｊ×λ２６（ｉ）」とし、（キャリア４、時刻＄６）では「ｅｊ×λ４６（ｉ）」とし、（キャリア５、時刻＄６）では「ｅｊ×λ５６（ｉ）」とする。
【０６１０】
一方、図１１に示したシンボルにおいて、（キャリア１、時刻＄４）、（キャリア２、時刻＄４）、（キャリア３、時刻＄４）、（キャリア４、時刻＄４）、及び、（キャリア５、時刻＄４）におけるその他のシンボル、（キャリア３、時刻＄６）におけるパイロットシンボルは、位相変更部２０５Ａの位相変更の対象ではない。
【０６１１】
この点が位相変更部２０５Ａの特徴的な点である。なお、図１１における位相変更の対象である、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）、及び、（キャリア５、時刻＄６）におけるデータシンボルと「同一キャリア、同一時刻」には、図４に示したように、データキャリアが配置されている。
【０６１２】
つまり、図４において、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）、及び、（キャリア５、時刻＄６）はデータシンボルである。
【０６１３】
つまり、ＭＩＭＯ伝送を行っている、又は、複数のストリームを伝送しているデータシンボルが位相変更部２０５Ａの位相変更の対象である。
【０６１４】
なお、位相変更部２０５Ａがデータシンボルに施す位相変更の例として、式（５０）のように、データシンボルに、規則的な位相変更つまり、周期Ｎの位相変更を行う方法がある。ただし、データシンボルに施す位相変更方法は、これに限ったものではない。
【０６１５】
例えば、図１１は、図５のフレームに対し、キャリア１からキャリア５、時刻＄４から時刻＄６を抽出したものである。なお、図１１は、図５と同様、パイロットシンボル５０１、データシンボル５０２、その他のシンボル５０３を示す。
【０６１６】
上述のように、図１１に示したシンボルにおいて、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）、及び、（キャリア５、時刻＄６）におけるデータシンボルに対し、位相変更部２０５Ｂは位相変更を施す。
【０６１７】
よって、図１１に示したデータシンボルに対する位相変更値を、（キャリア１、時刻＄５）では「ｅｊ×δ１５（ｉ）」とし、（キャリア２、時刻＄５）では「ｅｊ×δ２５（ｉ）」とし、（キャリア３、時刻＄５）では「ｅｊ×δ３５（ｉ）」とし、（キャリア４、時刻＄５）では「ｅｊ×δ４５（ｉ）」とし、（キャリア５、時刻＄５）では「ｅｊ×δ５５（ｉ）」とし、（キャリア１、時刻＄６）では「ｅｊ×δ１６（ｉ）」とし、（キャリア２、時刻＄６）では「ｅｊ×δ２６（ｉ）」とし、（キャリア４、時刻＄６）では「ｅｊ×δ４６（ｉ）」とし、（キャリア５、時刻＄６）では「ｅｊ×δ５６（ｉ）」とする。
【０６１８】
一方、図１１に示したシンボルにおいて、（キャリア１、時刻＄４）、（キャリア２、時刻＄４）、（キャリア３、時刻＄４）、（キャリア４、時刻＄４）、及び（キャリア５、時刻＄４）におけるその他のシンボル、（キャリア３、時刻＄６）におけるパイロットシンボルは、位相変更部２０５Ｂの位相変更の対象ではない。
【０６１９】
なお、図１１における位相変更の対象である、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）、及び、（キャリア５、時刻＄６）におけるデータシンボルと「同一キャリア、同一時刻」には、図４に示したように、データキャリアが配置されている。
【０６２０】
つまり、図４において、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）、及び、（キャリア５、時刻＄６）はデータシンボルである。
【０６２１】
つまり、ＭＩＭＯ伝送を行っている、または、複数のストリームを伝送しているデータシンボルが位相変更部２０５Ｂの位相変更の対象である。
【０６２２】
なお、位相変更部２０５Ｂがデータシンボルに施す位相変更の例として、式（２）のように、データシンボルに、規則的な位相変更、つまり、周期Ｎの位相変更を行う方法がある。ただし、データシンボルに施す位相変更方法は、これに限ったものではない。
【０６２３】
このようにすることで、直接波が支配的な環境、例えば、ＬＯＳ環境のときに、ＭＩＭＯ伝送を行っている、または、複数のストリームを伝送しているデータシンボルの受信装置におけるデータの受信品質が向上するという効果を得ることができる。この効果について、説明を行う。
【０６２４】
例えば、図１のマッピング部１０４で使用する変調方式がＱＰＳＫである。図１８のマッピング後の信号２０１ＡはＱＰＳＫの信号であり、また、マッピング後の信号２０１ＢもＱＰＳＫの信号となる。つまり、２つのＱＰＳＫのストリームを送信する。
【０６２５】
すると、図８の信号処理部８１１では、例えば、チャネル推定信号８０６＿１、８０６＿２を用いて、１６個の候補信号点を得る。ＱＰＳＫは２ビットを伝送でき、２ストリームにより、計４ビットを伝送する。よって、２４＝１６個の候補信号点が存在する。
【０６２６】
なお、チャネル推定信号８０８＿１、８０８＿２を用いて、別の１６個の候補信号点を得ることにもなるが、説明は同様となるため、チャネル推定信号８０６＿１、８０６＿２を用いて得られる１６個の候補信号点について、焦点をあて、説明を進める。
【０６２７】
このときの状態の一例を図１２に示す。図１２A、図１２B、いずれも横軸は同相Ｉ、縦軸は直交Ｑであり、同相Ｉ−直交Ｑ平面において、１６個の候補信号点が存在する。１６個の候補信号点のうち、一つが、送信装置が送信した信号点である。このため、「１６個の候補信号点」と呼ぶ。
【０６２８】
直接波が支配的な環境、例えば、ＬＯＳ環境のとき、第１のケースとして、「図２１の位相変更部２０５Ａ、２０５Ｂが存在しない場合、つまり、図２１の位相変更部２０５Ａ、２０５Ｂによる位相変更を行わない場合」を考える。
【０６２９】
「第１のケース」の場合、位相変更が行われないため、図１２Aのような状態に陥る可能性がある。図１２Aの状態に陥った場合、「信号点１２０１、１２０２」、「信号点１２０３、１２０４、１２０５、１２０６」、「信号点１２０７、１２０８」のように、信号点が密の部分が存在するため、図８の受信装置において、データの受信品質が低下する可能性がある。
【０６３０】
この現象を克服するために、図２１において、位相変更部２０５Ａ、２０５Ｂを挿入している。位相変更部２０５Ａ、２０５Ｂを挿入すると、シンボル番号ｉにより、図１２Aに示す「信号点が密の部分」が存在するシンボル番号と、図１２Bに示す「信号点間の距離が長い」というシンボル番号とが混在する。この状態に対し、誤り訂正符号を導入しているため、高い誤り訂正能力を得ることができ、図８の受信装置において、高いデータ受信品質を得ることができる。
【０６３１】
なお、図２１において、パイロットシンボル、プリアンブルなど、データシンボルを復調（検波）するための、チャネル推定を行うための「パイロットシンボル、プリアンブル」に対し、図２１の位相変更部２０５Ａ、２０５Ｂにおいて、位相変更を行わない。これにより、データシンボルにおいて、「シンボル番号ｉにより、図１２Aに示す「信号点が密の部分」が存在するシンボル番号と、図１２Bに示す「信号点間の距離が長い」というシンボル番号とが混在すること」を実現することができる。
【０６３２】
ただし、パイロットシンボル、プリアンブルなど、データシンボルを復調（検波）するための、チャネル推定を行うための「パイロットシンボル、プリアンブル」に対し、図２１の位相変更部２０５Ａ、２０５Ｂにおいて、位相変更を行っても、「データシンボルにおいて、「シンボル番号ｉにより、図１２Aに示す信号点が密の部分が存在するシンボル番号と、図１２Bに示す「信号点間の距離が長い」というシンボル番号とが混在すること」を実現することができる」場合がある。
【０６３３】
この場合、パイロットシンボル、プリアンブルに対し、何らかの条件を付加して、位相変更を行わなければならない。例えば、データシンボルに対する位相変更の規則とは別の規則を設けて、「パイロットシンボル、および／または、プリアンブルに対し位相変更を施す」という方法が考えられる。例として、データシンボルに対し規則的に周期Ｎの位相変更を施し、パイロットシンボル、および／または、プリアンブルに対し規則的に周期Ｍの位相変更を施す、という方法がある。Ｎ、Ｍは２以上の整数となる。
【０６３４】
前述より、位相変更部２０９Ａは、ベースバンド信号２０８Ａ、および、制御信号２００を入力とし、ベースバンド信号２０８Ａに対し、制御信号２００に基づいて、位相変更を行い、位相変更後の信号２１０Ａを出力する。ベースバンド信号２０８Ａをシンボル番号ｉの関数とし、ｘ’（ｉ）とあらわす。すると、位相変更後の信号２１０Ａ（ｘ（ｉ））は、ｘ（ｉ）＝ｅｊ×ε（ｉ）×ｘ’（ｉ）とあらわすことができる。ｉは０以上の整数であり、ｊは虚数単位である。
【０６３５】
そして、位相変更部２０９Ａの動作としては、非特許文献２、非特許文献３で記載されているＣＤＤ/ＣＳＤであってもよい。そして、位相変更部２０９Ａは、周波数軸方向に存在するシンボルに対し、位相変更を行う。位相変更部２０９Ａは、データシンボル、パイロットシンボル、制御情報シンボルなどに対し位相変更を施す。したがって、このケースの場合、シンボル番号ｉの対象となるシンボルは、データシンボル、パイロットシンボル、制御情報シンボル、プリアンブル（その他のシンボル）などとなる。
【０６３６】
図２１では、位相変更部２０９Ａは、ベースバンド信号２０８Ａに対して位相変更を施しているため、図４に記載されている各シンボルに対して位相変更を施す。
【０６３７】
したがって、図４のフレームにおいて、時刻＄１の全てのキャリアの全てのシンボル（その他のシンボル４０３）に対し、図２１の位相変更部２０９Ａは、位相変更を施す。
【０６３８】
同様に、図２１の位相変更部２０９Ａは、以下のシンボルに対して、位相変更を施す
「時刻＄２の全てのキャリアの全てのシンボル（その他のシンボル４０３）」、
「時刻＄３の全てのキャリアの全てのシンボル（その他のシンボル４０３）」、
「時刻＄４の全てのキャリアの全てのシンボル（その他のシンボル４０３）」、
「時刻＄５の全てのキャリアの全てのシンボル（パイロットシンボル４０１、または、データシンボル４０２）」、
「時刻＄６の全てのキャリアの全てのシンボルに対し（パイロットシンボル４０１、または、データシンボル４０２）」、
「時刻＄７の全てのキャリアの全てのシンボルに対し（パイロットシンボル４０１、または、データシンボル４０２）」、
「時刻＄８の全てのキャリアの全てのシンボルに対し（パイロットシンボル４０１、または、データシンボル４０２）」、
「時刻＄９の全てのキャリアの全てのシンボルに対し（パイロットシンボル４０１、または、データシンボル４０２）」、
「時刻＄１０の全てのキャリアの全てのシンボルに対し（パイロットシンボル４０１、または、データシンボル４０２）」、
「時刻＄１１の全てのキャリアの全てのシンボルに対し（パイロットシンボル４０１、または、データシンボル４０２）」、上記以外の時刻、キャリアに対しての記載は省略する。
【０６３９】
図１３は、図１の送信信号１０８＿Ａの図４とは異なるフレーム構成であり、実施の形態１において、詳細の説明を行ったので、説明を省略する。
【０６４０】
図１４は、図１の送信信号１０８＿Ｂの図５とは異なるフレーム構成であり、実施の形態１において、詳細の説明を行ったので、説明を省略する。
【０６４１】
図１３のキャリアＡ、時刻＄Ｂにシンボルが存在し、図１４のキャリアＡ、時刻＄Ｂにシンボルが存在したとき、図１３のキャリアＡ、時刻＄Ｂのシンボルと図１４のキャリアＡ、時刻＄Ｂのシンボルは、同一時間、同一周波数に送信される。なお、図１３、図１４のフレーム構成は、あくまでも例である。
【０６４２】
そして、図１３、図１４におけるその他のシンボルは、「図２１におけるプリアンブル信号２５２、制御情報シンボル信号２５３」に相当するシンボルであり、したがって、図１３のその他のシンボル４０３と同一時刻、かつ、同一周波数（同一キャリア）の図１４のその他のシンボル５０３は、制御情報を伝送している場合、同一のデータ（同一の制御情報）を伝送している。
【０６４３】
なお、図１３のフレームと図１４のフレームを受信装置は同時に受信することを想定しているが、図１３のフレーム、または、図１４のフレームを受信しても受信装置は送信装置が送信したデータを得ることは可能である。
【０６４４】
位相変更部２０９Ａは、ベースバンド信号２０８Ａ、および、制御信号２００を入力とし、ベースバンド信号２０８Ａに対し、制御信号２００に基づいて、位相変更を行い、位相変更後の信号２１０Ａを出力する。ベースバンド信号２０８Ａをシンボルシンボル番号ｉの関数とし、ｘ’（ｉ）とあらわす。すると、位相変更後の信号ｘ（ｉ）２１０Ａは、ｘ（ｉ）＝ｅｊ×ε（ｉ）×ｘ’（ｉ）とあらわすことができる。ｉは０以上の整数であり、ｊは虚数単位である。
【０６４５】
そして、位相変更部２０９Ａの動作としては、非特許文献２、非特許文献３で記載されているＣＤＤ/ＣＳＤであってもよい。そして、位相変更部２０９Ａは、周波数軸方向に存在するシンボルに対し、位相変更を行う。位相変更部２０９Ａは、データシンボル、パイロットシンボル、制御情報シンボルなどに対し位相変更を施す。このとき、ヌルシンボルも位相変更の対象と考えることができる。
【０６４６】
したがって、このケースの場合、シンボル番号ｉの対象となるシンボルは、データシンボル、パイロットシンボル、制御情報シンボル、プリアンブル（その他のシンボル）、ヌルシンボルなどとなる。
【０６４７】
しかし、ヌルシンボルは、同相成分Ｉがゼロ（０）、かつ、直交成分Ｑがゼロ（０）であるため、ヌルシンボルに対し位相変更を行っても位相変更前の信号と位相変更後の信号は同じである。したがって、ヌルシンボルは位相変更の対象でないと解釈することも可能である。図２１の場合、位相変更部２０９Ａは、ベースバンド信号２０８Ａに対して位相変更を施しているため、図１３に記載されている各シンボルに対して位相変更を施す。
【０６４８】
したがって、図１３のフレームにおいて、時刻＄１の全てのキャリアの全てのシンボル（その他のシンボル４０３）に対し、図２１の位相変更部２０９Ａは、位相変更を施す。ただし、ヌルシンボル１３０１の位相変更の扱いについては前に説明したとおりである。
【０６４９】
同様に、図２１の位相変更部２０９Ａは、下記のシンボルに対して、位相変更を施す。
「時刻＄２の全てのキャリアの全てのシンボル（その他のシンボル４０３）」、
「時刻＄３の全てのキャリアの全てのシンボル（その他のシンボル４０３）」、
「時刻＄４の全てのキャリアの全てのシンボル（その他のシンボル４０３）」、
「時刻＄５の全てのキャリアの全てのシンボルに対し（パイロットシンボル４０１、または、データシンボル４０２）」、
「時刻＄６の全てのキャリアの全てのシンボル（パイロットシンボル４０１、または、データシンボル４０２）」、
「時刻＄７の全てのキャリアの全てのシンボル（パイロットシンボル４０１、または、データシンボル４０２）」、
「時刻＄８の全てのキャリアの全てのシンボル（パイロットシンボル４０１、または、データシンボル４０２）」、
「時刻＄９の全てのキャリアの全てのシンボル（パイロットシンボル４０１、または、データシンボル４０２）」、
「時刻＄１０の全てのキャリアの全てのシンボル（パイロットシンボル４０１、または、データシンボル４０２）」、
「時刻＄１１の全てのキャリアの全てのシンボル（パイロットシンボル４０１、または、データシンボル４０２）」ただし、全ての時刻、全てのキャリアにおいて、ヌルシンボル１３０１の位相変更の扱いについては前に説明したとおりである。上記以外の時刻、キャリアについての記載は省略する。
【０６５０】
位相変更部２０９Ａにおける位相変更値をΩ（ｉ）とあらわす。ベースバンド信号２０８Ａはｘ’（ｉ）であり、位相変更後の信号２１０Ａはｘ（ｉ）である。したがって、ｘ（ｉ）＝Ω（ｉ）×ｘ’（ｉ）が成立する。
【０６５１】
例えば、位相変更の値を式（３８）と設定する。Ｑは２以上の整数であり、Ｑは位相変更の周期となる。ｊは虚数単位である。ただし、式（３８）は、あくまでも例であり、これに限ったものではない。
【０６５２】
例えば、周期Ｑを持つように位相変更を行うようにΩ（ｉ）を設定してもよい。
【０６５３】
また、例えば、図４、図１３において、同一キャリアに対して、同一の位相変更値を与え、キャリアごとに位相変更値を設定するとしてもよい。例えば、以下のようになる。
・図４、図１３におけるキャリア１に対し、時刻によらず、位相変更値を式（３９）とする。
・図４、図１３におけるキャリア２に対し、時刻によらず、位相変更値を式（４０）とする。
・図４、図１３におけるキャリア３に対し、時刻によらず、位相変更値を式（４１）とする。
・図４、図１３におけるキャリア４に対し、時刻によらず、位相変更値を式（４２）とする。上記以外のキャリアについての記載は省略する。
【０６５４】
以上が、図２１の位相変更部２０９Ａの動作例となる。
【０６５５】
図２１の位相変更部２０９Ａにより得られる効果について説明する。
【０６５６】
「図４および図５のフレーム」、または、「図１３および図１４のフレーム」のその他のシンボル４０３、５０３には、制御情報シンボルが含まれている。前述より、その他のシンボル４０３と同一時刻、かつ、同一の周波数（同一のキャリア）の図５のその他のシンボル５０３は、制御情報を伝送している場合、同一データ（同一の制御情報）を送信している。
【０６５７】
ところで、ケース２として、「制御情報シンボルを、図１のアンテナ部＃Ａ  １０９＿Ａ、または、アンテナ部＃Ｂ  １０９＿Ｂのいずれか一方のアンテナ部を用いて送信する。」を考える。
【０６５８】
「ケース２」のように送信した場合、制御情報シンボルを送信するアンテナ数が１のため、「アンテナ部＃Ａ  １０９＿Ａとアンテナ部＃Ｂ  １０９＿Ｂの両者を用いて制御情報シンボルを送信する」場合と比較して、空間ダイバーシチのゲインが小さくなるため、「ケース２」の際、図８の受信装置で受信してもデータの受信品質が低下する。したがって、データの受信品質の向上という点では、「アンテナ部＃Ａ  １０９＿Ａとアンテナ部＃Ｂ  １０９＿Ｂの両者を用いて制御情報シンボルを送信する」ほうがよい。
【０６５９】
ケース３として「制御情報シンボルを、図１のアンテナ部＃Ａ  １０９＿Ａとアンテナ部＃Ｂ  １０９＿Ｂの両者を用いて送信する。ただし、図２１における位相変更部２０９Ａで位相変更を行わない。」を考える。
【０６６０】
「ケース３」のように送信した場合、アンテナ部＃Ａ１０９＿Ａから送信した変調信号とアンテナ部＃Ｂ１０９＿Ｂから送信した変調信号が同一である、または、特定の位相のずれがあるため、電波の伝搬環境によっては、図８の受信装置は、非常に劣悪な受信信号になる可能性があり、両者の変調信号が同一のマルチパスの影響を受ける可能性がある。これにより、図８の受信装置において、データの受信品質が低下するという現象がある。
【０６６１】
この現象を軽減するために、図２１において、位相変更部２０９Ａを設けている。これにより、時間、または、周波数方向で、位相を変更しているため、図８の受信装置において、劣悪な受信信号となる可能性を低減することができる。また、アンテナ部＃Ａ  １０９＿Ａから送信した変調信号が受けるマルチパスの影響とアンテナ部＃Ｂ  １０９＿Ｂから送信した変調信号が受けるマルチパスの影響に違いがある可能性が高いため、ダイバーシチゲインが得られる可能性が高く、これにより、図８の受信装置において、データの受信品質が向上する。
【０６６２】
以上の理由から、図２１において、位相変更部２０９Ａを設け、位相変更を施している。
【０６６３】
その他のシンボル４０３、および、その他のシンボル５０３には、制御情報シンボル以外に、例えば、信号検出のためシンボル、周波数同期及び時間同期を行うためのシンボル、チャネル推定のためのシンボルが、制御情報シンボルを復調及び復号するために含まれいてる。また、「図４および図５のフレーム」、または、「図１３および図１４のフレーム」には、パイロットシンボル４０１、５０１が含まれており、これらを用いることで、制御情報シンボルをより高精度に復調及び復号を行うことが可能となる。
【０６６４】
そして、「図４および図５のフレーム」、または、「図１３および図１４のフレーム」には、データシンボル４０２、および、データシンボル５０２により、同一周波数（同一周波数帯）、同一時間を用いて、複数のストリームを伝送している、または、ＭＩＭＯ伝送を行っている。これらのデータシンボルを復調するためには、その他のシンボル４０３、および、その他のシンボル５０３に含まれている、信号検出のためのシンボル、周波数同期及び時間同期を行うためのシンボル、チャネル推定のためのシンボルを用いる。
【０６６５】
このとき、「その他のシンボル４０３、および、その他のシンボル５０３に含まれている、信号検出のためのシンボル、周波数同期及び時間同期を行うためのシンボル、チャネル推定のためのシンボル」は、前述より、位相変更部２０９Ａにより、位相変更を行っている。
【０６６６】
そのような状況の中、「データシンボル４０２、および、データシンボル５０２に対し」、または、「上述の説明の場合は、データシンボル４０２に対し」、この処理を反映させなかった場合、受信装置において、データシンボル４０２、および、データシンボル５０２を復調及び復号する場合、位相変更部２０９Ａで行った位相変更に対する処理を反映させた復調及び復号を行う必要があり、その処理は複雑となる可能性が高い。
【０６６７】
「その他のシンボル４０３、および、その他のシンボル５０３に含まれている、信号検出のためのシンボル、周波数同期及び時間同期を行うためのシンボル、チャネル推定のためのシンボル」は、位相変更部２０９Ａにより、位相変更を行っているためである。
【０６６８】
しかし、図２１に示すように、位相変更部２０９Ａにおいて、データシンボル４０２、および、データシンボル５０２に対し（上述の説明の場合は、データシンボル４０２に対し）、位相変更を施した場合、受信装置において、「その他のシンボル４０３、および、その他のシンボル５０３に含まれている、信号検出のためのシンボル、周波数同期及び時間同期を行うためのシンボル、チャネル推定のためのシンボル」を用いて推定した、チャネル推定信号（伝搬路変動の推定信号）を用いて、（簡単に）データシンボル４０２、および、データシンボル５０２を復調及び復号を行うことができるという利点がある。
【０６６９】
加えて、図２１に示すように、位相変更部２０９Ａにおいて、データシンボル４０２、および、データシンボル５０２に対し（上述の説明の場合は、データシンボル４０２に対し）、位相変更を施した場合、マルチパスにおける、周波数軸における、電界強度の急激な落ち込みの影響を少なくすることができ、これにより、データシンボル４０２、および、データシンボル５０２のデータの受信品質が向上するという効果を得ることができる可能性がある。
【０６７０】
このように、「位相変更部２０５Ａ、２０５Ｂの位相変更を施すシンボルの対象」と「位相変更部２０９Ａの位相変更を施すシンボルの対象」が異なる点が特徴的な点となる。
【０６７１】
以上のように、図２１の位相変更部２０５Ａ、２０５Ｂにより位相変更を行うことで、データシンボル４０２、および、データシンボル５０２の、例えば、ＬＯＳ環境において、受信装置におけるデータの受信品質が向上するという効果を得ることができ、図２１の位相変更部２０９Ａにより位相変更を行うことで、例えば、「図４および図５のフレーム」、または、「図１３および図１４のフレーム」に含まれる制御情報シンボルの、受信装置における受信品質が向上し、データシンボル４０２、および、データシンボル５０２の復調及び復号の動作が簡単になるという効果を得ることができる。
【０６７２】
なお、図２１の位相変更部２０５Ａ、２０５Ｂにより位相変更を行うことで、データシンボル４０２、および、データシンボル５０２の、例えば、ＬＯＳ環境において、受信装置におけるデータの受信品質が向上するという効果を得ることができ、さらに、データシンボル４０２、および、データシンボル５０２に対して、図２１の位相変更部２０９Ａにより位相変更を行うことで、データシンボル４０２、および、データシンボル５０２の受信品質が向上する。
【０６７３】
なお、式（３８）におけるＱは―２以下の整数であってもよく、このとき、位相変更の周期は、Ｑの絶対値となる。この点については、実施の形態１にも適用することができる。
【０６７４】
（実施の形態６）
本実施の形態では、実施の形態１における図２とは異なる構成の実施方法について説明する。
【０６７５】
図１は、本実施の形態における例えば、基地局、アクセスポイント、放送局等の送信装置の構成の一例であり、詳細については、実施の形態１で説明したので、説明は省略する。
【０６７６】
信号処理部１０６は、マッピング後の信号１０５＿１、１０５＿２、信号群１１０、制御信号１００を入力とし、制御信号１００に基づいて、信号処理を行い、信号処理後の信号１０６＿Ａ、１０６＿Ｂを出力する。このとき、信号処理後の信号１０６＿Ａをｕ１（ｉ）、信号処理後の信号１０６＿Ｂをｕ２（ｉ）とあらわす。ｉはシンボル番号であり、例えば、ｉは０以上の整数とする。なお、信号処理の詳細については、図２２を用いて説明する。
【０６７７】
図２２は、図１における信号処理部１０６の構成の一例を示している。重み付け合成部（プリコーディング部）２０３は、マッピング後の信号２０１Ａ（図１のマッピング後の信号１０５＿１）、および、マッピング後の信号２０１Ｂ（図１のマッピング後の信号１０５＿２）、および、制御信号２００（図１の制御信号１００）を入力とし、制御信号２００に基づき重み付け合成（プリコーディング）を行い、重み付け後の信号２０４Ａおよび重み付け後の信号２０４Ｂを出力する。
【０６７８】
このとき、マッピング後の信号２０１Ａをｓ１（ｔ）、マッピング後の信号２０１Ｂをｓ２（ｔ）、重み付け後の信号２０４Ａをｚ１’（ｔ）、重み付け後の信号２０４Ｂをｚ２’（ｔ）とあらわす。なお、ｔは一例として、時間とする。ｓ１（ｔ）、ｓ２（ｔ）、ｚ１’（ｔ）、ｚ２’（ｔ）は複素数で定義され、したがって、実数であってもよい。
【０６７９】
ここでは、時間の関数として扱っているが「周波数（キャリア番号）」の関数としてもよいし、「時間及び周波数」の関数としてもよい。また、「シンボル番号」の関数としてもよい。この点は、実施の形態１でも同様である。
【０６８０】
重み付け合成部（プリコーディング部）２０３は、式（４９）の演算を行う。
【０６８１】
そして、位相変更部２０５Ａは、重み付け合成後の信号２０４Ａ、および、制御信号２００を入力とし、制御信号２００に基づき、重み付け合成後の信号２０４Ａに対し、位相変更を施し、位相変更後の信号２０６Ａを出力する。なお、位相変更後の信号２０６Ａをｚ１（ｔ）であらわし、ｚ１（ｔ）は複素数で定義され、実数であってもよい。
【０６８２】
位相変更部２０５Ａの具体的動作について説明する。位相変更部２０５Ａでは、例えば、ｚ１’（ｉ）に対しｗ（ｉ）の位相変更を施す。したがって、ｚ１（ｉ）＝ｗ（ｉ）×ｚ１’（ｉ）とあらわすことができる。ｉはシンボル番号であり、ｉは０以上の整数である。
【０６８３】
例えば、位相変更の値を式（５０）のように設定する。
【０６８４】
Ｍは２以上の整数であり、Ｍは位相変更の周期となる。Ｍは３以上の奇数に設定するとデータの受信品質が向上する可能性がある。ただし、式（５０）は、あくまでも例であり、これに限ったものではない。そこで、位相変更値ｗ（ｉ）＝ｅｊ×λ（ｉ）であらわす。
【０６８５】
そして、位相変更部２０５Ｂは、重み付け合成後の信号２０４Ｂ、および、制御信号２００を入力とし、制御信号２００に基づき、重み付け合成後の信号２０４Ｂに対し、位相変更を施し、位相変更後の信号２０６Ｂを出力する。なお、位相変更後の信号２０６Ｂをｚ２（ｔ）であらわし、ｚ２（ｔ）は複素数で定義され、実数であってもよい。
【０６８６】
位相変更部２０５Ｂの具体的動作について説明する。位相変更部２０５Ｂでは、例えば、ｚ２’（ｉ）に対しｙ（ｉ）の位相変更を施す。したがって、ｚ２（ｉ）＝ｙ（ｉ）×ｚ２’（ｉ）とあらわすことができる。ｉはシンボル番号であり、ｉは０以上の整数である。
【０６８７】
例えば、位相変更の値を式（２）のように設定する。Ｎは２以上の整数であり、Ｎは位相変更の周期となる。Ｎ≠Ｍを満たす。Ｎは３以上の奇数に設定するとデータの受信品質が向上する可能性がある。ただし、式（２）は、あくまでも例であり、これに限ったものではない。そこで、位相変更値ｙ（ｉ）＝ｅｊ×δ（ｉ）であらわす。
【０６８８】
このときｚ１（ｉ）およびｚ２（ｉ）は式（５１）であらわすことができる。
【０６８９】
なお、δ（ｉ）、およびλ（ｉ）は実数である。そして、ｚ１（ｉ）とｚ２（ｉ）は、同一時間、同一周波数（同一周波数帯）で、送信装置から送信される。式（５１）において、位相変更の値は、式（２）、式（５１）に限ったものではなく、例えば、周期的、規則的に位相を変更するような方法が考えられる。
【０６９０】
そして、実施の形態１で説明したように、式（４９）および式（５１）における行列（プリコーディング行列）としては、式（５）から式（３６）までなどが考えられる。ただし、プリコーディング行列はこれらに限ったものではない。実施の形態１についても同様である。
【０６９１】
挿入部２０７Ａは、重み付け合成後の信号２０４Ａ、パイロットシンボル信号ｐａ（ｔ）２５１Ａ、プリアンブル信号２５２、制御情報シンボル信号２５３、制御信号２００を入力とし、制御信号２００に含まれるフレーム構成の情報に基づき、フレーム構成に基づいたベースバンド信号２０８Ａを出力する。ｔは時間である。
【０６９２】
同様に、挿入部２０７Ｂは、位相変更後の信号２０６Ｂ、パイロットシンボル信号ｐｂ（ｔ）２５１Ｂ、プリアンブル信号２５２、制御情報シンボル信号２５３、制御信号２００を入力とし、制御信号２００に含まれるフレーム構成の情報に基づき、フレーム構成に基づいたベースバンド信号２０８Ｂを出力する。
【０６９３】
位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボル番号ｉ（ｉは０以上の整数とする）の関数とし、ｘ’（ｉ）とあらわす。すると、位相変更後の信号２１０Ｂ（ｘ（ｉ））は、ｘ（ｉ）＝ｅｊ×ε（ｉ）×ｘ’（ｉ）とあらわすことができる。ｊは虚数単位である。
【０６９４】
なお、実施の形態１等で説明したように、位相変更部２０９Ｂの動作としては、非特許文献２、非特許文献３で記載されているＣＤＤ/ＣＳＤであってもよい。そして、位相変更部２０９Ｂは、周波数軸方向に存在するシンボルに対し、位相変更を行う。位相変更部２０９Ｂは、データシンボル、パイロットシンボル、制御情報シンボルなどに対し位相変更を施す。
【０６９５】
図３は、図１の無線部１０７＿Ａ、１０７＿Ｂの構成の一例であり、実施の形態１で詳細の説明を行ったので、説明は省略する。
【０６９６】
図４は、図１の送信信号１０８＿Ａのフレーム構成であり、実施の形態１で詳細の説明を行ったので、説明は省略する。
【０６９７】
図５は、図１の送信信号１０８＿Ｂのフレーム構成であり、実施の形態１で詳細の説明を行ったので、説明は省略する。
【０６９８】
図４のキャリアＡ、時刻＄Ｂにシンボルが存在し、図５のキャリアＡ、時刻＄Ｂにシンボルが存在したとき、図４のキャリアＡ、時刻＄Ｂのシンボルと図５のキャリアＡ、時刻＄Ｂのシンボルは、同一時間、同一周波数に送信される。なお、フレーム構成については、図４、図５に限ったものではなく、あくまでも、図４、図５はフレーム構成の例である。
【０６９９】
そして、図４、図５におけるその他のシンボルは、「図２におけるプリアンブル信号２５２、制御情報シンボル信号２５３」に相当するシンボルであり、したがって、図４のその他のシンボル４０３と同一時刻、かつ、同一周波数（同一キャリア）の図５のその他のシンボル５０３は、制御情報を伝送している場合、同一のデータ（同一の制御情報）を伝送している。
【０７００】
なお、図４のフレームと図５のフレームを受信装置は同時に受信することを想定しているが、図４のフレーム、または、図５のフレームを受信しても受信装置は送信装置が送信したデータを得ることは可能である。
【０７０１】
図６は、図２の制御情報信号２５３を生成するための制御情報生成に関する部分の構成の一例を示しており、実施の形態１で詳細の説明を行ったので、説明は省略する。
【０７０２】
図７は、図１のアンテナ部＃Ａ  １０９＿Ａ、アンテナ部＃Ｂ  １０９＿Ｂの構成の一例を示しており、アンテナ部＃Ａ  １０９＿Ａ、アンテナ部＃Ｂ  １０９＿Ｂが複数のアンテナで構成されている例である。図７は、実施の形態１で詳細の説明を行ったので、説明は省略する。
【０７０３】
図８は、図１の送信装置が、例えば、図４、図５のフレーム構成の送信信号を送信したとき、その変調信号を受信する受信装置の構成の一例を示しており、実施の形態１で詳細の説明を行ったので、説明は省略する。
【０７０４】
図１０は、図８のアンテナ部＃Ｘ  ８０１Ｘ、アンテナ部＃Ｙ  ８０１Ｙの構成の一例を示しており、アンテナ部＃Ｘ  ８０１Ｘアンテナ部＃Ｙ  ８０１Ｙが複数アンテナで構成されている例である。図１０は、実施の形態１で詳細の説明を行ったので、説明は省略する。
【０７０５】
次に、図１のように送信装置の信号処理部１０６が、図２２に示すように、位相変更部２０５Ａ、２０５Ｂと位相変更部２０９Ｂを挿入している。その特徴と、そのときの効果について説明する。
【０７０６】
図４、図５を用いて説明したように、第１の系列を用いてマッピングすることによって得られたマッピング後の信号ｓ１（ｉ）２０１Ａと第２の系列を用いてマッピングすることによって得られたマッピング後の信号ｓ２（ｉ）２０１Ｂに対し、プリコーディング（重み付け合成）を施し、得られた重み付け合成後の信号２０４Ａ、２０４Ｂに対して、位相変更を行っているのが、位相変更部２０５Ａ、２０５Ｂである。ｉはシンボル番号であり、ｉは０以上の整数とする。
【０７０７】
そして、位相変更後の信号２０６Ａと位相変更後の信号２０６Ｂは、同一周波数、同一時間に送信される。したがって、図４、図５において、図４のデータシンボル４０２、図５のデータシンボル５０２に対して、位相変更を施す。
【０７０８】
例えば、図１１は、図４のフレームに対し、キャリア１からキャリア５、時刻＄４から時刻＄６を抽出したものである。なお、図１１は、図４と同様、パイロットシンボル４０１、データシンボル４０２、その他のシンボル４０３を示す。
【０７０９】
上述のように、図１１に示したシンボルにおいて、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）、及び、（キャリア５、時刻＄６）におけるデータシンボルに対し、位相変更部２０５Ａは位相変更を施す。
【０７１０】
よって、図１１に示したデータシンボルに対する位相変更値を、（キャリア１、時刻＄５）では「ｅｊ×λ１５（ｉ）」とし、（キャリア２、時刻＄５）では「ｅｊ×λ２５（ｉ）」とし、（キャリア３、時刻＄５）では「ｅｊ×λ３５（ｉ）」とし、（キャリア４、時刻＄５）では「ｅｊ×λ４５（ｉ）」とし、（キャリア５、時刻＄５）では「ｅｊ×λ５５（ｉ）」とし、（キャリア１、時刻＄６）では「ｅｊ×λ１６（ｉ）」とし、（キャリア２、時刻＄６）では「ｅｊ×λ２６（ｉ）」とし、（キャリア４、時刻＄６）では「ｅｊ×λ４６（ｉ）」とし、（キャリア５、時刻＄６）では「ｅｊ×λ５６（ｉ）」とする。
【０７１１】
一方、図１１に示したシンボルにおいて、（キャリア１、時刻＄４）、（キャリア２、時刻＄４）、（キャリア３、時刻＄４）、（キャリア４、時刻＄４）、及び、（キャリア５、時刻＄４）におけるその他のシンボル、（キャリア３、時刻＄６）におけるパイロットシンボルは、位相変更部２０５Ａの位相変更の対象ではない。
【０７１２】
この点が位相変更部２０５Ａの特徴的な点である。なお、図１１における位相変更の対象である、（キャリア１、時刻＄５）、（キャリア２、時刻＄５）、（キャリア３、時刻＄５）、（キャリア４、時刻＄５）、（キャリア５、時刻＄５）、（キャリア１、時刻＄６、（キャリア２、時刻＄６）、（キャリア４、時刻＄６）、及び、（キャリア５、時刻＄６）におけるデータシンボルと「同一キャリア、同一時刻」には、図４に示したように、データキャリアが配置されている。
【０７１３】
つまり、図４において、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）、及び、（キャリア５、時刻＄６）はデータシンボルである。
【０７１４】
つまり、ＭＩＭＯ伝送を行っている、または、複数のストリームを伝送しているデータシンボルが位相変更部２０５Ａの位相変更の対象である。
【０７１５】
なお、位相変更部２０５Ａがデータシンボルに施す位相変更の例として、式（５０）のように、データシンボルに、規則的な位相変更、つまり、周期Ｎの位相変更を行う方法がある。ただし、データシンボルに施す位相変更方法は、これに限ったものではない。
【０７１６】
例えば、図１１は、図５のフレームに対し、キャリア１からキャリア５、時刻＄４から時刻＄６を抽出したものである。なお、図１１は、図５と同様、パイロットシンボル５０１、データシンボル５０２、その他のシンボル５０３を示す。
【０７１７】
上述のように、図１１に示したシンボルにおいて、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）、及び、（キャリア５、時刻＄６）におけるデータシンボルに対し、位相変更部２０５Ｂは位相変更を施す。
【０７１８】
よって、図１１に示したデータシンボルに対する位相変更値を、（キャリア１、時刻＄５）では「ｅｊ×δ１５（ｉ）」とし、（キャリア２、時刻＄５）では「ｅｊ×δ２５（ｉ）」とし、（キャリア３、時刻＄５）では「ｅｊ×δ３５（ｉ）」とし、（キャリア４、時刻＄５）では「ｅｊ×δ４５（ｉ）」とし、（キャリア５、時刻＄５）では「ｅｊ×δ５５（ｉ）」とし、（キャリア１、時刻＄６）では「ｅｊ×δ１６（ｉ）」とし、（キャリア２、時刻＄６）では「ｅｊ×δ２６（ｉ）」とし、（キャリア４、時刻＄６）では「ｅｊ×δ４６（ｉ）」とし、（キャリア５、時刻＄６）では「ｅｊ×δ５６（ｉ）」とする。
【０７１９】
一方、図１１に示したシンボルにおいて、（キャリア１、時刻＄４）、（キャリア２、時刻＄４）、（キャリア３、時刻＄４）、（キャリア４、時刻＄４）、及び、（キャリア５、時刻＄４）におけるその他のシンボル、（キャリア３、時刻＄６）におけるパイロットシンボルは、位相変更部２０５Ｂの位相変更の対象ではない。
【０７２０】
この点が位相変更部２０５Ｂの特徴的な点である。なお、図１１における位相変更の対象である、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）、及び、（キャリア５、時刻＄６）におけるデータシンボルと「同一キャリア、同一時刻」には、図４に示したように、データキャリアが配置されている。
【０７２１】
つまり、図４において、（キャリア１、時刻＄５）、（キャリア２、時刻＄５）、（キャリア３、時刻＄５）、（キャリア４、時刻＄５）、（キャリア５、時刻＄５）、（キャリア１、時刻＄６）、（キャリア２、時刻＄６）、（キャリア４、時刻＄６）、及び、（キャリア５、時刻＄６）はデータシンボルである。
【０７２２】
つまり、ＭＩＭＯ伝送を行っている、または、複数のストリームを伝送しているデータシンボルが位相変更部２０５Ｂの位相変更の対象である。
【０７２３】
なお、位相変更部２０５Ｂがデータシンボルに施す位相変更の例として、式（２）のように、データシンボルに、規則的な位相変更、つまり、周期Ｎの位相変更を行う方法がある。ただし、データシンボルに施す位相変更方法は、これに限ったものではない。
【０７２４】
このようにすることで、直接波が支配的な環境、例えば、ＬＯＳ環境のときに、ＭＩＭＯ伝送を行っている、または、複数のストリームを伝送しているデータシンボルの受信装置におけるデータの受信品質が向上するという効果を得ることができる。この効果について、説明を行う。
【０７２５】
例えば、図１のマッピング部１０４で使用する変調方式がＱＰＳＫである。図１８のマッピング後の信号２０１ＡはＱＰＳＫの信号であり、また、マッピング後の信号２０１ＢもＱＰＳＫの信号となる。つまり、２つのＱＰＳＫのストリームを送信する。
【０７２６】
すると、図８の信号処理部８１１では、例えば、チャネル推定信号８０６＿１、８０６＿２を用いて、１６個の候補信号点を得る。ＱＰＳＫは２ビットを伝送でき、２ストリームにより、計４ビットを伝送する。よって、２４＝１６個の候補信号点が存在する。
【０７２７】
なお、チャネル推定信号８０８＿１、８０８＿２を用いて、別の１６個の候補信号点を得ることにもなるが、説明は同様となるため、チャネル推定信号８０６＿１、８０６＿２を用いて得られる１６個の候補信号点について、焦点をあて、説明を進める。
【０７２８】
このときの状態の一例を図１２に示す。図１２A、図１２B、いずれも横軸は同相Ｉ、縦軸は直交Ｑであり、同相Ｉ−直交Ｑ平面において、１６個の候補信号点が存在する。１６個の候補信号点のうち、一つが、送信装置が送信した信号点である。このため、「１６個の候補信号点」と呼ぶ。
【０７２９】
直接波が支配的な環境、例えば、ＬＯＳ環境のとき、第１のケースとして、「図２２の位相変更部２０５Ａ、２０５Ｂが存在しない場合、つまり、図２２の位相変更部２０５Ａ、２０５Ｂによる位相変更を行わない場合」を考える。
【０７３０】
「第１のケース」の場合、位相変更が行われないため、図１２Aのような状態に陥る可能性がある。図１２Aの状態に陥った場合、「信号点１２０１、１２０２」、「信号点１２０３、１２０４、１２０５、１２０６」、「信号点１２０７、１２０８」のように、信号点が密の部分が存在するため、図８の受信装置において、データの受信品質が低下する可能性がある。
【０７３１】
この現象を克服するために、図２２において、位相変更部２０５Ａ、２０５Ｂを挿入している。位相変更部２０５Ａ、２０５Ｂを挿入すると、シンボル番号ｉにより、図１２Aに示す「信号点が密の部分」が存在するシンボル番号と、図１２Bに示す「信号点間の距離が長い」というシンボル番号とが混在する。この状態に対し、誤り訂正符号を導入しているため、高い誤り訂正能力を得ることができ、図８の受信装置において、高いデータ受信品質を得ることができる。
【０７３２】
なお、図２２において、パイロットシンボル、プリアンブルなど、データシンボルを復調（検波）するための、チャネル推定を行うための「パイロットシンボル、プリアンブル」に対し、図２２の位相変更部２０５Ａ、２０５Ｂにおいて、位相変更を行わない。これにより、データシンボルにおいて、「シンボル番号ｉにより、図１２Aに示す「信号点が密の部分」が存在するシンボル番号と、図１２Bに示す「信号点間の距離が長い」というシンボル番号とが混在すること」を実現することができる。
【０７３３】
ただし、パイロットシンボル、プリアンブルなど、データシンボルを復調（検波）するための、チャネル推定を行うための「パイロットシンボル、プリアンブル」に対し、図２２の位相変更部２０５Ａ、２０５Ｂにおいて、位相変更を行っても、「データシンボルにおいて、「シンボル番号ｉにより、図１２Aに示す「信号点が密の部分」が存在するシンボル番号と、図１２Bに示す「信号点間の距離が長い」というシンボル番号とが混在すること」を実現することができる」場合がある。
【０７３４】
この場合、パイロットシンボル、プリアンブルに対し、何らかの条件を付加して、位相変更を行わなければならない。例えば、データシンボルに対する位相変更の規則とは別の規則を設けて、「パイロットシンボル、および／または、プリアンブルに対し位相変更を施す」という方法が考えられる。例として、データシンボルに対し規則的に周期Ｎの位相変更を施し、パイロットシンボル、および／または、プリアンブルに対し規則的に周期Ｍの位相変更を施す、という方法がある。Ｎ、Ｍは２以上の整数となる。
【０７３５】
前述より、位相変更部２０９Ａは、ベースバンド信号２０８Ａ、および、制御信号２００を入力とし、ベースバンド信号２０８Ａに対し、制御信号２００に基づいて、位相変更を行い、位相変更後の信号２１０Ａを出力する。ベースバンド信号２０８Ａをシンボル番号ｉの関数とし、ｘ’（ｉ）とあらわす。すると、位相変更後の信号ｘ（ｉ）２１０Ａは、ｘ（ｉ）＝ｅｊ×ε（ｉ）×ｘ’（ｉ）とあらわすことができる。ｉは０以上の整数であり、ｊは虚数単位である。
【０７３６】
そして、位相変更部２０９Ａの動作としては、非特許文献２、非特許文献３で記載されているＣＤＤ/ＣＳＤであってもよい。そして、位相変更部２０９Ａは、周波数軸方向に存在するシンボルに対し、位相変更を行う。位相変更部２０９Ａは、データシンボル、パイロットシンボル、制御情報シンボルなどに対し位相変更を施す。
【０７３７】
したがって、このケースの場合、シンボル番号ｉの対象となるシンボルは、データシンボル、パイロットシンボル、制御情報シンボル、プリアンブル（その他のシンボル）などとなる。図２２の場合、位相変更部２０９Ａは、ベースバンド信号２０８Ａに対して位相変更を施しているため、図４に記載されている各シンボルに対して位相変更を施す。
【０７３８】
したがって、図４のフレームにおいて、時刻＄１の全てのキャリアの全てのシンボル（その他のシンボル４０３）に対し、図２２の位相変更部２０９Ａは、位相変更を施す。
【０７３９】
同様に、図２２の位相変更部２０９Ａは、下記のシンボルに対し、位相変更を施す
「時刻＄２の全てのキャリアの全てのシンボル（その他のシンボル４０３）」
「時刻＄３の全てのキャリアの全てのシンボル（その他のシンボル４０３）」
「時刻＄４の全てのキャリアの全てのシンボル（その他のシンボル４０３）」
「時刻＄５の全てのキャリアの全てのシンボル（パイロットシンボル４０１、または、データシンボル４０２）」
「時刻＄６の全てのキャリアの全てのシンボル（パイロットシンボル４０１、または、データシンボル４０２）」
「時刻＄７の全てのキャリアの全てのシンボル（パイロットシンボル４０１、または、データシンボル４０２）」
「時刻＄８の全てのキャリアの全てのシンボル（パイロットシンボル４０１、または、データシンボル４０２）」
「時刻＄９の全てのキャリアの全てのシンボル（パイロットシンボル４０１、または、データシンボル４０２）」
「時刻＄１０の全てのキャリアの全てのシンボル（パイロットシンボル４０１、または、データシンボル４０２）」
「時刻＄１１の全てのキャリアの全てのシンボル（パイロットシンボル４０１、または、データシンボル４０２）」、上記以外の時刻、キャリアについての記載は省略する。
【０７４０】
前述より、位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボル番号ｉの関数とし、ｙ’（ｉ）とあらわす。すると、位相変更後の信号ｙ（ｉ）２１０Ｂは、ｙ（ｉ）＝ｅｊ×η（ｉ）×ｙ’（ｉ）とあらわすことができる。ｉは０以上の整数であり、ｊは虚数単位である。
【０７４１】
そして、位相変更部２０９Ｂの動作としては、非特許文献２、非特許文献３で記載されているＣＤＤ/ＣＳＤであってもよい。そして、位相変更部２０９Ｂは、周波数軸方向に存在するシンボルに対し、位相変更を行う点である。位相変更部２０９Ｂは、データシンボル、パイロットシンボル、制御情報シンボルなどに対し位相変更を施す。
【０７４２】
したがって、このケースの場合、シンボル番号ｉの対象となるシンボルは、データシンボル、パイロットシンボル、制御情報シンボル、プリアンブル（その他のシンボル）などとなる。図２２の場合、位相変更部２０９Ｂは、ベースバンド信号２０８Ｂに対して位相変更を施しているため、図５に記載されている各シンボルに対して位相変更を施す。
【０７４３】
したがって、図５のフレームにおいて、時刻＄１の全てのキャリアの全てのシンボル（その他のシンボル５０３）に対し、図２２の位相変更部２０９Ｂは、位相変更を施す。
【０７４４】
同様に、図２２の位相変更部２０９Ｂは、下記のシンボルに対し、位相変更を施す
「時刻＄２の全てのキャリアの全てのシンボル（その他のシンボル５０３）」、
「時刻＄３の全てのキャリアの全てのシンボル（その他のシンボル５０３）」、
「時刻＄４の全てのキャリアの全てのシンボル（その他のシンボル５０３）」、
「時刻＄５の全てのキャリアの全てのシンボル（パイロットシンボル５０１、または、データシンボル５０２）」、
「時刻＄６の全てのキャリアの全てのシンボル（パイロットシンボル５０１、または、データシンボル５０２）」、
「時刻＄７の全てのキャリアの全てのシンボル（パイロットシンボル５０１、または、データシンボル５０２）」、
「時刻＄８の全てのキャリアの全てのシンボル（パイロットシンボル５０１、または、データシンボル５０２）」、
「時刻＄９の全てのキャリアの全てのシンボル（パイロットシンボル５０１、または、データシンボル５０２）」、
「時刻＄１０の全てのキャリアの全てのシンボル（パイロットシンボル５０１、または、データシンボル５０２）」、
「時刻＄１１の全てのキャリアの全てのシンボル（パイロットシンボル５０１、または、データシンボル５０２）」、上記以外の時刻、キャリアの記載は省略する。
【０７４５】
図１３は、図１の送信信号１０８＿Ａの図４とは異なるフレーム構成であり、実施の形態１において、詳細の説明を行ったので、説明を省略する。
【０７４６】
図１４は、図１の送信信号１０８＿Ｂの図５とは異なるフレーム構成であり、実施の形態１において、詳細の説明を行ったので、説明を省略する。
【０７４７】
図１３のキャリアＡ、時刻＄Ｂにシンボルが存在し、図１４のキャリアＡ、時刻＄Ｂにシンボルが存在したとき、図１３のキャリアＡ、時刻＄Ｂのシンボルと図１４のキャリアＡ、時刻＄Ｂのシンボルは、同一時間、同一周波数に送信される。なお、図１３、図１４のフレーム構成は、あくまでも例である。
【０７４８】
そして、図１３、図１４におけるその他のシンボルは、「図２２におけるプリアンブル信号２５２、制御情報シンボル信号２５３」に相当するシンボルであり、したがって、図１３のその他のシンボル４０３と同一時刻、かつ、同一周波数（同一キャリア）の図１４のその他のシンボル５０３は、制御情報を伝送している場合、同一のデータ（同一の制御情報）を伝送している。
【０７４９】
なお、図１３のフレームと図１４のフレームを受信装置は同時に受信することを想定しているが、図１３のフレーム、または、図１４のフレームを受信しても受信装置は送信装置が送信したデータを得ることは可能である。
【０７５０】
位相変更部２０９Ａは、ベースバンド信号２０８Ａ、および、制御信号２００を入力とし、ベースバンド信号２０８Ａに対し、制御信号２００に基づいて、位相変更を行い、位相変更後の信号２１０Ａを出力する。ベースバンド信号２０８Ａをシンボルシンボル番号ｉの関数とし、ｘ’（ｉ）とあらわす。すると、位相変更後の信号ｘ（ｉ）２１０Ａは、ｘ（ｉ）＝ｅｊ×ε（ｉ）×ｘ’（ｉ）とあらわす。ｉは０以上の整数であり、ｊは虚数単位である。
【０７５１】
そして、位相変更部２０９Ａの動作としては、非特許文献２、非特許文献３で記載されているＣＤＤ/ＣＳＤであってもよい。そして、位相変更部２０９Ａは、周波数軸方向に存在するシンボルに対し、位相変更を行う。位相変更部２０９Ａは、データシンボル、パイロットシンボル、制御情報シンボルなどに対し位相変更を施す。
【０７５２】
このとき、ヌルシンボルも位相変更の対象と考えることができる。したがって、このケースの場合、シンボル番号ｉの対象となるシンボルは、データシンボル、パイロットシンボル、制御情報シンボル、プリアンブル（その他のシンボル）、ヌルシンボルなどとなる。
【０７５３】
しかし、ヌルシンボルは、同相成分Ｉがゼロ（０）、かつ、直交成分Ｑがゼロ（０）であるため、ヌルシンボルに対し位相変更を行っても位相変更前の信号と位相変更後の信号は同じである。
【０７５４】
したがって、ヌルシンボルは位相変更の対象でないと解釈することも可能である。図２２の場合、位相変更部２０９Ａは、ベースバンド信号２０８Ａに対して位相変更を施しているため、図１３に記載されている各シンボルに対して位相変更を施す。
【０７５５】
したがって、図１３のフレームにおいて、時刻＄１の全てのキャリアの全てのシンボル（その他のシンボル４０３）に対し、図２２の位相変更部２０９Ａは、位相変更を施す。ただし、ヌルシンボル１３０１の位相変更の扱いについては前に説明したとおりである。
【０７５６】
同様に、図２２の位相変更部２０９Ａは、下記のシンボルに対し、位相変更を施す
「時刻＄２の全てのキャリアの全てのシンボル（その他のシンボル４０３）」、
「時刻＄３の全てのキャリアの全てのシンボル（その他のシンボル４０３）」、
「時刻＄４の全てのキャリアの全てのシンボル（その他のシンボル４０３）」、
「時刻＄５の全てのキャリアの全てのシンボル（パイロットシンボル４０１、または、データシンボル４０２）」、
「時刻＄６の全てのキャリアの全てのシンボル（パイロットシンボル４０１、または、データシンボル４０２となる。）」、
「時刻＄７の全てのキャリアの全てのシンボル（パイロットシンボル４０１、または、データシンボル４０２）」、
「時刻＄８の全てのキャリアの全てのシンボル（パイロットシンボル４０１、または、データシンボル４０２）」、
「時刻＄９の全てのキャリアの全てのシンボル（パイロットシンボル４０１、または、データシンボル４０２）」、
「時刻＄１０の全てのキャリアの全てのシンボル（パイロットシンボル４０１、または、データシンボル４０２となる。）」、
「時刻＄１１の全てのキャリアの全てのシンボル（パイロットシンボル４０１、または、データシンボル４０２）」。ただし、全ての時刻、全てのキャリアにおいて、ヌルシンボル１３０１の位相変更の扱いについては前に説明したとおりである。上記以外の時刻、キャリアについて記載を省略する。
【０７５７】
位相変更部２０９Ａにおける位相変更値をΩ（ｉ）とあらわす。ベースバンド信号２０８Ａはｘ’（ｉ）であり、位相変更後の信号２１０Ａはｘ（ｉ）である。したがって、ｘ（ｉ）＝Ω（ｉ）×ｘ’（ｉ）が成立する。
【０７５８】
例えば、位相変更の値を式（３８）と設定する。Ｑは２以上の整数であり、Ｑは位相変更の周期となる。ｊは虚数単位である。ただし、式（３８）は、あくまでも例であり、これに限ったものではない。
【０７５９】
例えば、周期Ｑを持つように位相変更を行うようにΩ（ｉ）を設定してもよい。
【０７６０】
また、例えば、図４、図１３において、同一キャリアに対して、同一の位相変更値を与え、キャリアごとに位相変更値を設定するとしてもよい。例えば、以下のようになる。
・図４、図１３におけるキャリア１に対し、時刻によらず、位相変更値を式（３９）とする。
・図４、図１３におけるキャリア２に対し、時刻によらず、位相変更値を式（４０）とする。
・図４、図１３におけるキャリア３に対し、時刻によらず、位相変更値を式（４１）とする。
・図４、図１３におけるキャリア４に対し、時刻によらず、位相変更値を式（４２）とする。上記以外のキャリアについては記載を省略する。
【０７６１】
以上が、図２２の位相変更部２０９Ａの動作例となる。
【０７６２】
位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボルシンボル番号ｉの関数とし、ｙ’（ｉ）とあらわす。すると、位相変更後の信号ｘ（ｉ）２１０Ｂは、ｙ（ｉ）＝ｅｊ×η（ｉ）×ｙ’（ｉ）とあらわす。ｉは０以上の整数であり、ｊは虚数単位である。
【０７６３】
そして、位相変更部２０９Ｂの動作としては、非特許文献２、非特許文献３で記載されているＣＤＤ/ＣＳＤであってもよい。そして、位相変更部２０９Ｂは、周波数軸方向に存在するシンボルに対し、位相変更を行う点である。位相変更部２０９Ｂは、データシンボル、パイロットシンボル、制御情報シンボルなどに対し位相変更を施す。
【０７６４】
このとき、ヌルシンボルも位相変更の対象と考えることができる。したがって、このケースの場合、シンボル番号ｉの対象となるシンボルは、データシンボル、パイロットシンボル、制御情報シンボル、プリアンブル（その他のシンボル）、ヌルシンボルなどとなる。
【０７６５】
しかし、ヌルシンボルは、同相成分Ｉがゼロ（０）、かつ、直交成分Ｑがゼロ（０）であるため、ヌルシンボルに対し位相変更を行っても位相変更前の信号と位相変更後の信号は同じである。したがって、ヌルシンボルは位相変更の対象でないと解釈することも可能である。図２２の場合、位相変更部２０９Ｂは、ベースバンド信号２０８Ｂに対して位相変更を施しているため、図１４に記載されている各シンボルに対して位相変更を施す。
【０７６６】
したがって、図１４のフレームにおいて、時刻＄１の全てのキャリアの全てのシンボル（その他のシンボル５０３）に対し、図２２の位相変更部２０９Ｂは、位相変更を施す。ただし、ヌルシンボル１３０１の位相変更の扱いについては前に説明したとおりである。
【０７６７】
同様に、図２２の位相変更部２０９Ｂは、下記のシンボルに対し、位相変更を施す
「時刻＄２の全てのキャリアの全てのシンボル（その他のシンボル５０３）」
「時刻＄３の全てのキャリアの全てのシンボル（その他のシンボル５０３）」
「時刻＄４の全てのキャリアの全てのシンボル（その他のシンボル５０３）」
「時刻＄５の全てのキャリアの全てのシンボル（パイロットシンボル５０１、または、データシンボル５０２）」
「時刻＄６の全てのキャリアの全てのシンボル（パイロットシンボル５０１、または、データシンボル５０２）」
「時刻＄７の全てのキャリアの全てのシンボル（パイロットシンボル５０１、または、データシンボル５０２）」
「時刻＄８の全てのキャリアの全てのシンボル（パイロットシンボル５０１、または、データシンボル５０２）」
「時刻＄９の全てのキャリアの全てのシンボル（パイロットシンボル５０１、または、データシンボル５０２）」
「時刻＄１０の全てのキャリアの全てのシンボル（パイロットシンボル５０１、または、データシンボル５０２）」
「時刻＄１１の全てのキャリアの全てのシンボル（パイロットシンボル５０１、または、データシンボル５０２）」、ただし、全ての時刻、全てのキャリアにおいて、ヌルシンボル１３０１の位相変更の扱いについては前に説明したとおりである。上記以外の時刻、キャリアについての記載を省略する。
【０７６８】
位相変更部２０９Ｂにおける位相変更値をΔ（ｉ）とあらわす。ベースバンド信号２０８Ｂはｙ’（ｉ）であり、位相変更後の信号２１０Ｂはｙ（ｉ）である。したがって、ｙ（ｉ）＝Δ（ｉ）×ｙ’（ｉ）が成立する。
【０７６９】
例えば、位相変更の値を式（４９）と設定する。Ｒは２以上の整数であり、Ｒは位相変更の周期となる。なお、式（３８）のＱとＲの値が異なる値であるとよい。
【０７７０】
例えば、周期Ｒを持つように位相変更を行うようにΔ（ｉ）を設定してもよい。
【０７７１】
また、例えば、図５、図１４において、同一キャリアに対して、同一の位相変更値を与え、キャリアごとに位相変更値を設定するとしてもよい。例えば、以下のようになる。
・図５、図１４におけるキャリア１に対し、時刻によらず、位相変更値を式（３９）とする。
・図５、図１４におけるキャリア２に対し、時刻によらず、位相変更値を式（４０）とする。
・図５、図１４におけるキャリア３に対し、時刻によらず、位相変更値を式（４１）とする。
・図５、図１４におけるキャリア４に対し、時刻によらず、位相変更値を式（４２）とする。上記以外のキャリアについての記載を省略する。
【０７７２】
以上が、図２０の位相変更部２０９Ｂの動作例となる。
【０７７３】
図２２の位相変更部２０９Ａ、２０９Ｂにより得られる効果について説明する。
【０７７４】
「図４および図５のフレーム」、または、「図１３および図１４のフレーム」のその他のシンボル４０３、５０３には、制御情報シンボルが含まれている。前述より、その他のシンボル４０３と同一時刻、かつ、同一の周波数（同一のキャリア）の図５のその他のシンボル５０３は、制御情報を伝送している場合、同一データ（同一の制御情報）を送信している。
【０７７５】
ところで、ケース２として、「制御情報シンボルを、図１のアンテナ部＃Ａ  １０９＿Ａ、または、アンテナ部＃Ｂ  １０９＿Ｂのいずれか一方のアンテナ部を用いて送信する。」を考える。
【０７７６】
「ケース２」のように送信した場合、制御情報シンボルを送信するアンテナ数が１のため、「アンテナ部＃Ａ  １０９＿Ａとアンテナ部＃Ｂ  １０９＿Ｂの両者を用いて制御情報シンボルを送信する」場合と比較して、空間ダイバーシチのゲインが小さくなるため、「ケース２」の際、図８の受信装置で受信してもデータの受信品質が低下する。したがって、データの受信品質の向上という点では、「アンテナ部＃Ａ  １０９＿Ａとアンテナ部＃Ｂ  １０９＿Ｂの両者を用いて制御情報シンボルを送信する」ほうがよい。
【０７７７】
ケース３として、「制御情報シンボルを、図１のアンテナ部＃Ａ  １０９＿Ａとアンテナ部＃Ｂ  １０９＿Ｂの両者を用いて送信する。ただし、図２２における位相変更部２０９Ａ、２０９Ｂで位相変更を行わない。」を考える。
【０７７８】
「ケース３」のように送信した場合、アンテナ部＃Ａ  １０９＿Ａから送信した変調信号とアンテナ部＃Ｂ  １０９＿Ｂから送信した変調信号が同一である、または、特定の位相のずれがあるため、電波の伝搬環境によっては、図８の受信装置は、非常に劣悪な受信信号になる可能性があり、両者の変調信号が同一のマルチパスの影響を受ける可能性がある。これにより、図８の受信装置において、データの受信品質が低下するという現象がある。
【０７７９】
この現象を軽減するために、図２２において、位相変更部２０９Ａ、２０９Ｂを設けている。これにより、時間、または、周波数方向で、位相を変更しているため、図８の受信装置において、劣悪な受信信号となる可能性を低減することができる。また、アンテナ部＃Ａ  １０９＿Ａから送信した変調信号が受けるマルチパスの影響とアンテナ部＃Ｂ  １０９＿Ｂから送信した変調信号が受けるマルチパスの影響に違いがある可能性が高いため、ダイバーシチゲインが得られる可能性が高く、これにより、図８の受信装置において、データの受信品質が向上する。
【０７８０】
以上の理由から、図２２において、位相変更部２０９Ａ、２０９Ｂを設け、位相変更を施している。
【０７８１】
その他のシンボル４０３、および、その他のシンボル５０３には、制御情報シンボル以外に、例えば、信号検出のためシンボル、周波数同期及び時間同期を行うためのシンボル、チャネル推定のためのシンボルが、制御情報シンボルを復調及び復号するために含まれいてる。また、「図４および図５のフレーム」、または、「図１３および図１４のフレーム」には、パイロットシンボル４０１、５０１が含まれており、これらを用いることで、制御情報シンボルをより高精度に復調及び復号を行うことが可能となる。
【０７８２】
そして、「図４および図５のフレーム」、または、「図１３および図１４のフレーム」には、データシンボル４０２、および、データシンボル５０２により、同一周波数（周波数帯）、同一時間を用いて、複数のストリームを伝送している、または、ＭＩＭＯ伝送を行っている。これらのデータシンボルを復調するためには、その他のシンボル４０３、および、その他のシンボル５０３に含まれている、信号検出のためのシンボル、周波数同期及び時間同期を行うためのシンボル、チャネル推定のためのシンボルを用いる。
【０７８３】
このとき、「その他のシンボル４０３、および、その他のシンボル５０３に含まれている、信号検出のためのシンボル、周波数同期及び時間同期を行うためのシンボル、チャネル推定のためのシンボル」は、前述より、位相変更部２０９Ａ、２０９Ｂにより、位相変更を行っている。
【０７８４】
そのような状況の中、データシンボル４０２、および、データシンボル５０２に対し（上述の説明の場合は、データシンボル４０２に対し）、この処理を反映させなかった場合、受信装置において、データシンボル４０２、および、データシンボル５０２を復調及び復号する場合、位相変更部２０９Ａで行った位相変更に対する処理を反映させた復調及び復号を行う必要があり、その処理は複雑となる可能性が高い。
【０７８５】
「その他のシンボル４０３、および、その他のシンボル５０３に含まれている、信号検出のためのシンボル、周波数同期及び時間同期を行うためのシンボル、チャネル推定のためのシンボル」は、位相変更部２０９Ａ、２０９Ｂにより、位相変更を行っているためである。
【０７８６】
しかし、図２２に示すように、位相変更部２０９Ａ、２０９Ｂにおいて、データシンボル４０２、および、データシンボル５０２に対し、位相変更を施した場合、受信装置において、「その他のシンボル４０３、および、その他のシンボル５０３に含まれている、信号検出のためのシンボル、周波数同期及び時間同期を行うためのシンボル、チャネル推定のためのシンボル」を用いて推定した、チャネル推定信号（伝搬路変動の推定信号）を用いて、簡単にデータシンボル４０２、および、データシンボル５０２を復調及び復号を行うことができるという利点がある。
【０７８７】
加えて、図２２に示すように、位相変更部２０９Ａ、２０９Ｂにおいて、データシンボル４０２、および、データシンボル５０２に対し、位相変更を施した場合、マルチパスにおける、周波数軸における、電界強度の急激な落ち込みの影響を少なくすることができ、これにより、データシンボル４０２、および、データシンボル５０２のデータの受信品質が向上するという効果を得ることができる可能性がある。
【０７８８】
このように、「位相変更部２０５Ａ、２０５Ｂの位相変更を施すシンボルの対象」と「位相変更部２０９Ａ、２０９Ｂの位相変更を施すシンボルの対象」が異なる点が特徴的な点となる。
【０７８９】
以上のように、図２２の位相変更部２０５Ｂにより位相変更を行うことで、データシンボル４０２、および、データシンボル５０２の、例えば、ＬＯＳ環境において、受信装置におけるデータの受信品質が向上するという効果を得ることができ、図２２の位相変更部２０９Ａ、２０９Ｂにより位相変更を行うことで、例えば、「図４および図５のフレーム」、または、「図１３および図１４のフレーム」に含まれる制御情報シンボルの、受信装置における受信品質が向上し、データシンボル４０２、および、データシンボル５０２の復調及び復号の動作が簡単になるという効果を得ることができる。
【０７９０】
なお、図２２の位相変更部２０５Ａ、２０５Ｂにより位相変更を行うことで、データシンボル４０２、および、データシンボル５０２の、例えば、ＬＯＳ環境において、受信装置におけるデータの受信品質が向上するという効果を得ることができ、さらに、データシンボル４０２、および、データシンボル５０２に対して、図２２の位相変更部２０９Ａ、２０９Ｂにより位相変更を行うことで、データシンボル４０２、および、データシンボル５０２の受信品質が向上する。
【０７９１】
なお、式（３８）におけるＱは―２以下の整数であってもよく、このとき、位相変更の周期は、Ｑの絶対値となる。この点については、実施の形態１にも適用することができる。
【０７９２】
そして、式（４９）におけるＲは−２以下の整数であってもよく、このとき、位相変更の周期はＲの絶対値となる。
【０７９３】
また、補足１で説明した内容を考慮すると、位相変更部２０９Ａにおいて設定する巡回遅延量と位相変更部２０９Ｂにおいて設定する巡回遅延量を異なる値とするとよい。
【０７９４】
（実施の形態７）
本実施の形態では、実施の形態１から実施の形態６で説明した送信方法、受信方法を用いた通信システムの例について説明する。
【０７９５】
図２３は、本実施の形態における基地局、または、アクセスポイントなどの構成の一例を示している。
【０７９６】
送信装置２３０３は、データ２３０１、信号群２３０２、制御信号２３０９を入力とし、データ２３０１、信号群２３０２に対応する変調信号を生成し、アンテナから変調信号を送信する。
【０７９７】
このとき、送信装置２３０３の構成の一例としては、例えば、図１に示したとおりであり、データ２３０１は図１のデータ１０１に相当し、信号群２３０２は図１の信号群１１０に相当し、制御信号２３０９は図１の制御信号１００に相当する。
【０７９８】
受信装置２３０４は、通信相手、例えば、端末が送信した変調信号を受信し、この変調信号に対し、信号処理及び復調及び復号を行い、通信相手からの制御情報信号２３０５、および、受信データ２３０６を出力する。
【０７９９】
このとき、受信装置２３０４の構成の一例としては、例えば、図８に示したとおりであり、受信データ２３０６は図８の受信データ８１２に相当し、通信相手からの制御情報信号２３０５は図８の制御信号８１０に相当する。
【０８００】
制御信号生成部２３０８は、通信相手からの制御情報信号２３０５、および、設定信号２３０７を入力とし、これらに基づき、制御信号２３０９を生成し、出力する。
【０８０１】
図２４は、図２３の基地局の通信相手である端末の構成の一例を示している。
【０８０２】
送信装置２４０３は、データ２４０１、信号群２４０２、制御信号２４０９を入力とし、データ２４０１、信号群２４０２に対応する変調信号を生成し、アンテナから変調信号を送信する。
【０８０３】
このとき、送信装置２４０３の構成の一例としては、例えば、図１に示したとおりであり、データ２４０１は図１のデータ１０１に相当し、信号群２４０２は図１の信号群１１０に相当し、制御信号２４０９は図１の制御信号１００に相当する。
【０８０４】
受信装置２４０４は、通信相手、例えば、基地局が送信した変調信号を受信し、この変調信号に対し、信号処理及び復調及び復号を行い、通信相手からの制御情報信号２４０５、および、受信データ２４０６を出力する。
【０８０５】
このとき、受信装置２４０４の構成の一例としては、例えば、図８に示したとおりであり、受信データ２４０６は図８の受信データ８１２に相当し、通信相手からの制御情報信号２４０５は図８の制御信号８１０に相当する。
【０８０６】
制御信号生成部２４０８は、通信相手からの制御情報信号２３０５、および、設定信号２４０７を入力とし、これらの情報に基づき、制御信号２４０９を生成し、出力する。
【０８０７】
図２５は、図２４の端末が送信する変調信号のフレーム構成の一例を示しており、横軸を時間とする。プリアンブル２５０１は、通信相手（例えば、基地局）が信号検出、周波数同期、時間同期、周波数オフセットの推定、チャネル推定を行うためのシンボルであり、例えば、ＰＳＫのシンボルである。また、指向性制御を行うためのトレーニングシンボルを含んでいてもよい。なお、ここでは、プリアンブルと名付けているが、他の呼び方をしてもよい。
【０８０８】
図２５は、制御情報シンボル２５０２、通信相手に伝送するデータを含むデータシンボル２５０３を示す。
【０８０９】
制御情報シンボル２５０２には、例えば、データシンボル２５０３を生成するのに使用した誤り訂正符号の方法、例えば、符号長（ブロック長）、符号化率の情報、変調方式の情報、および、通信相手に通知するための制御情報などが含まれている。
【０８１０】
なお、図２５は、あくまでもフレーム構成の一例であって、このフレーム構成に限ったものではない。また、図２５に示したシンボルの中に別のシンボル、例えば、パイロットシンボルやリファレンスシンボルが含まれていてもよい。そして、図２５において、縦軸に周波数があり、周波数軸方向（キャリア方向）にシンボルが存在していてもよい。
【０８１１】
図２３の基地局が送信するフレーム構成の一例は、例えば、図４、図５、図１３、図１４を用いて説明したとおりであり、ここでは詳細の説明は省略する。なお、その他のシンボル４０３、５０３には、指向性制御を行うためのトレーニングシンボルを含んでいてもよい。したがって、本実施の形態では、基地局は、複数の変調信号を複数のアンテナを用いて送信する場合を含んでいる。
【０８１２】
以上のような通信システムにおいて、以下では、基地局の動作について、詳しく説明する。
【０８１３】
図２３の基地局の送信装置２３０３は、図１の構成をもつ。そして、図１の信号処理部１０６は、図２、図１８、図１９、図２０、図２１、図２２、図２８、図２９、図３０、図３１、図３２、図３３のいずれかの構成をもつ。なお、図２８、図２９、図３０、図３１、図３２、図３３については、後で説明を行う。このとき、位相変更部２０５Ａ、２０５Ｂの動作を通信環境や設定状況によって切り替えてもよい。そして、位相変更部２０５Ａ、２０５Ｂの動作に関する制御情報を、フレーム構成図４、図５、図１３、図１４におけるその他のシンボル４０３、５０３の制御情報シンボルで伝送する制御情報の一部として、基地局が送信する。
【０８１４】
このとき、位相変更部２０５Ａ、２０５Ｂの動作に関する制御情報をｕ０，ｕ１とする。［ｕ０  ｕ１］と位相変更部２０５Ａ、２０５Ｂの関係を表１に示す。なお、ｕ０，ｕ１は、その他のシンボル４０３、５０３の制御情報シンボルの一部として、例えば、基地局が送信する。そして、端末は、その他のシンボル４０３、５０３の制御情報シンボルに含まれる［ｕ０  ｕ１］を得、［ｕ０  ｕ１］から位相変更部２０５Ａ、２０５Ｂの動作を知り、データシンボルの復調及び復号を行う。
【０８１５】
【表１】
2017061113.tif 000055
【０８１６】
表１の解釈は以下のようになる。
・「位相変更部２０５Ａ、２０５Ｂは位相変更を行わない。」と基地局が設定したとき、「ｕ０＝０，ｕ１＝０」と設定する。よって、位相変更部２０５Ａは、入力信号（２０４Ａ）に対し、位相変更を行わずに、信号２０６Ａを出力する。同様に、位相変更部２０５Ｂは、入力信号２０４Ｂに対し、位相変更を行わずに、信号２０６Ｂを出力する。
・「位相変更部２０５Ａ、２０５Ｂが、周期的／規則的にシンボルごとに位相変更を行う。」と基地局が設定したとき、「ｕ０＝０，ｕ１＝１」と設定する。なお、位相変更部２０５Ａ、２０５Ｂが、周期的／規則的にシンボルごとに位相変更を変更する方法の詳細については、実施の形態１から実施の形態６で説明したとおりであるので、詳細の説明を省略する。そして、図１の信号処理部１０６が、図２０、図２１、図２２のいずれかの構成を持つ場合、「位相変更部２０５Ａが周期的／規則的にシンボルごとに位相変更を行い、位相変更部２０５Ｂが周期的／規則的にシンボルごとに位相変更を行わない」「位相変更部２０５Ａが周期的／規則的にシンボルごとに位相変更を行わない、位相変更部２０５Ｂが周期的／規則的にシンボルごとに位相変更を行う」ときについても「ｕ０＝０，ｕ１＝１」と設定する。
・「位相変更部２０５Ａ、２０５Ｂが特定の位相変更値で位相変更を施す」と基地局が設定したとき、「ｕ０＝１，ｕ１＝０」と設定する。ここで、「特定の位相変更値で位相変更を施す」について説明する。
【０８１７】
例えば、位相変更部２０５Ａにおいて、特定の位相変更値で位相変更を施す。このとき、入力信号（２０４Ａ）をｚ１（ｉ）とする。ｉはシンボル番号である。すると、「特定の位相変更値で位相変更を施した」場合、出力信号２０６Ａは、ｅｊα×ｚ１（ｉ）とあらわされる。αは実数であり、特定の位相変更値となる。このとき、振幅を変更してもよく、この場合、出力信号２０６Ａは、Ａ×ｅｊα×ｚ１（ｉ）とあらわされる。Ａは実数である。
【０８１８】
同様に、位相変更部２０６Ａにおいて、特定の位相変更値で位相変更を施す。このとき、入力信号２０４Ｂをｚ２（ｔ）とする。ｉはシンボル番号である。すると、「特定の位相変更値で位相変更を施した」場合、出力信号２０６Ｂは、ｅｊβ×ｚ２（ｉ）とあらわされる。αは実数であり、特定の位相変更値となる。このとき、振幅を変更してもよく、この場合、出力信号２０６Ｂは、Ｂ×ｅｊβ×ｚ２（ｉ）とあらわされる。Ｂは実数である。
【０８１９】
なお、図１の信号処理部１０６が、図２０、図２１、図２２、図３１、図３２、図３３のいずれかの構成を持つ場合、「位相変更部２０５Ａが特定の位相変更値で位相変更を施し、位相変更部２０５Ｂが特定の位相変更値で位相変更を施さない」、「位相変更部２０５Ａが特定の位相変更値で位相変更を施さないものとし、位相変更部２０５Ｂが特定の位相変更値で位相変更を施す」ときについても「ｕ０＝１，ｕ１＝０」と設定する。
【０８２０】
次に、「特定の位相変更値」の設定方法の例について説明を行う。以下では、第１の方法、第２の方法について説明を行う。
【０８２１】
第１の方法：
基地局がトレーニングシンボルを送信する。そして、通信相手である端末が、トレーニングシンボルを用いて、「特定の位相変更値（セット）」の情報を基地局に送信する。基地局は、端末から得た「特定の位相変更値（セット）」の情報に基づいて、位相変更を行う。
【０８２２】
または、基地局がトレーニングシンボルを送信する。そして、通信相手である端末が、トレーニングシンボルの受信結果に関する情報（例えば、チャネル推定値に関する情報）を基地局に送信する。基地局は、端末から得た「トレーニングシンボルの受信結果に関する情報」から、「特定の位相変更値（セット）」の好適な値を求め、位相変更を行う。
【０８２３】
なお、基地局は、設定した「特定の位相変更値（セット）」の値に関する情報を端末に通知する必要があり、この場合、図４、図５、図１３、図１４におけるその他のシンボル４０３、５０３における制御情報シンボルにより、基地局が設定した「特定の位相変更値（セット）」の値に関する情報を伝送する。
【０８２４】
第１の方法の実施例を、図２６を用いて説明する。図２６における（Ａ）は、基地局が送信する時間軸におけるシンボルを示しており、横軸を時間である。そして、図２６における（Ｂ）は、端末が送信する時間軸におけるシンボルを示しており、横軸は時間である。
【０８２５】
以下では、図２６の具体的な説明を行う。まず、端末は、基地局に対し、通信の要求を行う。
【０８２６】
すると、基地局は、少なくとも、「基地局がデータシンボル２６０４を送信するのに使用する“特定の位相変更値（セット）”を推定する」ためのトレーニングシンボル２６０１を送信する。なお、トレーニングシンボル２６０１を用いて、端末は、他の推定を行ってもよく、また、トレーニングシンボル２６０１は、例えば、ＰＳＫ変調を用いるとよい。そして、トレーニングシンボルは、実施の形態１から実施の形態６で説明したパイロットシンボルと同様に、複数のアンテナから送信される。
【０８２７】
端末は、基地局が送信したトレーニングシンボル２６０１を受信し、トレーニングシンボル２６０１を用いて、基地局が具備する、位相変更部２０５Ａ、および／または、位相変更部２０５Ｂで施す、好適な「特定の位相変更値（セット）」を算出し、この算出した値を含むフィードバック情報シンボル２６０２を送信する。
【０８２８】
基地局は、端末が送信したフィードバック情報シンボル２６０２を受信し、このシンボルを復調及び復号し、好適な「特定の位相変更値（セット）」の情報を得る。この情報に基づき、基地局の位相変更部２０５Ａ、および／または、位相変更部２０５Ｂが施す位相変更の位相変更値（セット）が設定される。
【０８２９】
そして、基地局は、制御情報シンボル２６０３、および、データシンボル２６０４を送信するが、少なくともデータシンボル２６０４は、設定された位相変更値（セット）により、位相変更が行われる。
【０８３０】
なお、データシンボル２６０４において、実施の形態１から実施の形態６で説明したように、基地局は、複数の変調信号を複数のアンテナから送信する。ただし、実施の形態１から実施の形態６とは異なり、位相変更部２０５Ａ、および／または、位相変更部２０５Ｂでは、上述で説明した「特定の位相変更値（セット）」による位相変更を行う。
【０８３１】
図２６の基地局、端末のフレーム構成はあくまでも一例であり、他のシンボルが含まれていてもよい。そして、トレーニングシンボル２６０１、フィードバック情報シンボル２６０２、制御情報シンボル２６０３、データシンボル２６０４のそれぞれのシンボルは、例えば、パイロットシンボルのような他のシンボルを含んでいてもよい。また、制御情報シンボル２６０３には、データシンボル２６０４を送信する際に使用した「特定の位相変更値（セット）」の値に関する情報を含んでおり、端末は、この情報を得ることで、データシンボル２６０４の復調及び復号が可能となる。
【０８３２】
実施の形態１から実施の形態６での説明と同様、例えば、基地局が、図４、図５、図１３、図１４のようなフレーム構成で変調信号を送信する場合、上述で説明した位相変更部２０５Ａ、および／または、位相変更部２０５Ｂで施す「特定の位相変更値（セット）」による位相変更は、データシンボル（４０２、５０２）である。そして、位相変更部２０９Ａ、および／または、位相変更部２０９Ｂで施す位相変更の対象となるシンボルは、実施の形態１から実施の形態６での説明と同様、「パイロットシンボル４０１、５０１」、「その他のシンボル４０３、５０３」となる。
【０８３３】
ただし、位相変更部２０５Ａ、および／または、位相変更部２０５Ｂにおいて、「パイロットシンボル４０１、５０１」、「その他のシンボル４０３、５０３」に対しても位相変更を施しても、復調及び復号は可能となる。
【０８３４】
なお、「特定の位相変更値（セット）」と記載している。図２、図１８、図１９、図３１、図３２、図３３の場合、位相変更部２０５Ａは存在せず、位相変更部２０５Ｂが存在する。したがって、この場合、位相変更部２０５Ｂで使用する特定の位相変更値を用意する必要がある。一方、図２０、図２１、図２２、図３１、図３２、図３３の場合、位相変更部２０５Ａ、および、位相変更部２０５Ｂが存在する。この場合、位相変更部２０５Ａで使用する特定の位相変更値＃Ａと、位相変更部２０５Ｂで使用する特定の位相変更値＃Ｂを用意する必要がある。これに伴い、「特定の位相変更値（セット）」と記載した。
【０８３５】
第２の方法：
基地局は、端末に対し、フレームの送信を開始する。その際、基地局は、例えば、乱数の値に基づいて、「特定の位相変更値（セット）」の値を設定し、特定の位相変更値での位相変更を施し、変調信号を送信する。
【０８３６】
その後、端末が、フレームまたは、パケットが得られなかったことを示す情報を基地局に送信し、基地局がこの情報を受信した。
【０８３７】
すると、基地局は、例えば、乱数の値に基づいて、「特定の位相変更値（セット）」の値（特定の位相変更値」のセット）を設定し、変調信号を送信する。このとき、少なくとも、端末が得ることができなかったフレーム（パケット）のデータを含むデータシンボルは、再設定された「特定の位相変更値（セット）」に基づいた位相変更を施した変調信号により、伝送される。つまり、第１のフレーム（パケット）のデータを再送などにより、２回（または２回以上）基地局が送信する場合、一度目に送信する際に使用される「特定の位相変更値（セット）」と二度目に送信する際に使用される「特定の位相変更値（セット）」が異なっているとよい。これにより、再送の場合、二度目の送信により、フレーム、または、パケットを端末が得られる可能性が高くなるという効果を得ることができる。
【０８３８】
以降も、基地局は、端末から、「フレーム、または、パケットが得られなかったという情報」を得たら、例えば、乱数の値に基づいて、「特定の変更値（セット）」の値を変更する。
【０８３９】
なお、基地局は、設定した「特定の位相変更値（セット）」の値に関する情報を端末に通知する必要があり、この場合、図４、図５、図１３、図１４におけるその他のシンボル４０３、５０３における制御情報シンボルにより、基地局が設定した「特定の位相変更値（セット）」の値に関する情報を伝送する。
【０８４０】
なお、上記の第２の方法において、「基地局は、例えば、乱数の値に基づいて、「特定の位相変更値（セット）」の値を設定する」と記載したが、「特定の位相変更値（セット）」の設定はこの方法に限ったものではなく、「特定の位相変更値（セット）」の設定を行う際に、「特定の位相変更値（セット）」が新たに設定されるような構成であれば、どのような方法で「特定の位相変更値（セット）」を設定してもよい。例えば、
・ある規則に基づいて、「特定の位相変更値（セット）」を設定する。
・ランダム的に「特定の位相変更値（セット）」を設定する。
・通信相手から得た情報に基づいて、「特定の位相変更値（セット）」を設定する。
のいずれの方法で、「特定の位相変更値（セット）」を設定してもよい。ただし、これらの方法に限ったものではない。
【０８４１】
第２の方法の実施例を、図２７を用いて説明する。図２７における（Ａ）は、基地局が送信する時間軸におけるシンボルを示しており、横軸は時間である。そして、図２７における（Ｂ）は、端末が送信する時間軸のおけるシンボルを示しており、横軸は時間である。
【０８４２】
以下では、図２７の具体的な説明を行う。
【０８４３】
まず、図２７の説明のために、図２８、図２９、図３０、図３１、図３２、図３３について説明を行う。
【０８４４】
図１における信号処理部１０６の構成の一例として、図２、図１８、図１９、図２０、図２１、図２２の構成を示したが、その変形例の構成を、図２８、図２９、図３０、図３１、図３２、図３３に示す。
【０８４５】
図２８は、図２の構成に対し、位相変更部２０５Ｂの挿入位置を重み付け合成部２０３の前としている例である。次に、図２８の動作について、図２と異なる部分のみ説明する。
【０８４６】
位相変更部２０５Ｂは、マッピング後の信号ｓ２（ｔ）２０１Ｂ、および、制御信号２００を入力とし、制御信号２００に基づき、マッピング後の信号２０１Ｂに対し、位相変更を施し、位相変更後の信号２８０１Ｂを出力する。
【０８４７】
位相変更部２０５Ｂでは、例えば、ｓ２（ｉ）に対しｙ（ｉ）の位相変更を施す。したがって、位相変更後の信号２８０１Ｂをｓ２’（ｉ）とすると、ｓ２’（ｉ）＝ｙ（ｉ）×ｓ２（ｉ）とあらわす。ｉはシンボル番号であり、ｉは０以上の整数である。なお、ｙ（ｉ）の与え方については、実施の形態１で説明したとおりである。
【０８４８】
重み付け合成部２０３は、マッピング後の信号ｓ１（ｉ）２０１Ａ、および、位相変更後の信号ｓ２’（ｉ）２８０１Ｂ、および、制御信号２００を入力とし、制御信号２００に基づいて重み付け合成（プリコーディング）を行い、重み付け合成後の信号２０４Ａおよび重み付け合成後の信号２０４Ｂを出力する。具体的には、マッピング後の信号ｓ１（ｉ）２０１Ａ、および、位相変更後の信号ｓ２’（ｉ）２８０１Ｂで構成するベクトルに対し、プリコーディング行列を乗算し、重み付け合成後の信号２０４Ａおよび重み付け合成後の信号２０４Ｂを得る。なお、プリコーディング行列の構成例については、実施の形態１で説明したとおりである。以降の説明は、図２における説明と同様となるため、説明を省略する。
【０８４９】
図２９は、図１８の構成に対し、位相変更部２０５Ｂの挿入位置を重み付け合成部２０３の前としている例である。このとき、位相変更部２０５Ｂの動作、重み付け合成部２０３の動作については、図２８の説明において、説明を行ったので、説明を省略する。また、重み付け合成部２０３以降の動作については、図１８における説明と同様となるため、説明を省略する。
【０８５０】
図３０は、図１９の構成に対し、位相変更部２０５Ｂの挿入位置を重み付け合成部２０３の前としている例である。このとき、位相変更部２０５Ｂの動作、重み付け合成部２０３の動作については、図２８の説明において、説明を行ったので、説明を省略する。また、重み付け合成部２０３以降の動作については、図１９における説明と同様となるため、説明を省略する。
【０８５１】
図３１は、図２０の構成に対し、位相変更部２０５Ａの挿入位置を重み付け合成部２０３の前とし、かつ、位相変更部２０５Ｂの挿入位置を重み付け合成部２０３の前としている例である。
【０８５２】
位相変更部２０５Ａは、マッピング後の信号ｓ１（ｔ）２０１Ａ、および、制御信号２００を入力とし、制御信号２００に基づき、マッピング後の信号２０１Ａに対し、位相変更を施し、位相変更後の信号２８０１Ａを出力する。
【０８５３】
位相変更部２０５Ａでは、例えば、マッピング後の信号ｓ１（ｉ）に対しｗ（ｉ）の位相変更を施す。したがって、位相変更後の信号ｓ１’（ｉ）２９０１Ａは、ｓ１’（ｉ）＝ｗ（ｉ）×ｓ１（ｉ）とあらわすことができる。ｉはシンボル番号であり、ｉは０以上の整数である。なお、ｗ（ｉ）の与え方については、実施の形態１で説明したとおりである。
【０８５４】
位相変更部２０５Ｂでは、例えば、ｓ２（ｉ）に対しｙ（ｉ）の位相変更を施す。したがって、位相変更後の信号ｓ２’（ｉ）２８０１Ｂは、ｓ２’（ｉ）＝ｙ（ｉ）×ｓ２（ｉ）とあらわすことができる。ｉはシンボル番号であり、ｉは０以上の整数である。なお、ｙ（ｉ）の与え方については、実施の形態１で説明したとおりである。
【０８５５】
重み付け合成部２０３は、位相変更後の信号ｓ１’（ｉ）２８０１Ａおよび、位相変更後の信号ｓ２’（ｉ）２８０１Ｂ、および、制御信号２００を入力とし、制御信号２００に基づいて重み付け合成（プリコーディング）を行い、重み付合成後の信号２０４Ａおよび重み付け合成後の信号２０４Ｂを出力する。具体的には、位相変更後の信号ｓ１’（ｉ）２８０１Ａおよび、位相変更後の信号ｓ２’（ｉ）２８０１Ｂで構成するベクトルに対し、プリコーディング行列を乗算し、重み付け合成後の信号２０４Ａおよび重み付け合成後の信号２０４Ｂを得る。なお、プリコーディング行列の構成例については、実施の形態１で説明したとおりである。以降の説明は、図２０における説明と同様となるため、説明を省略する。
【０８５６】
図３２は、図２１の構成に対し、位相変更部２０５Ａの挿入位置を重み付け合成部２０３の前とし、かつ、位相変更部２０５Ｂの挿入位置を重み付け合成部２０３の前としている例である。このとき、位相変更部２０５Ａの動作、位相変更部２０５Ｂの動作、重み付け合成部２０３の動作については、図３１の説明において、説明を行ったので、説明を省略する。また、重み付け合成部２０３以降の動作については、図２１における説明と同様となるため、説明を省略する。
【０８５７】
図３３は、図２２の構成に対し、位相変更部２０５Ａの挿入位置を重み付け合成部２０３の前とし、かつ、位相変更部２０５Ｂの挿入位置を重み付け合成２０３の前としている例である。このとき、位相変更部２０５Ａの動作、および、位相変更部２０５Ｂの動作、重み付け合成部２０３の動作については、図３１の説明において、説明を行ったので、説明を省略する。また、重み付け合成部２０３以降の動作については、図２２における説明と同様となるため、説明を省略する。
【０８５８】
図２７において、端末は、基地局に対し、通信の要求を行う。
【０８５９】
すると、基地局は、例えば、乱数を用いて、位相変更部２０５Ａ、および／または、位相変更部２０５Ｂで施す位相変更値を「第１の特定の位相変更値（セット）」と決定する。そして、基地局は、決定した「第１の特定の位相変更値（セット）」に基づき、位相変更部２０５Ａ、および／または、位相変更部２０５Ｂにおいて、位相変更を施す。このとき、制御情報シンボル２７０１＿１には、「第１の特定の位相変更値（セット）」の情報が含まれている。
【０８６０】
なお、「第１の特定の位相変更値（セット）」と記載した。図２、図１８、図１９、図２８、図２９、図３０の場合、位相変更部２０５Ａは存在せず、位相変更部２０５Ｂが存在する。したがって、この場合、位相変更部２０５Ｂで使用する第１の特定の位相変更値を用意する必要がある。一方、図２０、図２１、図２２、図３１、図３２、図３３の場合、位相変更部２０５Ａ、および、位相変更部２０５Ｂが存在する。この場合、位相変更部２０５Ａで使用する第１の特定の位相変更値＃Ａと、位相変更部２０５Ｂで使用する第１の特定の位相変更値＃Ｂを用意する必要がある。これに伴い、「第１の特定の位相変更値（セット））」と記載した。
【０８６１】
基地局は、制御情報シンボル２７０１＿１、および、データシンボル＃１  ２７０２＿１を送信するが、少なくともデータシンボル＃１  ２７０２＿１は、決定した「第１の特定の位相変更値（セット）」による位相変更が行われる。
【０８６２】
端末は、基地局が送信した制御情報シンボル２７０１＿１およびデータシンボル＃１  ２７０２＿１を受信し、制御情報シンボル２７０１＿１に含まれる少なくとも「第１の特定の位相変更値（セット）」の情報に基づいて、データシンボル＃１  ２７０２＿１を復調及び復号する。その結果、「データシンボル＃１  ２７０２＿１  に含まれるデータが誤りなく得られた」と、端末が判断した。すると、端末は、「データシンボル＃１  ２７０２＿１に含まれるデータが誤りなく得られた」という情報を少なくとも含む端末送信シンボル２７５０＿１を基地局に対し、送信する。
【０８６３】
基地局は、端末が送信した端末送信シンボル２７５０＿１を受信し、端末送信シンボル２７５０＿１に含まれる少なくとも「データシンボル＃１  ２７０２＿１に含まれるデータが誤りなく得られた」の情報に基づき、位相変更部２０５Ａ、および／または、位相変更部２０５Ｂで施す位相変更（セット）を、データシンボル＃１  ２７０２＿１を送信するときと同様に、「第１の特定の位相変更値（セット）」と決定をする。
【０８６４】
基地局は、「データシンボル＃１  ２７０２＿１に含まれるデータが誤りなく得られた」ので、次のデータシンボルを送信する際も、「第１の特定の位相変更値（セット）」を使用しても、端末は、誤りなくデータを得ることができる可能性が高いと判断することができる。これにより、端末は高いデータの受信品質を得ることができる可能性が高いという効果を得ることができる。
【０８６５】
そして、基地局は、決定した「第１の特定の位相変更値（セット）」に基づき、位相変更部２０５Ａ、および／または、位相変更部２０５Ｂにおいて、位相変更を施す。このとき、制御情報シンボル２７０１＿２には、「第１の特定の位相変更値（セット）」の情報が含まれている。
【０８６６】
基地局は、制御情報シンボル２７０１＿２、および、データシンボル＃２  ２７０２＿２を送信するが、少なくともデータシンボル＃２  ２７０２＿２は、決定した「第１の特定の位相変更値（セット）」による位相変更が行われる。
【０８６７】
端末は、基地局が送信した制御情報シンボル２７０１＿２およびデータシンボル＃２  ２７０２＿２を受信し、制御情報シンボル２７０１＿２に含まれる少なくとも「第１の特定の位相変更値（セット）」の情報に基づいて、データシンボル＃２  ２７０２＿２を復調及び復号する。その結果、「データシンボル＃２  ２７０２＿２  に含まれるデータが正しく得られなかった」と、端末が判断した。すると、端末は、「データシンボル＃２  ２７０２＿２に含まれるデータが正しく得られなかった」という情報を少なくとも含む端末送信シンボル２７５０＿２を基地局に対し、送信する。
【０８６８】
基地局は、端末が送信した端末送信シンボル２７５０＿２を受信し、端末送信シンボル２７５０＿２に含まれる少なくとも「データシンボル＃２  ２７０２＿２に含まれるデータが正しく得られなかった」の情報に基づき、位相変更部２０５Ａ、および／または、位相変更部２０５Ｂで施す位相変更を、「第１の特定の位相変更値（セット）」から変更すると判断する。
【０８６９】
基地局は、「データシンボル＃２  ２７０２＿２に含まれるデータが正しく得られなかった」ので、次のデータシンボルを送信する際、「第１の特定の位相変更値（セット）」から位相変更値を変更すると、端末は、誤りなくデータを得ることができる可能性が高いと判断することができる。これにより、端末は高いデータの受信品質を得ることができる可能性が高いという効果を得ることができる。
【０８７０】
したがって、基地局は、例えば、乱数を用いて、位相変更部２０５Ａ、および／または、位相変更部２０５Ｂで施す位相変更値（セット）を「第１の特定の位相変更値（セット）」から「第２の特定の位相変更値（セット）」に変更すると決定する。そして、基地局は、決定した「第２の特定の位相変更値（セット）」に基づき、位相変更部２０５Ａ、および／または、位相変更部２０５Ｂにおいて、位相変更を施す。このとき、制御情報シンボル２７０１＿３には、「第２の特定の位相変更値（セット）」の情報が含まれている。
【０８７１】
なお、「第２の特定の位相変更値（セット）」と記載した。図２、図１８、図１９、図２８、図２９、図３０の場合、位相変更部２０５Ａは存在せず、位相変更部２０５Ｂが存在する。したがって、この場合、位相変更部２０５Ｂで使用する第２の特定の位相変更値を用意する必要がある。一方、図２０、図２１、図２２、図３１、図３２、図３３の場合、位相変更部２０５Ａ、および、位相変更部２０５Ｂが存在する。この場合、位相変更部２０５Ａで使用する第２の特定の位相変更値＃Ａと、位相変更部２０５Ｂで使用する第２の特定の位相変更値＃Ｂを用意する必要がある。これに伴い、「第２の特定の位相変更値（セット）」と記載した。
【０８７２】
基地局は、制御情報シンボル２７０１＿３、および、、データシンボル＃２  ２７０２＿２−１を送信するが、少なくともデータシンボル＃２  ２７０２＿２−１は、決定した「第２の特定の位相変更値（セット）」による位相変更が行われる。
【０８７３】
なお、「制御情報シンボル２７０１＿２の直後に存在するデータシンボル＃２  ２７０２＿２」と「制御情報シンボル２７０１＿３の直後に存在するデータシンボル＃２  ２７０２＿２−１」において、「制御情報シンボル２７０１＿２の直後に存在するデータシンボル＃２  ２７０２＿２」の変調方式と「制御情報シンボル２７０１＿３の直後に存在するデータシンボル＃２  ２７０２＿２−１」の変調方式は、同一でもよいし、異なっていてもよい。
【０８７４】
また、「制御情報シンボル２７０１＿３の直後に存在するデータシンボル＃２  ２７０２＿２−１」が再送用のシンボルであるため、「制御情報シンボル２７０１＿２の直後に存在するデータシンボル＃２  ２７０２＿２」が含んでいるデータのすべて、または一部を「制御情報シンボル２７０１＿３の直後に存在するデータシンボル＃２  ２７０２＿２−１」が含んでいる。
【０８７５】
端末は、基地局が送信した制御情報シンボル２７０１＿３およびデータシンボル＃２  ２７０２＿２を受信し、制御情報シンボル２７０１＿３に含まれる少なくとも「第２の特定の位相変更値（セット）」の情報に基づいて、データシンボル＃２  ２７０２＿２−１を復調及び復号する。その結果、「データシンボル＃２  ２７０２＿２−１に含まれるデータが正しく得られなかった」と、端末が判断した。すると、端末は、「データシンボル＃２  ２７０２＿２−１に含まれるデータが正しく得られなかった」という情報を少なくとも含む端末送信シンボル２７５０＿３を基地局に対し、送信する。
【０８７６】
基地局は、端末が送信した端末送信シンボル２７５０＿３を受信し、端末送信シンボル２７５０＿３に含まれる少なくとも「データシンボル＃２  ２７０２＿２−１に含まれるデータが正しく得られなかった」情報に基づき、位相変更部Ａ、および、位相変更部Ｂで施す位相変更を「第２の特定の位相変更値（セット）」から変更すると判断する。
【０８７７】
基地局は、「データシンボル＃２  ２７０２＿２−１に含まれるデータが正しく得られなかった」ので、次のデータシンボルを送信する際、「第２の特定の位相変更値（セット）」から位相変更値を変更すると、端末は、誤りなくデータを得ることができる可能性が高いと判断することができる。これにより、端末は高いデータの受信品質を得ることができる可能性が高いという効果を得ることができる。
【０８７８】
したがって、基地局は、例えば、乱数を用いて、位相変更部２０５Ａ、および／または、位相変更部２０５Ｂで施す位相変更値（セット）を「第２の特定の位相変更値（セット）」から「第３の特定の位相変更値（セット）」に基づき、位相変更部２０５Ａ、および／または、位相変更部２０５Ｂにおいて、位相変更を施す。このとき、制御情報シンボル２７０１＿４には、「第３の特定の位相変更値（セット）」の情報が含まれている。
【０８７９】
なお、「第３の特定の位相変更値（セット）」と記載した。図２、図１８、図１９、図２８、図２９、図３０の場合、位相変更部２０５Ａは存在せず、位相変更部２０５Ｂが存在する。したがって、この場合、位相変更部２０５Ｂで使用する第３の特定の位相変更値を用意する必要がある。
【０８８０】
一方、図２０、図２１、図２２、図３１、図３２、図３３の場合、位相変更部２０５Ａ、および、位相変更部２０５Ｂが存在する。この場合、位相変更部２０５Ａで使用する第３の特定の位相変更値＃Ａと、位相変更部２０５Ｂで使用する第３の特定の位相変更値＃Ｂを用意する必要がある。これに伴い、「第３の特定の位相変更値（セット）」と記載した。
【０８８１】
基地局は、制御情報シンボル２７０１＿４、および、データシンボル＃２  ２７０２＿２−２を送信するが、少なくともデータシンボル＃２  ２７０２＿２−２は、決定した「第３の特定の位相変更値（セット）」による位相変更が行われる。
【０８８２】
なお、「制御情報シンボル２７０１＿３の直後に存在するデータシンボル＃２  ２７０２＿２−１」と「制御情報シンボル２７０１＿４の直後に存在するデータシンボル＃２  ２７０２＿２−２」において、「制御情報シンボル２７０１＿３の直後に存在するデータシンボル＃２  ２７０２＿２−１」の変調方式と「制御情報シンボル２７０１＿４の直後に存在するデータシンボル＃２  ２７０２＿２−２」の変調方式は、同一でもよいし、異なっていてもよい。
【０８８３】
また、「制御情報シンボル２７０１＿４の直後に存在するデータシンボル＃２  ２７０２＿２−２」が再送用のシンボルであるため、「制御情報シンボル２７０１＿３の直後に存在するデータシンボル＃２  ２７０２＿２−１」が含んでいるデータのすべて、または一部を「制御情報シンボル２７０１＿４の直後に存在するデータシンボル＃２  ２７０２＿２−２」が含んでいる。
【０８８４】
端末は、基地局が送信した制御情報シンボル２７０１＿４およびデータシンボル＃２  ２７０２＿２−２を受信し、制御情報シンボル２７０１＿４に含まれている少なくとも「第３の特定の位相変更値（セット）」の情報に基づいて、データシンボル＃２  ２７０２＿２−２を復調及び復号する。その結果、「データシンボル＃２  ２７０２＿２−２に含まれているデータが誤りなく得られた」と、端末が判断した。すると、端末は、「データシンボル＃２  ２７０２＿２−２に含まれているデータが誤りなく得られた」という情報を少なくとも含む端末送信シンボル２７５０＿４を基地局に対し、送信する。
【０８８５】
基地局は、端末が送信した端末送信シンボル２７５０＿４を受信し、端末送信シンボル２７５０＿４に含まれる少なくとも「データシンボル＃２  ２７０２−２に含まれるデータが誤りなく得られた」の情報に基づき、位相変更部２０５Ａ、および／または、位相変更部２０５Ｂで施す位相変更（セット）を、データシンボル＃２  ２７０２＿２−２を送信するときと同様に、「第３の特定の位相変更値（セット）」と決定をする。
【０８８６】
基地局は、「データシンボル＃２  ２７０２＿２−２に含まれるデータが誤りなく得られた」ので、次のデータシンボルを送信する際も、「第３の特定の位相変更値（セット）」を使用しても、端末は、誤りなくデータを得ることができる可能性が高いと判断することができる。これにより、端末は高いデータの受信品質を得ることができる可能性が高いという効果を得ることができる。
【０８８７】
そして、基地局は、決定した「第３の特定の位相変更値（セット）」に基づき、位相変更部２０５Ａ、および／または、位相変更部２０５Ｂにおいて、位相変更を施す。このとき、制御情報シンボル２７０１＿５には、「第３の特定の位相変更値（セット）」の情報が含まれている。
【０８８８】
基地局は、制御情報シンボル２７０１＿５、および、データシンボル＃３  ２７０２＿３を送信するが、少なくともデータシンボル＃３  ２７０２＿３は、決定した「第３の特定の位相変更値（セット）」による位相変更が行われる。
【０８８９】
端末は、基地局が送信した制御情報シンボル２７０１＿５およびデータシンボル＃３  ２７０２＿３を受信し、制御情報シンボル２７０１＿５に含まれている少なくとも「第３の特定の位相変更値（セット）」の情報に基づいて、データシンボル＃３  ２７０２＿３を復調及び復号する。
【０８９０】
その結果、「データシンボル＃３  ２７０２＿３に含まれるデータが誤りなく得られた」と、端末が判断した。すると、端末は、「データシンボル＃３  ２７０２＿３に含まれるデータが誤りなく得られた」という情報を少なくとも含む端末送信シンボル２７５０＿５を基地局に対し、送信する。
【０８９１】
基地局は、端末が送信した端末送信シンボル２７５０＿５を受信し、端末送信シンボル２７５０＿５に含まれる少なくとも「データシンボル＃３  ２７０２＿３に含まれるデータが誤りなく得られた」の情報に基づき、位相変更部２０５Ａ」、および／または、位相変更部２０５Ｂで施す位相変更（セット）を、データシンボル＃３  ２７０２＿３を送信するときと同様に、「第３の特定の位相変更値（セット）」と決定をする。
【０８９２】
基地局は、「データシンボル＃３  ２７０２＿３に含まれるデータが誤りなく得られた」ので、次のデータシンボルを送信する際も、「第３の特定の位相変更値（セット）」を使用しても、端末は、誤りなくデータを得ることができる可能性が高いと判断することができる。これにより、端末は高いデータの受信品質を得ることができる可能性が高いという効果を得ることができる。
【０８９３】
そして、基地局は、決定した「第３の特定の位相変更値（セット）」に基づき、位相変更部２０５Ａ、および／または、位相変更部２０５Ｂにおいて、位相変更を施す。このとき、制御情報シンボル２７０１＿６には、「第３の特定の位相変更値（セット）」の情報が含まれている。
【０８９４】
基地局は制御情報シンボル２７０１＿６、および、データシンボル＃４  ２７０２＿４を送信するが、少なくともデータシンボル＃４  ２７０２＿４は、決定した「第３の特定の位相変更値（セット）」による位相変更が行われる。
【０８９５】
端末は、基地局が送信した制御情報シンボル２７０１＿６およびデータシンボル＃４  ２７０２＿４を受信し、制御情報シンボル２７０１＿６に含まれる少なくとも「第３の特定の位相変更値（セット）」の情報に基づき手、データシンボル＃４  ２７０２＿４を復調及び復号する。
【０８９６】
その結果、「データシンボル＃４  ２７０２＿４に含まれるデータが正しく得られなかった」と、端末が判断した。すると、端末は「データシンボル＃４  ２７０２＿４に含まれるデータが正しく得られなかった」という情報を少なくとも含む端末送信シンボル２７５０＿６を基地局に対し、送信する。
【０８９７】
基地局は、端末が送信した端末送信シンボル２７５０＿６を受信し、端末送信シンボル２７５０＿６に含まれる少なくとも「データシンボル＃４  ２７０２＿４に含まれるデータが正しく得られなかった」の情報に基づき、位相変更部２０５Ａ、および／または、位相変更部２０５Ｂで施す位相変更を、「第３の特定の位相変更値（セット）」から変更すると判断する。
【０８９８】
基地局は、「データシンボル＃４  ２７０２＿４に含まれるデータが正しく得られなかった」ので、次のデータシンボルを送信する際、「第３の特定の位相変更値（セット）」から位相変更値を変更すると、端末は、誤りなくデータを得ることができる可能性が高いと判断することができる。これにより、端末は高いデータの受信品質を得ることができる可能性が高いという効果を得ることができる。
【０８９９】
したがって、基地局は、例えば、乱数を用いて、位相変更部２０５Ａ、および／または、位相変更部２０５Ｂで施す位相変更値（セット）を「第３の特定の位相変更値（セット）」から「第４の特定の位相変更値（セット）」に変更すると決定する。そして、基地局は、決定した「第４の特定の位相変更値（セット）」に基づき、位相変更部２０５Ａ、および／または、位相変更部２０５Ｂにおいて、位相変更を施す。このとき、制御情報シンボル２７０１＿７には、「第４の特定の位相変更値（セット）」の情報が含まれている。
【０９００】
なお、「第４の特定の位相変更値（セット）」と記載した。図２、図１８、図１９、図２８、図２９、図３０の場合、位相変更部２０５Ａは存在せず、位相変更部２０５Ｂが存在する。したがって、この場合、位相変更部２０５Ｂで使用する第４の特定の位相変更値を用意する必要がある。一方、図２０、図２１、図２２、図３１、図３２、図３３の場合、位相変更部２０５Ａ、および、位相変更部２０５Ｂが存在する。この場合、位相変更部２０５Ａで使用する第４の特定の位相変更値＃Ａと、位相変更部２０５Ｂで使用する第４の特定の位相変更値＃Ｂを用意する必要がある。これに伴い、「第４の特定の位相変更値（セット））」と記載した。
【０９０１】
なお、「制御情報シンボル２７０１＿６の直後に存在するデータシンボル＃４  ２７０２＿４」と「制御情報シンボル２７０１＿７の直後に存在するデータシンボル＃４  ２７０２＿４−１」において、「制御情報シンボル２７０１＿６の直後に存在するデータシンボル＃４  ２７０２＿４」の変調方式と「制御情報シンボル２７０１＿７の直後に存在するデータシンボル＃４  ２７０２＿４−１」の変調方式は、同一でもよいし、異なっていてもよい。
【０９０２】
また、「制御情報シンボル２７０１＿７の直後に存在するデータシンボル＃４  ２７０２＿４−１」が再送用のシンボルであるため、「制御情報シンボル２７０１＿６の直後に存在するデータシンボル＃４  ２７０２＿４」が含んでいるデータのすべて、または一部を「制御情報シンボル２７０１＿７の直後に存在するデータシンボル＃４  ２７０２＿４−１」が含んでいる。
【０９０３】
端末は、基地局が送信した制御情報シンボル２７０１＿７およびデータシンボル＃４  ２７０２＿４−１を受信し、制御情報シンボル２７０１＿７に含まれる少なくとも「第４の特定の位相変更値（セット）」の情報に基づいて、データシンボル＃４  ２７０２＿４−１を復調及び復号する。
【０９０４】
なお、データシンボル＃１  ２７０２＿１、データシンボル＃２  ２７０２＿２、データシンボル＃３  ２７０２＿３、データシンボル＃４  ２７０２＿４において、実施の形態１から実施の形態６で説明したように、基地局は、複数の変調信号を複数のアンテナから送信する。ただし、実施の形態１から実施の形態６とは異なり、位相変更部２０５Ａ、および／または、位相変更部２０５Ｂでは、上述で説明した「特定の位相変更値」による位相変更を行う。
【０９０５】
図２７の基地局、端末のフレーム構成はあくまでも一例であり、他のシンボルが含まれていてもよい。そして、制御情報シンボル２７０１＿１、２７０１＿２、２７０１＿３、２７０１＿４、２７０１＿５、２７０１＿６、データシンボル＃１  ２７０２＿１、データシンボル＃２  ２７０２＿２、データシンボル＃３  ２７０２＿３、データシンボル＃４  ２７０２＿４のそれぞれのシンボルは、例えば、パイロットシンボルのような他のシンボルを含んでいてもよい。
【０９０６】
また、制御情報シンボル２７０１＿１、２７０１＿２、２７０１＿３、２７０１＿４、２７０１＿５、２７０１＿６には、データシンボル＃１  ２７０２＿１、データシンボル＃２  ２７０２＿２、データシンボル＃３  ２７０２＿３、データシンボル＃４  ２７０２＿４を送信する際に使用した「特定の位相変更値」の値に関する情報を含んでおり、端末は、この情報を得ることで、データシンボル＃１  ２７０２＿１、データシンボル＃２  ２７０２＿２、データシンボル＃３  ２７０２＿３、データシンボル＃４  ２７０２＿４の復調及び復号が可能となる。
【０９０７】
なお、上述の説明では、基地局が、「乱数」を用いて、「特定の位相変更値（セット）」の値（特定の位相変更値のセット）を決定しているが、「特定の位相変更値（セット）」の値の決定はこの方法に限ったものではなく、基地局は、「特定の位相変更値（セット）」の値（特定の位相変更値のセット）を規則的に変更してもよい。
【０９０８】
「特定の位相変更値（セット）」の値はどのような方法で決定してもよく、「特定の位相変更値（セット）」の変更が必要な場合、変更前と変更後で、「特定の位相変更値（セット）」の値（特定の位相変更値のセット）が異なっていればよい。
【０９０９】
実施の形態１から実施の形態６での説明と同様、例えば、基地局が、図４、図５、図１３、図１４のようなフレーム構成で変調信号を送信する場合、上述で説明した位相変更部２０５Ａ、および／または、位相変更部２０５Ｂで施す「特定の位相変更値」による位相変更は、データシンボル４０２、５０２である。そして、位相変更部２０９Ａ、および／または、位相変更部２０９Ｂで施す位相変更の対象となるシンボルは、実施の形態１から実施の形態６での説明と同様、「パイロットシンボル４０１、５０１」、「その他のシンボル４０３、５０３」となる。
【０９１０】
ただし、位相変更部２０５Ａ、および／または、位相変更部２０５Ｂにおいて、「パイロットシンボル４０１、５０１」、「その他のシンボル４０３、５０３」に対しても位相変更を施しても、復調及び復号は可能となる。
【０９１１】
前に説明した、「特定の位相変更値で位相変更を施す」方法は、この送信方法単独で実施しても、端末は、高いデータの受信品質を得ることができるという効果を得ることができる。
【０９１２】
また、基地局の送信装置における図１の信号処理部１０６の構成として、図２、図１８、図１９、図２０、図２１、図２２、図２３、図２８、図２９、図３０、図３１、図３２、図３３の構成を示したが、位相変更部２０９Ａ、および、位相変更部２０９Ｂにおいて、位相変更を施さないとしてもよい。
【０９１３】
つまり、図２、図１８、図１９、図２０、図２１、図２２、図２３、図２８、図２９、図３０、図３１、図３２、図３３において、位相変更部２０９Ａおよび位相変更部２０９Ｂを削除した構成としてもよい。このとき、信号２０８Ａが図１の信号１０６＿Ａに相当し、信号２０８Ｂが、図１の信号１０６＿Ｂに相当する。
【０９１４】
基地局が具備する位相変更部２０５Ａ、２０５Ｂの動作を制御する、上述で説明した［ｕ０  ｕ１］を［ｕ０  ｕ１］＝［０１］（ｕ０＝０，ｕ１＝１）と設定したとき、つまり、位相変更部２０５Ａ、２０５Ｂが、周期的／規則的にシンボルごとに位相変更を行う場合に、具体的に行う位相変更、を設定するための制御情報をｕ２，ｕ３とする。［ｕ２  ｕ３］と位相変更部２０５Ａ、２０５Ｂが具体的に行う位相変更の関係を表２に示す。
【０９１５】
なお、ｕ２，ｕ３は、例えば、その他のシンボル４０３、５０３の制御情報シンボルの一部として、基地局が送信する。そして、端末は、その他のシンボル４０３、５０３の制御情報シンボルに含まれる［ｕ２  ｕ３］を得、［ｕ２  ｕ３］から位相変更部２０５Ａ、２０５Ｂの動作を知り、データシンボルの復調及び復号を行う。そして、「具体的な位相変更」のための制御情報を２ビットとしているが、ビット数は、２ビット以外であってもよい。
【０９１６】
【表２】
2017061113.tif 000056
【０９１７】
表２の解釈の第１の例は以下のようになる。
・［ｕ０  ｕ１］＝［０１］（ｕ０＝０，ｕ１＝１）、［ｕ２  ｕ３］＝［００］（ｕ２＝０，ｕ３＝０）のとき、基地局は、「位相変更部２０５Ａ、位相変更部２０５Ｂが、方法０１＿１による周期的／規則的な位相変更をシンボルごとに行う」。
【０９１８】
方法０１＿１：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【０９１９】
【数５３】
2017061113.tif 000057
【０９２０】
そして、位相変更部２０５Ｂは、位相変更を行わない。
・［ｕ０  ｕ１］＝［０１］（ｕ０＝０，ｕ１＝１）、［ｕ２  ｕ３］＝［０１］（ｕ２＝０，ｕ３＝１）のとき、基地局は、「位相変更部２０５Ａ、位相変更部２０５Ｂが、方法０１＿２による周期的／規則的な位相変更をシンボルごとに行う」。
【０９２１】
方法０１＿２：
位相変更部２０５Ａは、位相変更を行わない。そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【０９２２】
【数５４】
2017061113.tif 000058
【０９２３】
・［ｕ０  ｕ１］＝［０１］（ｕ０＝０，  ｕ１＝１）、［ｕ２  ｕ３］＝［１０］（ｕ２＝１，  ｕ３＝０）のとき、基地局は、「位相変更部２０５Ａ、位相変更部２０５Ｂが、方法０１＿３による周期的／規則的な位相変更をシンボルごとに行う」。
【０９２４】
方法０１＿３：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【０９２５】
【数５５】
2017061113.tif 000059
【０９２６】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【０９２７】
【数５６】
2017061113.tif 000060
【０９２８】
・［ｕ０  ｕ１］＝［０１］（ｕ０＝０，ｕ１＝１）、［ｕ２  ｕ３］＝［１１］（ｕ２＝１，ｕ３＝１）のとき、基地局は、「位相変更部２０５Ａ、位相変更部２０５Ｂが、方法０１＿４による周期的／規則的な位相変更をシンボルごとに行う」。
【０９２９】
方法０１＿４：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【０９３０】
【数５７】
2017061113.tif 000061
【０９３１】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【０９３２】
【数５８】
2017061113.tif 000062
【０９３３】
表２の解釈の第２の例は以下のようになる。
・［ｕ０  ｕ１］＝［０１］（ｕ０＝０，ｕ１＝１）、［ｕ２  ｕ３］＝［００］（ｕ２＝０，ｕ３＝０）のとき、基地局は、「位相変更部２０５Ａ、位相変更部２０５Ｂが、方法０１＿１による周期的／規則的な位相変更をシンボルごとに行う」。
【０９３４】
方法０１＿１：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【０９３５】
【数５９】
2017061113.tif 000063
【０９３６】
そして、位相変更部２０５Ｂは、位相変更を行わない。
・［ｕ０  ｕ１］＝［０１］（ｕ０＝０，ｕ１＝１）、［ｕ２  ｕ３］＝［０１］（ｕ２＝０，ｕ３＝１）のとき、基地局は、「位相変更部２０５Ａ、位相変更部２０５Ｂが、方法０１＿２による周期的／規則的な位相変更をシンボルごとに行う」。
【０９３７】
方法０１＿２：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【０９３８】
【数６０】
2017061113.tif 000064
【０９３９】
そして、位相変更部２０５Ｂは、位相変更を行わない。
・［ｕ０  ｕ１］＝［０１］（ｕ０＝０，ｕ１＝１）、［ｕ２  ｕ３］＝［１０］（ｕ２＝１，ｕ３＝０）のとき、基地局は、「位相変更部２０５Ａ、位相変更部２０５Ｂが、方法０１＿３による周期的／規則的な位相変更をシンボルごとに行う」。
【０９４０】
方法０１＿３：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【０９４１】
【数６１】
2017061113.tif 000065
【０９４２】
そして、位相変更部２０５Ｂは、位相変更を行わない。
・［ｕ０  ｕ１］＝［０１］（ｕ０＝０，ｕ１＝１）、［ｕ２  ｕ３］＝［１１］（ｕ２＝１，ｕ３＝１）のとき、基地局は、「位相変更部２０５Ａ、位相変更部２０５Ｂが、方法０１＿４による周期的／規則的な位相変更をシンボルごとに行う」。
【０９４３】
方法０１＿４：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【０９４４】
【数６２】
2017061113.tif 000066
【０９４５】
そして、位相変更部２０５Ｂは、位相変更を行わない。
表２の解釈の第３の例は以下のようになる。
・［ｕ０  ｕ１］＝［０１］（ｕ０＝０，ｕ１＝１）、［ｕ２  ｕ３］＝［００］（ｕ２＝０，ｕ３＝０）のとき、基地局は、「位相変更部２０５Ａ、位相変更部２０５Ｂが、方法０１＿１による周期的／規則的な位相変更をシンボルごとに行う」。
【０９４６】
方法０１＿１：
位相変更部２０５Ａは、位相変更を行わない。そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【０９４７】
【数６３】
2017061113.tif 000067
【０９４８】
・［ｕ０  ｕ１］＝［０１］（ｕ０＝０，  ｕ１＝１）、［ｕ２  ｕ３］＝［０１］（ｕ２＝０，  ｕ３＝１）のとき、基地局は、「位相変更部２０５Ａ、位相変更部２０５Ｂが、方法０１＿２による周期的／規則的な位相変更をシンボルごとに行う」。
【０９４９】
方法０１＿２：
位相変更部２０５Ａは、位相変更を行わない。そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【０９５０】
【数６４】
2017061113.tif 000068
【０９５１】
・［ｕ０  ｕ１］＝［０１］（ｕ０＝０，  ｕ１＝１）、［ｕ２  ｕ３］＝［１０］（ｕ２＝１，  ｕ３＝０）のとき、基地局は、「位相変更部２０５Ａ、位相変更部２０５Ｂが、方法０１＿３による周期的／規則的な位相変更をシンボルごとに行う」。
【０９５２】
方法０１＿３：
位相変更部２０５Ａは、位相変更を行わない。そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【０９５３】
【数６５】
2017061113.tif 000069
【０９５４】
・［ｕ０  ｕ１］＝［０１］（ｕ０＝０，  ｕ１＝１）、［ｕ２  ｕ３］＝［１１］（ｕ２＝１，  ｕ３＝１）のとき、基地局は、「位相変更部２０５Ａ、位相変更部２０５Ｂが、方法０１＿４による周期的／規則的な位相変更をシンボルごとに行う」。
【０９５５】
方法０１＿４：
位相変更部２０５Ａは、位相変更を行わない。そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【０９５６】
【数６６】
2017061113.tif 000070
【０９５７】
表２の解釈の第４の例は以下のようになる。
・［ｕ０  ｕ１］＝［０１］（ｕ０＝０，  ｕ１＝１）、［ｕ２  ｕ３］＝［００］（ｕ２＝０，  ｕ３＝０）のとき、基地局は、「位相変更部２０５Ａ、位相変更部２０５Ｂが、方法０１＿１による周期的／規則的な位相変更をシンボルごとに行う」。
【０９５８】
方法０１＿１：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【０９５９】
【数６７】
2017061113.tif 000071
【０９６０】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【０９６１】
【数６８】
2017061113.tif 000072
【０９６２】
・［ｕ０  ｕ１］＝［０１］（ｕ０＝０，  ｕ１＝１）、［ｕ２  ｕ３］＝［０１］（ｕ２＝０，  ｕ３＝１）のとき、基地局は、「位相変更部２０５Ａ、位相変更部２０５Ｂが、方法０１＿２による周期的／規則的な位相変更をシンボルごとに行う」。
【０９６３】
方法０１＿２：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【０９６４】
【数６９】
2017061113.tif 000073
【０９６５】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【０９６６】
【数７０】
2017061113.tif 000074
【０９６７】
・［ｕ０  ｕ１］＝［０１］（ｕ０＝０，  ｕ１＝１）、［ｕ２  ｕ３］＝［１０］（ｕ２＝１，  ｕ３＝０）のとき、基地局は、「位相変更部２０５Ａ、位相変更部２０５Ｂが、方法０１＿３による周期的／規則的な位相変更をシンボルごとに行う」。
【０９６８】
方法０１＿３：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【０９６９】
【数７１】
2017061113.tif 000075
【０９７０】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【０９７１】
【数７２】
2017061113.tif 000076
【０９７２】
・［ｕ０  ｕ１］＝［０１］（ｕ０＝０，  ｕ１＝１）、［ｕ２  ｕ３］＝［１１］（ｕ２＝１，  ｕ３＝１）のとき、基地局は、「位相変更部２０５Ａ、位相変更部２０５Ｂが、方法０１＿４による周期的／規則的な位相変更をシンボルごとに行う」。
【０９７３】
方法０１＿４：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【０９７４】
【数７３】
2017061113.tif 000077
【０９７５】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【０９７６】
【数７４】
2017061113.tif 000078
【０９７７】
以上のように、第１の例から第４の例を記載したが、位相変更部２０５Ａ、位相変更部２０５Ｂの具体的な位相変更方法は、これに限ったものではない。
＜１＞位相変更部２０５Ａにおいて、周期的／規則的な位相変更をシンボルごとに行う
＜２＞位相変更部２０５Ｂにおいて、周期的／規則的な位相変更をシンボルごとに行う
＜３＞位相変更部２０５Ａ、位相変更部２０５Ｂにおいて、周期的／規則的な位相変更をシンボルごとに行う
＜１＞＜２＞＜３＞のいずれか一つ以上の方法が[u2 u3]による具体的に設定されていれば上述の説明を同様に実施することができる。
【０９７８】
基地局が具備する位相変更部２０５Ａ、２０５Ｂの動作を制御する、上述で説明した［ｕ０  ｕ１］を［ｕ０  ｕ１］＝［１０］（ｕ０＝１，  ｕ１＝０）と設定したとき、つまり、位相変更部２０５Ａ、２０５Ｂが、特定の位相変更値（セット）で位相変更を施す場合に、具体的に行う位相変更、を設定するための制御情報をｕ４，  ｕ５とする。［ｕ４  ｕ５］と位相変更部２０５Ａ、２０５Ｂが具体的に行う位相変更の関係を表３に示す。
【０９７９】
なお、ｕ４，  ｕ５は、例えば、その他のシンボル４０３、５０３の制御情報シンボルの一部として、基地局が送信する、そして、端末は、その他のシンボル４０３、５０３の制御情報シンボルに含まれる［ｕ４  ｕ５］を得、［ｕ４  ｕ５］から位相変更部２０５Ａ、２０５Ｂの動作を知り、データシンボルの復調及び復号を行う。そして、「具体的な位相変更」のための制御情報を２ビットとしているが、ビット数は２ビット以外であってもよい。
【０９８０】
【表３】
2017061113.tif 000079
【０９８１】
表３の解釈の第１の例は以下のようになる。
・［ｕ０  ｕ１］＝［１０］（ｕ０＝１，  ｕ１＝０）、［ｕ４  ｕ５］＝［００］（ｕ４＝０，  ｕ５＝０）のとき、基地局は、「位相変更部２０５Ａ、位相変更部２０５Ｂが、方法１０＿１の特定の位相変更値（セット）で位相変更を施す」。
【０９８２】
方法１０＿１：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。シンボル番号の依らず固定の位相値となる。
【０９８３】
【数７５】
2017061113.tif 000080
【０９８４】
そして、位相変更部２０５Ｂは、位相変更を行わない。
・［ｕ０  ｕ１］＝［１０］  （ｕ０＝１，  ｕ１＝０）、［ｕ４  ｕ５］＝［０１］（ｕ４＝０，  ｕ５＝１）のとき、基地局は、「位相変更部２０５Ａ、位相変更部２０５Ｂが、方法１０＿２の特定の位相変更値（セット）で位相変更を施す」。
【０９８５】
方法１０＿２：
位相変更部２０５Ａは、位相変更を行わない。そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。シンボル番号の依らず固定の位相値となる。
【０９８６】
【数７６】
2017061113.tif 000081
【０９８７】
・［ｕ０  ｕ１］＝［１０］  （ｕ０＝１，  ｕ１＝０）、［ｕ４  ｕ５］＝［１０］（ｕ４＝１，  ｕ５＝０）のとき、基地局は、「位相変更部２０５Ａ、位相変更部２０５Ｂが、方法１０＿３の特定の位相変更値（セット）で位相変更を施す」。
【０９８８】
方法１０＿３：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。シンボル番号の依らず固定の位相値となる。
【０９８９】
【数７７】
2017061113.tif 000082
【０９９０】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。シンボル番号の依らず固定の位相値となる。
【０９９１】
【数７８】
2017061113.tif 000083
【０９９２】
・［ｕ０  ｕ１］＝［１０］  （ｕ０＝１，  ｕ１＝０）、［ｕ４  ｕ５］＝［１１］（ｕ４＝１，  ｕ５＝１）のとき、基地局は、「位相変更部２０５Ａ、位相変更部２０５Ｂが、方法１０＿４の特定の位相変更値（セット）で位相変更を施す」。
【０９９３】
方法１０＿４：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。シンボル番号の依らず固定の位相値となる。
【０９９４】
【数７９】
2017061113.tif 000084
【０９９５】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。シンボル番号の依らず固定の位相値となる。
【０９９６】
【数８０】
2017061113.tif 000085
【０９９７】
表３の解釈の第２の例は以下のようになる。
・［ｕ０  ｕ１］＝［１０］（ｕ０＝１，  ｕ１＝０）、［ｕ４  ｕ５］＝［００］（ｕ４＝０，  ｕ５＝０）のとき、基地局は、「位相変更部２０５Ａ、位相変更部２０５Ｂが、方法１０＿１の特定の位相変更値（セット）で位相変更を施す」。
【０９９８】
方法１０＿１：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。シンボル番号の依らず固定の位相値となる。
【０９９９】
【数８１】
2017061113.tif 000086
【１０００】
式（８１）の場合、位相変更部２０５Ａでは、位相を行っていない。そして、位相変更部２０５Ｂは、位相変更を行わない。
・［ｕ０  ｕ１］＝［１０］  （ｕ０＝１，  ｕ１＝０）、［ｕ４  ｕ５］＝［０１］（ｕ４＝０，  ｕ５＝１）のとき、基地局は、「位相変更部２０５Ａ、位相変更部２０５Ｂが、方法１０＿２の特定の位相変更値（セット）で位相変更を施す」。
【１００１】
方法１０＿２：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。シンボル番号の依らず固定の位相値となる。
【１００２】
【数８２】
2017061113.tif 000087
【１００３】
そして、位相変更部２０５Ｂは、位相変更を行わない。
・［ｕ０  ｕ１］＝［１０］  （ｕ０＝１，  ｕ１＝０）、［ｕ４  ｕ５］＝［１０］（ｕ４＝１，  ｕ５＝０）のとき、基地局は、「位相変更部２０５Ａ、位相変更部２０５Ｂが、方法１０＿３の特定の位相変更値（セット）で位相変更を施す」。
【１００４】
方法１０＿３：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。シンボル番号の依らず固定の位相値となる。
【１００５】
【数８３】
2017061113.tif 000088
【１００６】
そして、位相変更部２０５Ｂは、位相変更を行わない。
・［ｕ０  ｕ１］＝［１０］  （ｕ０＝１，  ｕ１＝０）、［ｕ４  ｕ５］＝［１１］（ｕ４＝１，  ｕ５＝１）のとき、基地局は、「位相変更部２０５Ａ、位相変更部２０５Ｂが、方法１０＿４の特定の位相変更値（セット）で位相変更を施す」。
【１００７】
方法１０＿４：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。シンボル番号の依らず固定の位相値となる。
【１００８】
【数８４】
2017061113.tif 000089
【１００９】
そして、位相変更部２０５Ｂは、位相変更を行わない。
表３の解釈の第３の例は以下のようになる。
・［ｕ０  ｕ１］＝［１０］（ｕ０＝１，  ｕ１＝０）、［ｕ４  ｕ５］＝［００］（ｕ４＝０，  ｕ５＝０）のとき、基地局は、「位相変更部２０５Ａ、位相変更部２０５Ｂが、方法１０＿１の特定の位相変更値（セット）で位相変更を施す」。
【１０１０】
方法１０＿１：
位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。シンボル番号の依らず固定の位相値となる。
【１０１１】
【数８５】
2017061113.tif 000090
【１０１２】
式（８５）の場合、位相変更部２０５Ｂでは、位相を行っていない。そして、位相変更部２０５Ａは、位相変更を行わない。
・［ｕ０  ｕ１］＝［１０］  （ｕ０＝１，  ｕ１＝０）、［ｕ４  ｕ５］＝［０１］（ｕ４＝０，  ｕ５＝１）のとき、基地局は、「位相変更部２０５Ａ、位相変更部２０５Ｂが、方法１０＿２の特定の位相変更値（セット）で位相変更を施す」。
【１０１３】
方法１０＿２：
位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。シンボル番号の依らず固定の位相値となる。
【１０１４】
【数８６】
2017061113.tif 000091
【１０１５】
そして、位相変更部２０５Ａは、位相変更を行わない。
・［ｕ０  ｕ１］＝［１０］  （ｕ０＝１，  ｕ１＝０）、［ｕ４  ｕ５］＝［１０］（ｕ４＝１，  ｕ５＝０）のとき、基地局は、「位相変更部２０５Ａ、位相変更部２０５Ｂが、方法１０＿３の特定の位相変更値（セット）で位相変更を施す」。
【１０１６】
方法１０＿３：
位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。シンボル番号の依らず固定の位相値となる。
【１０１７】
【数８７】
2017061113.tif 000092
【１０１８】
そして、位相変更部２０５Ａは、位相変更を行わない。
・［ｕ０  ｕ１］＝［１０］  （ｕ０＝１，  ｕ１＝０）、［ｕ４  ｕ５］＝［１１］（ｕ４＝１，  ｕ５＝１）のとき、基地局は、「位相変更部２０５Ａ、位相変更部２０５Ｂが、方法１０＿４の特定の位相変更値（セット）で位相変更を施す」。
【１０１９】
方法１０＿４：
位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。シンボル番号の依らず固定の位相値となる。
【１０２０】
【数８８】
2017061113.tif 000093
【１０２１】
そして、位相変更部２０５Ａは、位相変更を行わない。
表３の解釈の第４の例は以下のようになる。
・［ｕ０  ｕ１］＝［１０］（ｕ０＝１，  ｕ１＝０）、［ｕ４  ｕ５］＝［００］（ｕ４＝０，  ｕ５＝０）のとき、基地局は、「位相変更部２０５Ａ、位相変更部２０５Ｂが、方法１０＿１の特定の位相変更値（セット）で位相変更を施す」。
【１０２２】
方法１０＿１：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。シンボル番号の依らず固定の位相値となる。
【１０２３】
【数８９】
2017061113.tif 000094
【１０２４】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。シンボル番号の依らず固定の位相値となる。
【１０２５】
【数９０】
2017061113.tif 000095
【１０２６】
式（９０）の場合、位相変更部２０５Ｂでは、位相を行っていない。
・［ｕ０  ｕ１］＝［１０］  （ｕ０＝１，  ｕ１＝０）、［ｕ４  ｕ５］＝［０１］（ｕ４＝０，  ｕ５＝１）のとき、基地局は、「位相変更部２０５Ａ、位相変更部２０５Ｂが、方法１０＿２の特定の位相変更値（セット）で位相変更を施す」。
【１０２７】
方法１０＿２：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。シンボル番号の依らず固定の位相値となる。
【１０２８】
【数９１】
2017061113.tif 000096
【１０２９】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。シンボル番号の依らず固定の位相値となる。
【１０３０】
【数９２】
2017061113.tif 000097
【１０３１】
・［ｕ０  ｕ１］＝［１０］  （ｕ０＝１，  ｕ１＝０）、［ｕ４  ｕ５］＝［１０］（ｕ４＝１，  ｕ５＝０）のとき、基地局は、「位相変更部２０５Ａ、位相変更部２０５Ｂが、方法１０＿３の特定の位相変更値（セット）で位相変更を施す」。
【１０３２】
方法１０＿３：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。シンボル番号の依らず固定の位相値となる。
【１０３３】
【数９３】
2017061113.tif 000098
【１０３４】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。シンボル番号の依らず固定の位相値となる。
【１０３５】
【数９４】
2017061113.tif 000099
【１０３６】
・［ｕ０  ｕ１］＝［１０］  （ｕ０＝１，  ｕ１＝０）、［ｕ４  ｕ５］＝［１１］（ｕ４＝１，  ｕ５＝１）のとき、基地局は、「位相変更部２０５Ａ、位相変更部２０５Ｂが、方法１０＿４の特定の位相変更値（セット）で位相変更を施す」。
【１０３７】
方法１０＿４：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。シンボル番号の依らず固定の位相値となる。
【１０３８】
【数９５】
2017061113.tif 000100
【１０３９】
式（９５）の場合、位相変更部２０５Ａでは、位相を行っていない。そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。シンボル番号の依らず固定の位相値となる。
【１０４０】
【数９６】
2017061113.tif 000101
【１０４１】
以上のように、第１の例から第４の例を記載したが、位相変更部２０５Ａ、位相変更部２０５Ｂの具体的な位相変更方法は、これに限ったものではない。
＜４＞位相変更部２０５Ａにおいて、特定の位相変更値（セット）で位相変更を施す。
＜５＞位相変更部２０５Ｂにおいて、特定の位相変更値（セット）で位相変更を施す。
＜６＞位相変更部２０５Ａ、位相変更部２０５Ｂにおいて、特定の位相変更値（セット）で位相変更を施す。
＜４＞＜５＞＜６＞のいずれか一つ以上の方法が[u4 u5]による具体的に設定されていれば上述の説明を同様に実施することができる。
【１０４２】
また、基地局が具備する位相変更部２０５Ａ、２０５Ｂにおいて、周期的／規則的にシンボルごとに位相変更を行う方法と特定の位相変更値で位相変更を行う方法とを組み合わせることも可能である。位相変更部２０５Ａ、２０５Ｂが、周期的／規則的にシンボルごとに位相変更を行う方法と特定変更値で位相変更を行う方法の組み合わせのモードを表１の「Ｒｅｓｅｒｖｅ」、つまり、［ｕ０  ｕ１］＝［１１］（ｕ０＝１，  ｕ１＝１）に割り当てる。
【１０４３】
基地局が具備する位相変更部２０５Ａ、２０５Ｂの動作を制御する、［ｕ０  ｕ１］＝［１１］（ｕ０＝１，  ｕ１＝１）と設定したとき、つまり、位相変更部２０５Ａ、２０５Ｂが、周期的／規則的な位相変更をシンボルごとに行う方法と特定の位相変更値で位相変更を行う方法とを組み合わせる場合に、具体的に行う位相変更、を設定するための制御情報をｕ６，  ｕ７とする。［ｕ６  ｕ７］と位相変更部２０５Ａ、２０５Ｂが具体的に行う位相変更の関係を表４に示す。
【１０４４】
なお、ｕ６，  ｕ７は、例えば、その他のシンボル４０３、５０３の制御情報シンボルの一部として、基地局が送信する。そして、端末は、その他のシンボル４０３、５０３の制御情報シンボルに含まれる［ｕ６  ｕ７］を得、［ｕ６  ｕ７］から位相変更部２０５Ａ、２０５Ｂの動作を知り、データシンボルの復調及び復号を行う。そして、「具体的な位相変更」のための制御情報を２ビットとしているが、ビット数は、２ビット以外であってもよい。
【１０４５】
【表４】
2017061113.tif 000102
【１０４６】
表４の解釈の第１の例は以下のとおりとなる。
・［ｕ０  ｕ１］＝［１１］（ｕ０＝１，  ｕ１＝１）、［ｕ６  ｕ７］＝［００］（ｕ６＝０，  ｕ７＝０）のとき、基地局は、「位相変更部２０５Ａ、位相変更部２０５Ｂが、方法１１＿１の周期的／規則的にシンボルごとに位相変更を行う方法と特定の位相変更値で位相変更を行う方法とを組み合わせる位相変更を行う」。
【１０４７】
方法１１＿１：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【１０４８】
【数９７】
2017061113.tif 000103
【１０４９】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【１０５０】
【数９８】
2017061113.tif 000104
【１０５１】
・［ｕ０  ｕ１］＝［１１］（ｕ０＝１，  ｕ１＝１）、［ｕ６  ｕ７］＝［０１］（ｕ６＝０，  ｕ７＝１）のとき、基地局は、「位相変更部２０５Ａ、位相変更部２０５Ｂが、方法１１＿２による周期的／規則的な位相変更をシンボルごとに行う方法と特定の位相変更値で位相変更を行う方法とを組み合わせる位相変更を行う」。
【１０５２】
方法１１＿２：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【１０５３】
【数９９】
2017061113.tif 000105
【１０５４】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【１０５５】
【数１００】
2017061113.tif 000106
【１０５６】
・［ｕ０  ｕ１］＝［１１］（ｕ０＝１，  ｕ１＝１）、［ｕ６  ｕ７］＝［１０］（ｕ６＝１，  ｕ７＝０）のとき、基地局は、「位相変更部２０５Ａ、位相変更部２０５Ｂが、方法１１＿３による周期的／規則的な位相変更をシンボルごとに行う方法と特定の位相変更値で位相変更を行う方法とを組み合わせる位相変更を行う」。
【１０５７】
方法１１＿３：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【１０５８】
【数１０１】
2017061113.tif 000107
【１０５９】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【１０６０】
【数１０２】
2017061113.tif 000108
【１０６１】
・［ｕ０  ｕ１］＝［１１］（ｕ０＝１，  ｕ１＝１）、［ｕ６  ｕ７］＝［１１］（ｕ６＝１，  ｕ７＝１）のとき、基地局は、「位相変更部２０５Ａ、位相変更部２０５Ｂが、方法１１＿４による周期的／規則的な位相変更をシンボルごとに行う方法と特定の位相変更値で位相変更を行う方法とを組み合わせる位相変更を行う」。
【１０６２】
方法１１＿４：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【１０６３】
【数１０３】
2017061113.tif 000109
【１０６４】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【１０６５】
【数１０４】
2017061113.tif 000110
【１０６６】
表４の解釈の第２の例は以下のとおりとなる。
・［ｕ０  ｕ１］＝［１１］（ｕ０＝１，  ｕ１＝１）、［ｕ６  ｕ７］＝［００］（ｕ６＝０，  ｕ７＝０）のとき、基地局は、「位相変更部２０５Ａ、位相変更部２０５Ｂが、方法１１＿１による周期的／規則的な位相変更をシンボルごとに行う方法と特定の位相変更値で位相変更を行う方法とを組み合わせる位相変更を行う」。
【１０６７】
方法１１＿１：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【１０６８】
【数１０５】
2017061113.tif 000111
【１０６９】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【１０７０】
【数１０６】
2017061113.tif 000112
【１０７１】
・［ｕ０  ｕ１］＝［１１］（ｕ０＝１，  ｕ１＝１）、［ｕ６  ｕ７］＝［０１］（ｕ６＝０，  ｕ７＝１）のとき、基地局は、「位相変更部２０５Ａ、位相変更部２０５Ｂが、方法１１＿２による周期的／規則的な位相変更をシンボルごとに行う方法と特定の位相変更値で位相変更を行う方法とを組み合わせる位相変更を行う」。
【１０７２】
方法１１＿２：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【１０７３】
【数１０７】
2017061113.tif 000113
【１０７４】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【１０７５】
【数１０８】
2017061113.tif 000114
【１０７６】
・［ｕ０  ｕ１］＝［１１］（ｕ０＝１，  ｕ１＝１）、［ｕ６  ｕ７］＝［１０］（ｕ６＝１，  ｕ７＝０）のとき、基地局は、「位相変更部２０５Ａ、位相変更部２０５Ｂが、方法１１＿３による周期的／規則的な位相変更をシンボルごとに行う方法と特定の位相変更値で位相変更を行う方法とを組み合わせる位相変更を行う」。
【１０７７】
方法１１＿３：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【１０７８】
【数１０９】
2017061113.tif 000115
【１０７９】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【１０８０】
【数１１０】
2017061113.tif 000116
【１０８１】
・［ｕ０  ｕ１］＝［１１］（ｕ０＝１，  ｕ１＝１）、［ｕ６  ｕ７］＝［１１］（ｕ６＝１，  ｕ７＝１）のとき、基地局は、「位相変更部２０５Ａ、位相変更部２０５Ｂが、方法１１＿４による周期的／規則的な位相変更をシンボルごとに行う方法と特定の位相変更値で位相変更を行う方法とを組み合わせる位相変更を行う」。
【１０８２】
方法１１＿４：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【１０８３】
【数１１１】
2017061113.tif 000117
【１０８４】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【１０８５】
【数１１２】
2017061113.tif 000118
【１０８６】
表４の解釈の第３の例は以下のとおりとなる。
・［ｕ０  ｕ１］＝［１１］（ｕ０＝１，  ｕ１＝１）、［ｕ６  ｕ７］＝［００］（ｕ６＝０，  ｕ７＝０）のとき、基地局は、「位相変更部２０５Ａ、位相変更部２０５Ｂが、方法１１＿１による周期的／規則的な位相変更をシンボルごとに行う方法と特定の位相変更値で位相変更を行う方法とを組み合わせる位相変更を行う」。
【１０８７】
方法１１＿１：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【１０８８】
【数１１３】
2017061113.tif 000119
【１０８９】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【１０９０】
【数１１４】
2017061113.tif 000120
【１０９１】
・［ｕ０  ｕ１］＝［１１］（ｕ０＝１，  ｕ１＝１）、［ｕ６  ｕ７］＝［０１］（ｕ６＝０，  ｕ７＝１）のとき、基地局は、「位相変更部２０５Ａ、位相変更部２０５Ｂが、方法１１＿２による周期的／規則的な位相変更をシンボルごとに行う方法と特定の位相変更値で位相変更を行う方法とを組み合わせる位相変更を行う」。
【１０９２】
方法１１＿２：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【１０９３】
【数１１５】
2017061113.tif 000121
【１０９４】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【１０９５】
【数１１６】
2017061113.tif 000122
【１０９６】
・［ｕ０  ｕ１］＝［１１］（ｕ０＝１，  ｕ１＝１）、［ｕ６  ｕ７］＝［１０］（ｕ６＝１，  ｕ７＝０）のとき、基地局は、「位相変更部２０５Ａ、位相変更部２０５Ｂが、方法１１＿３による周期的／規則的な位相変更をシンボルごとに行う方法と特定の位相変更値で位相変更を行う方法とを組み合わせる位相変更を行う」。
【１０９７】
方法１１＿３：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【１０９８】
【数１１７】
2017061113.tif 000123
【１０９９】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【１１００】
【数１１８】
2017061113.tif 000124
【１１０１】
・［ｕ０  ｕ１］＝［１１］（ｕ０＝１，  ｕ１＝１）、［ｕ６  ｕ７］＝［１１］（ｕ６＝１，  ｕ７＝１）のとき、基地局は、「位相変更部２０５Ａ、位相変更部２０５Ｂが、方法１１＿４による周期的／規則的な位相変更をシンボルごとに行う方法と特定の位相変更値で位相変更を行う方法とを組み合わせる位相変更を行う」。
【１１０２】
方法１１＿４：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【１１０３】
【数１１９】
2017061113.tif 000125
【１１０４】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【１１０５】
【数１２０】
2017061113.tif 000126
【１１０６】
表４の解釈の第４の例は以下のとおりとなる。
・［ｕ０  ｕ１］＝［１１］（ｕ０＝１，  ｕ１＝１）、［ｕ６  ｕ７］＝［００］（ｕ６＝０，  ｕ７＝０）のとき、基地局は、「位相変更部２０５Ａ、位相変更部２０５Ｂが、方法１１＿１による周期的／規則的な位相変更をシンボルごとに行う方法と特定の位相変更値で位相変更を行う方法とを組み合わせる位相変更を行う」。
【１１０７】
方法１１＿１：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【１１０８】
【数１２１】
2017061113.tif 000127
【１１０９】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【１１１０】
【数１２２】
2017061113.tif 000128
【１１１１】
・［ｕ０  ｕ１］＝［１１］（ｕ０＝１，  ｕ１＝１）、［ｕ６  ｕ７］＝［０１］（ｕ６＝０，  ｕ７＝１）のとき、基地局は、「位相変更部２０５Ａ、位相変更部２０５Ｂが、方法１１＿２による周期的／規則的な位相変更をシンボルごとに行う方法と特定の位相変更値で位相変更を行う方法とを組み合わせる位相変更を行う」。
【１１１２】
方法１１＿２：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【１１１３】
【数１２３】
2017061113.tif 000129
【１１１４】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【１１１５】
【数１２４】
2017061113.tif 000130
【１１１６】
・［ｕ０  ｕ１］＝［１１］（ｕ０＝１，  ｕ１＝１）、［ｕ６  ｕ７］＝［１０］（ｕ６＝１，  ｕ７＝０）のとき、基地局は、「位相変更部２０５Ａ、位相変更部２０５Ｂが、方法１１＿３による周期的／規則的な位相変更をシンボルごとに行う方法と特定の位相変更値で位相変更を行う方法とを組み合わせる位相変更を行う」。
【１１１７】
方法１１＿３：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【１１１８】
【数１２５】
2017061113.tif 000131
【１１１９】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【１１２０】
【数１２６】
2017061113.tif 000132
【１１２１】
・［ｕ０  ｕ１］＝［１１］（ｕ０＝１，  ｕ１＝１）、［ｕ６  ｕ７］＝［１１］（ｕ６＝１，  ｕ７＝１）のとき、基地局は、「位相変更部２０５Ａ、位相変更部２０５Ｂが、方法１１＿４による周期的／規則的な位相変更をシンボルごとに行う方法と特定の位相変更値で位相変更を行う方法とを組み合わせる位相変更を行う」。
【１１２２】
方法１１＿４：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【１１２３】
【数１２７】
2017061113.tif 000133
【１１２４】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【１１２５】
【数１２８】
2017061113.tif 000134
【１１２６】
表４の解釈の第５の例は以下のとおりとなる。
・［ｕ０  ｕ１］＝［１１］（ｕ０＝１，  ｕ１＝１）、［ｕ６  ｕ７］＝［００］（ｕ６＝０，  ｕ７＝０）のとき、基地局は、「位相変更部２０５Ａ、位相変更部２０５Ｂが、方法１１＿１による周期的／規則的な位相変更をシンボルごとに行う方法と特定の位相変更値で位相変更を行う方法とを組み合わせる位相変更を行う」。
【１１２７】
方法１１＿１：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【１１２８】
【数１２９】
2017061113.tif 000135
【１１２９】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【１１３０】
【数１３０】
2017061113.tif 000136
【１１３１】
・［ｕ０  ｕ１］＝［１１］（ｕ０＝１，  ｕ１＝１）、［ｕ６  ｕ７］＝［０１］（ｕ６＝０，  ｕ７＝１）のとき、基地局は、「位相変更部２０５Ａ、位相変更部２０５Ｂが、方法１１＿２による周期的／規則的な位相変更をシンボルごとに行う方法と特定の位相変更値で位相変更を行う方法とを組み合わせる位相変更を行う」。
【１１３２】
方法１１＿２：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【１１３３】
【数１３１】
2017061113.tif 000137
【１１３４】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【１１３５】
【数１３２】
2017061113.tif 000138
【１１３６】
・［ｕ０  ｕ１］＝［１１］（ｕ０＝１，  ｕ１＝１）、［ｕ６  ｕ７］＝［１０］（ｕ６＝１，  ｕ７＝０）のとき、基地局は、「位相変更部２０５Ａ、位相変更部２０５Ｂが、方法１１＿３による周期的／規則的な位相変更をシンボルごとに行う方法と特定の位相変更値で位相変更を行う方法とを組み合わせる位相変更を行う」。
【１１３７】
方法１１＿３：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【１１３８】
【数１３３】
2017061113.tif 000139
【１１３９】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【１１４０】
【数１３４】
2017061113.tif 000140
【１１４１】
・［ｕ０  ｕ１］＝［１１］（ｕ０＝１，  ｕ１＝１）、［ｕ６  ｕ７］＝［１１］（ｕ６＝１，  ｕ７＝１）のとき、基地局は、「位相変更部２０５Ａ、位相変更部２０５Ｂが、方法１１＿４による周期的／規則的な位相変更をシンボルごとに行う方法と特定の位相変更値で位相変更を行う方法とを組み合わせる位相変更を行う」。
【１１４２】
方法１１＿４：
位相変更部２０５Ａが、位相変更を行うことにより乗算に使用する係数をｙ１（ｉ）とする。ｉはシンボル番号を示しており、０以上の整数である。このとき、ｙ１（ｉ）は以下のようにあらわされる。
【１１４３】
【数１３５】
2017061113.tif 000141
【１１４４】
そして、位相変更部２０５Ｂが、位相変更を行うことにより乗算に使用する係数をｙ２（ｉ）とする。ｉはシンボル番号を示しており、０以上の整数である。このとき、ｙ２（ｉ）は以下のようにあらわされる。
【１１４５】
【数１３６】
2017061113.tif 000142
【１１４６】
以上のように、第１の例から第５の例を記載したが、位相変更部２０５Ａ、位相変更部２０５Ｂの具体的な位相変更方法は、これに限ったものではない。
＜７＞位相変更部２０５Ａにおいて、周期的／規則的な位相変更をシンボルごとに行い、位相変更部２０５Ｂにおいて、特定の位相変更値（セット）により位相変更を行う。
＜８＞位相変更部２０５Ｂにおいて、特定の位変更値（セット）により、位相変更を行い、位相変更部２０５Ｂにおいて、周期的／規則的な位相変更をシンボルごとに行う。
＜３＞位相変更部２０５Ａ、位相変更部２０５Ｂにおいて、周期的／規則的な位相変更をシンボルごとに行う。
＜７＞＜８＞のいずれか一つ以上の方法が［ｕ２  ｕ３］による具体的に設定されていれば上述の説明を同様に実施することができる。
【１１４７】
基地局が具備する重み付け合成部２０３では、重み付け合成の行列の切り替えてもよい。重み付け合成の行列を設定するための制御情報をｕ８，  ｕ９とする。［ｕ８  ｕ９］と重み付け合成部２０３が具体的に使用する重み付け合成の行列の関係を表５に示す。
【１１４８】
なお、ｕ８，  ｕ９は、例えば、その他のシンボル４０３、５０３の制御情報シンボルの一部として、基地局が送信する。そして、端末は、その他のシンボル４０３、５０３の制御情報シンボルに含まれる［ｕ８  ｕ９］を得、［ｕ８  ｕ９］から重み付け合成部２０３の動作を知り、データシンボルの復調及び復号を行う。そして、「具体的な重み付け行列」の指定のための制御情報を２ビットとしているが、ビット数は、２ビット以外であってもよい。
【１１４９】
【表５】
2017061113.tif 000143
【１１５０】
・［ｕ８  ｕ９］＝［００］（ｕ８＝０，  ｕ９＝０）のとき、「基地局の重み付け合成部２０３において、行列１を用いたプリコーディングを行う」。
・［ｕ８  ｕ９］＝［０１］（ｕ８＝０，  ｕ９＝１）のとき、「基地局の重み付け合成部２０３において、行列２を用いたプリコーディングを行う」。
・［ｕ８  ｕ９］＝［１０］（ｕ８＝１，  ｕ９＝０）のとき、「基地局の重み付け合成部２０３において、行列３を用いたプリコーディングを行う」。
・［ｕ８  ｕ９］＝［１１］（ｕ８＝１，  ｕ９＝１）のとき、「基地局は、通信相手から、例えば、フィードバック情報を得、そのフィードバック情報に基づいて、基地局の重み付け合成部２０３において、使用するプリコーディング行列を求め、求めたプリコーディング行列を用いたプリコーディングを行う」。
【１１５１】
以上のようにして、基地局の重み付け合成部２０３は、使用するプリコーディングの行列を切り替える。そして、基地局の通信相手である端末は、制御情報シンボルに含まれるｕ８，  ｕ９を得、ｕ８，  ｕ９に基づいて、データシンボルの復調及び復号を行うことができる。このようにすることで、電波伝搬環境の状態などの通信状況により、好適なプリコーディングの行列を設定することができるため、端末は、高いデータの受信品質を得ることができるという効果を得ることができる。
【１１５２】
なお、表１に示したように、基地局の位相変更部２０５Ａ、２０５Ｂのように指定する方法を説明したが、表１のかわりに、表６のような設定を行うようにしてもよい。
【１１５３】
図２３の基地局の送信装置２３０３は、図１の構成をもつ。そして、図１の信号処理部１０６は、図２、図１８、図１９、図２０、図２１、図２２、図２８、図２９、図３０、図３１、図３２、図３３のいずれかの構成をもつ。このとき、位相変更部２０５Ａ、２０５Ｂの動作を通信環境や設定状況によって切り替えてもよい。そして、位相変更部２０５Ａ、２０５Ｂの動作に関する制御情報を、フレーム構成図４、図５、図１３、図１４におけるその他のシンボル４０３、５０３の制御情報シンボルで伝送する制御情報の一部として、基地局が送信する。
【１１５４】
このとき、位相変更部２０５Ａ、２０５Ｂの動作に関する制御情報をｕ１０とする。［ｕ１０］と位相変更部２０５Ａ、２０５Ｂの関係を表６に示す。
【１１５５】
【表６】
2017061113.tif 000144
【１１５６】
なお、ｕ１０は、その他のシンボル４０３、５０３の制御情報シンボルの一部として、例えば、基地局が送信する。そして、端末は、その他のシンボル４０３、５０３の制御情報シンボルに含まれる［ｕ１０］を得、［ｕ１０］から位相変更部２０５Ａ、２０５Ｂの動作を知り、データシンボルの復調及び復号を行う。
【１１５７】
表６の解釈は以下のようになる。
・「位相変更部２０５Ａ、２０５Ｂは位相変更を行わない。」と基地局が設定したとき、「ｕ１０＝０」と設定する。よって、位相変更部２０５Ａは、入力信号２０４Ａに対し、位相変更を行わずに、信号２０６Ａを出力する。同様に、位相変更部２０５Ｂは、入力信号（２０４Ｂ）に対し、位相変更を行わずに、信号（２０６Ｂ）を出力する。
・「位相変更部２０５Ａ、２０５Ｂが、周期的／規則的な位相変更をシンボルごとに行う。」と基地局が設定したとき、「ｕ１０＝１」と設定する。なお、位相変更部２０５Ａ、２０５Ｂが、「シンボルごとに施す周期的／規則的な位相変更」を変更する方法の詳細については、実施の形態１から実施の形態６で説明したとおりであるので、詳細の説明を省略する。そして、図１の信号処理部１０６が、図２０、図２１、図２２のいずれかの構成を持つ場合、「位相変更部２０５Ａが周期的／規則的な位相変更をシンボルごとに行い、位相変更部２０５Ｂが周期的／規則的な位相変更をシンボルごとに行わない」「位相変更部２０５Ａが周期的／規則的な位相変更をシンボルごとに行わない、位相変更部２０５Ｂが周期的／規則的な位相変更をシンボルごとに行う」ときについても「ｕ１０＝１」と設定する。
【１１５８】
以上のようにして、電波伝搬環境などの通信状況により、位相変更部２０５Ａ、２０５Ｂの位相変更の動作のＯＮ／ＯＦＦを行うことで、端末は、高いデータの受信品質を得ることができるという効果を得ることができる。
【１１５９】
図２３の基地局の送信装置２３０３は、図１の構成をもつ。そして、図１の信号処理部１０６は、図２、図１８、図１９、図２０、図２１、図２２、図２８、図２９、図３０、図３１、図３２、図３３のいずれかの構成をもつ。このとき、位相変更部２０９Ａ、２０９Ｂの動作を通信環境や設定状況によって切り替えてもよい。そして、位相変更部２０９Ａ、２０９Ｂの動作に関する制御情報を、フレーム構成図４、図５、図１３、図１４におけるその他のシンボル４０３、５０３の制御情報シンボルで伝送する制御情報の一部として、基地局が送信する。
【１１６０】
このとき、位相変更部２０９Ａ、２０９Ｂの動作に関する制御情報をｕ１１とする。［ｕ１１］と位相変更部２０９Ａ、２０９Ｂの関係を表７に示す。
【１１６１】
【表７】
2017061113.tif 000145
【１１６２】
なお、ｕ１１は、その他のシンボル４０３、５０３の制御情報シンボルの一部として、例えば、基地局が送信する。そして、端末は、その他のシンボル４０３、５０３の制御情報シンボルに含まれる［ｕ１１］を得、［ｕ１１］から位相変更部２０９Ａ、２０９Ｂの動作を知り、データシンボルの復調及び復号を行う。
【１１６３】
表７の解釈は以下のようになる。
・「位相変更部２０９Ａ、２０９Ｂは位相変更を行わない。」と基地局が設定したとき、「ｕ１１＝０」と設定する。よって、位相変更部２０９Ａは、入力信号（２０８Ａ）に対し、位相変更を行わずに、信号（２１０Ａ）を出力する。同様に、位相変更部２０９Ｂは、入力信号（２０８Ｂ）に対し、位相変更を行わずに、信号（２１０Ｂ）を出力する。
・「位相変更部２０９Ａ、２０９Ｂが、周期的／規則的な位相変更をシンボルごとに行う。または、サイクリックディレイダイバーシチを適用する。」と基地局が設定したとき、「ｕ１１＝１」と設定する。
【１１６４】
なお、位相変更部２０９Ａ、２０９Ｂが、周期的／規則的にシンボルごとに位相変更を変更する方法の詳細については、実施の形態１から実施の形態６で説明したとおりであるので、詳細の説明を省略する。そして、図１の信号処理部１０６が、図１９、図２２のいずれかの構成を持つ場合、「位相変更部２０９Ａが周期的／規則的な位相変更をシンボルごとに行い、位相変更部２０９Ｂが周期的／規則的な位相変更をシンボルごとに行わない」「位相変更部２０９Ａが周期的／規則的な位相変更をシンボルごとに行わない、位相変更部２０９Ｂが周期的／規則的な位相変更をシンボルごとに行う」ときについても「ｕ１１＝１」と設定する。
【１１６５】
以上のようにして、電波伝搬環境などの通信状況により、位相変更部２０９Ａ、２０９Ｂの位相変更の動作のＯＮ／ＯＦＦを行うことで、端末は、高いデータの受信品質を得ることができるという効果を得ることができる。
【１１６６】
次に、表１のように位相変更部２０５Ａ、２０５Ｂの動作を切り替える一例を説明する。
【１１６７】
例えば、基地局と端末は、図２７のような通信を行っている。なお、図２７に基づいた通信については、前に説明したので、説明の一部を省略する。
【１１６８】
まず、端末は、基地局に対し、通信の要求を行う。
【１１６９】
すると、基地局は、表１の「特定の位相変更値（セット）で位相変更を施す」を選択し、位相変更部２０５Ａ、および／または、位相変更部２０５Ｂは、「特定の位相変更値（セット）で位相変更を施す」に相当する信号処理を施し、データシンボル＃１  ２７０２＿１を送信する。
【１１７０】
端末は、基地局が送信した制御情報シンボル２７０１＿１およびデータシンボル＃１  ２７０２＿１を受信し、制御情報シンボル２７０１＿１に含まれる送信方法に基づいて、データシンボル＃１  ２７０２＿１を復調及び復号する。その結果、「データシンボル＃１  ２７０２＿１に含まれるデータが誤りなく得られた」と、端末が判断した。すると、端末は、「データシンボル＃１  ２７０２＿１に含まれるデータが誤りなく得られた」という情報を少なくとも含む端末送信シンボル２７５０＿１を基地局に対し、送信する。
【１１７１】
基地局は、端末が送信した端末送信シンボル２７５０＿１を受信し、端末送信シンボル２７５０＿１に含まれる少なくとも「データシンボル＃１  ２７０２＿１に含まれるデータが誤りなく得られた」の情報に基づき、位相変更部２０５Ａ、および／または、位相変更部２０５Ｂで施す位相変更（セット）を、データシンボル＃１  ２７０２＿１を送信するときと同様に、「特定の位相変更値（セット）で位相変更を施す」と決定をする。
【１１７２】
基地局は、「データシンボル＃１  ２７０２＿１に含まれるデータが誤りなく得られた」ので、次のデータシンボルを送信する際も、「特定の位相変更値（セット）で位相変更を施す」を使用しても、端末は、誤りなくデータを得ることができる可能性が高いと判断することができる。
【１１７３】
これにより、端末は高いデータの受信品質を得ることができる可能性が高いという効果を得ることができる。そして、基地局は、決定した「特定の位相変更値（セット）で位相変更を施す」に基づき、位相変更部２０５Ａ、および／または、位相変更部２０５Ｂにおいて、位相変更を施す。
【１１７４】
基地局は、制御情報シンボル２７０１＿２、および、データシンボル＃２  ２７０２＿２を送信するが、少なくともデータシンボル＃２  ２７０２＿２は、決定した「特定の位相変更値（セット）で位相変更を施す」による位相変更が行われる。
【１１７５】
端末は、基地局が送信した制御情報シンボル２７０１＿２およびデータシンボル＃２  ２７０２＿２を受信し、制御情報シンボル２７０１＿２に含まれる送信方法に関する情報に基づいて、データシンボル＃２  ２７０２＿２を復調及び復号する。その結果、「データシンボル＃２  ２７０２＿２  に含まれるデータが正しく得られなかった」と、端末が判断した。
【１１７６】
すると、端末は、「データシンボル＃２  ２７０２＿２に含まれるデータが正しく得られなかった」という情報を少なくとも含む端末送信シンボル２７５０＿２を基地局に対し、送信する。
【１１７７】
基地局は、端末が送信した端末送信シンボル２７５０＿２を受信し、端末送信シンボル２７５０＿２に含まれる少なくとも「データシンボル＃２  ２７０２＿２に含まれるデータが正しく得られなかった」の情報に基づき、位相変更部２０５Ａ、および／または、位相変更部２０５Ｂで施す位相変更を、「シンボルごとに位相変更値を周期的／規則的に変更する」に変更すると判断する。
【１１７８】
基地局は、「データシンボル＃２  ２７０２＿２に含まれるデータが正しく得られなかった」ので、次のデータシンボルを送信する際、「周期的／規則的な位相変更をシンボルごとに行う」に位相変更方法を変更すると、端末は、誤りなくデータを得ることができる可能性が高いと判断することができる。
【１１７９】
これにより、端末は高いデータの受信品質を得ることができる可能性が高いという効果を得ることができる。したがって、基地局は、「周期的／規則的な位相変更をシンボルごとに行う」に基づき、位相変更部２０５Ａ、および／または、位相変更部２０５Ｂにおいて、位相変更を施す。
【１１８０】
このとき、制御情報シンボル２７０１＿３と「データシンボル＃２  ２７０２＿２−１」を基地局は、送信するするが、少なくとも、「データシンボル＃２  ２７０２＿２−１」に対して、「周期的／規則的な位相変更をシンボルごとに行う」に基づいた位相変更を行う。
【１１８１】
端末は、基地局が送信した制御情報シンボル２７０１＿３およびデータシンボル＃２  ２７０２＿２を受信し、制御情報シンボル２７０１＿３に含まれる送信方法の情報に基づいて、データシンボル＃２  ２７０２＿２−１を復調及び復号する。その結果、「データシンボル＃２  ２７０２＿２−１に含まれるデータが正しく得られなかった」と、端末が判断した。すると、端末は、「データシンボル＃２  ２７０２＿２−１に含まれるデータが正しく得られなかった」という情報を少なくとも含む端末送信シンボル２７５０＿３を基地局に対し、送信する。
【１１８２】
基地局は、端末が送信した端末送信シンボル２７５０＿３を受信し、端末送信シンボル２７５０＿３に含まれる少なくとも「データシンボル＃２  ２７０２＿２−１に含まれるデータが正しく得られなかった」情報に基づき、位相変更部Ａ、および、位相変更部Ｂで施す位相変更を、再度、「周期的／規則的な位相変更をシンボルごとに行う」に設定すると判断する。したがって、基地局は、「周期的／規則的な位相変更をシンボルごとに行う」に基づき、位相変更部２０５Ａ、および／または、位相変更部２０５Ｂにおいて、位相変更を施す。このとき、制御情報シンボル２７０１＿４と「データシンボル＃２  ２７０２＿２−２」を基地局は、送信するが、少なくとも、「データシンボル＃２  ２７０２＿２−２」に対して、「周期的／規則的な位相変更をシンボルごとに行う」に基づいた位相変更を行う。
【１１８３】
端末は、基地局が送信した制御情報シンボル２７０１＿４およびデータシンボル＃２  ２７０２＿２−２を受信し、制御情報シンボル２７０１＿４に含まれている送信方法に関する情報に基づいて、データシンボル＃２  ２７０２＿２−２を復調及び復号する。その結果、「データシンボル＃２  ２７０２＿２−２に含まれているデータが誤りなく得られた」と、端末が判断した。すると、端末は、「データシンボル＃２  ２７０２＿２−２に含まれているデータが誤りなく得られた」という情報を少なくとも含む端末送信シンボル２７５０＿４を基地局に対し、送信する。
【１１８４】
基地局は、端末が送信した端末送信シンボル２７５０＿４を受信し、端末送信シンボル２７５０＿４に含まれる少なくとも「データシンボル＃２  ２７０２−２に含まれるデータが誤りなく得られた」の情報に基づき、位相変更部２０５Ａ、および／または、位相変更部２０５Ｂで施す位相変更（セット）を、「特定の位相変更値（セット）で位相変更を施す」と決定をする。そして、基地局は、「特定の位相変更値（セット）で位相変更を施す」に基づき、位相変更部２０５Ａ、および／または、位相変更部２０５Ｂにおいて、位相変更を施す。
【１１８５】
基地局は、制御情報シンボル２７０１＿５、および、データシンボル＃３  ２７０２＿３を送信するが、少なくともデータシンボル＃３  ２７０２＿３は、「特定の位相変更値（セット）で位相変更を施す」に基づく、位相変更が行われる。
【１１８６】
端末は、基地局が送信した制御情報シンボル２７０１＿５およびデータシンボル＃３  ２７０２＿３を受信し、制御情報シンボル２７０１＿５に含まれている送信方法に関する情報に基づいて、データシンボル＃３  ２７０２＿３を復調及び復号する。その結果、「データシンボル＃３  ２７０２＿３に含まれるデータが誤りなく得られた」と、端末が判断した。すると、端末は、「データシンボル＃３  ２７０２＿３に含まれるデータが誤りなく得られた」という情報を少なくとも含む端末送信シンボル２７５０＿５を基地局に対し、送信する。
【１１８７】
基地局は、端末が送信した端末送信シンボル２７５０＿５を受信し、端末送信シンボル２７５０＿５に含まれる少なくとも「データシンボル＃３  ２７０２＿３に含まれるデータが誤りなく得られた」の情報に基づき、位相変更部２０５Ａ」、および／または、位相変更部２０５Ｂで施す方法を「特定の位相変更値（セット）で位相変更を施す」方法と決定する。そして、基地局は、「特定の位相変更値（セット）で位相変更を施す」に基づき、データシンボル＃４  ２７０２＿４を送信する。
【１１８８】
端末は、基地局が送信した制御情報シンボル２７０１＿６およびデータシンボル＃４  ２７０２＿４を受信し、制御情報シンボル２７０１＿６に含まれる送信方法に関する情報に基づき、データシンボル＃４  ２７０２＿４を復調及び復号する。その結果、「データシンボル＃４  ２７０２＿４に含まれるデータが正しく得られなかった」と、端末が判断した。すると、端末は「データシンボル＃４  ２７０２＿４に含まれるデータが正しく得られなかった」という情報を少なくとも含む端末送信シンボル２７５０＿６を基地局に対し、送信する。
【１１８９】
基地局は、端末が送信した端末送信シンボル２７５０＿６を受信し、端末送信シンボル２７５０＿６に含まれる少なくとも「データシンボル＃４  ２７０２＿４に含まれるデータが正しく得られなかった」の情報に基づき、位相変更部２０５Ａ、および／または、位相変更部２０５Ｂで施す位相変更を、「周期的／規則的な位相変更をシンボルごとに行う」に変更すると判断する。したがって、基地局は、「周期的／規則的な位相変更をシンボルごとに行う」に基づき、位相変更部２０５Ａ、および／または、位相変更部２０５Ｂにおいて、位相変更を施す。このとき、制御情報シンボル２７０１＿７と「データシンボル＃４  ２７０２＿４−１」を基地局は、送信するが、少なくとも、「データシンボル＃４  ２７０２＿４−１」に対して、「周期的／規則的な位相変更をシンボルごとに行う」に基づいた位相変更を行う。
【１１９０】
端末は、基地局が送信した制御情報シンボル２７０１＿７およびデータシンボル＃４  ２７０２＿４−１を受信し、制御情報シンボル２７０１＿７に含まれる送信方法に関する情報に基づいて、データシンボル＃４  ２７０２＿４−１を復調及び復号する。
【１１９１】
なお、データシンボル＃１  ２７０２＿１、データシンボル＃２  ２７０２＿２、データシンボル＃３  ２７０２＿３、データシンボル＃４  ２７０２＿４において、実施の形態１から実施の形態６で説明したように、基地局は、複数の変調信号を複数のアンテナから送信する。
【１１９２】
図２７の基地局、端末のフレーム構成はあくまでも一例であり、他のシンボルが含まれていてもよい。そして、制御情報シンボル２７０１＿１、２７０１＿２、２７０１＿３、２７０１＿４、２７０１＿５、２７０１＿６、データシンボル＃１  ２７０２＿１、データシンボル＃２  ２７０２＿２、データシンボル＃３  ２７０２＿３、データシンボル＃４  ２７０２＿４のそれぞれのシンボルは、例えば、パイロットシンボルのような他のシンボルを含んでいてもよい。また、制御情報シンボル２７０１＿１、２７０１＿２、２７０１＿３、２７０１＿４、２７０１＿５、２７０１＿６には、データシンボル＃１  ２７０２＿１、データシンボル＃２  ２７０２＿２、データシンボル＃３  ２７０２＿３、データシンボル＃４  ２７０２＿４を送信する際に使用した「特定の位相変更値」の値に関する情報を含んでおり、端末は、この情報を得ることで、データシンボル＃１  ２７０２＿１、データシンボル＃２  ２７０２＿２、データシンボル＃３  ２７０２＿３、データシンボル＃４  ２７０２＿４の復調及び復号が可能となる。
【１１９３】
なお、図２７を用いた、基地局の本実施の形態で記載した「表１」に基づく送信方法の切り替えについては、上述に限ったものではなく、上述の説明は、送信方法切り替えの一例でしかなく、より、柔軟に「表１」に基づく送信方法の切り替えを行ってもよい。
【１１９４】
以上のように、送信方法の切り替え、位相変更方法の切り替え、位相変更の動作のＯＮ／ＯＦＦを、通信環境等により、より柔軟に動作を切り替えることで、通信相手の受信装置は、データの受信品質が向上するという効果を得ることができる。
【１１９５】
なお、本実施の形態の表１のｕ０＝１かつｕ１＝１のReserveに対し、通信相手からの情報などによって、プリコーディング行列を切り替える方式を割り当ててもよい。つまり、基地局は、ＭＩＭＯ伝送方式を選択した際、通信相手からの情報に基づき、プリコーディング行列を選択する方式を選ぶことができるようにしてもよい。
【１１９６】
本実施の形態において、図１の信号処理部１０６の構成として、図２８、図２９、図３０、図３１、図３２、図３３について説明を行ったが、実施の形態１から実施の形態６に対し、図１の信号処理部１０６として、図２８、図２９、図３０、図３１、図３２、図３３を適用しても、実施することが可能である。
【１１９７】
（補足３）
本開示で記載したマッピング部において、シンボルごとにマッピングの方法を、例えば、規則的／周期的に切り替えてもよい。例えば、変調方式として、同相Ｉ−直交Ｑ平面において、４ビット伝送のための１６個の信号点をもつ変調方式と設定した。このとき、シンボルごとに、同相Ｉ−直交Ｑ平面における４ビットを伝送するための１６個の信号点の配置を切り替えてもよい。
【１１９８】
また、実施の形態１から実施の形態６において、ＯＦＤＭなどのマルチキャリア方式に適用した場合について説明したが、シングルキャリア方式に適用しても同様に実施することは可能である。
【１１９９】
また、本開示の各実施の形態において、スペクトル拡散通信方式を適用した場合についても同様に実施することが可能である。
【１２００】
（補足４）
本開示で開示した各実施の形態において、送信装置の構成として図１を例に挙げて説明し、図１の信号処理部１０６の構成として、図２、図１８、図１９、図２０、図２１、図２２、図２８、図２９、図３０、図３１、図３２、図３３を例に挙げて説明した。しかしながら、送信装置の構成は図１で説明した構成に限られず、信号処理部１０６の構成は、図２、図１８、図１９、図２０、図２１、図２２、図２８、図２９、図３０、図３１、図３２、図３３で示した構成に限られない。すなわち、送信装置が本開示で開示した各実施の形態において説明した信号処理後の信号１０６＿Ａ、１０６＿Ｂのいずれかと同じ信号を生成し、複数のアンテナ部を用いて送信することができれば、送信装置及びその信号処理部１０６は、どのような構成でもよい。
【１２０１】
以下では、そのような条件を満たす、送信装置及びその信号処理部１０６の異なる構成例について説明する。
【１２０２】
異なる構成例の一つとしては、図１のマッピング部１０４が、符号化データ１０３及び制御信号１００に基づいて、図２、図１８、図１９、図２０、図２１、図２２のいずれかにおける重み付け合成後の信号２０４Ａ、２０４Ｂに相当する信号を、マッピング後の信号１０５＿１、１０５＿２として生成する。信号処理部１０６は、図２、図１８、図１９、図２０、図２１、図２２のいずれかから重み付け合成部２０３を除いた構成を備え、マッピング後の信号１０５＿１が位相変更部２０５Ａまたは挿入部２０７Ａに入力され、マッピング後の信号１０５＿２が位相変更部２０５Ｂまたは挿入部２０７Ｂに入力される。
【１２０３】
また、異なる構成例の別の一つとしては、重み付け合成（プリコーディング）の処理が、式（３３）または式（３４）で示す（プリコーディング）行列Ｆであらわされる場合、図２における重み付け合成部２０３は、マッピング後の信号２０１Ａ、２０１Ｂに対し、重み付け合成のための信号処理を施さずに、マッピング後の信号２０１Ａを重み付け合成後の信号２０４Ａとして出力し、マッピング後の信号２０１Ｂを重み付け合成後の信号２０４Ｂとして出力する。
【１２０４】
この場合、重み付け合成部２０３は、制御信号２００に基づいて、（ｉ）重み付け合成に対応する信号処理を施して重み付け合成後の信号２０４Ａ、２０４Ｂを生成する、（ｉｉ）重み付け合成のための信号処理を行わず、マッピング後の信号２０１Ａを重み付け合成後の信号２０４Ａとして出力し、マッピング後の信号２０１Ｂを重み付け合成後の信号２０４Ｂとして出力する、という（ｉ）の処理と（ｉｉ）の処理を切り替える制御を行う。また、重み付け合成（プリコーディング）の処理として、式（３３）または式（３４）の（プリコーディング）行列Ｆであらわされるものしか実施しない場合、重み付け合成部２０３を備えていなくてもよい。
【１２０５】
このように、送信装置の具体的な構成が異なっていたとしても、本開示で開示した各実施の形態において説明した信号処理後の信号１０６＿Ａ、１０６＿Ｂのいずれかと同じ信号を生成し、複数のアンテナ部を用いて送信すれば、受信装置は、直接波が支配的な環境、例えば、ＬＯＳ環境のときに、ＭＩＭＯ伝送を行っている、又は、複数のストリームを伝送しているデータシンボルの受信装置におけるデータの受信品質が向上するという効果を得ることができる。
【１２０６】
なお、図１の信号処理部１０６において、重み付け合成部２０３の前と後ろの両方に位相変更部を設けてもよい。具体的には、信号処理部１０６は、重み付け合成部２０３の前段に、マッピング後の信号２０１Ａに対して位相変更を施して位相変更後の信号２８０１Ａを生成する位相変更部２０５Ａ＿１、及びマッピング後の信号２０１Ｂに対して位相変更を施して位相変更後の信号２８０１Ｂを生成する位相変更部２０５Ｂ＿１のいずれか一方または両方を備える。
【１２０７】
さらに、信号処理部１０６は、挿入部２０７Ａ、２０７Ｂの前段に、重み付け合成後の信号２０４Ａに対して位相変更を施して位相変更後の信号２０６Ａを生成する位相変更部２０５Ａ＿２、及び重み付け合成後の信号２０４Ｂに対して位相変更を施して位相変更後の信号２０６Ｂを生成する位相変更部２０５Ｂ＿２のいずれか一方または両方を備える。
【１２０８】
ここで、信号処理部１０６が位相変更部２０５Ａ＿１を備える場合、重み付け合成部２０３一方の入力は位相変更後の信号２８０１Ａであり、信号処理部１０６が位相変更部２０５Ａ＿１を備えない場合、重み付け合成部２０３一方の入力はマッピング後の信号２０１Ａである。
【１２０９】
信号処理部１０６が位相変更部２０５Ｂ＿１を備える場合、重み付け合成部２０３の他方の入力は位相変更後の信号２８０１Ｂであり、信号処理部１０６が位相変更部２０５Ｂ＿１を備えない場合、重み付け合成部２０３の他方の入力はマッピング後の信号２０１Ｂである。信号処理部１０６が位相変更部２０５Ａ＿２を備える場合、挿入部２０７Ａの入力は位相変更後の信号２０６Ａであり、信号処理部１０６が位相変更部２０５Ａ＿２を備えない場合、挿入部２０７Ａの入力は重み付け合成後の信号２０４Ａである。
【１２１０】
そして、信号処理部１０６が位相変更部２０５Ｂ＿２を備える場合、挿入部２０７Ｂの入力は位相変更後の信号２０６Ｂであり、信号処理部１０６が位相変更部２０５Ｂ＿２を備えない場合、挿入部２０７Ｂの入力は重み付け合成後の信号２０４Ｂである。
【１２１１】
また、図１の送信装置は、信号処理部１０６の出力である信号処理後の信号１０６＿Ａ、１０６＿Ｂに対し、別の信号処理を施す第２の信号処理部を備えていてもよい。このとき、第２の信号処理部が出力する２つの信号を第２の信号処理後の信号Ａ、第２の信号処理後の信号Ｂとすると、無線部１０７＿Ａは、第２の信号処理後の信号Ａを入力とし、所定の処理を施し、無線部１０７＿Ｂは、第２の信号処理後の信号Ｂを入力とし、所定の処理を施す。
【１２１２】
（実施の形態Ａ１）
以下では、基地局（ＡＰ）と端末が通信を行っている場合について説明する。このとき、基地局（ＡＰ）は、複数のストリームのデータを含む複数の変調信号を複数のアンテナを用いて送信することができる。
【１２１３】
例えば、基地局（ＡＰ）は、複数のストリームのデータを含む複数の変調信号を複数のアンテナを用いて送信するために、図１の送信装置を備える。また、図１の信号処理部１０６の構成として、例えば、図２、図１８、図１９、図２０、図２１、図２２、図２８、図２９、図３０、図３１、図３２、図３３の構成のいずれかを備える。
【１２１４】
上述した送信装置では、プリコーディング後の、少なくとも一つの変調信号に対し、位相変更を行う場合について説明している。本実施の形態では、基地局（ＡＰ）は、「位相変更を行う、位相変更を行わない」、を制御信号により切り替え可能である。したがって、以下のようになる。
【１２１５】
＜位相変更を行う場合＞
基地局（ＡＰ）は少なくとも一つの変調信号に対し、位相変更を行う。そして、複数の変調信号を複数のアンテナを用いて送信する。なお、少なくとも一つの変調信号に対し、位相変更を行い、複数の変調信号を複数のアンテナを用いて送信する送信方法については、本開示の複数の実施の形態において説明したとおりである。
【１２１６】
＜位相変更を行わない場合＞
基地局（ＡＰ）は、複数のストリームの変調信号（ベースバンド信号）に対し、本開示で説明したプリコーディング（重み付け合成）を行い、位相変更は施さないで、生成された複数の変調信号を複数のアンテナを用いて送信する。ただし、本開示で上述したように、プリコーディング部（重み付け合成部）は、プリコーディングの処理を行わない場合があってもよいし、常にプリコーディングの処理を行わずプリコーディング部（重み付け合成部）を備えていなくてもよい。
【１２１７】
なお、基地局（ＡＰ）は、例えば、プリアンブルを用いて、位相変更を行う／行わないを通信相手である端末に通知するための制御情報を送信する。
【１２１８】
図３４は、基地局（ＡＰ）３４０１と端末３４０２が通信を行っている状態におけるシステム構成の一例を示している。
【１２１９】
図３４に示しているように、基地局（ＡＰ）３４０１が変調信号を送信し、通信相手である端末３４０２がその変調信号を受信する。そして、端末３４０２が変調信号を送信し、通信相手である基地局３４０１がその変調信号を受信する。
【１２２０】
図３５は、基地局（ＡＰ）３４０１と端末３４０２の通信のやりとりの例を示している。
【１２２１】
図３５において、図３５における（Ａ）は基地局（ＡＰ）３４０１の送信信号の時間における様子を示しており、横軸は時間である。図３５における（Ｂ）は端末３４０２の送信信号の時間における様子を示しており、横軸は時間である。
【１２２２】
まず、基地局（ＡＰ）３４０１は、例えば変調信号を送信したいという要求情報を含んだ送信要求３５０１を送信する。
【１２２３】
そして、端末３４０２は、基地局（ＡＰ）３４０１が送信した変調信号を送信したいという要求情報である送信要求３５０１を受信し、例えば端末３４０２が受信可能な能力（もしくは受信可能な方式）を示す情報を含んだ受信能力通知シンボル３５０２を送信する。
【１２２４】
基地局（ＡＰ）３４０１は、端末３４０２が送信した受信能力通知シンボル３５０２を受信し、受信能力通知シンボル３５０２に含まれる情報の内容に基づいて、誤り訂正符号化方法、変調方式（または、変調方式のセット）、送信方法を決定し、これらの決定した方法に基づいて、送信したい情報（データ）に対し、誤り訂正符号化、変調方式におけるマッピング、その他の信号処理（例えば、プリコーディング、位相変更など）を施して生成された、データシンボル等を含む変調信号３５０３を送信する。
【１２２５】
なお、データシンボル等３５０３には、例えば、制御情報シンボルが含まれていてもよい。このとき、データシンボルを、「複数ストリームのデータを含む複数の変調信号を複数のアンテナを用いて送信する送信方法」を用いて送信する際、少なくとも一つの変調信号に対し位相変更を行っているか、または、前述の位相変更を行っていないか、を通信相手に通知するための情報を含む制御シンボルを送信しているとよい。通信相手が容易に復調方法変更することができる。
【１２２６】
端末３４０２は、基地局３４０１が送信したデータシンボル等３５０３を受信し、データを得る。
【１２２７】
図３６は、図３５で示した端末が送信する受信能力通知シンボル３５０２が含むデータの例を示している。図３６は、「位相変更の復調に対応している／対応していない」に関する情報を示すデータ３６０１、「受信指向性制御に対応している／対応していない」に関する情報を示すデータ３６０２を示す。
【１２２８】
なお、「位相変更の復調に対応している／対応していない」に関する情報を示すデータ３６０１において、「対応している」とは、例えば、以下の状態を示す。
【１２２９】
「位相変更の復調に対応している」：
・基地局（ＡＰ）３４０１は少なくとも一つの変調信号に対し、位相変更を行い、複数の変調信号を複数のアンテナを用いて送信した際、端末３４０２は、この変調信号を受信し、復調することができる、ということを意味している。つまり、位相変更を考慮した復調を行うことができ、データを得ることができるということを意味している。なお、少なくとも一つの変調信号に対し、位相変更を行い、複数の変調信号を複数のアンテナを用いて送信する送信方法については、本開示の複数の実施の形態において説明したとおりである。
【１２３０】
「位相変更の復調に対応している／対応していない」に関するデータ３６０１において、「対応していない」とは、例えば以下の状態を示す。
【１２３１】
「位相変更の復調対応していない」：
・基地局（ＡＰ）３４０１は少なくとも一つの変調信号に対し、位相変更を行い、複数の変調信号を複数のアンテナを用いて送信した際、端末３４０２は、この変調信号を受信しても、復調することが困難である、ということを意味している。つまり、位相変更を考慮した復調を行うことが困難であることを意味している。なお、少なくとも一つの変調信号に対し、位相変更を行い、複数の変調信号を複数のアンテナを用いて送信する送信方法については、上述した本開示の複数の実施の形態において説明したとおりである。
【１２３２】
例えば、端末３４０２が、上述したように「位相変更に対応している」場合、「位相変更の復調に対応している／対応していない」に関する情報を示すデータ３６０１を「０」に設定し、端末３４０２が受信能力通知シンボル３５０２を送信する。また、端末（３４０２）が上述したように「位相変更に対応していない」場合、「位相変更の復調に対応している／対応していない」に関する情報を示すデータ３６０１を「１」に設定し、端末３４０２が受信能力通知シンボル３５０２を送信する。
【１２３３】
そして、基地局（ＡＰ）３４０１は、端末３４０２が送信した「位相変更の復調に対応している／対応していない」に関する情報を示すデータ３６０１を受信し、「位相変更に対応している」と受信し、かつ、基地局（ＡＰ）３４０１が、複数のストリームの変調信号を複数のアンテナを用いて送信すると決定した場合、基地局（ＡＰ）３４０１は以下の＜方法＃１＞＜方法＃２＞のいずれの方法を用いて変調信号を送信してもよい。または、基地局（ＡＰ）３４０１は＜方法＃２＞で変調信号を送信する。なお、「位相変更に対応している」と受信とは、「位相変更の復調に対応している／対応していない」に関する情報を示すデータ３６０１として「０」を受信することである。
【１２３４】
＜方法＃１＞
基地局（ＡＰ）３４０１は、複数のストリームの変調信号（ベースバンド信号）に対し、本開示で説明したプリコーディング（重み付け合成）を行い、位相変更は施さないで、生成された複数の変調信号を複数のアンテナを用いて送信する。ただし、本開示で説明しているように、プリコーディング部（重み付け合成部）は、プリコーディングの処理を行わなくてもよい。
【１２３５】
＜方法＃２＞
基地局（ＡＰ）３４０１は少なくとも一つの変調信号に対し、位相変更を行う。そして、複数の変調信号を複数のアンテナを用いて送信する。なお、少なくとも一つの変調信号に対し、位相変更を行い、複数の変調信号を複数のアンテナを用いて送信する送信方法については、本開示の複数の実施の形態において説明したとおりである。
【１２３６】
ここで、重要なことは、基地局（ＡＰ）３４０１が選択可能な送信方法として＜方法＃２＞が含まれていることである。したがって、基地局（ＡＰ）３４０１が＜方法＃１＞＜方法＃２＞以外の方法を用いて変調信号を送信してもよい。
【１２３７】
基地局（ＡＰ）３４０１は、端末３４０２が送信した「位相変更の復調に対応している／対応していない」に関する情報を示すデータ３６０１を受信し、「位相変更に対応していない」と受信し、かつ、基地局（ＡＰ）３４０１が、複数のストリームの変調信号を複数のアンテナを用いて送信すると決定した場合、例えば、基地局（ＡＰ）３４０１は＜方法＃１＞で変調信号を送信する。「位相変更に対応していない」と受信するとは、「位相変更の復調に対応している／対応していない」に関する情報を示すデータ３６０１として「１」を受信することである。
【１２３８】
ここで、基地局（ＡＰ）３４０１が選択可能な送信方法として＜方法＃２＞が含まれていないことである。したがって、基地局（ＡＰ）３４０１が＜方法＃１＞とは別であり、かつ、＜方法＃２＞でない送信方法を用いて変調信号を送信してもよい。
【１２３９】
なお、受信能力通知シンボル３５０２は、「位相変更の復調に対応している／対応していない」に関する情報を示すデータ３６０１以外の情報を示すデータを含んでいてもよい。例えば、端末３４０２の受信装置が「受信指向性制御に対応している／対応していない」に関する情報を示すデータ３６０２などが含まれていてもよい。したがって、受信能力通知シンボル３５０２の構成は、図３６の構成に限ったものではない。
【１２４０】
例えば、基地局（ＡＰ）３４０１が＜方法＃１＞＜方法＃２＞以外の方法を用いて変調信号を送信する機能を備える場合に、端末３４０２の受信装置が、「当該＜方法＃１＞＜方法＃２＞以外の方法に対応している／対応していない」に関する情報を示すデータを含んでいてもよい。
【１２４１】
例えば、端末３４０２が受信指向性制御を行うことができる場合、「受信指向性制御に対応している／対応していない」に関する情報を示すデータ３６０２として「０」を設定する。また、端末３４０２が受信指向性制御を行うことができない場合、「受信指向性制御に対応している／対応していない」に関するデータ３６０２として「１」を設定する。
【１２４２】
端末３４０２は、「受信指向性制御に対応している／対応していない」に関するデータ３６０２の情報を送信し、基地局（ＡＰ）３４０１は、この情報を得、端末３４０２が「受信指向性制御に対応している」と判断した場合、基地局（ＡＰ）３４０１、端末３４０２は、端末３４０２の受信指向性制御のためのトレーニングシンボル、リファレンスシンボル、制御情報シンボルなどを送信する。
【１２４３】
図３７は、図３５に示す端末が送信する受信能力通知シンボル３５０２が含むデータの一例として図３６とは異なる例を示している。なお、図３６と同様に動作が行われるものには、同一番号を付している。したがって、図３７の「位相変更の復調に対応している／対応していない」に関するデータ３６０１については、すでに説明をしているので、説明を省略する。
【１２４４】
次に、図３７の「複数ストリームのための受信に対応している／対応していない」に関する情報を示すデータ３７０２について、以下で、説明を行う。
【１２４５】
「複数ストリームのための受信に対応している／対応していない」に関するデータ３７０２において、「対応している」とは、例えば以下の状態を示す。
【１２４６】
「複数ストリームのための受信に対応している」：
・基地局（ＡＰ）３４０１が、複数のストリームを伝送するために、複数の変調信号を複数のアンテナから送信する際、端末は、基地局が送信した複数の変調信号をを受信し、復調することができる、ということを意味している。ただし、例えば、基地局（ＡＰ）３４０１が、複数の変調信号を複数のアンテナから送信した際、位相変更を施している／施していないは問わない。つまり、基地局（ＡＰ）３４０１が複数のストリームを伝送するために複数の変調信号を複数アンテナで送信する送信方法として、複数の送信方法を定義している場合、端末は、復調可能な送信方法が少なくとも一つ存在していればよい。
【１２４７】
「複数ストリームのための受信に対応している／対応していない」に関する情報を示すデータ３７０２において、「対応していない」とは、例えば以下の状態を示す。
【１２４８】
「複数ストリームのための受信に対応していない」：
・基地局（ＡＰ）３４０１が、複数のストリームを伝送するためにづく数の変調信号を複数アンテナで送信する送信方法として、複数の送信方法を定義している場合、端末３４０２は、いずれの送信方法で基地局が変調信号を送信しても復調することができない。
【１２４９】
例えば、端末３４０２が「複数ストリームのための受信に対応している」場合、「複数ストリームのための受信に対応している／対応していない」に関するデータ３７０２として「０」と設定する。また、端末（３４０２）が、「複数ストリームのための受信に対応していない」場合、「複数ストリームのための受信に対応している／対応していない」に関するデータ３７０２として「１」と設定する。
【１２５０】
したがって、端末３４０２が、「複数ストリームのための受信に対応している／対応していない」に関するデータ３７０２として「０」と設定している場合、「位相変更の復調に対応している／対応していない」に関するデータ３６０１は有効であり、このとき、基地局（ＡＰ）３４０１は、「位相変更の復調に対応している／対応していない」に関するデータ３６０１、「複数ストリームのための受信に対応している／対応していない」に関するデータ３７０２により、データを送信する送信方法を決定する。
【１２５１】
端末３４０２が、「複数ストリームのための受信に対応している／対応していない」に関するデータ３７０２として「１」と設定している場合、「位相変更の復調に対応している／対応していない」に関する情報を示すデータ３６０１は無効であり、このとき、基地局（ＡＰ）３４０１は、「複数ストリームのための受信に対応している／対応していない」に関する情報を示すデータ３７０２により、データを送信する送信方法を決定する。
【１２５２】
以上のように、端末３４０２が受信能力通知シンボル３５０２を送信し、基地局（ＡＰ）３４０１が、このシンボルに基づいて、データを送信する送信方法を決定することで、端末に対し、データを的確に送信することができるという利点があり（端末３４０２が復調できない送信方法でデータを送信するケースを少なくすることができるため）、これにより、基地局（ＡＰ）３４０１のデータ伝送効率を向上させることができるという効果を得ることができる。
【１２５３】
また、受信能力通知シンボル３５０２として、「位相変更の復調に対応している／対応していない」に関する情報を示すデータ３６０１が存在しており、位相変更の復調に対応している端末３４０２と基地局（ＡＰ）３４０１が通信を行っている場合、基地局（ＡＰ）３４０１が的確に「位相変更を施す送信方法で、変調信号を送信する」モードを選択することができるため、端末３４０２は、直接波が支配的な環境においても、高いデータの受信品質を得ることができるという効果を得ることができる。
【１２５４】
また、位相変更の復調に対応していない端末と基地局（ＡＰ）３４０１が通信を行っている場合、基地局（ＡＰ）３４０１は、端末３４０２が受信可能な送信方法を的確に選ぶことができるので、データの伝送効率を向上させることができるという効果を得ることができる。
【１２５５】
なお、図３５において、図３５における（Ａ）を基地局（ＡＰ）３４０１の送信信号、図３５Bを端末３４０２の送信信号としているが、これに限ったものではない。例えば、図３５Aを端末３４０２の送信信号、図３５における（Ｂ）を基地局（ＡＰ）３４０１の送信信号としてもよい。
【１２５６】
また、図３５における（Ａ）を端末＃１の送信信号、図３５における（Ｂ）を端末＃２の送信信号とし、端末同士の通信であってもよい。
【１２５７】
そして、図３５における（Ａ）を基地局（ＡＰ）＃１の送信信号、図３５における（Ｂ）を基地局（ＡＰ）＃２の送信信号とし、基地局（ＡＰ）同士の通信であってもよい。
【１２５８】
なお、これらの例に限ったものではなく、通信装置同士の通信であればよい。
【１２５９】
また、図３５における（Ａ）におけるデータシンボル等３５０３の送信におけるデータシンボルは、ＯＦＤＭのようなマルチキャリア方式の信号であってもよいし、シングルキャリア方式の信号であってもよい。同様に、図３５の受信能力通知シンボル３５０２は、ＯＦＤＭのようなマルチキャリア方式の信号であってもよいし、シングルキャリア方式の信号であってもよい。
【１２６０】
例えば、図３５の受信能力通知シンボル３５０２をシングルキャリア方式としたとき、図３５の場合、端末３４０２は、消費電力を低減することができるという効果を得ることができる。
【１２６１】
（実施の形態Ａ２）
次に、別の例を説明する。
【１２６２】
図３８は、図３５の端末が送信する「受信能力通知シンボル」３５０２が含むデータの図３６、図３７とは別の例を示している。なお、図３６、図３７と同様に動作するものには、同一番号を付している。そして、図３６、図３７と同様に動作するものについては説明を省略する。
【１２６３】
図３８における「サポートしている方式」に関するデータ３８０１について、説明を行う。図３４における基地局（ＡＰ）の端末への変調信号の送信、および、端末の基地局（ＡＰ）への変調信号の送信は、ある特定の周波数（周波数帯）の通信方式の変調信号の送信である。そして、この「ある特定の周波数（周波数帯）の通信方式」として、例えば、通信方式＃Ａと通信方式＃Ｂが存在する。
【１２６４】
例えば、「サポートしている方式」に関するデータ３８０１は２ビットで構成されている。そして、
・端末が「通信方式＃Ａ」をサポートしている場合、「サポートしている方式」に関するデータ３８０１を「０１」と設定する。「サポートしている方式」に関するデータ３８０１を「０１」と設定した場合、基地局（ＡＰ）が、「通信方式＃Ｂ」の変調信号を送信しても、端末は、復調し、データを得ることができない。
・端末が「通信方式＃Ｂ」をサポートしている場合、「サポートしている方式」に関するデータ３８０１を「１０」と設定する。「サポートしている方式」に関するデータ３８０１を「１０」と設定した場合、基地局（ＡＰ）が、「通信方式＃Ａ」の変調信号を送信しても、端末は、復調し、データを得ることができない。
・端末が「通信方式＃Ａと通信方式＃Ｂ」の両者をサポートしている場合、「サポートしている方式」に関するデータ３８０１を「１１」と設定する。
【１２６５】
なお、「通信方式＃Ａ」には、「複数のストリームを含む複数の変調信号を複数のアンテナを用いて送信する方式」をサポートしていない。つまり、「通信方式＃Ａ」としての「複数のストリームを含む複数の変調信号を複数のアンテナを用いて送信する方式」の選択肢がない。そして、「通信方式＃Ｂ」には、「複数のストリームを含む複数の変調信号を複数のアンテナを用いて送信する方式」をサポートしている。「通信方式＃Ｂ」として、「複数のストリームを含む複数のストリームを含む複数の変調信号を複数のアンテナを用いて送信する送信方法」を選択することが可能である。
【１２６６】
次に、図３８における「マルチキャリア方式に対応している／対応していない」に関するデータ３８０２について、説明を行う。「通信方式＃Ａ」は、変調信号の送信方法として、「シングルキャリア方式」、「ＯＦＤＭ方式などのマルチキャリア方式」の選択が可能である。また、「通信方式＃Ｂ」は、変調信号の送信方法として、「シングルキャリア方式」、「ＯＦＤＭ方式などのマルチキャリア方式」の選択が可能である。
【１２６７】
例えば、「マルチキャリア方式に対応している／対応していない」に関するデータ３８０２は２ビットで構成されている。そして、
・端末が「シングルキャリア方式」をサポートしている場合、「マルチキャリア方式に対応している／対応していない」に関するデータ３８０２を「０１」と設定する。「マルチキャリア方式に対応している／対応していない」に関するデータ３８０２を「０１」と設定した場合、基地局（ＡＰ）が、「ＯＦＤＭ方式などのマルチキャリア方式」の変調信号を送信しても、端末は、復調し、データを得ることができない。
・端末が「ＯＦＤＭ方式などのマルチキャリア方式」をサポートしている場合、「マルチキャリア方式に対応している／対応していない」に関するデータ３８０２を「１０」と設定する。「マルチキャリア方式に対応している／対応していない」に関するデータ３８０２を「１０」と設定した場合、基地局（ＡＰ）が、「シングルキャリア方式」の変調信号を送信しても、端末は、復調し、データを得ることができない。
・端末が「シングルキャリア方式とＯＦＤＭ方式などのマルチキャリア方式」の両者をサポートしている場合、「マルチキャリア方式に対応している／対応していない」に関するデータ３８０２を「１１」と設定する。
【１２６８】
次に、図３８における「サポートしている誤り訂正符号化方式」に関するデータ３８０３について、説明を行う。例えば、「誤り訂正符号化方式＃Ｃ」は、「符号長（ブロック長）ｃビットの１つ以上の符号化率に対応した誤り訂正符号化方法」であるものとし、「誤り訂正符号化方式＃Ｄ」は、「符号長（ブロック長）ｄビットの１つ以上の符号化率に対応した誤り訂正符号化方法」である。ｃは１以上の整数であり、ｄは１以上の整数とし、ｄはｃより大きい（ｄ＞ｃ）が成立する。
【１２６９】
なお、１つ以上の符号化率に対応する方法としては、符号化率ごとに異なる誤り訂正符号を用してもよいし、パンクチャにより１つ以上の符号化率に対応してもよい。また、これらの両者により、１つ以上の符号化率に対応してもよい。
【１２７０】
なお、「通信方式＃Ａ」は、「誤り訂正符号化方式＃Ｃ」のみ選択可能であり、「通信方式＃Ｂ」は、「誤り訂正符号化方式＃Ｃ」「誤り訂正符号化方式＃Ｄ」の選択が可能である。
【１２７１】
例えば、「サポートしている誤り訂正符号化方式」に関するデータ３８０３は２ビットで構成されている。そして、
・端末が「誤り訂正符号化方式＃Ｃ」をサポートしている場合、「サポートしている誤り訂正符号化方式」に関するデータ３８０３を「０１」と設定する。「サポートしている誤り訂正符号化方式」に関するデータ３８０３を「０１」と設定した場合、基地局（ＡＰ）が、「誤り訂正符号化方式＃Ｄ」を用い、変調信号を生成し、送信しても、端末は、復調及び復号し、データを得ることができない。
・端末が「誤り訂正符号化方式＃Ｄ」をサポートしている場合、「サポートしている誤り訂正符号化方式」に関するデータ３８０３を「１０」と設定する。「サポートしている誤り訂正符号化方式」に関するデータ３８０３を「１０」と設定した場合、基地局（ＡＰ）が、「誤り訂正符号化方式＃Ｃ」を用い。変調信号を生成し、送信しても、端末は、復調及び復号し、データを得ることができない。
・端末が「誤り訂正符号化方式＃Ｃと誤り訂正符号化方式＃Ｄ」の両者をサポートしている場合、「サポートしている誤り訂正符号化方式」に関するデータ３８０３を「１１」と設定する。
【１２７２】
基地局（ＡＰ）は、端末が送信した、例えば、図３８のように構成された受信能力通知シンボル３５０２を受信し、基地局（ＡＰ）は、受信能力通知シンボル３５０２の内容に基づいて、端末宛のデータシンボルを含む変調信号の生成方法を決定し、端末宛の変調信号を送信する。
【１２７３】
このとき、特徴的な点を説明する。
【１２７４】
［例１］
端末が、「「サポートしている方式」に関するデータ３８０１を「０１」（通信方式＃Ａ）」として送信した場合、このデータを得た基地局（ＡＰ）は、「サポートしている誤り訂正符号化方式」に関するデータ３８０３は、無効であると判断し、基地局（ＡＰ）は、端末宛の変調信号を生成する際、「通信方式＃Ａ」では、「誤り訂正符号化方式＃Ｄ」を選択できないため、「誤り訂正符号化方式＃Ｃ」を用いて、誤り訂正符号化を行う。
【１２７５】
［例２］
端末が、「「サポートしている方式」に関するデータ３８０１を「０１」（通信方式＃Ａ）」として送信した場合、このデータを得た基地局（ＡＰ）は、「位相変更の復調に対応している／対応していない」に関するデータ３６０１、および、「複数ストリームのための受信に対応している／対応していない」に関するデータ３７０２が無効であると判断し、基地局（ＡＰ）は、端末宛の変調信号を生成する際、「通信方式＃Ａ」では、「複数のストリームを含む複数の変調信号を複数のアンテナを用いて送信する方式」をサポートしていないため、１つのストリームの変調信号を生成し、送信する。
【１２７６】
上記に加え、例えば、以下のような制約がある場合を考える。
【１２７７】
［制約条件１］
「通信方式＃Ｂ」において、シングルキャリア方式では、「複数のストリームを含む複数の変調信号を複数のアンテナを用いて送信する方式」において、「複数の変調信号のうち、少なくとも一つの変調信号に対し、位相変更を行う」方式をサポートしていない、なお、他の方式をサポートしていてもよい。かつ、ＯＦＤＭ方式などのマルチキャリア方式において、少なくとも「複数の変調信号のうち、少なくとも一つの変調信号に対し、位相変更を行う」方式をサポートしている、なお、他の方式をサポートしていてもよい。
【１２７８】
このとき、以下のようになる。
【１２７９】
［例３］
端末が、「「マルチキャリア方式に対応している／対応していない」に関するデータ３８０２を「０１」（シングルキャリア方式）」として送信した場合、このデータを得た基地局（ＡＰ）は、「位相変更の復調に対応している／対応していない」に関するデータ３６０１は、無効であると判断し、基地局（ＡＰ）は、端末宛の変調信号を生成する際、「複数の変調信号のうち、少なくとも一つの変調信号に対し、位相変更を行う」方式を用いることはない。
【１２８０】
なお、図３８は、端末が送信する「受信能力通知シンボル」（３５０２）の一例である。図３８を用いて説明したように、複数の受信能力の情報（例えば、図３８の３６０１、３７０２、３８０１、３８０２、３８０３）を、端末が送信した場合、基地局（ＡＰ）は、端末宛の変調信号を生成する方法を、「受信能力通知シンボル」（３５０２）に基づいて決定する際、複数の受信能力の情報のうちの一部が無効であると判断する必要がある場合がある。このようなことを考慮すると、複数の受信能力の情報を束ね、「受信能力通知シンボル」（３５０２）とし、端末が送信すると、基地局（ＡＰ）が、端末宛の変調信号の生成を簡単に、遅延が少なく、決定することができるという効果を得ることができる。
【１２８１】
（実施の形態Ａ３）
本実施の形態では、本開示で説明した実施の形態において、シングルキャリア方式を適用した場合の動作例について説明する。
【１２８２】
図３９は、図１の送信信号１０６＿Ａのフレーム構成の例である。図３９において、横軸は時間である。図３９のフレーム構成は、シングルキャリア方式のときのフレーム構成の例であり、時間方向にシンボルが存在している。そして、図３９では、時間ｔ１からｔ２２のシンボルを示している。
【１２８３】
図３９のプリアンブル３９０１は、図２、図１８、図１９、図２０、図２１、図２８、図２９、図３０、図３１、図３２、図３３などにおけるプリアンブル信号２５２に相当する。このとき、プリアンブルは、データ（制御用のデータ）を伝送してもよいし、、信号検出のためのシンボル、周波数同期及び時間同期を行うためのシンボル、チャネル推定、フレーム同期を行うためのシンボルなどで構成されている。
【１２８４】
図３９の制御情報シンボル３９０２は、図２、図１８、図１９、図２０、図２１、図２８、図２９、図３０、図３１、図３２、図３３などにおける制御情報シンボル信号２５３に相当するシンボルであり、図３９のフレームを受信した受信装置が、データシンボルの復調及び復号を実現するための制御情報を含んだシンボルである。
【１２８５】
図３９のパイロットシンボル３９０４は、図２、図１８、図１９、図２０、図２１、図２８、図２９、図３０、図３１、図３２、図３３などのパイロット信号ｐａ（ｔ）２５１Ａに相当するシンボルであり、パイロットシンボル３９０４は、例えば、ＰＳＫのシンボルであり、このフレームを受信する受信装置がチャネル推定（伝搬路変動の推定）、周波数オフセットの推定及び位相変動の推定を行うためのシンボルであり、例えば、図１の送信装置と、図３９のフレームを受信する受信装置がパイロットシンボルの送信方法を共有しているとよい。
【１２８６】
そして、図３９の３９０３は、データを伝送するためのデータシンボルである。
【１２８７】
マッピング後の信号２０１Ａ（図１のマッピング後の信号１０５＿１）を「ストリーム＃１」と名付け、マッピング後の信号２０１Ｂ（図１のマッピング後の信号１０５＿２）を「ストリーム＃２」と名付ける。
【１２８８】
データシンボル３９０３は、図２、図１８、図１９、図２０、図２１、図２８、図２９、図３０、図３１、図３２、図３３などによる信号処理で生成したベースバンド信号２０８Ａに含まれるデータシンボルに相当するシンボルであり、したがって、データシンボル３９０３は、「「ストリーム＃１」のシンボルと「ストリーム＃２」のシンボルの両者を含んだシンボル」、または、「「ストリーム＃１」のシンボル」、または、「「ストリーム＃２」のシンボル」のいずれかであり、これは、重み付け合成部２０３で使用するプリコーディング行列の構成によって決まる。つまり、データシンボル３９０３は、重み付け合成後の信号２０４Ａ（ｚ１（ｉ））に相当する。
【１２８９】
なお、図３９では、記載していないが、フレームに、プリアンブル、制御情報シンボル、データシンボル、パイロットシンボル以外のシンボルが含まれていてもよい。また、プリアンブル３９０１、制御情報シンボル３９０２、パイロットシンボル３９０４のすべてがフレームに存在していなくてもよい。
【１２９０】
例えば、送信装置は、図３９における時刻ｔ１ではプリアンブル３９０１を送信し、時刻ｔ２では制御情報シンボル３９０２を送信し、時刻ｔ３からｔ１１ではデータシンボル３９０３を送信し、時刻ｔ１２ではパイロットシンボル３９０４を送信し、時刻ｔ１３からｔ２１ではデータシンボル３９０３を送信し、時刻ｔ２２ではパイロットシンボル３９０４を送信する。
【１２９１】
図４０は、図１の送信信号１０６＿Ｂのフレーム構成の例である。図４０において、横軸は時間である。図４０のフレーム構成は、シングルキャリア方式のときのフレーム構成の例であり、時間方向にシンボルが存在している。そして、図４０では、時間ｔ１からｔ２２のシンボルを示している。
【１２９２】
図４０のプリアンブル４００１は、図２、図１８、図１９、図２０、図２１、図２８、図２９、図３０、図３１、図３２、図３３などにおけるプリアンブル信号２５２に相当する。このとき、プリアンブルは、データ（制御用のデータ）を伝送してもよいし、信号検出のためのシンボル、周波数同期及び時間同期を行うためのシンボル、チャネル推定、フレーム同期を行うためのシンボルなどで構成されている。
【１２９３】
図４０の制御情報シンボル１１０２は、図２、図１８、図１９、図２０、図２１、図２８、図２９、図３０、図３１、図３２、図３３などにおける制御情報シンボル信号２５３に相当するシンボルであり、図４０のフレームを受信した受信装置が、データシンボルの復調及び復号を実現するための制御情報を含んだシンボルである。
【１２９４】
図４０のパイロットシンボル４００４は、図２、図１８、図１９、図２０、図２１、図２８、図２９、図３０、図３１、図３２、図３３などのパイロット信号ｐｂ（ｔ）２５１Ｂに相当するシンボルであり、パイロットシンボル４００４は、例えば、ＰＳＫのシンボルであり、このフレームを受信する受信装置がチャネル推定（伝搬路変動の推定）、周波数オフセットの推定及び位相変動の推定を行うためのシンボルであり、例えば、図１の送信装置と、図４０のフレームを受信する受信装置がパイロットシンボルの送信方法を共有しているとよい。
【１２９５】
そして、図４０の４００３は、データを伝送するためのデータシンボルである。
【１２９６】
マッピング後の信号２０１Ａ（図１のマッピング後の信号１０５＿１）を「ストリーム＃１」と名付け、マッピング後の信号２０１Ｂ（図１のマッピング後の信号１０５＿２）を「ストリーム＃２」と名付ける。
【１２９７】
データシンボル４００３は、図２、図１８、図１９、図２０、図２１、図２８、図２９、図３０、図３１、図３２、図３３などによる信号処理で生成したベースバンド信号２０８Ｂに含まれるデータシンボルに相当するシンボルであり、したがって、データシンボル４００３は、「「ストリーム＃１」のシンボルと「ストリーム＃２」のシンボルの両者を含んだシンボル」、または、「「ストリーム＃１」のシンボル」、または、「「ストリーム＃２」のシンボル」のいずれかであり、これは、重み付け合成部２０３で使用するプリコーディング行列の構成によって決まる。つまり、データシンボル４００３は、位相変更後の信号２０６Ｂ（ｚ２（ｉ））に相当する。
【１２９８】
なお、図４０では、記載していないが、フレームに、プリアンブル、制御情報シンボル、データシンボル、パイロットシンボル以外のシンボルが含まれていてもよい。また、プリアンブル４００１、制御情報シンボル４００２、パイロットシンボル４００４のすべてがフレームに存在していなくてもよい。
【１２９９】
例えば、送信装置は、図４０における時刻ｔ１ではプリアンブル４００１を送信し、時刻ｔ２では制御情報シンボル４００２を送信し、時刻ｔ３からｔ１１ではデータシンボル４００３を送信し、時刻ｔ１２ではパイロットシンボル４００４を送信し、時刻ｔ１３からｔ２１ではデータシンボル４００３を送信し、時刻ｔ２２ではパイロットシンボル４００４を送信する。
【１３００】
図３９の時刻ｔｐにシンボルが存在し、図４０の時刻ｔｐ（ｐは１以上の整数）にシンボルが存在したとき、図３９の時刻ｔｐのシンボルと図４０の時刻ｔｐのシンボルは、同一時間及び同一周波数、または、同一時間及び同一周波数帯に送信される。例えば、図３９の時刻ｔ３のデータシンボルと図４０の時刻ｔ３のデータシンボルは、同一時間及び同一周波数、または、同一時間及び同一周波数帯に送信される。なお、フレーム構成については、図３９、図４０に限ったものではなく、あくまでも、図３９、図４０はフレーム構成の例である。
【１３０１】
そして、図３９、図４０におけるプリアンブル、制御情報シンボルは、同一のデータ（同一の制御情報）を伝送しているという方法でもよい。
【１３０２】
なお、図３９のフレームと図４０のフレームを受信装置は同時に受信することを想定しているが、図３９のフレーム、または、図４０のフレームを受信しても受信装置は送信装置が送信したデータを得ることは可能である。
【１３０３】
なお、本実施の形態で説明したシングルキャリア方式の送信方法、送信装置を用い、本開示で説明した他の実施の形態を組み合わせて実施することが可能である。
【１３０４】
（実施の形態Ａ４）
本実施の形態では、実施の形態Ａ２で説明した例を用い、端末の動作例を説明する。
【１３０５】
図２４は、端末の構成の一例であり、すでに説明を行っているので、説明を省略する。
【１３０６】
図４１は、図２４における、端末の受信装置２４０４の構成の一例である。無線部４１０３は、アンテナ部４１０１で受信した受信信号４１０２を入力とし、周波数変換等の処理を行い、ベースバンド信号４１０４を出力する。
【１３０７】
制御情報復号部４１０７は、ベースバンド信号４１０４を入力とし、制御情報シンボルを復調し、制御情報４１０８を出力する。
【１３０８】
チャネル推定部４１０５は、ベースバンド信号４１０４を入力とし、プリアンブルやパイロットシンボルを抽出し、チャネル変動を推定し、チャネル推定信号４１０６を出力する。
【１３０９】
信号処理部４１０９は、ベースバンド信号４１０４、チャネル推定信号４１０６、制御情報４１０８を入力とし、制御情報４１０８に基づいて、データシンボルを復調、および、誤り訂正復号を行い、受信データ４１１０を出力する。
【１３１０】
図４２は、端末の通信相手である基地局またはＡＰが、ＯＦＤＭ方式などのマルチキャリア伝送方式を用い、シングル変調信号送信時のフレーム構成の一例を示しており、図４と同様に動作するものについては、同一番号を付している。
【１３１１】
図４２において、横軸周波数であり、図４２では、全てのキャリアのシンボルを示している。そして、図４２において、縦軸は時間であり、時刻＄１から時刻＄１１のシンボルを示している。
【１３１２】
そして、例えば、図１の基地局の送信装置は、図４２のフレーム構成のシングルストリームの変調信号を送信してもよい。
【１３１３】
図４３は、端末の通信相手である基地局またはＡＰが、シングルキャリア伝送方式を用い、シングル変調信号送信時のフレーム構成の一例を示しており、図３９と同様に動作するものについては、同一番号を付している。
【１３１４】
図４３において、横軸時間であり、図４３では時間ｔ１からｔ２２のシンボルを示している。
【１３１５】
そして、例えば、図１の基地局の送信装置は、図４３のフレーム構成のシングルストリームの変調信号を送信してもよい。
【１３１６】
また、例えば、図１の基地局の送信装置は、図４、図５のフレーム構成の複数ストリームの複数変調信号を送信してもよい。
【１３１７】
さらに、例えば、図１の基地局の送信装置は、図３９、図４０のフレーム構成の複数ストリームの複数変調信号を送信してもよい。
【１３１８】
端末の受信装置の構成が図４１で示した構成であり、例えば、端末の受信装置は、以下をサポートしている。
・実施の形態Ａ２で説明した「通信方式＃Ａ」の例えば受信をサポートしている。
・したがって、通信相手が複数ストリームの複数変調信号を送信しても、端末は、その受信をサポートしていない。
・よって、通信相手が複数ストリームの複数変調信号を送信する際、位相変更を施した場合、端末は、その受信をサポートしていない。
・シングルキャリア方式のみをサポートしている。
・誤り訂正符号化方式として、「誤り訂正符号化方式＃Ｃ」の復号をサポートしている。
【１３１９】
よって、上述をサポートしている図４１の構成を持つ端末は、実施の形態Ａ２で説明した規則に基づき、図３８で示した受信能力通知シンボル３５０２を生成し、例えば、図３５の手順にしたがって、受信能力通知シンボル３５０２を送信する。
【１３２０】
このとき、端末は、例えば、図２４の送信装置２４０３で、図３８で示した受信能力通知シンボル３５０２を生成し、図３５の手順にしたがって、図２４の送信装置２４０３が図３８で示した受信能力通知シンボル３５０２を送信する。
【１３２１】
図２３の基地局またはＡＰの受信装置２３０４は、端末が送信した受信能力通知シンボル３５０２を受信する。そして、図２３の基地局の制御信号生成部２３０８は、受信能力通知シンボル３５０２の含まれるデータを抽出し、「サポートしている方式３８０１」から、端末が「通信方式＃Ａ」をサポートしていることを知る。
【１３２２】
したがって、基地局の制御信号生成部２３０８は、図３８の「位相変更の復調に対応している／対応していない」に関する情報３６０１が無効であり、通信方式＃Ａをサポートしていることから、位相変更を施した変調信号を送信しないと判断し、この情報を含む制御信号２３０９を出力する。なぜなら、通信方式＃Ａが、複数ストリームのための複数の変調信号の送信及び受信をサポートしていないからである。
【１３２３】
また、基地局の制御信号生成部２３０８は、図３８の「複数ストリームのための受信に対応している／対応していない」に関する情報３７０２が無効であり、通信方法＃Ａをサポートしていることから、複数ストリームのための複数の変調信号を送信しないと判断し、この情報を含む制御信号２３０９を出力する。なぜなら、通信方式＃Ａが、複数ストリームのための複数の変調信号の送信及び受信をサポートしていないからである。
【１３２４】
そして、基地局の制御信号生成部２３０８は、図３８の「サポートしている誤り訂正符号化方式」に関する情報３８０３が無効であり、通信方法＃Ａをサポートしていることから、「誤り訂正符号化方式＃Ｃ」を用いると判断し、この情報を含む制御信号２３０９を出力する。なぜなら、通信方式＃Ａが、「誤り訂正符号化方式＃Ｃ」をサポートしているからである。
【１３２５】
例えば、図４１のように、「通信方法＃Ａ」にサポートしており、したがって、基地局またはＡＰが複数ストリームのための複数の変調信号の送信を行わないようにするために、上述で述べたような動作をすることで、基地局またはＡＰは、「通信方法＃Ａ」の変調信号を的確に送信するため、基地局またはＡＰと端末で構成するシステムにおけるデータの伝送効率を向上させることができるという効果を得ることができる。
【１３２６】
第２の例として、端末の受信装置の構成が図４１で示した構成であり、端末の受信装置は、以下をサポートしている。
・実施の形態Ａ２で説明した「通信方式＃Ｂ」の例えば受信をサポートしている。
・受信装置が図４１のため、通信相手が複数ストリームの複数変調信号を送信しても、端末は、その受信をサポートしていない。
・よって、通信相手が複数ストリームの複数変調信号を送信する際、位相変更を施した場合、端末は、その受信をサポートしていない。
・シングルキャリア方式、および、ＯＦＤＭ方式などのマルチキャリア方式をサポートしている。
・誤り訂正符号化方式として、「誤り訂正符号化方式＃Ｃ」、「誤り訂正符号化方式＃Ｄ」の復号をサポートしている。
【１３２７】
よって、上述をサポートしている図４１の構成を持つ端末は、実施の形態Ａ２で説明した規則に基づき、図３８で示した受信能力通知シンボル３５０２を送信する。
【１３２８】
図２３の基地局またはＡＰの受信装置２３０４は、端末が送信した受信能力通知シンボル３５０２を受信する。そして、図２３の基地局の制御信号生成部２３０８は、受信能力通知シンボル３５０２に含まれるデータを抽出し、「サポートしている方式３８０１」から、端末が「通信方式＃Ｂ」をサポートしていることを知る。
【１３２９】
また、基地局の制御信号生成部２３０８は、図３８の「複数ストリームのための受信に対応している／対応していない」に関する情報３７０２から、通信通信相手である端末が、複数ストリームのための複数変調信号の復調ができないことを知る。
【１３３０】
したがって、基地局の制御情報信号生成部２３０８は、図３８の「位相変更の復調に対応している／対応していない」に関する情報３６０１が無効であり、位相変更を施した変調信号を送信しないと判断し、この情報を含む制御信号２３０９を出力する。なぜなら、端末が「複数ストリームのための受信」に対応していないためである。
【１３３１】
また、基地局の制御信号生成部２３０８は、図３８の「マルチキャリア方式に対応している／対応していない」に関する情報３８０２から、通信相手である端末がマルチキャリア方式に対応している、および／または、シングルキャリア方式に対応しているに関する情報を含む制御信号２３０９を出力する。
【１３３２】
そして、基地局の制御信号生成部２３０８は、図３８の「サポートしている誤り訂正符号化方式」に関する情報３８０３から、通信相手である端末が「誤り訂正符号化方式＃Ｃ」、および／または、「誤り訂正符号化方式＃Ｄ」に対応しているに関する情報を含む制御信号２３０９を出力する。
【１３３３】
したがって、基地局またはＡＰが複数のストリームのための複数の変調信号の送信を行わないようにするために、上述で述べたような動作をすることで、基地局またはＡＰは、シングルストリームの変調信号の送信を的確に行うことができ、これにより、基地局またはＡＰと端末で構成するシステムにおけるデータの伝送効率を向上させることができるという効果を得ることができる。
【１３３４】
第３の例として、端末の受信装置の構成が図４１で示した構成であり、例えば、端末の受信装置は、以下をサポートしている。
・実施の形態Ａ２で説明した「通信方式＃Ａ」の受信、および、「通信方式＃Ｂ」の受信をサポートしている。
・「通信方式＃Ａ」、「通信方式＃Ｂ」いずれにおいても、通信相手が複数ストリームの複数変調信号を送信しても、端末は、その受信をサポートしてない。
・よって、通信相手が複数ストリームの複数変調信号を送信する際、位相変更を施した場合、端末は、その受信をサポートしていない。
・「通信方式＃Ａ」、「通信方式＃Ｂ」いずれにおいても、シングルキャリア方式をサポートしている。
・誤り訂正符号化方式として、「通信方式＃Ａ」として、「誤り訂正符号化方式＃Ｃ」の復号をサポートしており、「通信方式＃Ｂ」として、「誤り訂正符号化方式＃Ｃ」および「誤り訂正符号化方式＃Ｄ」の復号をサポートしている。
【１３３５】
よって、上述をサポートしている図４１の構成を持つ端末は、実施の形態Ａ２で説明した規則に基づき、図３８で示した受信能力通知シンボル３５０２を生成し、例えば、図３５の手順にしたがって、受信能力通知シンボル３５０２を送信する。
【１３３６】
図２３の基地局またはＡＰの受信装置２３０４は、端末が送信した受信能力通知シンボル３５０２を受信する。そして、図２３の基地局の制御信号生成部２３０８は、受信能力通知シンボル３５０２の含まれるデータを抽出し、「サポートしている方式３８０１」から、端末が「通信方式＃Ａ」および「通信方式＃Ｂ」をサポートしていることを知る。
【１３３７】
そして、基地局の制御信号生成部２３０８は、図３８の「複数ストリームのための受信に対応している／対応していないに関する情報３７０２」から、端末が、「複数ストリームのための受信に対応していない」ことを知る。
【１３３８】
したがって、基地局の制御信号生成部２３０８は、図３８の「位相変更の復調に対応している／対応していない」に関する情報３６０１が無効であり、通信方式＃Ａをサポートしていることから、位相変更を施した変調信号を送信しないと判断し、この情報を含む制御信号２３０９を出力する。なぜなら、端末Ａが、複数ストリームのための複数の変調信号の送信及び受信をサポートしていないからである。
【１３３９】
そして、基地局の制御信号生成部２３０８は、図３８の「マルチキャリア方式に対応している／対応していない」に関する情報３８０２から、端末が、シングルキャリア方式をサポートしているか、ＯＦＤＭ方式などのマルチキャリア方式をサポートしているか、を知る。
【１３４０】
また、基地局の制御信号生成部２３０８は、図３８の「サポートしている誤り訂正符号化方式」に関する情報３８０３から、端末が「誤り訂正符号化方式＃Ｃ」および「誤り訂正符号化方式＃Ｄ」の復号をサポートしていることを知る。
【１３４１】
したがって、基地局またはＡＰが複数のストリームのための複数の変調信号の送信を行わないようにするために、上述で述べたような動作をすることで、基地局またはＡＰは、シングルストリームの変調信号の送信を的確に行うことができ、これにより、基地局またはＡＰと端末で構成するシステムにおけるデータの伝送効率を向上させることができるという効果を得ることができる。
【１３４２】
第４の例として、端末の受信装置の構成が図４１で示した構成であり、例えば、端末の受信装置は、以下をサポートしている。
・実施の形態Ａ２で説明した「通信方式＃Ａ」の受信、および、「通信方式＃Ｂ」の受信をサポートしている。
・「通信方式＃Ａ」、「通信方式＃Ｂ」いずれにおいても、通信相手が複数ストリームの複数変調信号を送信しても、端末は、その受信をサポートしてない。
・よって、通信相手が複数ストリームの複数変調信号を送信する際、位相変更を施した場合、端末は、その受信をサポートしていない。
・「通信方式＃Ａ」として、シングルキャリア方式をサポートしており、「通信方式＃Ｂ」として、シングルキャリア方式とＯＦＤＭ方式などのマルチキャリア方式をサポートしている。
・誤り訂正符号化方式として、「通信方式＃Ａ」として、「誤り訂正符号化方式＃Ｃ」の復号をサポートしており、「通信方式＃Ｂ」として、「誤り訂正符号化方式＃Ｃ」および「誤り訂正符号化方式＃Ｄ」の復号をサポートしている。
【１３４３】
よって、上述をサポートしている図４１の構成を持つ端末は、実施の形態Ａ２で説明した規則に基づき、図３８で示した受信能力通知シンボル３５０２を生成し、例えば、図３５の手順にしたがって、受信能力通知シンボル３５０２を送信する。
【１３４４】
図２３の基地局またはＡＰの受信装置２３０４は、端末が送信した受信能力通知シンボル３５０２を受信する。そして、図２３の基地局の制御信号生成部２３０８は、受信能力通知シンボル３５０２の含まれるデータを抽出し、「サポートしている方式３８０１」から、端末が「通信方式＃Ａ」および「通信方式＃Ｂ」をサポートしていることを知る。
【１３４５】
そして、基地局の制御信号生成部２３０８は、図３８の「複数ストリームのための受信に対応している／対応していないに関する情報３７０２」から、端末が、「複数ストリームのための受信に対応していない」ことを知る。
【１３４６】
したがって、基地局の制御信号生成部２３０８は、図３８の「位相変更の復調に対応している／対応していない」に関する情報３６０１が無効であり、通信方式＃Ａをサポートしていることから、位相変更を施した変調信号を送信しないと判断し、この情報を含む制御信号２３０９を出力する。なぜなら、端末Ａが、複数ストリームのための複数の変調信号の送信及び受信をサポートしていないからである。
【１３４７】
そして、基地局の制御信号生成部２３０８は、図３８の「マルチキャリア方式に対応している／対応していない」に関する情報３８０２から、端末が、シングルキャリア方式をサポートしているか、ＯＦＤＭ方式などのマルチキャリア方式をサポートしているか、を知る。
【１３４８】
このとき、「マルチキャリア方式に対応している／対応していない」に関する情報３８０２は、例えば、以下で述べるような構成が必要となる。
【１３４９】
「マルチキャリア方式に対応している／対応していない」に関する情報３８０２を４ビットで構成し、この４ビットをｇ０、ｇ１、ｇ２、ｇ３とあらわす。
【１３５０】
端末が、
「通信方式＃Ａ」について、シングルキャリアの復調に対応している場合、（ｇ０、ｇ１）＝（０、０）を送信する、
「通信方式＃Ａ」について、ＯＦＤＭなどのマルチキャリア方式の復調に対応している場合、（ｇ０、ｇ１）＝（０、１）を送信する、
「通信方式＃Ａ」について、シングルキャリアの復調、および、ＯＦＤＭの復調に対応している場合、（ｇ０、ｇ１）＝（１、１）を送信する。
【１３５１】
端末が
「通信方式＃Ｂ」について、シングルキャリアの復調に対応している場合、（ｇ２、ｇ３）＝（０、０）を送信する、
「通信方式＃Ｂ」について、ＯＦＤＭなどのマルチキャリア方式の復調に対応している場合、（ｇ２、ｇ３）＝（０、１）を送信する、
「通信方式＃Ｂ」について、シングルキャリアの復調、および、ＯＦＤＭの復調に対応している場合、（ｇ２、ｇ３）＝（１、１）を送信する。
【１３５２】
また、基地局の制御信号生成部２３０８は、図３８の「サポートしている誤り訂正符号化方式」に関する情報３８０３から、端末が「誤り訂正符号化方式＃Ｃ」および「誤り訂正符号化方式＃Ｄ」の復号をサポートしていることを知る。
【１３５３】
したがって、基地局またはＡＰが複数のストリームのための複数の変調信号の送信を行わないようにするために、上述で述べたような動作をすることで、基地局またはＡＰは、シングルストリームの変調信号の送信を的確に行うことができ、これにより、基地局またはＡＰと端末で構成するシステムにおけるデータの伝送効率を向上させることができるという効果を得ることができる。
【１３５４】
第５の例として、端末の受信装置の構成が図８で示した構成であり、例えば、端末の受信装置は、以下をサポートしている。
・実施の形態Ａ２で説明した「通信方式＃Ａ」および「通信方式＃Ｂ」の例えば受信をサポートしている。
・「通信方式＃Ｂ」における、通信相手が複数ストリームの複数変調信号を送信しても、端末は、その受信をサポートしている。また、「通信方式＃Ａ」および「通信方式＃Ｂ」における、通信相手がシングルストリームの変調信号を送信しても、端末は、その受信をサポートしている。
・そして、通信相手が複数ストリームの変調信号を送信する際、位相変更を施した場合、端末は、その受信をサポートしている。
・シングルキャリア方式をサポートしている。
・誤り訂正符号化方式として、「誤り訂正符号化方式＃Ｃ」の復号をサポートしている。
【１３５５】
よって、上述をサポートしている図８の構成を持つ端末は、実施の形態Ａ２で説明した規則に基づき、図３８で示した受信能力通知シンボル３５０２を生成し、例えば、図３５の手順にしたがって、受信能力通知シンボル３５０２を送信する。
【１３５６】
このとき、端末は、例えば、図２４の送信装置２４０３で、図３８で示した受信能力通知シンボル３５０２を生成し、図３５の手順にしたがって、図２４の送信装置２４０３が図３８で示した受信能力通知シンボル３５０２を送信する。
【１３５７】
図２３の基地局またはＡＰの受信装置２３０４は、端末が送信した受信能力通知シンボル３５０２を受信する。そして、図２３の基地局の制御信号生成部２３０８は、受信能力通知シンボル３５０２の含まれるデータを抽出し、「サポートしている方式３８０１」から、端末が「通信方式＃Ａ」および「通信方式＃Ｂ」をサポートしていることを知る。
【１３５８】
また、基地局の制御信号生成部２３０８は、図３８の「複数ストリームのための受信に対応している／対応していない」に関する情報３７０２から、「端末が「「通信方式＃Ｂ」における、通信相手が複数ストリームの複数変調信号を送信しても、端末は、その受信をサポートしており、また、「通信方式＃Ａ」および「通信方式＃Ｂ」における、通信相手がシングルストリームの変調信号を送信しても、端末は、その受信をサポートしている。」」ことを知る。
【１３５９】
そして、基地局の制御信号生成部２３０８は、図３８の「位相変更の復調に対応している／対応していない」に関する情報３６０１から、端末が、「位相変更の復調に対応している」ことを知る。
【１３６０】
基地局の制御信号生成部２３０８は、図３８の「マルチキャリア方式に対応している／対応していない」に関する情報３８０２から、端末が、「シングルキャリア方式のみをサポートしている」ことを知る。
【１３６１】
基地局の制御信号生成部２３０８は、図３８の「サポートしている誤り訂正符号化方式」に関する情報３８０３から、端末が、「「誤り訂正符号化方式＃Ｃ」の復号をサポートしている」ことを知る。
【１３６２】
したがって、基地局またはＡＰは、端末がサポートしている通信方法、および、通信環境などを考慮し、端末が受信可能な変調信号を、基地局またはＡＰは的確に生成し、送信することで、基地局またはＡＰと端末で構成するシステムにおけるデータ伝送効率を向上させることができるという効果を得ることができる。
【１３６３】
第６の例として、端末の受信装置の構成が図８で示した構成であり、例えば、端末の受信装置は、以下をサポートしている。
・実施の形態Ａ２で説明した「通信方式＃Ａ」および「通信方式＃Ｂ」の例えば受信をサポートしている。
・「通信方式＃Ｂ」における、通信相手が複数ストリームの複数変調信号を送信しても、端末は、その受信をサポートしている。また、「通信方式＃Ａ」および「通信方式＃Ｂ」における、通信相手がシングルストリームの変調信号を送信しても、端末は、その受信をサポートしている。
・そして、通信相手が、複数ストリームの変調信号を送信する際、位相変更を施した場合、端末は、その受信をサポートしていない。
・シングルキャリア方式をサポートしている。
・誤り訂正符号化方式として、「誤り訂正符号化方式＃Ｃ」の復号、および、「誤り訂正符号化方式＃Ｄ」の復号をサポートしている。
【１３６４】
よって、上述をサポートしている図８の構成を持つ端末は、実施の形態Ａ２で説明した規則に基づき、図３８で示した受信能力通知シンボル３５０２を生成し、例えば、図３５の手順にしたがって、受信能力通知シンボル３５０２を送信する。
【１３６５】
このとき、端末は、例えば、図２４の送信装置２４０３で、図３８で示した受信能力通知シンボル３５０２を生成し、図３５の手順にしたがって、図２４の送信装置２４０３が図３８で示した受信能力通知シンボル３５０２を送信する。
【１３６６】
図２３の基地局またはＡＰの受信装置２３０４は、端末が送信した受信能力通知シンボル３５０２を受信する。そして、図２３の基地局の制御信号生成部２３０８は、受信能力通知シンボル３５０２の含まれるデータを抽出し、「サポートしている方式３８０１」から、端末が「通信方式＃Ａ」および「通信方式＃Ｂ」をサポートしていることを知る。
【１３６７】
また、基地局の制御信号生成部２３０８は、図３８の「複数ストリームのための受信に対応している／対応していない」に関する情報３７０２から、「端末が「「通信方式＃Ｂ」における、通信相手が複数ストリームの複数変調信号を送信しても、端末は、その受信をサポートしており、また、「通信方式＃Ａ」および「通信方式＃Ｂ」における、通信相手がシングルストリームの変調信号を送信しても、端末は、その受信をサポートしている。」」ことを知る。
【１３６８】
そして、基地局の制御信号生成部２３０８は、図３８の「位相変更の復調に対応している／対応していない」に関する情報３６０１から、端末が、「位相変調の復調に対応していない」ことを知る。したがって、基地局またはＡＰは、この端末に対し、複数ストリームの複数変調信号を送信する際、位相変更を施さずに変調信号を送信する。
【１３６９】
基地局の制御信号生成部２３０８は、図３８の「マルチキャリア方式に対応している／対応していない」に関する情報３８０２から、端末が、「シングルキャリア方式をサポートしている」ことを知る。
【１３７０】
基地局の制御信号生成部２３０８は、図３８の「サポートしている誤り訂正符号化方式」に関する情報３８０３から、端末が「「誤り訂正符号化方式＃Ｃ」の復号、および、「誤り訂正符号化方式＃Ｄ」の復号をサポートしている」ことを知る。
【１３７１】
したがって、基地局またはＡＰは、端末がサポートしている通信方法。および、通信環境などを考慮し、端末が受信可能な変調信号を、基地局またはＡＰは的確に生成し、送信することで、基地局またはＡＰと端末で構成するシステムにおけるデータ伝送効率を向上させることができるという効果を得ることができる。
【１３７２】
第７の例として、端末の受信装置の構成が図８で示した構成であり、例えば、端末の受信装置は、以下をサポートしている。
・実施の形態Ａ２で説明した「通信方式＃Ａ」および「通信方式＃Ｂ」の例えば受信をサポートしている。
・「通信方式＃Ｂ」における、通信相手が複数ストリームの複数変調信号を送信しても、端末は、その受信をサポートしている。また、「通信方式＃Ａ」および「通信方式＃Ｂ」における、通信相手がシングルストリームの変調信号を送信しても、端末は、その受信をサポートしている。
・「通信方式＃Ａ」として、シングルキャリア方式をサポートしており、「通信方式＃Ｂ」として、シングルキャリア方式とＯＦＤＭ方式などのマルチキャリア方式をサポートしている。ただし、「通信方式＃Ｂ」のＯＦＤＭ方式などのマルチキャリア方式のとき、「通信相手が、複数ストリームの変調信号を送信する際、位相変更を施すことが可能」である。
・そして、通信相手が、複数ストリームの変調信号を送信する際、位相変更を施した場合、端末は、その受信をサポートしている。
・誤り訂正符号化方式として、「誤り訂正符号化方式＃Ｃ」の復号、および、「誤り訂正符号化方式＃Ｄ」の復号をサポートしている。
【１３７３】
よって、上述をサポートしている図８の構成を持つ端末は、実施の形態Ａ２、および、本実施の形態で説明した規則に基づき、図３８で示した受信能力通知シンボル３５０２を生成し、例えば、図３５の手順にしたがって、受信能力通知シンボル３５０２を送信する。
【１３７４】
このとき、端末は、例えば、図２４の送信装置２４０３で、図３８で示した受信能力通知シンボル３５０２を生成し、図３５の手順にしたがって、図２４の送信装置２４０３が図３８で示した受信能力通知シンボル３５０２を送信する。
【１３７５】
図２３の基地局またはＡＰの受信装置２３０４は、端末が送信した受信能力通知シンボル３５０２を受信する。そして、図２３の基地局の制御信号生成部２３０８は、受信能力通知シンボル３５０２の含まれるデータを抽出し、「サポートしている方式３８０１」から、端末が「通信方式＃Ａ」および「通信方式＃Ｂ」をサポートしていることを知る。
【１３７６】
また、基地局の制御信号生成部２３０８は、図３８の「複数ストリームのための受信に対応している／対応していない」に関する情報３７０２から、「端末が「「通信方式＃Ｂ」における、通信相手が複数ストリームの複数変調信号を送信しても、端末は、その受信をサポートしており、また、「通信方式＃Ａ」および「通信方式＃Ｂ」における、通信相手がシングルストリームの変調信号を送信しても、端末は、その受信をサポートしている。」」ことを知る。
【１３７７】
そして、基地局の制御信号生成部２３０８は、図３８の「位相変更の復調に対応している／対応していない」に関する情報３６０１から、端末が、「位相変調の復調に対応していない」ことを知る。したがって、基地局またはＡＰは、この端末に対し、複数ストリームの複数変調信号を送信する際、位相変更を施さずに変調信号を送信する。なお、上述の説明のように「位相変更の復調に対応している／対応していない」に関する情報３６０１で、「位相変更の復調に対応している」という情報を端末が得たとき、「通信方式＃Ｂ」のときであることを端末は、理解する。
【１３７８】
基地局の制御信号生成部２３０８は、図３８の「マルチキャリア方式に対応している／対応していない」に関する情報３８０２から、端末が、「通信方式＃Ａ」として、シングルキャリア方式をサポートしており、「通信方式＃Ｂ」として、シングルキャリア方式とＯＦＤＭ方式などのマルチキャリア方式をサポートしていることを知る。
【１３７９】
このとき、上述で説明したように、端末が、「通信方式＃Ａ」のシングルキャリア方式およびＯＦＤＭなどのマルチキャリア方式の対応、「通信方式＃Ｂ」のシングルキャリア方式およびＯＦＤＭなどのマルチキャリア方式の対応の状況を、基地局またはＡＰに通知するような構成であるとよい。
【１３８０】
基地局の制御信号生成部２３０８は、図３８の「サポートしている誤り訂正符号化方式」に関する情報３８０３から、端末が「「誤り訂正符号化方式＃Ｃ」の復号、および、「誤り訂正符号化方式＃Ｄ」の復号をサポートしている」ことを知る。
【１３８１】
したがって、基地局またはＡＰは、端末がサポートしている通信方法、および、通信環境などを考慮し、端末が受信可能な変調信号を、的確に生成し、送信することで、基地局またはＡＰと端末で構成するシステムにおけるデータ伝送効率を向上させることができるという効果を得ることができる。
【１３８２】
第８の例として、端末の受信装置の構成が図８で示した構成であり、例えば、端末の受信装置は、以下をサポートしている。
・実施の形態Ａ２で説明した「通信方式＃Ａ」および「通信方式＃Ｂ」の例えば受信をサポートしている。
・「通信方式＃Ｂ」における、通信相手が複数ストリームのための複数変調信号を送信しても、端末は、その受信をサポートしている。また、「通信方式＃Ａ」および「通信方式＃Ｂ」における、通信相手がシングルストリームの変調信号を送信しても、端末は、その受信をサポートしている。
・そして、「通信方式＃Ｂ」のシングルキャリア方式のとき、通信相手が複数ストリームの複数変調信号を送信しても、端末は、その受信をサポートしている。一方、「通信方式＃Ｂ」のＯＦＤＭなどのマルチキャリア方式のとき、通信相手が複数ストリームの複数変調信号を送信しても、端末はその受信をサポートしていない。また、「通信方式＃Ａ」のシングルキャリア方式のとき、通信相手がシングルストリームを送信した際、端末は、その受信をサポートしているが、ＯＦＤＭ方式などのマルチキャリア方式の受信については、サポートしていない。
・そして、通信相手が複数ストリームの変調信号を送信する際、位相変更を施した場合、端末は、その受信をサポートしている。
・誤り訂正符号化方式として、「誤り訂正符号化方式＃Ｃ」の復号、および、「誤り訂正符号化方式＃Ｄ」の復号をサポートしている。
【１３８３】
よって、上述をサポートしている図８の構成を持つ端末は、実施の形態Ａ２で説明した規則に基づき、図３８で示した受信能力通知シンボル３５０２を生成し、例えば、図３５の手順にしたがって、受信能力通知シンボル３５０２を送信する。
【１３８４】
このとき、端末は、例えば、図２４の送信装置２４０３で、図３８で示した受信能力通知シンボル３５０２を生成し、図３５の手順にしたがって、図２４の送信装置２４０３が図３８で示した受信能力通知シンボル３５０２を送信する。
【１３８５】
図２３の基地局またはＡＰの受信装置２３０４は、端末が送信した受信能力通知シンボル３５０２を受信する。そして、図２３の基地局の制御信号生成部２３０８は、受信能力通知シンボル３５０２の含まれるデータを抽出し、「サポートしている方式３８０１」から、端末が「通信方式＃Ａ」および「通信方式＃Ｂ」をサポートしていることを知る。
【１３８６】
また、基地局の制御信号生成部２３０８は、図３８の「複数ストリームのための受信に対応している／対応していない」に関する情報３７０２から、「端末が、「通信方式＃Ｂ」のシングルキャリア方式のとき、基地局が複数ストリームの複数変調信号を送信しても、その受信をサポートしており、また、端末が「通信方式＃Ｂ」のＯＦＤＭなどのマルチキャリア方式のとき、基地局が複数ストリームの複数変調信号を送信しても、その受信をサポートしていない」ことを知る。また、基地局の制御信号生成部２３０８は、図３８の「複数ストリームのための受信に対応している／対応していない」に関する情報３７０２から、「「通信方式＃Ａ」および「通信方式＃Ｂ」において、基地局がシングルストリームの変調信号を送信しても、端末がその受信をサポートしている」ことを知る。
【１３８７】
このとき、「複数ストリームのための受信に対応している／対応していない」に関する情報３７０２は、例えば、以下に述べるような構成が必要となる。
【１３８８】
「複数ストリームのための受信に対応している／対応していない」に関する情報３７０２を２ビットで構成し、この２ビットをｈ０、ｈ１とあらわす。
【１３８９】
端末が、
「通信方式＃Ｂ」のシングルキャリア方式の際、通信相手が複数ストリームのための複数変調信号を送信し、復調に対応している場合、ｈ０＝１を送信し、復調に対応していない場合、ｈ０＝０を送信する。
【１３９０】
端末が、
「通信方式＃Ｂ」のＯＦＤＭなどのマルチキャリア方式の際、通信相手が複数ストリームのための複数変調信号を送信し、復調に対応している場合、ｈ１＝１を送信し、復調に対応していない場合、ｈ１＝０を送信する。
【１３９１】
そして、基地局の制御信号生成部２３０８は、図３８の「位相変更の復調に対応している／対応していない」に関する情報３６０１から、端末が「位相変更の復調に対応している」ことを知る。
【１３９２】
基地局の制御信号生成部２３０８は、図３８の「マルチキャリア方式に対応している／対応していない」に関する情報３８０２から、端末が、「シングルキャリア方式をサポートしている」ことを知る。
【１３９３】
基地局の制御信号生成部２３０８は、図３８の「サポートしている誤り訂正符号化方式」に関する情報３８０３から、端末が、「誤り訂正符号化方式＃Ｃ」および「誤り訂正符号化方式＃Ｄ」の復号をサポートしていることを知る。
【１３９４】
したがって、基地局またはＡＰが、端末がサポートしている通信方法、および、通信環境などを考慮し、端末が受信可能な変調信号を、基地局またはＡＰは的確に生成し、送信することで、基地局またはＡＰと端末で構成するシステムにおけるデータ伝送効率を向上させることができるという効果を得ることができる。
【１３９５】
第９の例として、端末の受信装置の構成が図８で示した構成であり、例えば、端末の受信装置は、以下をサポートしている。
・実施の形態Ａ２で説明した「通信方式＃Ａ」および「通信方式＃Ｂ」の例えば受信をサポートしている。
・「通信方式＃Ｂ」における、通信相手が複数ストリームのための複数変調信号を送信しても、端末は、その受信をサポートしている。」」また、「通信方式＃Ａ」および「通信方式＃Ｂ」における、通信相手がシングルストリームの変調信号を送信しても、端末は、その受信をサポートしている。
・「通信方式＃Ｂ」において、基地局またはＡＰは、シングルキャリア方式、および、ＯＦＤＭなどのマルチキャリア方式のとき、複数ストリームのための複数変調信号を送信することができる。しかし、「通信方式＃Ｂ」のＯＦＤＭ方式などのマルチキャリア方式のとき、「通信相手が、複数ストリームの変調信号を送信する際、位相変更を施すことが可能」である。そして、通信相手が、複数ストリームの変調信号を送信する際、位相変更を施した場合、端末は、その受信をサポートしている。
・誤り訂正方式として、「誤り訂正符号化方式＃Ｃ」の復号、および、「誤り訂正符号化方式＃Ｄ」の復号をサポートしている。
【１３９６】
よって、上述をサポートしている図８の構成を持つ端末は、実施の形態Ａ２で説明した規則に基づき、図３８で示した受信能力通知シンボル３５０２を生成し、例えば、図３５の手順にしたがって、受信能力通知シンボル３５０２を送信する。
【１３９７】
このとき、端末は、例えば、図２４の送信装置２４０３で、図３８で示した受信能力通知シンボル３５０２を生成し、図３５の手順にしたがって、図２４の送信装置２４０３が図３８で示した受信能力通知シンボル３５０２を送信する。
【１３９８】
図２３の基地局またはＡＰの受信装置２３０４は、端末が送信した受信能力通知シンボル３５０２を受信する。そして、図２３の基地局の制御信号生成部２３０８は、受信能力通知シンボル３５０２の含まれるデータを抽出し、「サポートしている方式３８０１」から、端末が、「通信方式＃Ａ」および「通信方式＃Ｂ」をサポートしていることを知る。
【１３９９】
基地局の制御信号生成部２３０８は、図３８の「複数ストリームのための受信に対応している／していない」に関する情報３７０２から、「端末が、「通信方式＃Ｂ」における、通信相手が複数ストリームのための複数変調信号を送信しても、その受信をサポートしており、また、「通信方式＃Ａ」および「通信方式＃Ｂ」における、通信相手がシングルストリームの変調信号を送信しても、その受信をサポートしている。」ことを知る。
【１４００】
また、基地局の制御信号生成部２３０８は、図３８の「マルチキャリア方式に対応している／対応していない」に関する情報３８０２から、端末が、「シングルキャリア方式」に対応しているか、「ＯＦＤＭなどのマルチキャリア方式」に対応しているか、「シングルキャリア方式とＯＦＤＭなどのマルチキャリア方式の両者」に対応しているか、のいずれであるかを知る。
【１４０１】
端末が「シングルキャリア方式に対応している」と、基地局の制御信号生成部２３０８が知った際、基地局の制御信号生成部２３０８は、シングルキャリア方式の際、位相変更に対応していないため、図３８の「位相変更の復調に対応している／対応していない」に関する情報３６０１を無視し、「位相変更の復調に対応していない」と解釈する。
【１４０２】
端末が「ＯＦＤＭなどのマルチキャリア方式に対応している」または「シングルキャリア方式とＯＦＤＭなどのマルチキャリア方式の両者に対応している」と、基地局の制御信号生成部２３０８は、図３８の「位相変更の復調に対応している／対応していない」に関する情報３６０１から、ＯＦＤＭなどのマルチキャリア方式のときの位相変更の復調に対応している、または、対応していないの情報を得る。
【１４０３】
基地局の制御信号生成部２３０８は、図３８の「サポートしている誤り訂正符号化方法」に関する情報３８０３から、端末が、「「誤り訂正符号化方式＃Ｃ」の復号、および、「誤り訂正符号化方式＃Ｄ」の復号をサポートしている」ことを知る。
【１４０４】
したがって、基地局またはＡＰは、端末がサポートしている通信方法、および、通信環境などを考慮し、端末が受信可能な変調信号を、基地局またはＡＰは的確に生成し、送信することで、基地局またはＡＰと端末で構成するシステムにおけるデータ伝送効率を向上させることができるという効果を得ることができる。
【１４０５】
第１０の例として、端末の受信装置の構成が図８で示した構成であり、例えば、端末の受信装置は、以下をサポートしている。
・実施の形態Ａ２で説明した「通信方式＃Ａ」および「通信方式＃Ｂ」の例えば受信をサポートしている。
・「通信方式＃Ｂ」における、通信相手が複数ストリームのための複数変調信号を送信しても、端末は、その受信をサポートしている。また、「通信方式＃Ａ」および「通信方式＃Ｂ」における、通信相手がシングルストリームの変調信号を送信しても、端末は、その受信をサポートしている。
・「通信方式＃Ｂ」において、基地局またはＡＰは、シングルキャリア方式、および、ＯＦＤＭなどのマルチキャリア方式のとき、複数ストリームのための複数変調信号を送信することができる。
・そして、シングルキャリア方式のとき、通信相手が複数ストリームの変調信号を送信する際、位相変更を施す／施さないを設定でき、また、ＯＦＤＭなどのマルチキャリア方式のとき、通信相手が複数ストリームの変調信号を送信する際、位相変更を施す／施さないを設定できる。
・誤り訂正方式として、「誤り訂正符号化方式＃Ｃ」の復号、および、「誤り訂正符号化方式＃Ｄ」の復号をサポートしている。
【１４０６】
よって、上述をサポートしている図８の構成を持つ端末は、実施の形態Ａ２で説明した規則に基づき、図３８で示した受信能力通知シンボル３５０２を生成し、例えば、図３５の手順にしたがって、受信能力通知シンボル３５０２を送信する。
【１４０７】
このとき、端末は、例えば、図２４の送信装置２４０３で、図３８で示した受信能力通知シンボル３５０２を生成し、図３５の手順にしたがって、図２４の送信装置２４０３が図３８で示した受信能力通知シンボル３５０２を送信する。
【１４０８】
図２３の基地局またはＡＰの受信装置２３０４は、端末が送信した受信能力通知シンボル３５０２を受信する。そして、図２３の基地局の制御信号生成部２３０８は、受信能力通知シンボル３５０２の含まれるデータを抽出し、「サポートしている方式３８０１」から、端末が、「通信方式＃Ａ」および「通信方式＃Ｂ」をサポートしていることを知る。
【１４０９】
基地局の制御信号生成部２３０８は、図３８の「複数ストリームのための受信に対応している／していない」に関する情報３７０２から、「端末が、「通信方式＃Ｂ」における、通信相手が複数ストリームのための複数変調信号を送信しても、その受信をサポートしており、また、「通信方式＃Ａ」および「通信方式＃Ｂ」における、通信相手がシングルストリームの変調信号を送信しても、その受信をサポートしている。」ことを知る。
【１４１０】
また、基地局の制御信号生成部２３０８は、図３８の「マルチキャリア方式に対応している／対応していない」に関する情報３８０２から、端末が、「シングルキャリア方式」に対応しているか、「ＯＦＤＭなどのマルチキャリア方式」に対応しているか、「シングルキャリア方式とＯＦＤＭなどのマルチキャリア方式の両者」に対応しているか、のいずれであるかを知る。
【１４１１】
そして、基地局の制御信号生成部２３０８は、図３８の「位相変更の復調に対応している／対応していない」に関する情報３６０１から、端末の位相変更の対応状況を知る。
【１４１２】
このとき、「位相変更の復調に対応している／対応していない」に関する情報３８０２は、例えば、以下に述べるような構成が必要となる。
【１４１３】
「位相変更の復調に対応している／対応していない」に関する情報３８０２を２ビットで構成し、この２ビットをｋ０、ｋ１とあらわす。
【１４１４】
「通信方式＃Ｂ」のシングルキャリア方式の際、通信相手が複数ストリームのための複数の変調信号を送信し、その際、位相変更を行ったとき、端末がその復調に対応している場合、ｋ０＝１を送信し、復調に対応していない場合、ｋ０＝０を送信する。
【１４１５】
「通信方式＃Ｂ」のＯＦＤＭなどのマルチキャリア方式の際、通信相手が複数ストリームのための複数の変調信号を送信し、その際、位相変更を行ったとき、端末がその復調に対応している場合、ｋ１＝１を送信し、復調に対応していない場合、ｋ１＝０を送信する。
【１４１６】
基地局の制御信号生成部２３０８は、図３８の「サポートしている誤り訂正符号化方式」に関する情報３８０３から、端末が、「誤り訂正符号化方式＃Ｃ」および「誤り訂正符号化方式＃Ｄ」の復号をサポートしていることを知る。
【１４１７】
したがって、基地局またはＡＰが、端末がサポートしている通信方法、および、通信環境などを考慮し、端末が受信可能な変調信号を、基地局またはＡＰは的確に生成し、送信することで、基地局またはＡＰと端末で構成するシステムにおけるデータ伝送効率を向上させることができるという効果を得ることができる。
【１４１８】
以上のように、基地局またはＡＰは、基地局またはＡＰの通信相手である端末から、端末が復調の対応が可能な方式に関する情報を得、その情報に基づいて、変調信号の数、変調信号の通信方法、変調信号の信号処理方法などを決定することにより、端末が受信可能な変調信号を、基地局またはＡＰは的確に生成し、送信することで、基地局またはＡＰと端末で構成するシステムにおけるデータ伝送効率を向上させることができるという効果を得ることができるという効果を得ることができる。
【１４１９】
このとき、例えば、図３８のように、受信能力通知シンボルを、複数の情報で構成することで、基地局またはＡＰは受信能力通知シンボルに含まれる情報の有効／無効の判断を容易に行うことができ、これにより、送信するための変調信号の方式及び信号処理方法などの決定を高速に判断することができるという利点がある。
【１４２０】
そして、各端末が送信した受信能力通知シンボルの情報の内容に基づき、基地局はまたはＡＰが、好適な送信方法で各端末に変調信号を送信することで、データの伝送効率が向上する。
【１４２１】
なお、本実施の形態で説明した受信能力通知シンボルの情報の構成方法は、一例であり、受信能力通知シンボルの情報の構成方法はこれに限ったものではない。また、端末が、基地局またはＡＰに対し、受信能力通知シンボルを送信するための送信手順、送信タイミングについても本実施の形態の説明は、あくまでも一例であり、これに限ったものではない。
【１４２２】
（実施の形態Ａ５）
本開示において、例えば、基地局、アクセスポイント、放送局などの送信装置の構成の一例として、図１の構成の説明を行った。本実施の形態では、基地局、アクセスポイント、放送局などの送信装置の構成として、図１と異なる図４４の構成について説明する。
【１４２３】
図４４において、図１と同様に動作するものについては、同一番号を付しており、説明は省略する。図４４において、図１と異なる点は、誤り訂正符号化部が複数存在していることである。図４４では、誤り訂正符号化部が２つ存在している点である。
【１４２４】
なお、誤り訂正符号化部の数は、図１のときの１つ、図４４のときの２つに限ったものではない。例えば、３つ以上ある場合、マッピング部で、各誤り訂正符号化部が出力したデータを使って、マッピングを行う。
【１４２５】
図４４において、誤り訂正符号化部１０２＿１は、第１のデータ１０１＿１、制御信号１００を入力とし、制御信号１００に含まれる誤り訂正符号化方法の情報に基づき、第１のデータ１０１＿１に対し誤り訂正符号化を行い、符号化データ１０３＿１を出力する。
【１４２６】
マッピング部１０４＿１は、符号化データ１０３＿１、制御信号１００を入力とし、制御信号１００に含まれる変調方式の情報に基づいて、符号化データ１０３＿１に対しマッピングを行い、マッピング後の信号１０５＿１を出力する。
【１４２７】
誤り訂正符号化部１０２＿１は、第２のデータ１０１＿２、制御信号１００を入力とし、制御信号１００に含まれる誤り訂正符号化方法の情報に基づき、第２のデータ１０１＿２に対し誤り訂正符号化を行い、符号化データ１０３＿２を出力する。
【１４２８】
マッピング部１０４＿２は、符号化データ１０３＿２、制御信号１００を入力とし、制御信号１００に含まれる変調方式の情報に基づいて、符号化データ１０３＿２に対しマッピングを行い、マッピング後の信号１０５＿２を出力する。
【１４２９】
そして、図４４に示す送信装置の構成に対し、本実施の形態で説明した動作を施しても、図１と同様に実施することが可能であり、また、同様の効果を得ることができる。
【１４３０】
なお、例えば、基地局、ＡＰ、放送局などの送信装置が、図１のような構成で変調信号を送信する場合と図４４のような構成で変調信号を送信する場合を切り替えてもよい。
【１４３１】
（実施の形態Ａ６）
図１などで説明した信号処理部１０６の構成の例として、図２０、図２１、図２２を示した。以下では、図２０、図２１、図２２位相変更部２０５Ａ、２０５Ｂの動作の例を説明する。
【１４３２】
実施の形態４で説明したように、位相変更部２０５Ａにおける位相変更値をｗ（ｉ）、位相変更部２０５Ｂにおける位相変更値をｙ（ｉ）とする。このとき、ｚ１（ｉ）、ｚ２（ｉ）は、式（５２）のようにあらわされる。そして、位相変更部２０５Ａの位相変更の周期をＮ、位相変更部２０５Ｂの位相変更の周期をＮとする。ただし、Ｎは３以上の整数、つまり、送信ストリーム数または送信変調信号数２より大きな整数である。このとき、位相変更値ｗ（ｉ）および位相変更値ｙ（ｉ）を以下のように与える。
【１４３３】
【数１３７】
2017061113.tif 000146
【１４３４】
【数１３８】
2017061113.tif 000147
【１４３５】
なお、式（１３７）におけるΔ、および、式（１３８）におけるΩは実数である。ごく簡単な例としては、ΔおよびΩをゼロとする。ただし、これに限ったものではない。このように設定した場合、図２０、図２１、図２２における信号ｚ１（ｔ）または信号ｚ１（ｉ）のＰＡＰＲ（Peak-to-Average Power Ratio）とｚ２（ｔ）または信号ｚ２（ｉ）のＰＡＰＲが、シングルキャリア方式のとき、同等になり、これにより、図１などの無線部１０７＿Ａと１０８＿Ｂの無線部における位相雑音や送信電力部の線形性の要求基準が同等となり、低消費電力の実現が容易になるという利点があり、また、無線部の構成を共通にすることができるという利点もある。ただし、ＯＦＤＭなどのマルチキャリア方式のときも同様の効果を得ることができる可能性が高い。
【１４３６】
また、位相変更部ｗ（ｉ）およびｙ（ｉ）を以下のように与えてもよい。
【１４３７】
【数１３９】
2017061113.tif 000148
【１４３８】
【数１４０】
2017061113.tif 000149
【１４３９】
式（１３９）および式（１４０）のように与えても、上述と同様の効果を得ることが可能である。
【１４４０】
位相変更部ｗ（ｉ）およびｙ（ｉ）を以下のように与えてもよい。
【１４４１】
【数１４１】
2017061113.tif 000150
【１４４２】
【数１４２】
2017061113.tif 000151
【１４４３】
なお、ｋは０を除く整数である。例えば、ｋは１であってもよいし、−１であってもよいし、２であってもよいし、−２であってもよい。これに限ったものではない。式（１４１）および式（１４２）のように与えても、上述と同様の効果を得ることが可能である。
【１４４４】
（実施の形態Ａ７）
図１などで説明した信号処理部１０６の構成の例として、図３１、図３２、図３３を示した。以下では、図３１、図３２、図３３位相変更部２０５Ａ、２０５Ｂの動作の例を説明する。
【１４４５】
実施の形態７で説明したように、位相変更部２０５Ｂでは、例えば、ｓ２（ｉ）に対しｙ（ｉ）の位相変更を施す。したがって、位相変更後の信号ｓ２’（ｉ）２８０１Ｂは、ｓ２’（ｉ）＝ｙ（ｉ）×ｓ２（ｉ）とあらわすことができる。ｉはシンボル番号（ｉは０以上の整数とする。
【１４４６】
そして、位相変更部２０５Ａでは、例えば、ｓ１（ｉ）に対しｗ（ｉ）の位相変更を施す。したがって、位相変更後の信号ｓ１’（ｉ）２９０１Ａは、ｓ１’（ｉ）＝ｗ（ｉ）×ｓ１（ｉ）とあらわすことができる。ｉはシンボル番号であり、ｉは０以上の整数である。そして、位相変更部２０５Ａの位相変更の周期をＮ、位相変更部２０５Ｂの位相変更の周期をＮとする。ただし、Ｎは３以上の整数、つまり、送信ストリーム数または送信変調信号数２より大きな整数である。このとき、位相変更値ｗ（ｉ）および位相変更値ｙ（ｉ）を以下のように与える。
【１４４７】
【数１４３】
2017061113.tif 000152
【１４４８】
【数１４４】
2017061113.tif 000153
【１４４９】
なお、式（１４３）におけるΔ、および、式（１４４）におけるΩは実数である。ごく簡単な例としては、ΔおよびΩをゼロとする。ただし、これに限ったものではない。このように設定した場合、図３１、図３２、図３３における信号ｚ１（ｔ）または信号ｚ１（ｉ）のＰＡＰＲとｚ２（ｔ）または信号ｚ２（ｉ）のＰＡＰＲが、シングルキャリア方式のとき、同等になり、これにより、図１などの無線部１０７＿Ａ、１０８＿Ｂの無線部における位相雑音や送信電力部の線形性の要求基準が同等となり、低消費電力の実現が容易になるという利点があり、また、無線部の構成を共通にすることができるという利点もある。ただし、ＯＦＤＭなどのマルチキャリア方式のときも同様の効果を得ることができる可能性が高い。
【１４５０】
また、位相変更部ｗ（ｉ）およびｙ（ｉ）を以下のように与えてもよい。
【１４５１】
【数１４５】
2017061113.tif 000154
【１４５２】
【数１４６】
2017061113.tif 000155
【１４５３】
式（１４５）および式（１４６）のように与えても、上述と同様の効果を得ることが可能である。
【１４５４】
位相変更部ｗ（ｉ）およびｙ（ｉ）を以下のように与えてもよい。
【１４５５】
【数１４７】
2017061113.tif 000156
【１４５６】
【数１４８】
2017061113.tif 000157
【１４５７】
なお、ｋは０を除く整数である。例えば、ｋは１であってもよいし、−１であってもよいし、２であってもよいし、−２であってもよい。これに限ったものではない。式（１４７）および式（１４８）のように与えても、上述と同様の効果を得ることが可能である。
【１４５８】
（補足５）
本開示の各実施の形態は、ＯＦＤＭなどのマルチキャリア方式に対して、実施してもよいし、シングルキャリア方式に対して、実施してもよい。以下では、シングルキャリア方式を適用したときの補足説明を行う。
【１４５９】
例えば、実施の形態１において、式（１）から式（３６）まで、図２などを用い、また、他の実施の形態において、図１８から図２２、図２８から図３３を用いて、信号ｚ１（ｉ）、信号ｚ２（ｉ）、または、信号ｚ１’（ｉ）、信号ｚ２’（ｉ）を生成し、信号ｚ１（ｉ）、信号ｚ２（ｉ）、または、信号ｚ１’（ｉ）、信号ｚ２’（ｉ）を生成し、信号ｚ１（ｉ）、信号ｚ２（ｉ）、または、信号ｚ１’（ｉ）、信号ｚ２’（ｉ）は、同一時間、同一周波数（同一周波数帯）で、送信装置から送信されることを説明した。なお、ｉはシンボル番号である。
【１４６０】
このとき、例えば、ＯＦＤＭ方式などのマルチキャリア方式の場合、実施の形態１から実施の形態６で説明しており、信号ｚ１（ｉ）、信号ｚ２（ｉ）、または、信号ｚ１’（ｉ）、信号ｚ２’（ｉ）を「周波数（キャリア番号）」の関数、または、「時間及び周波数」の関数、または、「時間」の関数とみなし、例えば、以下のように配置する。
・信号ｚ１（ｉ）、信号ｚ２（ｉ）、または、信号ｚ１’（ｉ）、信号ｚ２’（ｉ）を周波数軸方向に並べる。
・信号ｚ１（ｉ）、信号ｚ２（ｉ）、または、信号ｚ１’（ｉ）、信号ｚ２’（ｉ）を時間軸方向に並べる。
・信号ｚ１（ｉ）、信号ｚ２（ｉ）、または、信号ｚ１’（ｉ）、信号ｚ２’（ｉ）を周波数及び時間軸方向に並べる。
【１４６１】
以下では、具体的な例を示す。
【１４６２】
図４５は、信号ｚ１（ｉ）、信号ｚ２（ｉ）、または、信号ｚ１’（ｉ）、信号ｚ２’（ｉ）の時間軸に対するシンボルの配置方法の例を示している。図４５において、例えば、ｚｑ（０）と示している。このとき、ｑは１または２である。よって、図４５のｚｑ（０）は、「ｚ１（ｉ）、ｚ２（ｉ）において、シンボル番号ｉ＝０のときのｚ１（０）、ｚ２（０）」をあらわしている。同様に、ｚｑ（１）は、「ｚ１（ｉ）、ｚ２（ｉ）において、シンボル番号ｉ＝１のときのｚ１（１）、ｚ２（１）」をあらわしている。つまり、ｚｑ（Ｘ）は、「ｚ１（ｉ）、ｚ２（ｉ）において、シンボル番号ｉ＝Ｘのときのｚ１（Ｘ）、ｚ２（Ｘ）」をあらわしている。なお、この点については、図４６、図４７、図４８、図４９、図５０についても同様である。
【１４６３】
図４５に示すように、シンボル番号ｉ＝０のシンボルｚｑ（０）は時刻０に配置し、シンボル番号ｉ＝１のシンボルｚｑ（１）は時刻１に配置し、シンボル番号ｉ＝２のシンボルｚｑ（２）は時刻２に配置し、シンボル番号ｉ＝３のシンボルｚｑ（３）は時刻３に配置し、上記以外の時刻についても同様に配置することで、信号ｚ１（ｉ）、信号ｚ２（ｉ）、または、信号ｚ１’（ｉ）、信号ｚ２’（ｉ）の時間軸に対するシンボルの配置を行っている。ただし、図４５は一例であり、シンボル番号と時刻の関係は、これに限ったものではない。
【１４６４】
図４６は、信号ｚ１（ｉ）、信号ｚ２（ｉ）、または、信号ｚ１’（ｉ）、信号ｚ２’（ｉ）の周波数軸に対するシンボルの配置方法の例を示している。
【１４６５】
図４６に示すように、シンボル番号ｉ＝０のシンボルｚｑ（０）はキャリア０に配置し、シンボル番号ｉ＝１のシンボルｚｑ（１）はキャリア１に配置し、シンボル番号ｉ＝２のシンボルｚｑ（２）はキャリア２に配置し、シンボル番号ｉ＝３のシンボルｚｑ（３）はキャリア３に配置し、上記以外のキャリアについても同様に配置することで、信号ｚ１（ｉ）、信号ｚ２（ｉ）、または、信号ｚ１’（ｉ）、信号ｚ２’（ｉ）の周波数軸に対するシンボルの配置を行っている。ただし、図４６は一例であり、シンボル番号と周波数の関係は、これに限ったものではない。
【１４６６】
図４７は、信号ｚ１（ｉ）、信号ｚ２（ｉ）、または、信号ｚ１’（ｉ）、信号ｚ２’（ｉ）の時間及び周波数軸に対するシンボルの配置の例を示している。
【１４６７】
図４７に示すように、シンボル番号ｉ＝０のシンボルｚｑ（０）は、時刻０及びキャリア０に配置し、シンボル番号ｉ＝１のシンボルｚｑ（１）は時刻０キャリア１に配置し、シンボル番号ｉ＝２のシンボルｚｑ（２）は時刻１及びキャリア０に配置し、シンボル番号ｉ＝３のシンボルｚｑ（３）は時刻１及びキャリア１に配置し、上記以外の時刻、キャリアについても同様に配置することで、信号ｚ１（ｉ）、信号ｚ２（ｉ）、または、信号ｚ１’（ｉ）、信号ｚ２’（ｉ）の時間及び周波数軸に対するシンボルの配置を行っている。ただし、図４７は一例であり、シンボル番号と時間及び周波数の関係は、これに限ったものではない。
【１４６８】
図４８は、信号ｚ１（ｉ）、信号ｚ２（ｉ）、または、信号ｚ１’（ｉ）、信号ｚ２’（ｉ）の時間に対するシンボルの配置の第２の例を示している。
【１４６９】
図４８に示すように、シンボル番号ｉ＝０のシンボルｚｑ（０）は、時刻０に配置し、シンボル番号ｉ＝１のシンボルｚｑ（１）は、時刻１６に配置し、シンボル番号ｉ＝２のシンボルｚｑ（２）は、時刻１２に配置し、シンボル番号ｉ＝３のシンボルｚｑ（３）は、時刻５に配置し、上記以外の時刻についても同様に配置することで、信号ｚ１（ｉ）、信号ｚ２（ｉ）、または、信号ｚ１’（ｉ）、信号ｚ２’（ｉ）の時間軸に対するシンボルの配置を行っている。ただし、図４８は一例であり、シンボル番号と時間の関係は、これに限ったものではない。
【１４７０】
図４９は、信号ｚ１（ｉ）、信号ｚ２（ｉ）、または、信号ｚ１’（ｉ）、信号ｚ２’（ｉ）の周波数に対するシンボルの配置の第２の例を示している。
【１４７１】
図４９に示すように、シンボル番号ｉ＝０のシンボルｚｑ（０）は、キャリア０に配置し、シンボル番号ｉ＝１のシンボルｚｑ（１）は、キャリア１６に配置し、シンボル番号ｉ＝２のシンボルｚｑ（２）は、キャリア１２に配置し、シンボル番号ｉ＝３のシンボルｚｑ（３）は、キャリア５に配置し、上記以外のキャリアについても同様に配置することで、信号ｚ１（ｉ）、信号ｚ２（ｉ）、または、信号ｚ１’（ｉ）、信号ｚ２’（ｉ）の周波数軸に対するシンボルの配置を行っている。ただし、図４９は一例であり、シンボル番号と周波数の関係は、これに限ったものではない。
【１４７２】
図５０は、信号ｚ１（ｉ）、信号ｚ２（ｉ）、または、信号ｚ１’（ｉ）、信号ｚ２’（ｉ）の時間及び周波数に対するシンボルの配置の例を示している。
【１４７３】
図５０に示すように、シンボル番号ｉ＝０のシンボルｚｑ（０）は、時刻１及びキャリア１に配置し、シンボル番号ｉ＝１のシンボルｚｑ（１）は、時刻３及びキャリア３に配置し、シンボル番号ｉ＝２のシンボルｚｑ（２）は、時刻１及びキャリア０に配置し、シンボル番号ｉ＝３のシンボルｚｑ（３）は、時刻１及びキャリア３に配置し、上記以外の時刻及びキャリアについても同様に配置することで、信号ｚ１（ｉ）、信号ｚ２（ｉ）、または、信号ｚ１’（ｉ）、信号ｚ２’（ｉ）の時間及び周波数軸に対するシンボルの配置を行っている。ただし、図５０は一例であり、シンボル番号と時間及び周波数の関係はこれに限ったものではない。
【１４７４】
また、シングルキャリア方式の場合、信号ｚ１（ｉ）、信号ｚ２（ｉ）、または、信号ｚ１’（ｉ）、信号ｚ２’（ｉ）を生成後、時間軸に対し、シンボルを配置する。したがって、上述で説明した、例えば、図４５、図４８のように、信号ｚ１（ｉ）、信号ｚ２（ｉ）、または、信号ｚ１’（ｉ）、信号ｚ２’（ｉ）を時間軸に対し、シンボルの配置を行う。ただし、図４５、図４８は例であり、シンボル番号と時間の関係はこれに限ったものではない。
【１４７５】
また、本開示において、種々のフレーム構成について説明した。本開示で説明したフレーム構成の変調信号を、基地局またはＡＰが、ＯＦＤＭ方式などのマルチキャリア方式を用いて送信する。このとき、基地局（ＡＰ）と通信を行っている端末が変調信号を送信する際、端末が送信する変調信号はシングルキャリアの方式であるとよい。基地局またはＡＰはＯＦＤＭ方式を用いることで、複数の端末に対し、同時にデータシンボル群を送信することができ、また、端末はシングルキャリア方式を用いることにより、消費電力を低減することが可能となる。
【１４７６】
そして、基地局またはＡＰが送信する変調信号が使用する周波数帯域の一部を用いて、端末は変調方式を送信するＴＤＤ（Time Division Duplex）方式を適用してもよい。
【１４７７】
本開示において、位相変更部２０５Ａ、および／または、位相変更部２０５Ｂにおいて、位相変更を行うことを説明している。
【１４７８】
このとき、位相変更部２０５Ａの位相変更の周期をＮＡとした場合、ＮＡは３以上の整数、つまり、送信ストリーム数または送信変調信号数２より大きな整数とすると、通信相手の受信装置が良好なデータの受信品質を得る可能性が高い。
【１４７９】
同様に、位相変更部２０５Ｂの位相変更の周期をＮＢとした場合、ＮＢは３以上の整数、つまり、送信ストリーム数または送信変調信号数２より［大きな整数とすると、通信相手の受信装置が良好なデータの受信品質を得る可能性が高い。
【１４８０】
当然であるが、本開示において説明した実施の形態、その他の内容を複数組み合わせて実施してもよい。
【１４８１】
（実施の形態Ａ８）
本実施の形態では、実施の形態７、および、補足１などで説明した動作に基づいた通信装置の動作例について説明する。
【１４８２】
第１の例：
図５１は、本実施の形態における基地局またはＡＰが送信する変調信号の構成の一例を示している。
【１４８３】
図５１において、横軸は時間であり、図５１に示すように、基地局またはＡＰの送信装置は、「シングルストリームの変調信号送信５１０１」を行い、その後、「複数ストリームのための複数変調信号送信５１０２」を行う。
【１４８４】
図５２は、図５１の「シングルストリームの変調信号送信５１０１」時のフレーム構成の一例を示している。
【１４８５】
図５２において、横軸は時間であり、図５２に示すように、基地局またはＡＰは、プリアンブル５２０１を送信後、制御情報シンボル５２０１を送信する。
【１４８６】
なお、プリアンブル５２０１は、例えば、基地局またはＡＰの通信相手である端末が、信号検出、時間同期、周波数同期、周波数オフセット推定、チャネル推定、フレーム同期を行うためのシンボルが含まれていることが考えられ、例えば、ＰＳＫ方式のシンボルであることが考えられる。
【１４８７】
そして、制御情報シンボル５２０１は、基地局およびＡＰが送信した変調信号の通信方法に関する情報や、端末がデータシンボルを復調するために必要な情報などを含んだシンボルであるとする。ただし、制御情報シンボル５２０２が含む情報はこれに限ったものではなく、データ（データシンボル）を含んでいてもよいし、他の制御情報を含んでいてもよい。
【１４８８】
また、「シングルストリームの変調信号」に含まれるシンボルの構成は図５２に限ったものではなく、また、「シングルストリームの変調信号」に含まれるシンボルは、図５２に限ったものではない。
【１４８９】
図５３は、図５１の「複数ストリームのための複数変調信号送信５１０２」時のフレーム構成の一例を示している。
【１４９０】
図５３において、横軸は時間であり、図５３に示すように、基地局またはＡＰは、プリアンブル５３０１を送信後、制御情報シンボル５３０２を送信し、その後データシンボルなど５３０３を送信する。
【１４９１】
なお、少なくともデータシンボルについては、同一時間及び同一周波数を用いて、複数ストリームのための複数変調信号が送信される。そして、プリアンブル５３０１については、例えば、基地局またはＡＰの通信相手である端末が、信号検出、時間同期、周波数同期、周波数オフセット推定、チャネル推定、フレーム同期を行うためのシンボルが含まれていることが考えられ、例えば、ＰＳＫ方式のシンボルであることが考えられる。
【１４９２】
また、複数のアンテナからチャネル推定を行うためのシンボルが送信されることになり、これにより、データシンボルなど５３０３に含まれるデータシンボルの復調が可能となる。
【１４９３】
そして、制御情報シンボル５３０２は、基地局およびＡＰが送信した変調信号の通信方法に関する情報や、端末がデータシンボルを復調するために必要な情報などを含んだシンボルであるとする。ただし、制御情報シンボル５３０２が含む情報はこれに限ったものではなく、データ（データシンボル）を含んでいてもよいし、他の制御情報を含んでいてもよい。
【１４９４】
また、「複数ストリームのための複数の変調信号」に含まれるシンボルは、図５３に限ったものではない。
【１４９５】
なお、以降では、図５１における「シングルストリームの変調信号送信５１０１」の方式として、シングルキャリア方式を採るものとし、「複数ストリームのための複数変調信号送信５１０２」の方式として、シングルキャリア方式を採用してもよいし、マルチキャリア方式を採用してもよい。なお、以降の説明では、マルチキャリア方式の例としてＯＦＤＭ方式を扱うことにする。ただし、マルチキャリア方式としては、ＯＦＤＭ方式以外の方式であってもよい。
【１４９６】
本実施の形態の特徴的な点としては、図５１において、シングルキャリア方式で、「シングルストリームの変調信号送信５１０１」を行う際、補足１で説明したように、ＣＤＤ/ＣＳＤを適用する。
【１４９７】
そして、図５１における「複数ストリームのための複数変調信号送信５１０２」を行う際、位相変更を行う／行わないを切り替える。
【１４９８】
このときの基地局の送信装置の動作について、図５４を用いて説明する。
【１４９９】
図５４は、例えば、図１、図４４の基地局の送信装置における信号処理部１０６の構成の一例を示している。
【１５００】
複数ストリームのための複数変調信号生成部５４０２は、例えば、図２、図１８、図１９、図２０、図２１、図２２、図２８、図２９、図３０、図３１、図３２、図３３などで構成されている。複数ストリームのための複数変調信号生成部５４０２は、マッピング後の信号ｓ１（ｔ）５４０１Ａ、マッピング後の信号ｓ２（ｔ）５４０１Ｂ、制御信号５４００を入力とする。
【１５０１】
このとき、マッピング後の信号ｓ１（ｔ）５４０１Ａはマッピング後の信号２０１Ａに相当し、マッピング後の信号ｓ２（ｔ）５４０１Ｂのはマッピング後の信号２０１Ｂに相当し、制御信号５４００は制御信号２００に相当する。そして、複数ストリームのための複数変調信号生成部５４０２は、例えば、図２、図１８、図１９、図２０、図２１、図２２、図２８、図２９、図３０、図３１、図３２、図３３などを用いて説明した処理を行い、信号５４０３Ａ、５４０３Ｂを出力する。
【１５０２】
なお、信号５４０３Ａは、図２ではベースバンド信号２０８Ａ、図１８では信号２１０Ａ、図１９では信号２１０Ａ、図２０では信号２０８Ａ、図２１では信号２１０Ａ、図２２では信号２１０Ａ、図２８では信号２０８Ａ、図２９では信号２１０Ａ、図３０では信号２１０Ａ、図３１では信号２０８Ａ、図３２では信号２１０Ａ、図３３では信号２０８Ａに相当する。
【１５０３】
信号５４０３Ｂは、図２では信号２１０Ｂ、図１８ではベースバンド信号２０８Ｂ、図１９では信号２１０Ｂ、図２０では信号２１０Ｂ、図２１では信号２０８Ｂ、図２２では信号２１０Ｂ、図２８では信号２１０Ｂ、図２９では信号２０８Ｂ、図３０では信号２１０Ｂ、図３１では信号２１０Ｂ、図３２では信号２０８Ｂ、図３３では信号２１０Ｂに相当する。
【１５０４】
そして、複数ストリームのための複数変調信号生成部５４０２は、制御信号２００に含まれる「シングルストリームの変調信号送信タイミングなのか、または、複数のストリームのための複数変調信号送信タイミングなのか」に関する情報に基づき、「複数ストリームのための複数変調信号送信タイミング」であると判断した場合、各信号処理部が動作し、信号５４０３Ａ、５４０３Ｂを生成し、出力する。
【１５０５】
挿入部５４０５は、マッピング後の信号５４０１Ａ、プリアンブル及び制御シンボルの信号５４０４、制御信号５４００を入力とし、制御信号５４００に含まれる「シングルストリームの変調信号送信タイミングなのか、または、複数のストリームのための複数変調信号送信タイミングなのか」に関する情報に基づき、「シングルストリームの変調信号送信タイミング」であると判断した場合、例えば、マッピング後の信号５４０１Ａ、プリアンブル及び制御シンボルの信号５４０４から、例えば、図５２のフレーム構成にしたがったシングルキャリア方式の信号５４０６を生成し出力する。
【１５０６】
なお、図５４では、挿入部５４０５は、マッピング後の信号５４０１Ａを入力としているが、図５２のフレーム構成にしたがった信号を生成する場合、マッピング後の信号５４０１Ａは使用されない。
【１５０７】
ＣＤＤ/ＣＳＤ処理部５４０７は、フレーム構成にしたがったシングルキャリア方式の信号５４０６、制御信号５４００を入力とし、制御信号５４００が「シングルストリームの変調信号送信タイミング」であることを示している場合、フレーム構成にしたがったシングルキャリア方式の信号５４０６に対し、ＣＤＤ/ＣＳＤの処理を施し、ＣＤＤ/ＣＳＤ処理後のフレーム構成にしたがった信号５４０８を出力する。
【１５０８】
選択部５４０９Ａは、信号５４０３Ａ、フレーム構成にしたがった信号５４０６、制御信号５４００を入力とし、制御信号５４００に基づき、信号５４０３Ａ、フレーム構成にしたがった信号５４０６のいずれかを選択し、選択された信号５４１０Ａを出力する。
【１５０９】
例えば、図５１における「シングルストリームの変調信号送信５１０１」において、選択部５４０９Ａは、フレーム構成にしたがった信号５４０６を選択された信号５４１０Ａとして出力し、図５１における「複数ストリームのための複数変調信号送信５１０２」において、選択部５４０９Ａは、信号５４０３Ａを選択された信号５４１０Ａとして出力する。
【１５１０】
選択部５４０９Ｂは、信号５４０３Ｂ、ＣＤＤ/ＣＳＤ処理後のフレーム構成にしたがった信号５４０８、制御信号５４００を入力とし、制御信号５４００に基づき、信号５４０３Ｂ、ＣＤＤ/ＣＳＤ処理後のフレーム構成にしたがった信号５４０８のいずれかを選択し、選択された信号５４１０Ｂを出力する。
【１５１１】
例えば、図５１における「シングルストリームの変調信号送信５１０１」において、選択部５４０９Ｂは、ＣＤＤ/ＣＳＤ処理後のフレーム構成にしたがった信号５４０８を選択された信号５４１０Ｂとして出力し、図５１における「複数ストリームのための複数変調信号送信５１０２」において、選択部５４０９Ｂは、信号５４０３Ｂを選択された信号５４１０Ｂとして出力する。
【１５１２】
なお、選択された信号５４１０Ａは、図１、図４４の信号処理後の信号１０６＿Ａに相当し、選択された信号５４１０Ｂは、図１、図４４の信号処理後の信号１０６＿Ｂに相当する。
【１５１３】
図５５は、図１、図４４における無線部１０７＿Ａ、１０７＿Ｂの構成の一例を示している。
【１５１４】
ＯＦＤＭ方式用無線部５５０２は、信号処理後の信号５５０１、制御信号５５００を入力とし、制御信号５５００に含まれる「ＯＦＤＭ方式またはシングルキャリア方式いずれが選択されているか」に関する情報が「ＯＦＤＭ方式」であることを示している場合、信号処理後の信号５５０１に対し、ＯＦＤＭ方式用無線部の処理を施し、ＯＦＤＭ方式変調信号５５０３を出力する。
【１５１５】
なお、ＯＦＤＭを例に説明しているが、他のマルチキャリア方式であってもよい。
【１５１６】
シングルキャリア方式用無線部５５０４は、信号処理後の信号５５０１、制御信号５５００を入力とし、制御信号５５００に含まれる「ＯＦＤＭ方式またはシングルキャリア方式いずれが選択されているか」に関する情報が「シングルキャリア方式」であることを示している場合、信号処理後の信号５５０１に対し、シングルキャリア方式用無線部の処理を施し、シングルキャリア方式変調信号５５０５を出力する。
【１５１７】
選択部５５０６は、ＯＦＤＭ方式変調信号５５０３、シングルキャリア方式変調信号５５０５、制御信号５５００を入力とし、制御信号５５００に含まれる「ＯＦＤＭ方式またはシングルキャリア方式いずれが選択されているか」に関する情報が「ＯＦＤＭ方式」であることを示している場合、選択された信号５５０７として、ＯＦＤＭ方式変調信号５５０３を出力し、制御信号５５００に含まれる「ＯＦＤＭ方式またはシングルキャリア方式いずれが選択されているか」に関する情報が「シングルキャリア方式」であることを示している場合、選択された信号５５０７として、シングルキャリア方式変調信号５５０５を出力する。
【１５１８】
なお、無線部１０７＿Ａの構成が図５５のとき、信号処理後の信号５５０１は信号１０６＿Ａに相当し、制御信号５５００は制御信号１００に相当し、選択された信号５５０７は信号１０８＿Ａに相当する。また、無線部１０７＿Ｂの構成が図５５のとき、信号処理後の信号５５０１は信号１０６＿Ｂに相当し、制御信号５５００は制御信号１００に相当し、選択された信号５５０７は信号１０８＿Ｂに相当する。
【１５１９】
上述の動作について、実施の形態７の説明を参照して説明を行う。
【１５２０】
（例１−１）：
図５１において、「複数ストリームのための複数変調信号送信５１０２」では、ＣＤＤ/ＣＳＤの処理は施さないものとし、また、「複数ストリームのための複数変調信号送信５１０２」では、シングルキャリア方式とＯＦＤＭ方式を選択できる。
【１５２１】
したがって、例えば、図２、図１８、図１９、図２０、図２１、図２２、図２８、図２９、図３０、図３１、図３２、図３３などの位相変更部２０９Ａ、および／または、２０９Ｂは位相変更の処理は施さない。したがって、実施の形態７で説明したサイクリックディレイダイバーシチ（ＣＤＤ/ＣＳＤ）に関するＯＮ／ＯＦＦの制御情報（ｕ１１）は、「複数ストリームのための複数変調信号送信５１０２」では無視される。なお、この場合、位相変更部２０９Ａ、および／または、２０９Ｂが図５４の複数ストリームのための複数変調信号生成部５４０２に含まれていなくてもよい。
【１５２２】
そして、「複数ストリームのための複数変調信号送信５１０２」では、シンボルごとに位相変更値を周期的／規則的に変更する動作のＯＮ／ＯＦＦが可能であるとする。したがって、例えば、図２、図１８、図１９、図２０、図２１、図２２、図２８、図２９、図３０、図３１図３２、図３３など位相変更部２０５Ａ、および／または、２０５Ｂは、位相変更の動作のＯＮ／ＯＦＦの制御を行うことができる。したがって、実施の形態７で説明した「シンボルごとに位相変更値を周期的／規則的に変更する動作のＯＮ／ＯＦＦ」の制御情報（ｕ１０）により、位相変更部２０５Ａ、および／または、位相変更部２０５Ｂの位相変更の動作のＯＮ／ＯＦＦが制御される。
【１５２３】
また、図５１において、「シングルストリームの変調信号送信５１０１」では、サイクリックディレイダイバーシチ（ＣＤＤ/ＣＳＤ）の処理は常に行われる。この場合、実施の形態７で説明したサイクリックディレイダイバーシチ（ＣＤＤ/ＣＳＤ）に関するＯＮ／ＯＦＦの制御情報（ｕ１１）は不要となる。
【１５２４】
（例１−２）：
図５１において、「複数ストリームのための複数変調信号送信５１０２」では、ＣＤＤ/ＣＳＤの処理は施さないものとし、また、「複数ストリームのための複数変調信号送信５１０２」では、シングルキャリア方式とＯＦＤＭ方式を選択できる。
【１５２５】
したがって、例えば、図２、図１８、図１９、図２０、図２１、図２２、図２８、図２９、図３０、図３１、図３２、図３３などの位相変更部２０９Ａ、および／または、位相変更部２０９Ｂは位相変更の処理は施さない。したがって、実施の形態７で説明したサイクリックディレイダイバーシチ（ＣＤＤ/ＣＳＤ）に関するＯＮ／ＯＦＦの制御情報（ｕ１１）は、「複数ストリームのための複数変調信号送信５１０２」では無視される。なお、この場合、位相変更部２０９Ａ、および／または、位相変更部２０９Ｂが図５４の複数ストリームのための複数変調信号生成部５４０２に含まれていなくてもよい。
【１５２６】
そして、「複数ストリームのための複数変調信号送信５１０２」では、シンボルごとに位相変更値を周期的／規則的に変更する動作のＯＮ／ＯＦＦ制御が可能であるとする。したがって、例えば、図２、図１８、図１９、図２０、図２１、図２２、図２８、図２９、図３０、図３１、図３２、図３３など位相変更部２０５Ａ、および／または、２０５Ｂは、位相変更の動作のＯＮ／ＯＦＦの制御を行うことができる。したがって、実施の形態７で説明した「周期的／規則的な位相変更をシンボルごとに行うの動作のＯＮ／ＯＦＦ制御」の制御情報（ｕ１０）により、位相変更部２０５Ａ、および／または、位相変更部２０５Ｂの位相変更の動作のＯＮ／ＯＦＦが制御される。
【１５２７】
また、「シングルストリームの変調信号送信」では、サイクリックディレイダイバーシチ（ＣＤＤ/ＣＳＤ）の処理は、実施の形態７で説明したサイクリックディレイダイバーシチ（ＣＤＤ/ＣＳＤ）に関するＯＮ／ＯＦＦの制御情報（ｕ１１）により制御される。ただし、上述で説明したように、図５１、図５２、図５３にしたがって、基地局またはＡＰが変調信号を送信する場合、図５１の「シングルストリームの変調信号送信５１０１」では、サイクリックディレイダイバーシチ（ＣＤＤ/ＣＳＤ）に関するＯＮ／ＯＦＦの制御情報（ｕ１１）はＯＮであり、図５１の「シングルストリームの変調信号送信５１０１」ではＣＤＤ/ＣＳＤの処理が行われる。
【１５２８】
（例１−３）：
図５１において、「複数ストリームのための複数変調信号送信５１０２」では、ＣＤＤ/ＣＳＤの処理を施すものとし、また、「複数ストリームのための複数変調信号送信５１０２」では、シングルキャリア方式とＯＦＤＭ方式を選択できる。
【１５２９】
したがって、例えば、図２、図１８、図１９、図２０、図２１、図２２、図２８、図２９、図３０、図３１、図３２、図３３などの位相変更部２０９Ａ、および／または、位相変更部２０９Ｂは位相変更の処理を施す、または、ＣＤＤ/ＣＳＤの処理を施す。したがって、実施の形態７で説明したサイクリックディレイダイバーシチ（ＣＤＤ/ＣＳＤ）に関するＯＮ／ＯＦＦの制御情報（ｕ１１）は、「複数ストリームのための複数変調信号送信５１０２」では無視される。
【１５３０】
そして、「複数ストリームのための複数変調信号送信５１０２」では、シンボルごとに位相変更値を周期的／規則的に変更する動作のＯＮ／ＯＦＦが可能であるとする。したがって、例えば、図２、図１８、図１９、図２０、図２１、図２２、図２８、図２９、図３０、図３１、図３２、図３３など位相変更部２０５Ａ、および／または、２０５Ｂは、位相変更の動作のＯＮ／ＯＦＦの制御を行うことができる。したがって、実施の形態７で説明した「周期的／規則的な位相変更をシンボルごとに行うの動作のＯＮ／ＯＦＦ」の制御情報（ｕ１０）により、位相変更部２０５Ａ、および／または、２０５Ｂの位相変更の動作のＯＮ／ＯＦＦが制御される。
【１５３１】
また、図５１において、「シングルストリームの変調信号送信５１０１」では、サイクリックディレイダイバーシチ（ＣＤＤ/ＣＳＤ）の処理は常に行われる。この場合、実施の形態７で説明したサイクリックディレイダイバーシチ（ＣＤＤ/ＣＳＤ）に関するＯＮ／ＯＦＦの制御情報（ｕ１１）は不要となる。
【１５３２】
（例１−４）：
図５１において、「複数ストリームのための複数変調信号送信５１０２」では、ＣＤＤ/ＣＳＤの処理を施すものとし、また、「複数ストリームのための複数変調信号送信５１０２」では、シングルキャリア方式とＯＦＤＭ方式を選択できる。
【１５３３】
したがって、例えば、図２、図１８、図１９、図２０、図２１、図２２、図２８、図２９、図３０、図３１、図３２、図３３などの位相変更部２０９Ａ、および／または、２０９Ｂは位相変更の処理を施す、または、ＣＤＤ/ＣＳＤの処理を施す。したがって、実施の形態７で説明したサイクリックディレイダイバーシチ（ＣＤＤ/ＣＳＤ）に関するＯＮ／ＯＦＦの制御情報（ｕ１１）は、「複数ストリームのための複数変調信号送信５１０２」では無視される。
【１５３４】
そして、「複数ストリームのための複数変調信号送信５１０２」では、周期的／規則的な位相変更をシンボルごとに行うの動作のＯＮ／ＯＦＦが可能であるとする。したがって、例えば、図２、図１８、図１９、図２０、図２１、図２２、図２８、図２９、図３０、図３１、図３２、図３３など位相変更部２０５Ａ、および／または、位相変更部２０５Ｂは、位相変更の動作のＯＮ／ＯＦＦの制御を行うことができる。したがって、実施の形態７で説明した「周期的／規則的な位相変更をシンボルごとに行うの動作のＯＮ／ＯＦＦ」の制御情報（ｕ１０）により、位相変更部２０５Ａ、および／または、位相変更部２０５Ｂの位相変更の動作のＯＮ／ＯＦＦが制御される。
【１５３５】
また、「シングルストリームの変調信号送信」では、サイクリックディレイダイバーシチ（ＣＤＤ/ＣＳＤ）の処理は、実施の形態７で説明したサイクリックディレイダイバーシチ（ＣＤＤ/ＣＳＤ）に関するＯＮ／ＯＦＦの制御情報（ｕ１１）により制御される。ただし、上述で説明したように、図５１、図５２、図５３にしたがって、基地局またはＡＰが変調信号を送信する場合、図５１の「シングルストリームの変調信号送信５１０１」では、サイクリックディレイダイバーシチ（ＣＤＤ/ＣＳＤ）に関するＯＮ／ＯＦＦの制御情報（ｕ１１）はＯＮであり、図５１の「シングルストリームの変調信号送信５１０１」ではＣＤＤ/ＣＳＤの処理が行われる。
【１５３６】
（例１−５）：
図５１において、「複数ストリームのための複数変調信号送信５１０２」では、ＣＤＤ/ＣＳＤの処理を施す／施さないを選択できるものとし、また、「複数ストリームのための複数変調信号送信５１０２」では、シングルキャリア方式とＯＦＤＭ方式を選択できる。
【１５３７】
したがって、例えば、図２、図１８、図１９、図２０、図２１、図２２、図２８、図２９、図３０、図３１、図３２、図３３などの位相変更部２０９Ａ、および／または、２０９Ｂは、実施の形態７で説明したサイクリックディレイダイバーシチ（ＣＤＤ/ＣＳＤ）に関するＯＮ／ＯＦＦの制御情報（ｕ１１）により、「位相変更の処理を施す、または、ＣＤＤ/ＣＳＤの処理を施す」、または、「位相変更を施さない、または、ＣＤＤ/ＣＳＤの処理を施さない」を選択する。
【１５３８】
そして、「複数ストリームのための複数変調信号送信５１０２」では、周期的／規則的な位相変更をシンボルごとに行うの動作のＯＮ／ＯＦＦが可能である。したがって、例えば、図２、図１８、図１９、図２０、図２１、図２２、図２８、図２９、図３０、図３１、図３２、図３３など位相変更部２０５Ａ、および／または、位相変更部２０５Ｂは、位相変更の動作のＯＮ／ＯＦＦの制御を行うことができる。したがって、実施の形態７で説明した「周期的／規則的な位相変更をシンボルごとに行うの動作のＯＮ／ＯＦＦ」の制御情報（ｕ１０）により、位相変更部２０５Ａ、および／または、位相変更部２０５Ｂの位相変更の動作のＯＮ／ＯＦＦが制御される。
【１５３９】
また、図５１において、「シングルストリームの変調信号送信５１０１」では、サイクリックディレイダイバーシチ（ＣＤＤ/ＣＳＤ）の処理は常に行われる。この場合、実施の形態７で説明したサイクリックディレイダイバーシチ（ＣＤＤ/ＣＳＤ）に関するＯＮ／ＯＦＦの制御情報（ｕ１１）は不要となる。
【１５４０】
（例１−６）
図５１において、「複数ストリームのための複数変調信号送信５１０２」では、ＣＤＤ/ＣＳＤの処理を施す／施さないを選択できるものとし、また、「複数ストリームのための複数変調信号送信５１０２」では、シングルキャリア方式とＯＦＤＭ方式を選択できる。
【１５４１】
したがって、例えば、図２、図１８、図１９、図２０、図２１、図２２、図２８、図２９、図３０、図３１、図３２、図３３などの位相変更部２０９Ａ、および／または、２０９Ｂは、実施の形態７で説明したサイクリックディレイダイバーシチ（ＣＤＤ/ＣＳＤ）に関するＯＮ／ＯＦＦの制御情報（ｕ１１）により、「位相変更の処理を施す、または、ＣＤＤ/ＣＳＤの処理を施す」、または、「位相変更を施さない、または、ＣＤＤ/ＣＳＤの処理を施さない」を選択する。
【１５４２】
そして、「複数ストリームのための複数変調信号送信５１０２」では、シンボルごとに位相変更値を周期的／規則的に変更する動作のＯＮ／ＯＦＦが可能であるとする。したがって、例えば、図２、図１８、図１９、図２０、図２１、図２２、図２８、図２９、図３０、図３１、図３２、図３３など位相変更部２０５Ａ、および／または、位相変更部２０５Ｂは、位相変更の動作のＯＮ／ＯＦＦの制御を行うことができる。したがって、実施の形態７で説明した「周期的／規則的な位相変更をシンボルごとに行うの動作のＯＮ／ＯＦＦ」の制御情報（ｕ１０）により、位相変更部２０５Ａ、および／または、位相変更部２０５Ｂの位相変更の動作のＯＮ／ＯＦＦが制御される。
【１５４３】
また、「シングルストリームの変調信号送信」では、サイクリックディレイダイバーシチ（ＣＤＤ/ＣＳＤ）の処理は、実施の形態７で説明したサイクリックディレイダイバーシチ（ＣＤＤ/ＣＳＤ）に関するＯＮ／ＯＦＦの制御情報（ｕ１１）により制御される。ただし、上述で説明したように、図５１、図５２、図５３にしたがって、基地局またはＡＰが変調信号を送信する場合、図５１の「シングルストリームの変調信号送信５１０１」では、サイクリックディレイダイバーシチ（ＣＤＤ/ＣＳＤ）に関するＯＮ／ＯＦＦの制御情報（ｕ１１）はＯＮであり、図５１の「シングルストリームの変調信号送信５１０１」ではＣＤＤ/ＣＳＤの処理が行われる。
【１５４４】
第２の例：
図５１は、本実施の形態における基地局またはＡＰが送信する変調信号の構成の一例を示しており、すでに説明を行っているので説明は省略する。
【１５４５】
図５２は、図５１の「シングルストリームの変調信号送信５１０１」の時のフレーム構成の一例を示しており、すでに説明を行っているので説明を省略する。
【１５４６】
図５３は、図５１の「複数ストリームのための複数変調信号送信５１０２」時のフレーム構成の一例を示しており、すでに説明を行っているので説明を省略する。
【１５４７】
なお、以降では、図５１における「シングルストリームの変調信号送信５１０１」の方式として、シングルキャリア方式を採るものとし、「複数ストリームのための複数変調信号送信５１０２」の方式として、シングルキャリア方式を採用してもよいし、マルチキャリア方式を採用してもよい。なお、以降の説明では、マルチキャリア方式の例としてＯＦＤＭ方式を扱うことにする。ただし、マルチキャリア方式としては、ＯＦＤＭ方式以外の方式であってもよい。
【１５４８】
本実施の形態の特徴的な点としては、図５１において、シングルキャリア方式で、「シングルストリームの変調信号送信５１０１」を行う際、補足１で説明したように、ＣＤＤ/ＣＳＤを適用する。
【１５４９】
そして、図５１における「複数ストリームのための複数変調信号送信５１０２」を行う際、位相変更を行う／行わないを切り替える。
【１５５０】
このときの基地局の送信装置の動作について、図５６を用いて説明する。
【１５５１】
図５６は、例えば、図１、図４４の気ｔ局の送信装置における信号処理部１０６の構成の一例を示しており、図５４と同様に動作するものについては、同一番号を付しており、説明を省略する。
【１５５２】
ＣＤＤ/ＣＳＤ処理部５６０１は、フレーム構成にしたがったシングルキャリア方式の信号５４０６、制御信号５４００を入力とし、制御信号５４００が「シングルストリームの変調信号送信タイミング」であることを示している場合、フレーム構成にしたがったシングルキャリア方式の信号５４０６に対し、ＣＤＤ/ＣＳＤの処理を施し、ＣＤＤ/ＣＳＤ処理後のフレーム構成にしたがった信号５６０２を出力する。
【１５５３】
選択部５４０９Ａは、信号５４０３Ａ、ＣＤＤ/ＣＳＤ処理後のフレーム構成にしたがった信号５６０２、制御信号５４００を入力とし、制御信号５４００に基づき、信号５４０３Ａ、ＣＤＤ/ＣＳＤ処理後のフレーム構成にしたがった信号５６０２のいずれかを選択し、選択された信号５４１０Ａを出力する。
【１５５４】
例えば、図５１における「シングルストリームの変調信号送信５１０１」において、選択部５４０９Ａは、ＣＤＤ/ＣＳＤ処理後のフレーム構成にしたがった信号５６０２を選択された信号５４１０Ａとして出力し、図５１における「複数ストリームのための複数変調信号送信５１０２」において、選択部５４０９Ａは、信号５４０３Ａを選択された信号５４１０Ａとして出力する。
【１５５５】
図５５は、図１、図４４における無線部１０７＿Ａ、１０７＿Ｂの構成の一例を示しており、すでに説明を行っているので説明を省略する。
【１５５６】
（例２−１）：
図５１において、「複数ストリームのための複数変調信号送信５１０２」では、ＣＤＤ/ＣＳＤの処理は施さないものとし、また、「複数ストリームのための複数変調信号送信５１０２」では、シングルキャリア方式とＯＦＤＭ方式を選択できる。
【１５５７】
したがって、例えば、図２、図１８、図１９、図２０、図２１、図２２、図２８、図２９、図３０、図３１、図３２、図３３などの位相変更部２０９Ａ、および／または、２０９Ｂは位相変更の処理は施さない。したがって、実施の形態７で説明したサイクリックディレイダイバーシチ（ＣＤＤ/ＣＳＤ）に関するＯＮ／ＯＦＦの制御情報（ｕ１１）は、「複数ストリームのための複数変調信号送信５１０２」では無視される。なお、この場合、位相変更部２０９Ａ、および／または、位相変更部２０９Ｂが図５６の複数ストリームのための複数変調信号生成部５４０２に含まれていなくてもよい。
【１５５８】
そして、「複数ストリームのための複数変調信号送信５１０２」では、周期的／規則的な位相変更をシンボルごとに行うの動作のＯＮ／ＯＦＦが可能であるとする。したがって、例えば、図２、図１８、図１９、図２０、図２１、図２２、図２８、図２９、図３０、図３１、図３２、図３３など位相変更部２０５Ａ、および／または、位相変更部２０５Ｂは、位相変更の動作のＯＮ／ＯＦＦの制御を行うことができる。したがって、実施の形態７で説明した「周期的／規則的な位相変更をシンボルごとに行うの動作のＯＮ／ＯＦＦ」の制御情報（ｕ１０）により、位相変更部２０５Ａ、および／または、位相変更部２０５Ｂの位相変更の動作のＯＮ／ＯＦＦが制御される。
【１５５９】
また、図５１において、「シングルストリームの変調信号送信５１０１」では、サイクリックディレイダイバーシチ（ＣＤＤ/ＣＳＤ）の処理は常に行われる。この場合、実施の形態７で説明したサイクリックディレイダイバーシチ（ＣＤＤ/ＣＳＤ）に関するＯＮ／ＯＦＦの制御情報（ｕ１１）は不要となる。
【１５６０】
（例２−２）：
図５１において、「複数ストリームのための複数変調信号送信５１０２」では、ＣＤＤ/ＣＳＤの処理は施さないものとし、また、「複数ストリームのための複数変調信号送信５１０２」では、シングルキャリア方式とＯＦＤＭ方式を選択できる。
【１５６１】
したがって、例えば、図２、図１８、図１９、図２０、図２１、図２２、図２８、図２９、図３０、図３１、図３２、図３３などの位相変更部２０９Ａ、および／または、２０９Ｂは位相変更の処理は施さない。したがって、実施の形態７で説明したサイクリックディレイダイバーシチ（ＣＤＤ/ＣＳＤ）に関するＯＮ／ＯＦＦの制御情報（ｕ１１）は、「複数ストリームのための複数変調信号送信５１０２」では無視される。なお、この場合、位相変更部２０９Ａ、および／または、位相変更部２０９Ｂが図５４の複数ストリームのための複数変調信号生成部５４０２に含まれていなくてもよい。
【１５６２】
そして、「複数ストリームのための複数変調信号送信５１０２」では、周期的／規則的な位相変更をシンボルごとに行うの動作のＯＮ／ＯＦＦが可能であるとする。したがって、例えば、図２、図１８、図１９、図２０、図２１、図２２、図２８、図２９、図３０、図３１、図３２、図３３など位相変更部２０５Ａ、および／または、位相変更部２０５Ｂは、位相変更の動作のＯＮ／ＯＦＦの制御を行うことができる。したがって、実施の形態７で説明した「周期的／規則的な位相変更をシンボルごとに行うの動作のＯＮ／ＯＦＦ」の制御情報（ｕ１０）により、位相変更部２０５Ａ、および／または、位相変更部２０５Ｂの位相変更の動作のＯＮ／ＯＦＦが制御される。
【１５６３】
また、「シングルストリームの変調信号送信」では、サイクリックディレイダイバーシチ（ＣＤＤ/ＣＳＤ）の処理は、実施の形態７で説明したサイクリックディレイダイバーシチ（ＣＤＤ/ＣＳＤ）に関するＯＮ／ＯＦＦの制御情報（ｕ１１）により制御される。ただし、上述で説明したように、図５１、図５２、図５３にしたがって、基地局またはＡＰが変調信号を送信する場合、図５１の「シングルストリームの変調信号送信５１０１」では、サイクリックディレイダイバーシチ（ＣＤＤ/ＣＳＤ）に関するＯＮ／ＯＦＦの制御情報（ｕ１１）はＯＮであり、図５１の「シングルストリームの変調信号送信５１０１」ではＣＤＤ/ＣＳＤの処理が行われる。
【１５６４】
（例２−３）：
図５１において、「複数ストリームのための複数変調信号送信５１０２」では、ＣＤＤ/ＣＳＤの処理を施すものとし、また、「複数ストリームのための複数変調信号送信５１０２」では、シングルキャリア方式とＯＦＤＭ方式を選択できる。
【１５６５】
したがって、例えば、図２、図１８、図１９、図２０、図２１、図２２、図２８、図２９、図３０、図３１、図３２、図３３などの位相変更部２０９Ａ、および／または、２０９Ｂは位相変更の処理を施す、または、ＣＤＤ/ＣＳＤの処理を施す。したがって、実施の形態７で説明したサイクリックディレイダイバーシチ（ＣＤＤ/ＣＳＤ）に関するＯＮ／ＯＦＦの制御情報（ｕ１１）は、「複数ストリームのための複数変調信号送信５１０２」では無視される。
【１５６６】
そして、「複数ストリームのための複数変調信号送信５１０２」では、周期的／規則的な位相変更をシンボルごとに行うの動作のＯＮ／ＯＦＦが可能であるとする。したがって、例えば、図２、図１８、図１９、図２０、図２１、図２２、図２８、図２９、図３０、図３１、図３２、図３３など位相変更部２０５Ａ、および／または、２０５Ｂは、位相変更の動作のＯＮ／ＯＦＦの制御を行うことができる。したがって、実施の形態７で説明した「周期的／規則的な位相変更をシンボルごとに行うの動作のＯＮ／ＯＦＦ」の制御情報（ｕ１０）により、位相変更部２０５Ａ、および／または、位相変更部２０５Ｂの位相変更の動作のＯＮ／ＯＦＦが制御される。
【１５６７】
また、図５１において、「シングルストリームの変調信号送信５１０１」では、サイクリックディレイダイバーシチ（ＣＤＤ/ＣＳＤ）の処理は常に行われる。この場合、実施の形態７で説明したサイクリックディレイダイバーシチ（ＣＤＤ/ＣＳＤ）に関するＯＮ／ＯＦＦの制御情報（ｕ１１）は不要となる。
【１５６８】
（例２−４）：
図５１において、「複数ストリームのための複数変調信号送信５１０２」では、ＣＤＤ/ＣＳＤの処理を施すものとし、また、「複数ストリームのための複数変調信号送信５１０２」では、シングルキャリア方式とＯＦＤＭ方式を選択できる。
【１５６９】
したがって、例えば、図２、図１８、図１９、図２０、図２１、図２２、図２８、図２９、図３０、図３１、図３２、図３３などの位相変更部２０９Ａ、および／または、２０９Ｂは位相変更の処理を施す、または、ＣＤＤ/ＣＳＤの処理を施す。したがって、実施の形態７で説明したサイクリックディレイダイバーシチ（ＣＤＤ/ＣＳＤ）に関するＯＮ／ＯＦＦの制御情報（ｕ１１）は、「複数ストリームのための複数変調信号送信５１０２」では無視される。
【１５７０】
そして、「複数ストリームのための複数変調信号送信５１０２」では、周期的／規則的な位相変更をシンボルごとに行うの動作のＯＮ／ＯＦＦが可能であるとする。したがって、例えば、図２、図１８、図１９、図２０、図２１、図２２、図２８、図２９、図３０、図３１、図３２、図３３など位相変更部２０５Ａ、および／または、２０５Ｂは、位相変更の動作のＯＮ／ＯＦＦの制御を行うことができる。したがって、実施の形態７で説明した「周期的／規則的な位相変更をシンボルごとに行うの動作のＯＮ／ＯＦＦ」の制御情報（ｕ１０）により、位相変更部２０５Ａ、および／または、位相変更部２０５Ｂの位相変更の動作のＯＮ／ＯＦＦが制御される。
【１５７１】
また、「シングルストリームの変調信号送信」では、サイクリックディレイダイバーシチ（ＣＤＤ/ＣＳＤ）の処理は、実施の形態７で説明したサイクリックディレイダイバーシチ（ＣＤＤ/ＣＳＤ）に関するＯＮ／ＯＦＦの制御情報（ｕ１１）により制御される。ただし、上述で説明したように、図５１、図５２、図５３にしたがって、基地局またはＡＰが変調信号を送信する場合、図５１の「シングルストリームの変調信号送信５１０１」では、サイクリックディレイダイバーシチ（ＣＤＤ/ＣＳＤ）に関するＯＮ／ＯＦＦの制御情報（ｕ１１）はＯＮであり、図５１の「シングルストリームの変調信号送信５１０１」ではＣＤＤ/ＣＳＤの処理が行われる。
【１５７２】
（例２−５）：
図５１において、「複数ストリームのための複数変調信号送信５１０２」では、ＣＤＤ/ＣＳＤの処理を施す／施さないを選択できるものとし、また、「複数ストリームのための複数変調信号送信５１０２」では、シングルキャリア方式とＯＦＤＭ方式を選択できる。
【１５７３】
したがって、例えば、図２、図１８、図１９、図２０、図２１、図２２、図２８、図２９、図３０、図３１、図３２、図３３などの位相変更部２０９Ａ、および／または、２０９Ｂは、実施の形態７で説明したサイクリックディレイダイバーシチ（ＣＤＤ/ＣＳＤ）に関するＯＮ／ＯＦＦの制御情報（ｕ１１）により、「位相変更の処理を施す、または、ＣＤＤ/ＣＳＤの処理を施す」、または、「位相変更を施さない、または、ＣＤＤ/ＣＳＤの処理を施さない」を選択する。
【１５７４】
そして、「複数ストリームのための複数変調信号送信５１０２」では、周期的／規則的な位相変更をシンボルごとに行うの動作のＯＮ／ＯＦＦが可能であるとする。したがって、例えば、図２、図１８、図１９、図２０、図２１、図２２、図２８、図２９、図３０、図３１、図３２、図３３など位相変更部２０５Ａ、および／または、２０５Ｂは、位相変更の動作のＯＮ／ＯＦＦの制御を行うことができる。したがって、実施の形態７で説明した「周期的／規則的な位相変更をシンボルごとに行うの動作のＯＮ／ＯＦＦ」の制御情報（ｕ１０）により、位相変更部２０５Ａ、および／または、２０５Ｂの位相変更の動作のＯＮ／ＯＦＦが制御される。
【１５７５】
また、図５１において、「シングルストリームの変調信号送信５１０１」では、サイクリックディレイダイバーシチ（ＣＤＤ/ＣＳＤ）の処理は常に行われる。この場合、実施の形態７で説明したサイクリックディレイダイバーシチ（ＣＤＤ/ＣＳＤ）に関するＯＮ／ＯＦＦの制御情報（ｕ１１）は不要となる。
【１５７６】
（例２−６）
図５１において、「複数ストリームのための複数変調信号送信５１０２」では、ＣＤＤ/ＣＳＤの処理を施す／施さないを選択できるものとし、また、「複数ストリームのための複数変調信号送信５１０２」では、シングルキャリア方式とＯＦＤＭ方式を選択できる。
【１５７７】
したがって、例えば、図２、図１８、図１９、図２０、図２１、図２２、図２８、図２９、図３０、図３１、図３２、図３３などの位相変更部２０９Ａ、および／または、２０９Ｂは、実施の形態７で説明したサイクリックディレイダイバーシチ（ＣＤＤ/ＣＳＤ）に関するＯＮ／ＯＦＦの制御情報（ｕ１１）により、「位相変更の処理を施す、または、ＣＤＤ/ＣＳＤの処理を施す」、または、「位相変更を施さない、または、ＣＤＤ/ＣＳＤの処理を施さない」を選択する。
【１５７８】
そして、「複数ストリームのための複数変調信号送信５１０２」では、周期的／規則的な位相変更をシンボルごとに行うの動作のＯＮ／ＯＦＦが可能であるとする。したがって、例えば、図２、図１８、図１９、図２０、図２１、図２２、図２８、図２９、図３０、図３１、図３２、図３３など位相変更部２０５Ａ、および／または、２０５Ｂは、位相変更の動作のＯＮ／ＯＦＦの制御を行うことができる。したがって、実施の形態７で説明した「周期的／規則的な位相変更をシンボルごとに行うの動作のＯＮ／ＯＦＦ」の制御情報（ｕ１０）により、位相変更部２０５Ａ、および／または、２０５Ｂの位相変更の動作のＯＮ／ＯＦＦが制御される。
【１５７９】
また、「シングルストリームの変調信号送信」では、サイクリックディレイダイバーシチ（ＣＤＤ/ＣＳＤ）の処理は、実施の形態７で説明したサイクリックディレイダイバーシチ（ＣＤＤ/ＣＳＤ）に関するＯＮ／ＯＦＦの制御情報（ｕ１１）により制御される。ただし、上述で説明したように、図５１、図５２、図５３にしたがって、基地局またはＡＰが変調信号を送信する場合、図５１の「シングルストリームの変調信号送信５１０１」では、サイクリックディレイダイバーシチ（ＣＤＤ/ＣＳＤ）に関するＯＮ／ＯＦＦの制御情報（ｕ１１）はＯＮであり、図５１の「シングルストリームの変調信号送信５１０１」ではＣＤＤ/ＣＳＤの処理が行われる。
【１５８０】
第３の例：
図５７は、本実施の形態における基地局またはＡＰが送信する変調信号の構成の一例を示している。
【１５８１】
図５７において、横軸は時間であり、図５１と同様の動作するものについては同一番号を付している。図５７に示すように、基地局またはＡＰの送信装置は、「シングルストリームの変調信号送信５１０１」を行い、その後、再び「シングルストリームの変調信号送信５７０１」を行う。
【１５８２】
図５２は、図５７の「シングルストリームの変調信号送信５１０１」時のフレーム構成の一例を示している。なお、すでに説明を行っているので、説明は省略する。
【１５８３】
図５８は、図５７の「シングルストリームの変調信号送信５７０１」時のフレーム構成の一例を示している。
【１５８４】
図５８において、横軸は時間であり、図５８に示すように、基地局またはＡＰは、プリアンブル５８０１を送信後、制御情報シンボル５８０２を送信し、その後データシンボルなど５８０３を送信する。なお、プリアンブル５８０１、制御情報シンボル５８０２、データシンボルなど５８０３は、いずれもシングルストリームによる送信が行われる。
【１５８５】
プリアンブル５８０１については、例えば、基地局またはＡＰの通信相手である端末が、信号検出、時間同期、周波数同期、周波数オフセット推定チャネル推定、フレーム同期を行うためのシンボルが含まれていることが考えられ、例えば、ＰＳＫ方式のシンボルであることが考えられる。
【１５８６】
制御情報シンボル５８０２は、基地局またはＡＰが送信した変調信号の通信方法に関する情報や、端末がデータシンボルを復調するために必要な情報などを含んだシンボルであるとする。ただし、制御情報シンボル５８０２が含む情報はこれに限ったものではなく、他の制御情報を含んでもよい。
【１５８７】
なお、以降では、図５７における「シングルストリームの変調信号送信５１０１」の方式として、シングルキャリア方式を採るものとし、「シングルストリームの変調信号送信５７０１」の方式として、シングルキャリア方式を採用してもよいし、マルチキャリア方式を採用してもよい。なお、以降の説明では、マルチキャリア方式の例としてＯＦＤＭ方式を扱うことにする。ただし、マルチキャリア方式としては、ＯＦＤＭ方式以外の方式であってもよい。
【１５８８】
本実施の形態では、図５１において、シングルキャリア方式で、「シングルストリームの変調信号送信５１０１」を行う際、補足１で説明したように、ＣＤＤ/ＣＳＤを適用する。
【１５８９】
（例３−１）：
図５７において、「シングルストリームの変調信号送信５７０１」では、ＣＤＤ/ＣＳＤの処理は施さないものとし、また、「シングルストリームの変調信号送信５７０１」では、シングルキャリア方式とＯＦＤＭ方式を選択できる。
【１５９０】
そして、「シングルストリームの変調信号送信５７０１」の時間において、「シングルストリームの変調信号送信」にかわって、「複数ストリームのための複数変調信号の送信」を選択することが可能である。なお、「複数ストリームのための複数変調信号の送信」については、すでに説明を行ったので、説明は省略する。
【１５９１】
このとき、基地局の送信装置の動作について、図５４を用いて説明する。
【１５９２】
図５４は、例えば、図１、図４４の基地局の送信装置における信号処理部１０６の構成の一例を示している。図５４の基本的な動作については、すでに説明を行ったので、説明は省略する。
【１５９３】
ここでの例では、図５７において、「シングルストリームの変調信号送信５１０１」の際、ＣＤＤ/ＣＳＤの処理を行い、「シングルストリームの変調信号送信５７０１」の際、ＣＤＤ/ＣＳＤの処理を施さないことが特長となる。
【１５９４】
挿入部５４０５の動作については、すでに説明を行ったので、説明を省略する。
【１５９５】
ＣＤＤ/ＣＳＤ部５４０７は、制御信号５４００により、ＣＤＤ/ＣＳＤの処理のＯＮ／ＯＦＦが切り替わる。ＣＤＤ/ＣＳＤ部５４０７は、制御信号５４００に含まれる「複数ストリームのための複数変調信号を送信するタイミングであるのか、または、シングルストリームの変調信号を送信するタイミングであるのか」の情報から図５７における「シングルストリームの変調信号送信５１０１」のタイミングを知る。
【１５９６】
そして、ＣＤＤ/ＣＳＤ部５４０７は、制御信号５４００に含まれる実施の形態７で説明したサイクリックディレイダイバーシチ（ＣＤＤ/ＣＳＤ）に関するＯＮ／ＯＦＦの制御情報（ｕ１１）により、サイクリックディレイダイバーシチの動作を行うと判断する。したがって、図５７の「シングルストリームの変調信号送信５１０１」の際、ＣＤＤ/ＣＳＤ部５４０７は、サイクリックディレイダイバーシチのための信号処理を施し、ＣＤＤ/ＣＳＤ処理後のフレーム構成にしたがった信号５４０８を出力する。
【１５９７】
ＣＤＤ/ＣＳＤ部５４０７は、制御信号に含まれる「複数ストリームのための複数変調信号を送信するタイミングであるのか、または、シングルストリームの変調信号を送信するタイミングであるのか」の情報から図５７における「シングルストリームの変調信号送信５７０１」のタイミングを知る。
【１５９８】
そして、ＣＤＤ/ＣＳＤ部５４０７は、制御信号５４００に含まれる実施の形態７で説明したサイクリックディレイダイバーシチ（ＣＤＤ/ＣＳＤ）に関するＯＮ／ＯＦＦの制御情報（ｕ１１）により、サイクリックディレイダイバーシチの動作を行わないと判断する。したがって、図５７の「シングルストリームの変調信号送信５７０１」の際、ＣＤＤ/ＣＳＤ部５４０７は、サイクリックディレイダイバーシチのための信号処理施さず、例えば、信号の出力を停止する。
【１５９９】
選択部５４０９Ａは、信号５４０３Ａ、フレーム構成にしたがった信号５４０６、制御信号５４００を入力とし、制御信号５４００に基づき、信号５４０３Ａ、フレーム構成にしたがった信号５４０６のいずれかを選択し、選択された信号５４１０Ａを出力する。したがって、「シングルストリームの変調信号送信５１０１」の際、「シングルストリームの変調信号送信５７０１」の際いずれの場合も、選択部５４０９Ａは、フレーム構成にしたがった信号５４０６を選択された信号５４１０Ａとして出力する。
【１６００】
選択部５４０９Ｂは、「シングルストリームの変調信号送信５１０１」の際、ＣＤＤ/ＣＳＤ処理後のフレーム構成にしたがった信号５４０８を選択された信号５４１０Ｂとして出力し、「シングルストリームの変調信号送信５７０１」の際は、例えば、選択された信号５４１０Ｂの出力を停止する。
【１６０１】
そして、図１、図４４の基地局における無線部１０７＿Ａ、１０７＿Ｂの動作については、すでに説明を行ったので、説明を省略する。
【１６０２】
（例３−２）：
図５７において、「シングルストリームの変調信号送信５７０１」では、ＣＤＤ/ＣＳＤの処理を施す／施さないを選択できるものとし、また、「シングルストリームの変調信号送信５７０１」では、シングルキャリア方式とＯＦＤＭ方式を選択できる。
【１６０３】
そして、「シングルストリームの変調信号送信５７０１」の時間において、「シングルストリームの変調信号送信」にかわって、「複数ストリームのための複数変調信号の送信」を選択することが可能である。なお、「複数ストリームのための複数変調信号の送信」については、すでに説明を行ったので、説明は省略する。
【１６０４】
このとき、基地局の送信装置の動作について、図５４を用いて説明する。
【１６０５】
図５４は、例えば、図１、図４４の基地局の送信装置における信号処理部１０６の構成の一例を示している。図５４の基本的な動作については、すでに説明を行っているので、説明は省略する。
【１６０６】
ここでの例では、図５７において、「シングルストリームの変調信号送信５１０１」の際、ＣＤＤ/ＣＳＤの処理を行い、「シングルストリームの変調信号送信５７０１」の際、ＣＤＤ/ＣＳＤの処理を行う／行わないを選択できることが特長となる。
【１６０７】
挿入部５４０５の動作については、すでに説明を行ったので、説明を省略する。
【１６０８】
ＣＤＤ/ＣＳＤ部５４０７は、制御信号５４００により、ＣＤＤ/ＣＳＤの処理のＯＮ／ＯＦＦが切り替わる。ＣＤＤ/ＣＳＤ部５４０７は、制御信号５４００に含まれる「複数ストリームのための複数変調信号を送信するタイミングであるのか、または、シングルストリームの変調信号を送信するタイミングであるのか」の情報から図５７における「シングルストリームの変調信号送信５１０１」のタイミングを知る。
【１６０９】
そして、ＣＤＤ/ＣＳＤ部５４０７は、制御信号５４００に含まれる実施の形態７で説明したサイクリックディレイダイバーシチ（ＣＤＤ/ＣＳＤ）に関する（Ｎ／ＯＦＦの制御情報（ｕ１１）により、サイクリックディレイダイバーシチの動作を行うと判断する。したがって、図５７の「シングルストリームの変調信号送信５１０１」の際、ＣＤＤ/ＣＳＤ部５４０７は、サイクリックディレイダイバーシチのための信号処理を施し、ＣＤＤ/ＣＳＤ処理後のフレーム構成にしたがった信号５４０８を出力する。
【１６１０】
ＣＤＤ/ＣＳＤ部５４０７は、制御信号に含まれる「複数ストリームのための複数変調信号を送信するタイミングであるのか、または、シングルストリームの変調信号を送信するタイミングであるのか」の情報から図５７における「シングルストリームの変調信号送信５７０１」のタイミングを知る。
【１６１１】
そして、ＣＤＤ/ＣＳＤ部５４０７は、「シングルストリームの変調信号送信５７０１」の際、制御信号５４００に含まれる実施の形態７で説明したサイクリックディレイダイバーシチ（ＣＤＤ/ＣＳＤ）に関するＯＮ／ＯＦＦの制御情報（ｕ１１）により、サイクリックディレイダイバーシチの動作を行わないと判断した。
【１６１２】
すると、図５７の「シングルストリームの変調信号送信５７０１」の際、ＣＤＤ/ＣＳＤ部５４０７は、サイクリックディレイダイバーシチのための信号処理施さず、例えば、信号の出力を停止する。
【１６１３】
これとは異なる動作について説明する。
【１６１４】
ＣＤＤ/ＣＳＤ部５４０７は、制御信号に含まれる「複数ストリームのための複数変調信号を送信するタイミングであるのか、または、シングルストリームの変調信号を送信するタイミングであるのか」の情報から図５７における「シングルストリームの変調信号送信５７０１」のタイミングを知る。
【１６１５】
そして、ＣＤＤ/ＣＳＤ部５４０７は、「シングルストリームの変調信号送信５７０１」の際、制御信号５４００に含まれる実施の形態７で説明したサイクリックディレイダイバーシチ（ＣＤＤ/ＣＳＤ）に関する（ＯＮ／ＯＦＦの）制御情報（ｕ１１）により、サイクリックディレイダイバーシチの動作を行うと判断した。
【１６１６】
すると、図５７の「シングルストリームの変調信号送信５７０１」の際、ＣＤＤ/ＣＳＤ部５４０７は、サイクリックディレイダイバーシチのための信号処理を施し、ＣＤＤ/ＣＳＤ処理後のフレーム構成にしたがった信号５４０８を出力する。
【１６１７】
選択部５４０９Ａは、信号５４０３Ａ、フレーム構成にしたがった信号５４０６Ａ、制御信号５４００を入力とし、制御信号５４００に基づき、信号５４０３Ａ、フレーム構成にしたがった信号５４０６のいずれかを選択し、選択された信号５４１０Ａを出力する。
【１６１８】
したがって、「シングルストリームの変調信号送信５１０１」の際、「シングルストリームの変調信号送信５７０１」の際いずれの場合も、選択部５４０９Ａは、フレーム構成にしたがった信号５４０６を選択された信号５４１０Ａとして出力する。
【１６１９】
選択部５４０９Ｂは、「シングルストリームの変調信号送信５１０１」の際、ＣＤＤ/ＣＳＤ処理後のフレーム構成にしたがった信号５４０８を選択された信号５４１０Ｂとして出力する。
【１６２０】
「シングルストリームの変調信号送信５７０１」の際、選択部５４０９Ｂは、「シングルストリームの変調信号送信５７０１」において、ＣＤＤ/ＣＳＤ処理を行わないと判断した場合、例えば、選択された信号５４１０Ｂの出力を停止する。
【１６２１】
「シングルストリームの変調信号送信５７０１」の際、選択部５４０９Ｂは、「シングルストリームの変調信号送信５７０１」において、ＣＤＤ/ＣＳＤ処理を行うと判断した場合、ＣＤＤ/ＣＳＤ処理後のフレーム構成にしたがった信号５４０８を選択された信号５４１０Ｂとして出力する。
【１６２２】
そして、図１、図４４の基地局における無線部１０７＿Ａ、１０７＿Ｂの動作については、すでに説明を行ったので、説明を省略する。
【１６２３】
以上の説明のように、送信ストリーム数、送信方法などにより、位相変更を実施する／実施しないの制御、および、ＣＤＤ/ＣＳＤを実施する／実施しないの制御を好適に制御することで、通信相手のデータの受信品質を向上させることができるという効果を得ることができる。
【１６２４】
なお、ＣＤＤ/ＣＳＤを実施することで、通信相手のデータの受信品質を向上させることができる可能性が高くなり、例えば、シングルストリームの送信を行う場合、送信装置の複数の送信アンテナを効果的に活用することができるという利点がある。そして、複数ストリーム送信の場合、伝搬環境や通信環境、通信相手の位相変更への対応などの状況により、位相変更の実施、非実施を制御することで、好適なデータの受信品質を得ることができるという利点がある。
【１６２５】
なお、図１、図４４の信号処理部１０６の構成の一例として、図５４を説明したが、例えば、図２、図１８、図１９、図２０、図２１、図２２、図２８、図２９、図３０、図３１、図３２、図３３などの構成でも実施することができる。
【１６２６】
例えば、図２、図１８、図１９、図２０、図２１、図２２、図２８、図２９、図３０、図３１、図３２、図３３などの構成において、シングルストリーム送信に場合、ｓ２（ｔ）のマッピング後の信号２０１Ｂを無効とする。
【１６２７】
そして、重み付け合成部２０３では、プリコーディング行列Ｆとして、例えば以下のいずれかの式を与えるとよい。
【１６２８】
【数１４９】
2017061113.tif 000158
【１６２９】
【数１５０】
2017061113.tif 000159
【１６３０】
【数１５１】
2017061113.tif 000160
【１６３１】
【数１５２】
2017061113.tif 000161
【１６３２】
なお、αは、実数であってもよいし、虚数であってもよい。そして、βも、実数であってもよいし、虚数であってもよい。ただし、αはゼロではなく、βもゼロではない。
【１６３３】
上述は式による表現を行っているが、上記の式による重み付け合成（行列を用いた演算）を実施するのではなく、信号を分配するという動作であってもよい。
【１６３４】
そして、シングルストリームの場合、位相変更部２０５Ａ、２０５Ｂは、位相変更を行わない。つまり、入力信号をそのまま出力する。
【１６３５】
また、シングルストリーム送信の場合、位相変更部２０９Ａ、２０９Ｂは、位相変更を行うのではなく、ＣＤＤ/ＣＳＤのための信号処理を行ってもよい。
【１６３６】
（実施の形態Ａ９）
補足４において、例えば、図２、図１８、図１９、図２０、図２１、図２２、図２８、図２９、図３０、図３１、図３２、図３３などの構成に対し、重み付け合成部２０３の前後に位相変更部を配置してもよいことを記載した。
【１６３７】
本実施の形態では、この点について補足説明を行う。
【１６３８】
重み付け合成部２０３の前後に位相変更部を配置する第１の例を図５９に示す。図５９において、図２などと同様に動作するものについては、同一番号を付しており、図２などと同様に動作するものについては、説明を省略する。図５９に示すように位相変更部５９０１Ａは、マッピング後の信号ｓ１（ｔ）２０１Ａ、制御信号２００を入力とし、例えば、制御信号２００に含まれる位相変更方法の情報に基づき、マッピング後の信号ｓ１（ｔ）２０１Ａに対し位相変更を施し、位相変更後の信号５９０２Ａを出力する。
【１６３９】
同様に、位相変更部５９０１Ｂは、マッピング後の信号ｓ２（ｔ）２０１Ｂ、制御信号２００を入力とし、例えば、制御信号２００に含まれる位相変更方法の情報に基づき、マッピング後の信号ｓ２（ｔ）２０１Ｂに対し位相変更を施し、位相変更後の信号５９０２Ｂを出力する。
【１６４０】
そして、位相変更後の信号２０６Ａは、図２などに記載されている挿入部２０７Ａに入力され、また、位相変更後の信号２０６Ｂは、図２などに記載されている挿入部２０７Ｂに入力される。
【１６４１】
重み付け合成部２０３の前後に位相変更部を配置する第２の例を図６０に示す。図６０において、図２などと同様に動作するものについては、同一番号を付しており、図２などと同様に動作するものについては、説明を省略する。また、図５９と同様に動作するものについては、同一番号を付しており、図５９と同様に動作するものについては、説明を省略する。
【１６４２】
図６０では、図５９と異なり、重み付け合成部２０３の後段に位相変更部２０５Ａが存在せずに、位相変更部２０５Ｂが存在している。
【１６４３】
そして、重み付け合成後の信号２０４Ａは、図２などに記載されている挿入部２０７Ａに入力され、また、位相変更後の信号２０６Ｂは、図２などに記載されている挿入部２０７Ｂに入力される。
【１６４４】
重み付け合成部２０３の前後に位相変更部を配置する第３の例を図６１に示す。図６１において、図２などと同様に動作するものについては、同一番号を付しており、図２などと同様に動作するものについては、説明を省略する。また、図５９と同様に動作するものについては、同一番号を付しており、図５９と同様に動作するものについては、説明を省略する。
【１６４５】
図６１では、図６０と異なり、重み付け合成部２０３の後段の上段に位相変更部２０５Ａが存在し、下段に位相変更部２０５Ａが存在しない。
【１６４６】
そして、位相変更後の信号２０６Ａは、図２などに記載されている挿入部２０７Ａに入力され、また、重み付け合成後の信号２０４Ｂは、図２などに記載されている挿入部２０７Ｂに入力される。
【１６４７】
重み付け合成部２０３の前後に位相変更部を配置する第４の例を図６２に示す。図６２において、図２などと同様に動作するものについては、同一番号を付しており、図２などと同様に動作するものについては、説明を省略する。また、図５９と同様に動作するものについては、同一番号を付しており、図５９と同様に動作するものについては、説明を省略する。
【１６４８】
図６２では、図５９と異なり、重み付け合成語の前段に位相変更部５９０１Ｂが存在し、位相変更部５９０１Ａが存在しない。
【１６４９】
そして、位相変更後の信号２０６Ａは、図２などに記載されている挿入部２０７Ａに入力され、また、位相変更後の信号２０６Ｂは、図２などに記載されている挿入部２０７Ｂに入力される。
【１６５０】
重み付け合成部２０３の前後に位相変更部を配置する第５の例を図６３に示す。図６３において、図２などと同様に動作するものについては、同一番号を付しており、図２などと同様に動作するものについては、説明を省略する。また、図５９と同様に動作するものについては、同一番号を付しており、図５９と同様に動作するものについては、説明を省略する。
【１６５１】
図６３では、図６２と異なり、重み付け合成部２０３の前段の上段に位相変更部５９０１Ａが存在し、下段に位相変更部５９０１Ｂが存在しない。
【１６５２】
そして、位相変更後の信号２０６Ａは、図２などに記載されている挿入部２０７Ａに入力され、また、位相変更後の信号２０６Ｂは、図２などに記載されている挿入部２０７Ｂに入力される。
【１６５３】
重み付け合成部２０３の前後に位相変更部を配置する第６の例を図６４に示す。図６４において、図２などと同様に動作するものについては、同一番号を付しており、図２などと同様に動作するものについては、説明を省略する。また、図５９と同様に動作するものについては、同一番号を付しており、図５９と同様に動作するものについては、説明を省略する。
【１６５４】
図６４では、重み付け合成部２０３の前段の下段、および、後段の下段に位相変更部５９０１Ｂ、２０５Ｂが存在し、重み付け合成部２０３の前段の上段、および、後段の上段に位相変更部５９０１Ａ、２０５Ａが存在しない。
【１６５５】
そして、重み付け合成後の信号２０４Ａは、図２などに記載されている挿入部２０７Ａに入力され、また、位相変更後の信号２０６Ｂは、図２などに記載されている挿入部２０７Ｂに入力される。
【１６５６】
重み付け合成部２０３の前後に位相変更部を配置する第７の例を図６５に示す。図６５において、図２などと同様に動作するものについては、同一番号を付しており、図２などと同様に動作するものについては、説明を省略する。また、図５９と同様に動作するものについては、同一番号を付しており、図５９と同様に動作するものについては、説明を省略する。
【１６５７】
図６５では、重み付け合成部２０３の前段の下段、および、後段の上段に位相変更部５９０１Ｂ、２０５Ａが存在し、重み付け合成部２０３の前段の上段、および、後段の下段に位相変更部５９０１Ａ、２０５Ｂが存在しない。
【１６５８】
そして、位相変更後の信号２０６Ａは、図２などに記載されている挿入部２０７Ａに入力され、また、重み付け合成後の信号２０４Ｂは、図２などに記載されている挿入部２０７Ｂに入力される。
【１６５９】
重み付け合成部２０３の前後に位相変更部を配置する第８の例を図６６に示す。図６６において、図２などと同様に動作するものについては、同一番号を付しており、図２などと同様に動作するものについては、説明を省略する。また、図５９と同様に動作するものについては、同一番号を付しており、図５９と同様に動作するものについては、説明を省略する。
【１６６０】
図６６では、重み付け合成部２０３の前段の上段、および、後段の下段に位相変更部５９０１Ａ、２０５Ｂが存在し、重み付け合成部２０３の前段の下段、および、後段の上段に位相変更部５９０１Ｂ、２０５Ａが存在しない。
【１６６１】
そして、重み付け合成後の信号２０４Ｂは、図２などに記載されている挿入部２０７Ａに入力され、また、位相変更後の信号２０６Ｂは、図２などに記載されている挿入部２０７Ｂに入力される。
【１６６２】
重み付け合成部２０３の前後に位相変更部を配置する第９の例を図６７に示す。図６７において、図２などと同様に動作するものについては、同一番号を付しており、図２などと同様に動作するものについては、説明を省略する。また、図５９と同様に動作するものについては、同一番号を付しており、図５９と同様に動作するものについては、説明を省略する。
【１６６３】
図６７では、重み付け合成部２０３の前段の上段、および、後段の上段に位相変更部５９０１Ａ、２０５Ａが存在し、重み付け合成部２０３の前段の下段、および、後段の下段に位相変更部５９０１Ｂ、２０５Ｂが存在しない。
【１６６４】
そして、位相変更後の信号２０６Ａは、図２などに記載されている挿入部２０７Ａに入力され、また、重み付け合成後の信号２０４Ｂは、図２などに記載されている挿入部２０７Ｂに入力される。
【１６６５】
以上のような構成であっても、本開示における各実施の形態を実施することが可能である。
【１６６６】
そして、図５９、図６０、図６１、図６２、図６３、図６４、図６５、図６６、図６７における位相変更部５９０１Ａ、５９０１Ｂ、２０５Ａ、２０５Ｂの各位相変更方法は、例えば、制御信号２００により設定される。
【１６６７】
（実施の形態Ａ１０）
本実施の形態では、ロバストな通信方法の一例を説明する。
【１６６８】
第１の例：
基地局またはＡＰは、例えば、図１のマッピング部１０４の動作を説明するための図が図６８である。
【１６６９】
マッピング部６８０２は、符号化データ６８０１、制御信号６８００を入力とし、制御信号６８００によりロバストな伝送方法が指定された場合、以下で述べるようなマッピングを行い、マッピング後の信号６８０３Ａ、６８０３Ｂを出力する。
【１６７０】
なお、制御信号６８００は図１の制御信号１００に相当し、符号化データ６８０１は図１の符号化データ１０３に相当し、マッピング部６８０２は図１のマッピング部１０４に相当し、マッピング後の信号６８０３Ａは図１のマッピング後の信号であるベースバンド信号１０５＿１に相当し、マッピング後の信号６８０１Ｂは図１のマッピング後の信号であるベースバンド信号１０５＿２に相当する。
【１６７１】
例えば、マッピング部６８０２は、符号化データ６８０１として、ビットｃ０（ｋ）、ビットｃ１（ｋ）、ビットｃ２（ｋ）、ビットｃ３（ｋ）を入力とする。なお、ｋは０以上の整数とする。
【１６７２】
マッピング部６８０２は、例えば、下記ビットに対して、ＱＰＳＫの変調を行い、
・ビットｃ０（ｋ）、ビットｃ１（ｋ）に対して、マッピング後の信号ａ（ｋ）を得る、
・ビットｃ２（ｋ）、ビットｃ３（ｋ）に対して、マッピング後の信号ｂ（ｋ）を得る、
・ビットｃ０（ｋ）、ビットｃ１（ｋ）に対して、マッピング後の信号ａ’（ｋ）を得る、
・ビットｃ２（ｋ）、ビットｃ３（ｋ）に対して、マッピング後の信号ｂ’（ｋ）を得る。
【１６７３】
そして、
・シンボル番号ｉ＝２ｋのマッピング後の信号６８０３Ａをｓ１（ｉ＝２ｋ）、
・シンボル番号ｉ＝２ｋのマッピング後の信号６８０３Ｂをｓ２（ｉ＝２ｋ）、
・シンボル番号ｉ＝２ｋ＋１のマッピング後の信号６８０３Ａをｓ１（ｉ＝２ｋ＋１）、
・シンボル番号ｉ＝２ｋ＋１のマッピング後の信号６８０３Ｂをｓ２（ｉ＝２ｋ＋１）
とあらわす。
【１６７４】
そして、
・ｓ１（ｉ＝２ｋ）をａ（ｋ）、
・ｓ２（ｉ＝２ｋ）をｂ（ｋ）、
・ｓ１（ｉ＝２ｋ＋１）をｂ’（ｋ）、
・ｓ２（ｉ＝２ｋ＋１）をａ’（ｋ）
とする。
【１６７５】
次に、「ａ（ｋ）とａ’（ｋ）」、および、「ｂ（ｋ）とｂ’（ｋ）」の関係の例を説明する。
【１６７６】
図６９は、同相Ｉ−直交Ｑ平面におけるＱＰＳＫのときの信号点配置の例を示しており、また、ビットｘ０の値、ｘ１の値に対する信号点の関係を示している。
【１６７７】
ビット［ｘ０  ｘ１］＝［０  ０］（ｘ０が０、ｘ１が０）のとき、同相成分Ｉ＝ｚ、直交成分Ｑ＝ｚを設定し、信号点６９０１に一致する。なお、ｚは０より大きい実数とする。
【１６７８】
ビット［ｘ０  ｘ１］＝［０  １］（ｘ０が０、ｘ１が１）のとき、同相成分Ｉ＝―ｚ、直交成分Ｑ＝ｚを設定し、信号点６９０２に一致する。
【１６７９】
ビット［ｘ０  ｘ１］＝［１  ０］（ｘ０が１、ｘ１が０）のとき、同相成分Ｉ＝ｚ、直交成分Ｑ＝―ｚを設定し、信号点６９０３に一致する。
【１６８０】
ビット［ｘ０  ｘ１］＝［１  １］（ｘ０が１、ｘ１が１）のとき、同相成分Ｉ＝―ｚ、直交成分Ｑ＝―ｚを設定し、信号点６９０４に一致する。
【１６８１】
図７０は、同相Ｉ−直交Ｑ平面におけるＱＰＳＫのときの信号点配置の例を示しており、また、ビットｘ０の値、ｘ１の値に対する信号点の関係を示している。ただし、図６９の「ビットｘ０の値、ｘ１の値に対する信号点の関係」と図７０の「ビットｘ０の値、ｘ１の値に対する信号点の関係」は異なる。
【１６８２】
ビット［ｘ０  ｘ１］＝［０  ０］（ｘ０が０、ｘ１が０）のとき、同相成分Ｉ＝ｚ、直交成分Ｑ＝―ｚを設定し、信号点７００３に一致する。なお、ｚは０より大きい実数とする。
【１６８３】
ビット［ｘ０  ｘ１］＝［０  １］（ｘ０が０、ｘ１が１）のとき、同相成分Ｉ＝―ｚ、直交成分Ｑ＝―ｚを設定し、信号点７００４に一致する。
【１６８４】
ビット［ｘ０  ｘ１］＝［１  ０］（ｘ０が１、ｘ１が０）のとき、同相成分Ｉ＝ｚ、直交成分Ｑ＝ｚを設定し、信号点７００１に一致する。
【１６８５】
ビット［ｘ０  ｘ１］＝［１  １］（ｘ０が１、ｘ１が１）のとき、同相成分Ｉ＝―ｚ、直交成分Ｑ＝ｚを設定し、信号点７００２に一致する。
【１６８６】
図７１は、同相Ｉ−直交Ｑ平面におけるＱＰＳＫのときの信号点配置の例を示しており、また、ビットｘ０の値、ｘ１の値に対する信号点の関係を示している。ただし、図６９の「ビットｘ０の値、ｘ１の値に対する信号点の関係」、図７０の「ビットｘ０の値、ｘ１の値に対する信号点の関係」と図７１の「ビットｘ０の値、ｘ１の値に対する信号点の関係」は異なる。
【１６８７】
ビット［ｘ０  ｘ１］＝［０  ０］（ｘ０が０、ｘ１が０）のとき、同相成分Ｉ＝―ｚ、直交成分Ｑ＝ｚを設定し、信号点７１０２に一致する。なお、ｚは０より大きい実数とする。
【１６８８】
ビット［ｘ０  ｘ１］＝［０  １］（ｘ０が０、ｘ１が１）のとき、同相成分Ｉ＝ｚ、直交成分Ｑ＝ｚを設定し、信号点７１０１に一致する。
【１６８９】
ビット［ｘ０  ｘ１］＝［１  ０］（ｘ０が１、ｘ１が０）のとき、同相成分Ｉ＝―ｚ、直交成分Ｑ＝―ｚを設定し、信号点７１０４に一致する。
【１６９０】
ビット［ｘ０  ｘ１］＝［１  １］（ｘ０が１、ｘ１が１）のとき、同相成分Ｉ＝ｚ、直交成分Ｑ＝―ｚを設定し、信号点７１０３に一致する。
【１６９１】
図７２は、同相Ｉ−直交Ｑ平面におけるＱＰＳＫのときの信号点配置の例を示しており、また、ビットｘ０の値、ｘ１の値に対する信号点の関係を示している。ただし、図６９の「ビットｘ０の値、ｘ１の値に対する信号点の関係」、図７０の「ビットｘ０の値、ｘ１の値に対する信号点の関係」、図７１の「ビットｘ０の値、ｘ１の値に対する信号点の関係」と図７２の「ビットｘ０の値、ｘ１の値に対する信号点の関係」は異なる。
【１６９２】
ビット［ｘ０  ｘ１］＝［０  ０］（ｘ０が０、ｘ１が０）のとき、同相成分Ｉ＝―ｚ、直交成分Ｑ＝―ｚを設定し、信号点７２０４に一致する。なお、ｚは０より大きい実数とする。
【１６９３】
ビット［ｘ０  ｘ１］＝［０  １］（ｘ０が０、ｘ１が１）のとき、同相成分Ｉ＝ｚ、直交成分Ｑ＝―ｚを設定し、信号点７２０３に一致する。
【１６９４】
ビット［ｘ０  ｘ１］＝［１  ０］（ｘ０が１、ｘ１が０）のとき、同相成分Ｉ＝―ｚ、直交成分Ｑ＝ｚを設定し、信号点７２０２に一致する。
【１６９５】
ビット［ｘ０  ｘ１］＝［１  １］（ｘ０が１、ｘ１が１）のとき、同相成分Ｉ＝ｚ、直交成分Ｑ＝ｚを設定し、信号点７２０１に一致する。
【１６９６】
例えば、ａ（ｋ）を生成するために、図６９のマッピングを使用する。例えば、ｃ０（ｋ）＝０、ｃ１（ｋ）＝０であり、図６９によるマッピングにより、信号点６９０１にマッピングし、信号点６９０１がａ（ｋ）に相当する。
【１６９７】
ａ’（ｋ）を生成するために、図６９のマッピング、図７０のマッピング、図７１のマッピング、図７２のマッピングのいずれかを使用すると設定されている。
【１６９８】
＜１＞
ａ’（ｋ）を生成するために、図６９のマッピングを使用すると設定されている場合、ｃ０（ｋ）＝０、ｃ１（ｋ）＝０であるので、図６９によるマッピングにより、信号点６９０１にマッピングし、信号点６９０１がａ’（ｋ）に相当する。
【１６９９】
＜２＞
ａ’（ｋ）を生成するために、図７０のマッピングを使用すると設定されている場合、ｃ０（ｋ）＝０、ｃ１（ｋ）＝０であるので、図７０によるマッピングにより、信号点７００３にマッピングし、信号点７００３がａ’（ｋ）に相当する。
【１７００】
＜３＞
ａ’（ｋ）を生成するために、図７１のマッピングを使用すると設定されている場合、ｃ０（ｋ）＝０、ｃ１（ｋ）＝０であるので、図７１によるマッピングにより、信号点７１０２にマッピングし、信号点７１０２がａ’（ｋ）に相当する。
【１７０１】
＜４＞
ａ’（ｋ）を生成するために、図７２のマッピングを使用すると設定されている場合、ｃ０（ｋ）＝０、ｃ１（ｋ）＝０であるので、図７２によるマッピングにより、信号点７２０４にマッピングし、信号点７２０４がａ’（ｋ）に相当する。
【１７０２】
以上のように、「ａ（ｋ）を生成するための伝送するビット（例えば、ｘ０  ｘ１）と信号点の配置」の関係と「ａ’（ｋ）を生成するための伝送するビット（例えば、ｘ０  ｘ１）と信号点の配置」の関係は、同一であってもよいし、異なっていてもよい。
【１７０３】
「同一である場合の例」として、上述では「ａ（ｋ）を生成するために図６９を用い、ａ’（ｋ）を生成するために図６９を用いる」ことを記載している。
【１７０４】
また、「異なる場合の例」として、上述では「ａ（ｋ）を生成するために図６９を用い、ａ’（ｋ）を生成するために図７０を用いる」、あるいは、「ａ（ｋ）を生成するために図６９を用い、ａ’（ｋ）を生成するために図７１を用いる」、あるいは、「ａ（ｋ）を生成するために図６９を用い、ａ’（ｋ）を生成するために図７２を用いる」を記載している。
【１７０５】
別の例としては、「ａ（ｋ）を生成するための変調方式とａ’（ｋ）を生成するための変調方式が異なる」、あるいは、「ａ（ｋ）を生成するための同相Ｉ−直交Ｑ平面における信号点配置とａ’（ｋ）を生成するための同相Ｉ−直交Ｑ平面における信号点配置が異なる」としてもよい。
【１７０６】
例えば、ａ（ｋ）を生成するための変調方式として、上述のように、ＱＰＳＫを用い、ａ’（ｋ）を生成するための変調方式として、ＱＰＳＫとは異なる信号点配置の変調方式としてもよい。また、ａ（ｋ）を生成するための同相Ｉ−直交Ｑ平面における信号点配置を図６９とし、ａ’（ｋ）を生成するための同相Ｉ−直交Ｑ平面における信号点配置を図６９とは異なる信号点配置としてもよい。
【１７０７】
なお、「同相Ｉ−直交Ｑ平面における信号点配置が異なるとは」、例えば、ａ（ｋ）を生成するための同相Ｉ−直交Ｑ平面における４つの信号点の座標が図６９のとき、ａ’（ｋ）を生成するための同相Ｉ−直交Ｑ平面における４つの信号点のうち少なくとも１つの信号点は、図６９の４つの信号点のいずれとも重ならないという。
【１７０８】
例えば、ｂ（ｋ）を生成するために、図６９のマッピングを使用する。例えば、ｃ２（ｋ）＝０、ｃ３（ｋ）＝０であり、図６９によるマッピングにより、信号点６９０１にマッピングし、信号点６９０１がｂ（ｋ）に相当する。
【１７０９】
ｂ’（ｋ）を生成するために、図６９のマッピング、図７０のマッピング、図７１のマッピング、図７２のマッピングのいずれかを使用すると設定されている。
【１７１０】
＜５＞
ｂ’（ｋ）を生成するために、図６９のマッピングを使用すると設定されている場合、ｃ２（ｋ）＝０、ｃ３（ｋ）＝０であるので、図６９によるマッピングにより、信号点６９０１にマッピングし、信号点６９０１がｂ’（ｋ）に相当する。
【１７１１】
＜６＞
ｂ’（ｋ）を生成するために、図７０のマッピングを使用すると設定されている場合、ｃ２（ｋ）＝０、ｃ３（ｋ）＝０であるので、図７０によるマッピングにより、信号点７００３にマッピングし、信号点７００３がｂ’（ｋ）に相当する。
【１７１２】
＜７＞
ｂ’（ｋ）を生成するために、図７１のマッピングを使用すると設定されている場合、ｃ２（ｋ）＝０、ｃ３（ｋ）＝０であるので、図７１によるマッピングにより、信号点７１０２にマッピングし、信号点７１０２がｂ’（ｋ）に相当する。
【１７１３】
＜８＞
ｂ’（ｋ）を生成するために、図７２のマッピングを使用すると設定されている場合、ｃ２（ｋ）＝０、ｃ３（ｋ）＝０であるので、図７２によるマッピングにより、信号点７２０４にマッピングし、信号点７２０４がｂ’（ｋ）に相当する。
【１７１４】
以上のように、「ｂ（ｋ）を生成するための伝送するビット（例えば、ｘ０  ｘ１）と信号点の配置」の関係と「ｂ’（ｋ）を生成するための伝送するビット（例えば、ｘ０  ｘ１）と信号点の配置」の関係は、同一であってもよいし、異なっていてもよい。
【１７１５】
「同一である場合の例」として、上述では「ｂ（ｋ）を生成するために図６９を用い、ｂ’（ｋ）を生成するために図６９を用いる」ことを記載している。
【１７１６】
また、「異なる場合の例」として、上述では「ｂ（ｋ）を生成するために図６９を用い、ｂ’（ｋ）を生成するために図７０を用いる」、あるいは、「ｂ（ｋ）を生成するために図６９を用い、ｂ’（ｋ）を生成するために図７１を用いる」、あるいは、「ｂ（ｋ）を生成するために図６９を用い、ｂ’（ｋ）を生成するために図７２を用いる」を記載している。
【１７１７】
別の例としては、「ｂ（ｋ）を生成するための変調方式とｂ’（ｋ）を生成するための変調方式が異なる」、あるいは、「ｂ（ｋ）を生成するための同相Ｉ−直交Ｑ平面における信号点配置とｂ’（ｋ）を生成するための同相Ｉ−直交Ｑ平面における信号点配置が異なる」としてもよい。
【１７１８】
例えば、ｂ（ｋ）を生成するための変調方式として、上述のように、ＱＰＳＫを用い、ｂ’（ｋ）を生成するための変調方式として、ＱＰＳＫとは異なる信号点配置の変調方式としてもよい。また、ｂ（ｋ）を生成するための同相Ｉ−直交Ｑ平面における信号点配置を図６９とし、ｂ’（ｋ）を生成するための同相Ｉ−直交Ｑ平面における信号点配置を図６９とは異なる信号点配置としてもよい。
【１７１９】
なお、「同相Ｉ−直交Ｑ平面における信号点配置が異なるとは」、例えば、ｂ（ｋ）を生成するための同相Ｉ−直交Ｑ平面における４つの信号点の座標が図６９のとき、ｂ’（ｋ）を生成するための同相Ｉ−直交Ｑ平面における４つの信号点のうち少なくとも１つの信号点は、図６９の４つの信号点のいずれとも重ならないという。
【１７２０】
前述より、マッピング後の信号の信号６８０３Ａは図１のマッピング後の信号１０５＿１に相当し、マッピング後の信号６８０３Ｂは図１のマッピング後の信号１０５＿２に相当するため、マッピング後の信号の信号６８０３Ａおよびマッピング後の信号６８０３Ｂは、図１の信号処理部１０６に相当する図２、図１８、図１９、図２０、図２１、図２２、図２８、図２９、図３０、図３１、図３２、図３３、図５９、図６０、図６１、図６２、図６３、図６４、図６５、図６６、図６７などにより、位相変更や重み付け合成の処理が施される。
【１７２１】
第２の例：
基地局またはＡＰの送信装置の構成として図１としたが、基地局またはＡＰの送信装置の構成を図１とは異なる図７３としたときの動作について、説明する。
【１７２２】
図７３において、図１、図４４と同様に動作するものについては、同一番号を付しており、説明は省略する。
【１７２３】
図７３のマッピング部７３０１は、符号化データ１０３＿１、１０３＿２、および、制御信号１００を入力とし、制御信号１００に含まれるマッピング方法に関する情報にもとづいて、マッピングを行い、マッピング後の信号１０５＿１、１０５＿２を出力する。
【１７２４】
図７３のマッピング部７３０１の動作を説明するための図が図７４となる。図７４において、図６８と同様に動作するものについては、同一番号を付しており、説明は省略する。
【１７２５】
マッピング部６８０２は、符号化データ７４０１＿１、７４０１＿２、制御信号６８００を入力とし、制御信号６８００によりロバストな伝送方法が指定された場合、以下で述べるようなマッピングを行い、マッピング後の信号６８０３Ａ、６８０３Ｂを出力する。
【１７２６】
なお、制御信号６８００は図７３の制御信号１００に相当し、符号化データ７４０１＿１は図７３の符号化データ１０３＿１に相当し、符号化データ７４０１＿２は図７３の符号化データ１０３＿２に相当し、マッピング部６８０２は図７３のマッピング部７３０１に相当し、マッピング後の信号６８０３Ａは図７３のマッピング後の信号１０５＿１に相当し、マッピング後の信号６８０１Ｂは図７３のマッピング後の信号１０５＿２に相当する。
【１７２７】
例えば、マッピング部６８０２は、符号化データ７４０１＿１としてビットｃ０（ｋ）、ビットｃ１（ｋ）、符号化データ７４０１＿２としてビットｃ２（ｋ）、ビットｃ３（ｋ）を入力とする。なお、ｋは０以上の整数とする。
【１７２８】
マッピング部６８０２は、例えば、下記ビットに対して、ＱＰＳＫの変調を行い、
・ｃ０（ｋ）、ｃ１（ｋ）に対して、マッピング後の信号ａ（ｋ）を得る、
・ｃ２（ｋ）、ｃ３（ｋ）に対して、マッピング後の信号ｂ（ｋ）を得る、
・ｃ０（ｋ）、ｃ１（ｋ）に対して、マッピング後の信号ａ’（ｋ）を得る、
・ｃ２（ｋ）、ｃ３（ｋ）に対して、マッピング後の信号ｂ’（ｋ）を得る。
【１７２９】
そして、
・シンボル番号ｉ＝２ｋのマッピング後の信号６８０３Ａをｓ１（ｉ＝２ｋ）、
・シンボル番号ｉ＝２ｋのマッピング後の信号６８０３Ｂをｓ２（ｉ＝２ｋ）、
・シンボル番号ｉ＝２ｋ＋１のマッピング後の信号６８０３Ａをｓ１（ｉ＝２ｋ＋１）、
・シンボル番号ｉ＝２ｋ＋１のマッピング後の信号６８０３Ｂをｓ２（ｉ＝２ｋ＋１）
とあらわす。
【１７３０】
そして、
・ｓ１（ｉ＝２ｋ）をａ（ｋ）、
・ｓ２（ｉ＝２ｋ）をｂ（ｋ）、
・ｓ１（ｉ＝２ｋ＋１）をｂ’（ｋ）、
・ｓ２（ｉ＝２ｋ＋１）をａ’（ｋ）
とする。
【１７３１】
なお、「ａ（ｋ）とａ’（ｋ）」、および、「ｂ（ｋ）とｂ’（ｋ）」の関係の例については、図６９、図７０、図７１、図７２を用いて説明したとおりである。
【１７３２】
前述より、マッピング後の信号の信号６８０３Ａは図７３のマッピング後の信号１０５＿１に相当し、マッピング後の信号６８０３Ｂは図７３のマッピング後の信号１０５＿２に相当するため、マッピング後の信号の信号６８０３Ａおよびマッピング後の信号６８０３Ｂは、図７３の信号処理部１０６に相当する図２、図１８、図１９、図２０、図２１、図２２、図２８、図２９、図３０、図３１、図３２、図３３、図５９、図６０、図６１、図６２、図６３、図６４、図６５、図６６、図６７などにより、位相変更や重み付け合成の処理が施される。
【１７３３】
第３の例：
基地局またはＡＰの送信装置の構成として図１としたが、基地局またはＡＰの送信装置の構成を図１とは異なる図７３としたときの動作について、説明する。
【１７３４】
図７３において、図１、図４４と同様に動作するものについては、同一番号を付しており、説明は省略する。
【１７３５】
図７３のマッピング部７３０１は、符号化データ１０３＿１、１０３＿２、および、制御信号１００を入力とし、制御信号１００に含まれるマッピング方法に関する情報にもとづいて、マッピングを行い、マッピング後の信号１０５＿１、１０５＿２を出力する。
【１７３６】
図７３のマッピング部７３０１の動作を説明するための図が図７５となる。図７５において、図６８、図７４と同様に動作するものについては、同一番号を付しており、説明は省略する。
【１７３７】
マッピング部６８０２は、符号化データ７４０１＿１、７４０１＿２、制御信号６８００を入力とし、制御信号６８００によりロバストな伝送方法が指定された場合、以下で述べるようなマッピングを行い、マッピング後の信号６８０３Ａ、６８０３Ｂを出力する。
【１７３８】
なお、制御信号６８００は図７３の制御信号１００に相当し、符号化データ７４０１＿１は図７３の符号化データ１０３＿１に相当し、符号化データ７４０１＿２は図７３の符号化データ１０３＿２に相当し、マッピング部６８０２は図７３のマッピング部７３０１に相当し、マッピング後の信号６８０３Ａは図７３のマッピング後の信号１０５＿１に相当し、マッピング後の信号６８０１Ｂは図７３のマッピング後の信号１０５＿２に相当する。
【１７３９】
例えば、マッピング部６８０２は、符号化データ７４０１＿１としてビットｃ０（ｋ）、ビットｃ２（ｋ）、符号化データ７４０１＿２としてビットｃ１（ｋ）、ビットｃ３（ｋ）を入力とする。なお、ｋは０以上の整数とする。
【１７４０】
マッピング部６８０２は、例えば、下記ビットに対して、ＱＰＳＫの変調を行い、
・ｃ０（ｋ）、ｃ１（ｋ）に対して、マッピング後の信号ａ（ｋ）を得る、
・ｃ２（ｋ）、ｃ３（ｋ）に対して、マッピング後の信号ｂ（ｋ）を得る、
・ｃ０（ｋ）、ｃ１（ｋ）に対して、マッピング後の信号ａ’（ｋ）を得る、
・ｃ２（ｋ）、ｃ３（ｋ）に対して、マッピング後の信号ｂ’（ｋ）を得る。
【１７４１】
そして、
・シンボル番号ｉ＝２ｋのマッピング後の信号６８０３Ａをｓ１（ｉ＝２ｋ）、
・シンボル番号ｉ＝２ｋのマッピング後の信号６８０３Ｂをｓ２（ｉ＝２ｋ）、
・シンボル番号ｉ＝２ｋ＋１のマッピング後の信号６８０３Ａをｓ１（ｉ＝２ｋ＋１）、
・シンボル番号ｉ＝２ｋ＋１のマッピング後の信号６８０３Ｂをｓ２（ｉ＝２ｋ＋１）
とあらわす。
【１７４２】
そして、
・ｓ１（ｉ＝２ｋ）をａ（ｋ）、
・ｓ２（ｉ＝２ｋ）をｂ（ｋ）、
・ｓ１（ｉ＝２ｋ＋１）をｂ’（ｋ）、
・ｓ２（ｉ＝２ｋ＋１）をａ’（ｋ）
とする。
【１７４３】
なお、「ａ（ｋ）とａ’（ｋ）」、および、「ｂ（ｋ）とｂ’（ｋ）」の関係の例については、図６９、図７０、図７１、図７２を用いて説明したとおりである。
【１７４４】
前述より、マッピング後の信号の信号６８０３Ａは図７３のマッピング後の信号１０５＿１に相当し、マッピング後の信号６８０３Ｂは図７３のマッピング後の信号１０５＿２に相当するため、マッピング後の信号の信号６８０３Ａおよびマッピング後の信号６８０３Ｂは、図７３の信号処理部１０６に相当する図２、図１８、図１９、図２０、図２１、図２２、図２８、図２９、図３０、図３１、図３２、図３３、図５９、図６０、図６１、図６２、図６３、図６４、図６５、図６６、図６７などにより、位相変更や重み付け合成の処理が施される。
【１７４５】
第４の例：
基地局またはＡＰは、例えば、図１のマッピング部１０４の動作を説明するための図が図７６である。図７６において、図６８と同様に動作するため、図６８と同一番号を付している。
【１７４６】
マッピング部６８０２は、符号化データ６８０１、制御信号６８００を入力とし、制御信号６８００によりロバストな伝送方法が指定された場合、以下で述べるようなマッピングを行い、マッピング後の信号６８０３Ａ、６８０３Ｂを出力する。
【１７４７】
なお、制御信号６８００は図１の制御信号１００に相当し、符号化データ６８０１は図１の符号化データ１０３に相当し、マッピング部６８０２は図１のマッピング部１０４に相当し、マッピング後の信号６８０３Ａは図１のマッピング後の信号１０５＿１に相当し、マッピング後の信号６８０１Ｂは図１のマッピング後の信号１０５＿２に相当する。
【１７４８】
例えば、マッピング部６８０２は、符号化データ６８０１として、ビットｃ０（ｋ）、ビットｃ１（ｋ）、ビットｃ２（ｋ）、ビットｃ３（ｋ）、ビットｃ４（ｋ）、ビットｃ５（ｋ）、ビットｃ６（ｋ）、ビットｃ７（ｋ）を入力とする。なお、ｋは０以上の整数とする。
【１７４９】
マッピング部６８０２は、例えば、下記ビットに対して、１６ＱＡＭなどの１６個の信号点をもつ変調方式により変調を行うことによって、
・ビットｃ０（ｋ）、ビットｃ１（ｋ）、ビットｃ２（ｋ）、ビットｃ３（ｋ）に対して、マッピング後の信号ａ（ｋ）を得る、
・ビットｃ４（ｋ）、ビットｃ５（ｋ）、ビットｃ６（ｋ）、ビットｃ７（ｋ）に対して、マッピング後の信号ｂ（ｋ）を得る、
・ビットｃ０（ｋ）、ビットｃ１（ｋ）、ビットｃ２（ｋ）、ビットｃ３（ｋ）に対して、マッピング後の信号ａ’（ｋ）を得る、
・ビットｃ４（ｋ）、ビットｃ５（ｋ）、ビットｃ６（ｋ）、ビットｃ７（ｋ）に対して、マッピング後の信号ｂ’（ｋ）を得る。
【１７５０】
そして、
・シンボル番号ｉ＝２ｋのマッピング後の信号６８０３Ａをｓ１（ｉ＝２ｋ）、
・シンボル番号ｉ＝２ｋのマッピング後の信号６８０３Ｂをｓ２（ｉ＝２ｋ）、
・シンボル番号ｉ＝２ｋ＋１のマッピング後の信号６８０３Ａをｓ１（ｉ＝２ｋ＋１）、
・シンボル番号ｉ＝２ｋ＋１のマッピング後の信号６８０３Ｂをｓ２（ｉ＝２ｋ＋１）
とあらわす。
【１７５１】
そして、
・ｓ１（ｉ＝２ｋ）をａ（ｋ）、
・ｓ２（ｉ＝２ｋ）をｂ（ｋ）、
・ｓ１（ｉ＝２ｋ＋１）をｂ’（ｋ）、
・ｓ２（ｉ＝２ｋ＋１）をａ’（ｋ）
とする。
【１７５２】
「ａ（ｋ）とａ’（ｋ）」、および、「ｂ（ｋ）とｂ’（ｋ）」の関係であるが、すでに説明したように、例えば、「ａ（ｋ）を生成するための伝送するビット（例えば、１６個の信号点が存在するため、ｘ０  ｘ１、ｘ２、ｘ３）と信号点の配置」の関係と「ａ’（ｋ）を生成するための伝送するビット（例えば、ｘ０  ｘ１、ｘ２、ｘ３）と信号点の配置」の関係は、同一であってもよいし、異なっていてもよい。
【１７５３】
別の例としては、「ａ（ｋ）を生成するための変調方式とａ’（ｋ）を生成するための変調方式が異なる」、あるいは、「ａ（ｋ）を生成するための同相Ｉ−直交Ｑ平面における信号点配置とａ’（ｋ）を生成するための同相Ｉ−直交Ｑ平面における信号点配置が異なる」としてもよい。
【１７５４】
なお、「同相Ｉ−直交Ｑ平面における信号点配置が異なるとは」、例えば、ａ（ｋ）を生成するための同相Ｉ−直交Ｑ平面における１６個の信号点の座標が存在し、ａ’（ｋ）を生成するための同相Ｉ−直交Ｑ平面における１６個の信号点のうち少なくとも１つの信号点は、ａ（ｋ）を生成するための同相Ｉ−直交Ｑ平面における１６個の信号点のいずれとも重ならないという。
【１７５５】
「ａ（ｋ）とａ’（ｋ）」、および、「ｂ（ｋ）とｂ’（ｋ）」の関係であるが、すでに説明したように、例えば、「ｂ（ｋ）を生成するための伝送するビット（例えば、１６個の信号点が存在するため、ｘ０  ｘ１、ｘ２、ｘ３）と信号点の配置」の関係と「ｂ’（ｋ）を生成するための伝送するビット（例えば、ｘ０  ｘ１、ｘ２、ｘ３）と信号点の配置」の関係は、同一であってもよいし、異なっていてもよい。
【１７５６】
別の例としては、「ｂ（ｋ）を生成するための変調方式とｂ’（ｋ）を生成するための変調方式が異なる」、あるいは、「ｂ（ｋ）を生成するための同相Ｉ−直交Ｑ平面における信号点配置とｂ’（ｋ）を生成するための同相Ｉ−直交Ｑ平面における信号点配置が異なる」としてもよい。
【１７５７】
なお、「同相Ｉ−直交Ｑ平面における信号点配置が異なるとは」、例えば、ｂ（ｋ）を生成するための同相Ｉ−直交Ｑ平面における１６個の信号点の座標が存在し、ｂ’（ｋ）を生成するための同相Ｉ−直交Ｑ平面における１６個の信号点のうち少なくとも１つの信号点は、ｂ（ｋ）を生成するための同相Ｉ−直交Ｑ平面における１６個の信号点のいずれとも重ならないという。
【１７５８】
前述より、マッピング後の信号の信号６８０３Ａは図１のマッピング後の信号１０５＿１に相当し、マッピング後の信号６８０３Ｂは図１のマッピング後の信号１０５＿２に相当するため、マッピング後の信号の信号６８０３Ａ、６８０３Ｂは、図１の信号処理部１０６に相当する図２、図１８、図１９、図２０、図２１、図２２、図２８、図２９、図３０、図３１、図３２、図３３、図５９、図６０、図６１、図６２、図６３、図６４、図６５、図６６、図６７などにより、位相変更や重み付け合成の処理が施される。
【１７５９】
第５の例：
基地局またはＡＰの送信装置の構成として図１としたが、基地局またはＡＰの送信装置の構成を図１とは異なる図７３としたときの動作について、説明する。
【１７６０】
図７３において、図１、図４４と同様に動作するものについては、同一番号を付しており、説明は省略する。
【１７６１】
図７３のマッピング部７３０１は、符号化データ１０３＿１、１０３＿２、および、制御信号１００を入力とし、制御信号１００に含まれるマッピング方法に関する情報にもとづいて、マッピングを行い、マッピング後の信号１０５＿１、１０５＿２を出力する。
【１７６２】
図７３のマッピング部７３０１の動作を説明するための図が図７７となる。図７７において、図６８、図７４と同様に動作するものについては、同一番号を付しており、説明は省略する。
【１７６３】
マッピング部６８０２は、符号化データ７４０１＿１、７４０１＿２、制御信号６８００を入力とし、制御信号６８００によりロバストな伝送方法が指定された場合、以下で述べるようなマッピングを行い、マッピング後の信号６８０３Ａ、６８０３Ｂを出力する。
【１７６４】
なお、制御信号６８００は図７３の制御信号１００に相当し、符号化データ７４０１＿１は図７３の符号化データ１０３＿１に相当し、符号化データ７４０１＿２は図７３の符号化データ１０３＿２に相当し、マッピング部６８０２は図７３のマッピング部６８０２７３０１に相当し、マッピング後の信号６８０３Ａは図７３のマッピング後の信号１０５＿１に相当し、マッピング後の信号６８０１Ｂは図７３のマッピング後の信号１０５＿２に相当する。
【１７６５】
例えば、マッピング部６８０２は、符号化データ７４０１＿１としてビットｃ０（ｋ）、ビットｃ１（ｋ）、ビットｃ２（ｋ）、ビットｃ３（ｋ）符号化データ７４０１＿２としてビットｃ４（ｋ）、ビットｃ５（ｋ）、ビットｃ６（ｋ）、ビットｃ７（ｋ）を入力とする。なお、ｋは０以上の整数とする。
【１７６６】
マッピング部６８０２は、例えば、下記ビットに対して、１６ＱＡＭなどの１６個の信号点をもつ変調方式により変調を行うことによって、
・ビットｃ０（ｋ）、ビットｃ１（ｋ）、ビットｃ２（ｋ）、ビットｃ３（ｋ）に対して、マッピング後の信号ａ（ｋ）を得る、
・ビットｃ４（ｋ）、ビットｃ５（ｋ）、ビットｃ６（ｋ）、ビットｃ７（ｋ）に対して、マッピング後の信号ｂ（ｋ）を得る、
・ビットｃ０（ｋ）、ビットｃ１（ｋ）、ビットｃ２（ｋ）、ビットｃ３（ｋ）に対して、マッピング後の信号ａ’（ｋ）を得る、
・ビットｃ４（ｋ）、ビットｃ５（ｋ）、ビットｃ６（ｋ）、ビットｃ７（ｋ）に対して、マッピング後の信号ｂ’（ｋ）を得る。
【１７６７】
そして、
・シンボル番号ｉ＝２ｋのマッピング後の信号６８０３Ａをｓ１（ｉ＝２ｋ）、
・シンボル番号ｉ＝２ｋのマッピング後の信号６８０３Ｂをｓ２（ｉ＝２ｋ）、
・シンボル番号ｉ＝２ｋ＋１のマッピング後の信号６８０３Ａをｓ１（ｉ＝２ｋ＋１）、
・シンボル番号ｉ＝２ｋ＋１のマッピング後の信号６８０３Ｂをｓ２（ｉ＝２ｋ＋１）
とあらわす。
【１７６８】
そして、
・ｓ１（ｉ＝２ｋ）をａ（ｋ）、
・ｓ２（ｉ＝２ｋ）をｂ（ｋ）、
・ｓ１（ｉ＝２ｋ＋１）をｂ’（ｋ）、
・ｓ２（ｉ＝２ｋ＋１）をａ’（ｋ）
とする。
【１７６９】
なお、「ａ（ｋ）とａ’（ｋ）」、および、「ｂ（ｋ）とｂ’（ｋ）」の関係の例については、第４の例で説明したとおりである。
【１７７０】
前述より、マッピング後の信号の信号６８０３Ａは図７３のマッピング後の信号１０５＿１に相当し、マッピング後の信号６８０３Ｂは図７３のマッピング後の信号１０５＿２に相当するため、マッピング後の信号の信号６８０３Ａおよびマッピング後の信号６８０３Ｂは、図７３の信号処理部１０６に相当する図２、図１８、図１９、図２０、図２１、図２２、図２８、図２９、図３０、図３１、図３２、図３３、図５９、図６０、図６１、図６２、図６３、図６４、図６５、図６６、図６７などにより、位相変更や重み付け合成の処理が施される。
【１７７１】
第６の例：
基地局またはＡＰの送信装置の構成として図１としたが、基地局またはＡＰの送信装置の構成を図１とは異なる図７３としたときの動作について、説明する。
【１７７２】
図７３において、図１、図４４と同様に動作するものについては、同一番号を付しており、説明は省略する。
【１７７３】
図７３のマッピング部７３０１は、符号化データ１０３＿１、１０３＿２、および、制御信号１００を入力とし、制御信号１００に含まれるマッピング方法に関する情報にもとづいて、マッピングを行い、マッピング後の信号１０５＿１、１０５＿２を出力する。
【１７７４】
図７３のマッピング部７３０１の動作を説明するための図が図７８となる。図７８において、図６８、図７４と同様に動作するものについては、同一番号を付しており、説明は省略する。
【１７７５】
マッピング部６８０２は、符号化データ７４０１＿１、７４０１＿２、制御信号６８００を入力とし、制御信号６８００によりロバストな伝送方法が指定された場合、以下で述べるようなマッピングを行い、マッピング後の信号６８０３Ａ、６８０３Ｂを出力する。
【１７７６】
なお、制御信号６８００は図７３の１００に相当し、符号化データ７４０１＿１は図７３の符号化データ１０３＿１に相当し、符号化データ７４０１＿２は図７３の符号化データ１０３＿２に相当し、マッピング部６８０２は図７３のマッピング部７３０１に相当し、マッピング後の信号６８０３Ａは図７３のマッピング後の信号１０５＿１に相当し、マッピング後の信号６８０１Ｂは図７３のマッピング後の信号１０５＿２に相当する。
【１７７７】
例えば、マッピング部６８０２は、符号化データ７４０１＿１としてビットｃ０（ｋ）、ビットｃ１（ｋ）、ビットｃ４（ｋ）、ビットｃ５（ｋ）符号化データ７４０１＿２としてビットｃ２（ｋ）、ビットｃ３（ｋ）、ビットｃ６（ｋ）、ビットｃ７（ｋ）を入力とする。なお、ｋは０以上の整数とする。
【１７７８】
マッピング部６８０２は、例えば、ビットｃ０（ｋ）、ビットｃ１（ｋ）、ビットｃ２（ｋ）、ビットｃ３（ｋ）に対して、１６ＱＡＭなどの１６個の信号点をもつ変調方式により変調を行い、マッピング後の信号ａ（ｋ）を得る。
【１７７９】
また、マッピング部６８０２は、例えば、１６ＱＡＭなどの１６個の信号点をもつ変調方式により変調を行うことによって、
・ビットｃ４（ｋ）、ビットｃ５（ｋ）、ビットｃ６（ｋ）、ビットｃ７（ｋ）に対して、マッピング後の信号ｂ（ｋ）を得る、
・ビットｃ０（ｋ）、ビットｃ１（ｋ）、ビットｃ２（ｋ）、ビットｃ３（ｋ）に対して、マッピング後の信号ａ’（ｋ）を得る、
・ビットｃ４（ｋ）、ビットｃ５（ｋ）、ビットｃ６（ｋ）、ビットｃ７（ｋ）に対して、マッピング後の信号ｂ’（ｋ）を得る。
【１７８０】
そして、
・シンボル番号ｉ＝２ｋのマッピング後の信号６８０３Ａをｓ１（ｉ＝２ｋ）、
・シンボル番号ｉ＝２ｋのマッピング後の信号６８０３Ｂをｓ２（ｉ＝２ｋ）、
・シンボル番号ｉ＝２ｋ＋１のマッピング後の信号６８０３Ａをｓ１（ｉ＝２ｋ＋１）、
・シンボル番号ｉ＝２ｋ＋１のマッピング後の信号６８０３Ｂをｓ２（ｉ＝２ｋ＋１）
とあらわす。
【１７８１】
そして、
・ｓ１（ｉ＝２ｋ）をａ（ｋ）、
・ｓ２（ｉ＝２ｋ）をｂ（ｋ）、
・ｓ１（ｉ＝２ｋ＋１）をｂ’（ｋ）、
・ｓ２（ｉ＝２ｋ＋１）をａ’（ｋ）
とする。
【１７８２】
なお、「ａ（ｋ）とａ’（ｋ）」、および、「ｂ（ｋ）とｂ’（ｋ）」の関係の例については、第４の例で説明したとおりである。
【１７８３】
前述より、マッピング後の信号の信号６８０３Ａは図７３のマッピング後の信号１０５＿１に相当し、マッピング後の信号６８０３Ｂは図７３のマッピング後の信号１０５＿２に相当するため、マッピング後の信号の信号６８０３Ａおよびマッピング後の信号６８０３Ｂは、図７３の信号処理部１０６に相当する図２、図１８、図１９、図２０、図２１、図２２、図２８、図２９、図３０、図３１、図３２、図３３、図５９、図６０、図６１、図６２、図６３、図６４、図６５、図６６、図６７などにより、位相変更や重み付け合成の処理が施される。
【１７８４】
以上、本実施の形態で説明したように、送信装置が変調信号を送信することで、受信装置は、高いデータの受信品質を得ることができる、例えば、直接波が支配的な環境において、良好なデータの受信品質を得ることができるという効果を得ることができる。
【１７８５】
なお、本実施の形態で説明した通信方法（送信方法）を基地局またはＡＰが選択できる場合と実施の形態Ａ１、実施の形態Ａ２、実施の形態Ａ４で説明した端末が、受信能力通知シンボルを送信する場合を組み合わせて実施してもよい。
【１７８６】
例えば、端末が、図３８の「位相変更の復調に対応している／対応していない」に関する情報３６０１により、位相変更の復調に対応していると基地局またはＡＰに通知し、また、端末が、「複数ストリームのための受信に対応している／対応していない」に関する情報３７０２により、本実施の形態で説明した送信方法（通信方法）に対応している、と通知した場合、基地局またはＡＰが、本実施の形態で説明した送信方法（通信方法）の複数ストリームのための複数の変調信号を送信すると決定し、変調信号を送信する、というような実施を行うことができ、これにより、端末は、高いデータの受信品質を得ることができ、基地局またはＡＰが、端末がサポートしている通信方法、および、通信環境などを考慮し、端末が受信可能な変調信号を、基地局またはＡＰは的確に生成し、送信することで、基地局またはＡＰと端末で構成するシステムにおけるデータ伝送効率を向上させることができるという効果を得ることができる。
【１７８７】
本開示に係る実施形態の種々の態様として、以下のものが含まれる。
【１７８８】
本開示の第１の態様に係る送信装置は、第１のベースバンド信号及び第２のベースバンド信号に対してプリコーディング処理を施して、第１のプリコーディングされた信号及び第２のプリコーディングされた信号を生成する重み付け合成部と、前記第１のプリコーディングされた信号に対してパイロット信号を挿入した第3信号を出力する第１のパイロット挿入部と、前記第２のプリコーディングされた信号に対して第1の位相変更を施した第４信号を出力する第１の位相変更部と、前記第４信号に対してパイロット信号を挿入した第５信号を出力する第２のパイロット挿入部と、前記第５信号に対して第2の位相変更を施した第６信号を出力する第２の位相変更部と、を備える。
【１７８９】
本開示の第２の態様に係る送信方法は、第１のベースバンド信号及び第２のベースバンド信号に対してプリコーディング処理を施して、第１のプリコーディングされた信号及び第２のプリコーディングされた信号を生成し、前記第１のプリコーディングされた信号に対してパイロット信号を挿入した第3信号を出力し、前記第２のプリコーディングされた信号に対して第1の位相変更を施した第4信号を出力し、前記第４信号に対してパイロット信号を挿入した第5信号を出力し、前記第５信号に対して第2の位相変更を施して第6信号を出力する。
【１７９０】
以上、図面を参照しながら各種の実施形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。また、開示の趣旨を逸脱しない範囲において、上記実施形態における各構成要素を任意に組み合わせてもよい。
【１７９１】
上記各実施形態では、本開示はハードウェアを用いて構成する例にとって説明したが、本開示はハードウェアとの連携においてソフトウェアでも実現することも可能である。
【１７９２】
また、上記各実施形態の説明に用いた各機能ブロックは、典型的には、入力端子および出力端子を有する集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【１７９３】
また、集積回路化の手法はＬＳＩに限るものではなく、専用回路または汎用プロセッサを用いて実現してもよい。ＬＳＩ製造後に、プログラムすることが可能なＦＰＧＡ（Field Programmable Gate Array）、ＬＳＩ内部の回路セルの接続又は設定を再構成可能なリコンフィギュラブル  プロセッサ（Reconfigurable Processor）を利用してもよい。
【１７９４】
さらには、半導体技術の進歩又は派生する別技術により、ＬＳＩに置き換わる集積回路化の技術が登場すれば、当然、その技術を用いて機能ブロックを集積化してもよい。バイオ技術の適用等が可能性としてありえる。
【産業上の利用可能性】
【１７９５】
本開示は、複数のアンテナから変調信号を送信する通信システムに広く適用できる。
【符号の説明】
【１７９６】
１０２  誤り訂正符号化部
１０４  マッピング部
１０６  信号処理部
１０７Ａ，１０７Ｂ  無線部
１０９Ａ，１０９Ｂ  アンテナ部
【図１】
2017061113.tif 000162
【図２】
2017061113.tif 000163
【図３】
2017061113.tif 000164
【図４】
2017061113.tif 000165
【図５】
2017061113.tif 000166
【図６】
2017061113.tif 000167
【図７】
2017061113.tif 000168
【図８】
2017061113.tif 000169
【図９】
2017061113.tif 000170
【図１０】
2017061113.tif 000171
【図１１】
2017061113.tif 000172
【図１２】
2017061113.tif 000173
【図１３】
2017061113.tif 000174
【図１４】
2017061113.tif 000175
【図１５】
2017061113.tif 000176
【図１６】
2017061113.tif 000177
【図１７】
2017061113.tif 000178
【図１８】
2017061113.tif 000179
【図１９】
2017061113.tif 000180
【図２０】
2017061113.tif 000181
【図２１】
2017061113.tif 000182
【図２２】
2017061113.tif 000183
【図２３】
2017061113.tif 000184
【図２４】
2017061113.tif 000185
【図２５】
2017061113.tif 000186
【図２６】
2017061113.tif 000187
【図２７】
2017061113.tif 000188
【図２８】
2017061113.tif 000189
【図２９】
2017061113.tif 000190
【図３０】
2017061113.tif 000191
【図３１】
2017061113.tif 000192
【図３２】
2017061113.tif 000193
【図３３】
2017061113.tif 000194
【図３４】
2017061113.tif 000195
【図３５】
2017061113.tif 000196
【図３６】
2017061113.tif 000197
【図３７】
2017061113.tif 000198
【図３８】
2017061113.tif 000199
【図３９】
2017061113.tif 000200
【図４０】
2017061113.tif 000201
【図４１】
2017061113.tif 000202
【図４２】
2017061113.tif 000203
【図４３】
2017061113.tif 000204
【図４４】
2017061113.tif 000205
【図４５】
2017061113.tif 000206
【図４６】
2017061113.tif 000207
【図４７】
2017061113.tif 000208
【図４８】
2017061113.tif 000209
【図４９】
2017061113.tif 000210
【図５０】
2017061113.tif 000211
【図５１】
2017061113.tif 000212
【図５２】
2017061113.tif 000213
【図５３】
2017061113.tif 000214
【図５４】
2017061113.tif 000215
【図５５】
2017061113.tif 000216
【図５６】
2017061113.tif 000217
【図５７】
2017061113.tif 000218
【図５８】
2017061113.tif 000219
【図５９】
2017061113.tif 000220
【図６０】
2017061113.tif 000221
【図６１】
2017061113.tif 000222
【図６２】
2017061113.tif 000223
【図６３】
2017061113.tif 000224
【図６４】
2017061113.tif 000225
【図６５】
2017061113.tif 000226
【図６６】
2017061113.tif 000227
【図６７】
2017061113.tif 000228
【図６８】
2017061113.tif 000229
【図６９】
2017061113.tif 000230
【図７０】
2017061113.tif 000231
【図７１】
2017061113.tif 000232
【図７２】
2017061113.tif 000233
【図７３】
2017061113.tif 000234
【図７４】
2017061113.tif 000235
【図７５】
2017061113.tif 000236
【図７６】
2017061113.tif 000237
【図７７】
2017061113.tif 000238
【図７８】
2017061113.tif 000239
【国際調査報告】
2017061113.tif 000240
2017061113.tif 000241
2017061113.tif 000242